(57)【要約】【課題】  遊技制御手段と、払出制御手段と、を別個に備え、入賞に伴って払い出された遊技球数を正確に報知できるとともに、電断復旧時の制御が複雑化してしまうことを防止でき、さらに、機種変更を容易に行うことができる遊技球を用いたスロットマシンを提供すること。【解決手段】  遊技制御部４１は、払出球検出スイッチ２０２が払出球を検出する毎に、取込済球／払出済球表示器１６に表示されている払出済球数を加算更新する。また、電力供給が停止したときには、未払出球数の記憶を遊技制御部４１でのみ保持し、電力供給が開始されたときにおいては、遊技制御部４１で保持されている未払出球数が残存する場合に、該未払出球数のパチンコ球の払出を再度要求し、当該要求に基づき払出制御部６１が電断時の未払出球数の払出を行う。また、機種固有の装飾が施される装飾パネル２４を、払出数表示手段１７ａ、演出表示手段５４ａ〜５４ｅ、５５ａ〜５５ｅ、発光手段７６Ｌａ、７６Ｒａの前面を被覆して取付枠体２２４に取り付けられる１枚のパネル板にて構成した。【選択図】  図１４２
2006305020.tif 000002
【特許請求の範囲】
【請求項１】
遊技球を用いて１ゲームに対して所定数の賭数を設定することによりゲームが開始可能となるとともに、各々が識別可能な複数種類の識別情報を変動表示可能な可変表示装置の表示結果が導出されることにより１ゲームが終了し、該可変表示装置の表示結果に応じて入賞が発生可能とされた遊技球を用いたスロットマシンであって、
前記遊技球の払出を伴う払出入賞が発生したことに基づいて前記遊技球の払出を行う払出装置と、
前記払出装置により払い出された遊技球を検出する払出球検出手段と、
前記払出入賞が発生したことに基づいて前記払出装置により払い出された払出球数に関する情報を表示する払出球数表示手段と、
遊技の制御を行うメイン制御手段と、
前記メイン制御手段と接続され、前記払出装置の制御を行うサブ制御手段と、
を備え、
前記メイン制御手段は、
前記払出入賞に応じた遊技球数のうち未払出分の未払出球数を記憶する未払出球数記憶手段と、
前記払出入賞が発生したときに、該払出入賞に応じた遊技球数を前記未払出球数記憶手段の未払出球数として設定する未払出球数設定手段と、
前記払出入賞が発生したときに、前記未払出球数記憶手段に設定された未払出球数の遊技球の払出を要求する払出要求信号を前記サブ制御手段に対して出力する払出要求信号出力手段と、
前記払出球検出手段が前記払出装置により払い出された遊技球を所定数検出する毎に、前記払出球数表示手段に表示されている払出球数に関する情報を更新表示する払出球数表示更新手段と、
前記払出球検出手段が前記払出装置により払い出された遊技球を検出する毎に、前記未払出球数記憶手段に記憶されている未払出球数を減算更新する未払出球数更新手段と、
を含み、
前記サブ制御手段は、
前記払出要求信号を検出したときに、該払出要求信号が要求する数の遊技球を前記払出装置により払い出させる払出制御を開始し、前記払出球検出手段により検出された遊技球数が、該払出要求信号が要求する遊技球数に到達することで当該払出制御を終了する払出制御手段と、
前記払出制御が開始したときに、前記メイン制御手段に対して払出制御開始信号を出力する払出制御開始信号出力手段と、
前記払出制御中に、前記メイン制御手段に対して払出制御中信号を出力する払出制御中信号出力手段と、
前記払出制御が終了したときに、前記メイン制御手段に対して払出制御終了信号を出力する払出制御終了信号出力手段と、
を含み、
前記メイン制御手段は、前記払出入賞が発生したときに、前記払出要求信号出力手段が該払出入賞に基づく払出要求信号を出力した後、前記払出制御終了信号を検出したことを条件に、次ゲームへの移行を許容する移行許容手段を更に含み、
前記未払出球数記憶手段は、前記遊技球を用いたスロットマシンへの電力供給が停止しても前記未払出球数を保持して記憶し、
前記払出要求信号出力手段は、前記遊技球を用いたスロットマシンへの電力供給が開始されたときに、前記未払出球数記憶手段に記憶されている未払出球数が残存する場合に、該残存する未払出球数の遊技球の払出を要求する払出要求信号を前記サブ制御手段に対して出力し、
前記遊技球を用いたスロットマシンは、
前記払出装置が取り付けられ、複数の機種間で構造が共通する本体ユニットと、
前記本体ユニットが備える設置部に対して取り外し自在に設置される分離ユニットと、
を備え、
前記分離ユニットは、
前記可変表示装置と、
前記可変表示装置が収納される可変表示ケースと、
前記可変表示装置の前面を被覆する前面扉体と、
を備え、
前記前面扉体は、
機種固有の装飾が施される装飾パネルと、
前記払出数表示手段が取り付けられ、前記可変表示装置に対応する位置に窓部が形成された取付枠体と、
前記ゲームに関連する演出表示を行うとともに、前記取付枠体に取り付けられる演出表示手段と、
前記窓部の周囲を光により装飾するとともに、前記取付枠体に取り付けられる発光手段と、
を備え、
前記装飾パネルは、前記払出数表示手段、前記演出表示手段、前記発光手段の前面を被覆して前記取付枠体に取り付けられる１枚のパネル板にて構成されている、
ことを特徴とする遊技球を用いたスロットマシン。
【請求項２】
前記メイン制御手段は、
前記サブ制御手段側の前記払出制御に伴う異常を判定する払出制御異常判定手段と、
前記払出制御異常判定手段が前記払出制御に伴う異常を判定したときに、該異常を報知する払出異常報知手段と、
を含み、
前記メイン制御手段は、前記払出異常報知手段が前記異常の報知中であっても前記サブ制御手段から出力される前記払出制御開始信号、前記払出制御中信号及び前記払出制御終了信号の検出を継続して行う、
請求項１に記載の遊技球を用いたスロットマシン。
【請求項３】
前記メイン制御手段は、前記払出異常報知手段が前記異常の報知中において前記払出制御終了信号を検出したときに、該払出異常報知手段による異常の報知を自動的に終了させる異常報知終了手段を含む、
請求項２に記載の遊技球を用いたスロットマシン。
【請求項４】
前記移行許容手段は、前記払出球検出手段により検出された遊技球数が前記払出入賞に応じた遊技球数に到達したか否かに関わらず、前記サブ制御手段から前記払出制御終了信号を検出したときに、次ゲームへの移行を許容する、
請求項１〜３のいずれかに記載の遊技球を用いたスロットマシン。
【請求項５】
記憶媒体に記憶された有価価値を用いて前記遊技球の貸出要求を出力する貸出装置に対応して設けられ、
前記サブ制御手段は、
前記貸出装置から出力される接続確認信号が入力される接続確認信号入力手段と、
前記貸出要求を検出したときに、前記接続確認信号入力手段に前記接続確認信号が入力されていることを条件に、該貸出要求が要求する数の遊技球を前記払出装置により払い出させる貸出制御を行う貸出制御手段と、
前記接続確認信号入力手段に前記接続確認信号が入力されているか否かを特定可能な接続特定信号を前記メイン制御手段に対して出力する接続特定信号送信手段と、
を含み、
前記メイン制御手段は、前記接続確認信号入力手段に前記接続確認信号が入力されていない旨を示す接続特定信号が入力された場合に、前記取込制御を不能にする取込制御不能化手段を含む、
請求項１〜４のいずれかに記載の遊技球を用いたスロットマシン。
【請求項６】
記憶媒体に記憶された有価価値を用いて前記遊技球の貸出要求を出力する貸出装置に対応して設けられ、
前記サブ制御手段は、
前記貸出装置から出力される接続確認信号が入力される第１の接続確認信号入力手段と、
前記貸出要求を検出したときに、前記第１の接続確認信号入力手段に前記接続確認信号が入力されていることを条件に、該貸出要求が要求する数の遊技球を前記払出装置により払い出させる貸出制御を行う貸出制御手段と、
を含み、
前記メイン制御手段は、
前記貸出装置から出力される接続確認信号が入力される第２の接続確認信号入力手段と、
前記第２の接続確認信号入力手段に前記接続確認信号が入力されていない場合に、前記取込制御を不能にする取込制御不能化手段と、
を含む、
請求項１〜４のいずれかに記載の遊技球を用いたスロットマシン。
【請求項７】
遊技者所有の遊技球を貯留する遊技球貯留部と、
前記遊技球貯留部に貯留された遊技球の取込を要求する際に操作される取込要求操作部と、
前記遊技球貯留部に貯留された遊技球を取り込む取込動作を行う取込装置と、
前記取込装置の取込動作により取り込まれた遊技球を検出する取込遊技球検出手段と、
を備え、
前記メイン制御手段は、
前記取込要求操作部が操作されたときに、前記取込装置の取込動作により遊技球を取り込むための取込制御を行う取込制御手段と、
前記取込装置の取込動作により１単位の賭数を設定するのに必要な単位球数の遊技球が取り込まれる毎に賭数の設定を行う賭数設定手段と、
を含み、
前記取込制御手段は、
前記取込要求操作部が操作されたことにより、前記遊技球貯留部に遊技球が貯留されているか否かに関わらず、規定の動作量の取込動作を前記取込装置に行わせる取込動作制御手段と、
前記取込動作が終了した後に前記取込要求操作部の操作による取込要求数に応じた数の遊技球が前記取込遊技球検出手段により検出されたか否かを判定する取込遊技球数判定手段と、
前記取込遊技球数判定手段により前記取込要求数に応じた数の遊技球が前記取込遊技球検出手段により検出されていないと判定されたときに、前記規定の動作量の取込動作を前記取込装置に再度行わせる取込動作再制御手段と、
前記取込遊技球数判定手段により前記取込要求操作部の操作による取込要求数に応じた数の遊技球が前記取込遊技球検出手段により検出されたと判定されたとき、または前記取込動作再制御手段による取込動作の再試行回数が所定回数に達したときに取込制御を終了させる取込制御終了手段と、
を含む、
請求項１〜６のいずれかに記載の遊技球を用いたスロットマシン。
【請求項８】
遊技者所有の遊技球を貯留する遊技球貯留部と、
前記遊技球貯留部に貯留された遊技球の取込を要求する際に操作される取込要求操作部と、
前記遊技球貯留部に貯留された遊技球を取り込む取込動作を行う取込装置と、
前記取込装置の取込動作により取り込まれた遊技球を検出する取込遊技球検出手段と、
を備え、
前記メイン制御手段は、
前記取込要求操作部が操作されたときに、前記取込装置の取込動作により遊技球を取り込むための取込制御を行う取込制御手段と、
前記取込装置の取込動作により１単位の賭数を設定するのに必要な単位球数の遊技球が取り込まれる毎に賭数の設定を行う賭数設定手段と、
を含み、
前記取込制御手段は、
前記取込要求操作部が操作されたことにより、前記遊技球貯留部に遊技球が貯留されているか否かに関わらず、該取込要求操作部の操作による取込要求数に応じた動作量の取込動作を前記取込装置に行わせる取込動作制御手段と、
前記取込動作が終了した後に動作量に応じた数の遊技球が前記取込遊技球検出手段により検出されたか否かを判定する取込遊技球数判定手段と、
前記取込遊技球数判定手段により前記動作量に応じた数の遊技球が前記取込遊技球検出手段により検出されていないと判定されたときに、前記取込要求数から前記取込遊技球検出手段により検出された遊技球数を減算した不足数分に応じた動作量の取込動作を前記取込装置に再度行わせる取込動作再制御手段と、
前記取込遊技球数判定手段により前記動作量に応じた数の遊技球が前記取込遊技球検出手段により検出されたと判定されたとき、または前記取込動作再制御手段による取込動作の再試行回数が所定回数に達したときに取込制御を終了させる取込制御終了手段と、
を含む、
請求項１〜６のいずれかに記載の遊技球を用いたスロットマシン。
【請求項９】
前記取込制御手段は、前記取込装置の取込動作により既に遊技球が取り込まれている状態において前記取込要求操作部が操作されたときに、該取込要求操作部の操作に対して定められた取込指定数から前記既に取り込まれた遊技球数を減算した数を前記取込要求数として設定する取込要求数設定手段を含む、
請求項７または８に記載の遊技球を用いたスロットマシン。
【請求項１０】
前記前面扉体は、
前記装飾パネルと前記発光手段との間に取り付けられ、前記発光手段からの光を前方に向けて透過、かつ拡散して前記装飾パネルの表面所定領域を均一に照らす面発光手段を備える、
請求項１〜９のいずれかに記載の遊技球を用いたスロットマシン。
【発明の詳細な説明】
【技術分野】
【０００１】
本発明は、各々が識別可能な複数種類の図柄を変動表示可能な可変表示装置の表示結果に応じて所定の入賞が発生可能なスロットマシンに関し、特には、遊技球を用いて賭数を設定することによりゲームを行うことが可能な遊技球を用いたスロットマシンに関する。
【背景技術】
【０００２】
従来、スロットマシンでは、遊技媒体としてメダルを用いてゲームを行うことが可能なものが一般的であるが、近年、これらメダル式のスロットマシンを既存のパチンコ機が設置される遊技島にも設置したいという要望があることから、遊技媒体としてメダルの替わりに遊技球を用いてゲームを行うことが可能なスロットマシンが一部提案されている（例えば、特許文献１参照）。
【０００３】
遊技球を用いたスロットマシンは、例えば上皿等に待機する遊技球を内部に取り込むための取込装置を備え、この取込装置により遊技球が内部に取り込まれるとともに、所定数の遊技球が取り込まれたことを条件にゲームを実行することが可能とされ、ゲームの結果に応じて遊技球が払い出されるようになっている。
【０００４】
また、遊技球の払出を行う遊技機では、遊技の制御を行う遊技制御手段の負荷を軽減するために、遊技制御手段とは別個に遊技球の払出制御を行う払出制御手段を備えたものが提案されている。この場合には、遊技制御手段において入賞を判定した場合に、入賞に応じた賞球数の遊技球の払出要求（ＲＥＱ信号のｏｎ、払出個数信号）を払出制御手段に対して送信し、払出制御手段が払出要求を受信し、当該払出要求により要求された数の遊技球の払出制御を開始するととともに、その旨（ＢＵＳＹ信号のｏｎ）を遊技制御手段に対して通知するようになっている（例えば、特許文献２参照）。
【０００５】
また、近年においては、機種変更時等において、旧筐体を遊技場等から回収し、新筐体を設置することなく、一部の部品交換のみで機種変更を容易に行うことが出来るようにしたものが種々に提案されており、特に遊技球を用いたスロットマシンとして、例えば機構部品を中心に装備する機構板の前面部に、表示もしくは装飾のために装備されるランプのランプ基板や、ランプケース等を有する表示手段を備える表示取付基板等を独立に形成し、該基板を前記機構板の前面を覆う前枠の背面に着脱自在に取り付け、これを交換自在にすることで、スロットマシンの主要となる回転ドラム周りの外観構成を容易に変更できるようにしたものがある（例えば、特許文献３参照）。
【０００６】
【特許文献１】特開２００３−１３５６７１号公報
【特許文献２】特開２００４−６５６７８号公報
【特許文献３】特開２００２−１０２４１８号公報
【発明の開示】
【発明が解決しようとする課題】
【０００７】
スロットマシンにおいては、一般に、ゲームの結果に対して払い出された遊技媒体数を表示して、遊技者に対して報知するようになっている（いわゆるペイアウト表示）。特許文献２に記載の遊技機では、遊技制御手段が、払出制御手段に対して払出要求を行った後、払出制御手段から払出要求に基づく払出が開始した旨の返信を検出した際に、入賞に応じた賞球数を減算しており、実際に賞球数分の遊技球の払出が完了していない状態で賞球数が減算されるので、遊技制御手段と払出制御手段とで払出数の認識に食い違いが生じてしまい、当該技術を前述のようにゲームの結果に対して払い出された遊技媒体数を報知するスロットマシンに適用すると、これらの報知を正確に行うことができないといった問題が生じる。
【０００８】
また、特許文献２に記載の遊技機では、前述のように遊技制御手段が、払出制御手段に対して払出要求を行った後、払出制御手段から払出要求に基づく払出が開始した旨の返信を検出した際に、入賞に応じた賞球数を減算しており、遊技制御手段と払出制御手段とで賞球の未払出数の認識にも食い違いが生じてしまうので、電断復旧時に電断時の状態で払出を復旧させる場合に、双方の制御手段同士の整合を図る必要があり、電断復旧時の制御が複雑化してしまうという問題が生じる。
【０００９】
一方、上記特許文献３に記載のスロットマシンでは、スロットマシンの主要となる回転ドラム周りの外観構成を、ランプ基板やランプケース等を有する表示手段を備える表示取付基板等を交換することにより変更することはできるが、これらランプや表示手段等、機種変更に伴って交換する必要がない部品までも表示取付基板とともに前枠から取り外すことになるため、配線分離作業等が必要となる等、交換作業が煩雑であるばかりか、これらランプや表示手段等を組み付けるために表示取付基板の構造が複雑になり、製造コストが嵩むといった問題を有していた。
【００１０】
本発明は、このような問題点に着目してなされたものであり、遊技制御手段と、払出制御手段と、を別個に備える遊技球を用いたスロットマシンにおいて、入賞に伴って払い出された遊技球数を正確に報知できるとともに、電断復旧時の制御が複雑化してしまうことを防止でき、さらに、機種変更を容易に行うことができる遊技球を用いたスロットマシンを提供することを目的とする。
【課題を解決するための手段】
【００１１】
上記課題を解決するために、本発明の請求項１に記載の遊技球を用いたスロットマシンは、
遊技球を用いて１ゲームに対して所定数の賭数を設定することによりゲームが開始可能となるとともに、各々が識別可能な複数種類の識別情報を変動表示可能な可変表示装置の表示結果が導出されることにより１ゲームが終了し、該可変表示装置の表示結果に応じて入賞が発生可能とされた遊技球を用いたスロットマシンであって、
前記遊技球の払出を伴う払出入賞が発生したことに基づいて前記遊技球の払出を行う払出装置と、
前記払出装置により払い出された遊技球を検出する払出球検出手段と、
前記払出入賞が発生したことに基づいて前記払出装置により払い出された払出球数に関する情報を表示する払出球数表示手段と、
遊技の制御を行うメイン制御手段と、
前記メイン制御手段と接続され、前記払出装置の制御を行うサブ制御手段と、
を備え、
前記メイン制御手段は、
前記払出入賞に応じた遊技球数のうち未払出分の未払出球数を記憶する未払出球数記憶手段と、
前記払出入賞が発生したときに、該払出入賞に応じた遊技球数を前記未払出球数記憶手段の未払出球数として設定する未払出球数設定手段と、
前記払出入賞が発生したときに、前記未払出球数記憶手段に設定された未払出球数の遊技球の払出を要求する払出要求信号を前記サブ制御手段に対して出力する払出要求信号出力手段と、
前記払出球検出手段が前記払出装置により払い出された遊技球を所定数検出する毎に、前記払出球数表示手段に表示されている払出球数に関する情報を更新表示する払出球数表示更新手段と、
前記払出球検出手段が前記払出装置により払い出された遊技球を検出する毎に、前記未払出球数記憶手段に記憶されている未払出球数を減算更新する未払出球数更新手段と、
を含み、
前記サブ制御手段は、
前記払出要求信号を検出したときに、該払出要求信号が要求する数の遊技球を前記払出装置により払い出させる払出制御を開始し、前記払出球検出手段により検出された遊技球数が、該払出要求信号が要求する遊技球数に到達することで当該払出制御を終了する払出制御手段と、
前記払出制御が開始したときに、前記メイン制御手段に対して払出制御開始信号を出力する払出制御開始信号出力手段と、
前記払出制御中に、前記メイン制御手段に対して払出制御中信号を出力する払出制御中信号出力手段と、
前記払出制御が終了したときに、前記メイン制御手段に対して払出制御終了信号を出力する払出制御終了信号出力手段と、
を含み、
前記メイン制御手段は、前記払出入賞が発生したときに、前記払出要求信号出力手段が該払出入賞に基づく払出要求信号を出力した後、前記払出制御終了信号を検出したことを条件に、次ゲームへの移行を許容する移行許容手段を更に含み、
前記未払出球数記憶手段は、前記遊技球を用いたスロットマシンへの電力供給が停止しても前記未払出球数を保持して記憶し、
前記払出要求信号出力手段は、前記遊技球を用いたスロットマシンへの電力供給が開始されたときに、前記未払出球数記憶手段に記憶されている未払出球数が残存する場合に、該残存する未払出球数の遊技球の払出を要求する払出要求信号を前記サブ制御手段に対して出力し、
前記遊技球を用いたスロットマシンは、
前記払出装置が取り付けられ、複数の機種間で構造が共通する本体ユニットと、
前記本体ユニットが備える設置部に対して取り外し自在に設置される分離ユニットと、
を備え、
前記分離ユニットは、
前記可変表示装置と、
前記可変表示装置が収納される可変表示ケースと、
前記可変表示装置の前面を被覆する前面扉体と、
を備え、
前記前面扉体は、
機種固有の装飾が施される装飾パネルと、
前記払出数表示手段が取り付けられ、前記可変表示装置に対応する位置に窓部が形成された取付枠体と、
前記ゲームに関連する演出表示を行うとともに、前記取付枠体に取り付けられる演出表示手段と、
前記窓部の周囲を光により装飾するとともに、前記取付枠体に取り付けられる発光手段と、
を備え、
前記装飾パネルは、前記払出数表示手段、前記演出表示手段、前記発光手段の前面を被覆して前記取付枠体に取り付けられる１枚のパネル板にて構成されている、
ことを特徴としている。
この特徴によれば、払出入賞が発生したゲームでは、メイン制御手段が払出入賞に応じた数の遊技球の払出を要求した後、サブ制御手段から当該払出要求に基づく払出制御が終了したときに出力される払出制御終了信号を検出したことを条件に、次ゲームへの移行が許容される。すなわち払出入賞の発生に基づき払い出すべき数の遊技球の払出が完了したことにより、次ゲームへの移行が許容されるので、払出入賞の発生に基づく遊技球の払出が完了していないにも関わらず、次のゲームへ移行してしまうことを防止できる。
また、払出球数表示手段に払出入賞が発生したことに基づいて払出装置により払い出された払出球数に関する情報が表示されるので、払出入賞の発生に伴い払い出された遊技球数を遊技者に分かりやすく認識させることができる。更に、メイン制御手段は、払出球検出手段が払出装置により払い出された遊技球を所定数検出する毎に、払出球数表示手段に表示されている払出球数に関する情報を更新表示するので、遊技球の払出状況を正確に報知することができる。
また、電断時には、未払出球数の記憶がメイン制御手段でのみ保持されるようになっており、電断復旧時においては、メイン制御手段で保持されている未払出球数が残存する場合に、該未払出球数の遊技球の払出をサブ制御手段に対して再度要求し、当該要求に基づきサブ制御手段が電断時の未払出球数の払出を行うようになっている。このため、電断復旧時において、サブ制御手段はメイン制御手段から再度送信された払出要求情報に基づいて通常の払出制御を行うのみで済むので、メイン制御手段とサブ制御手段が各々バックアップした内容の整合を図る必要がなく、電断復旧時の制御が複雑化することがない。
また、前面扉体を構成する取付枠体に取り付けられる演出表示手段、払出数表示手段、発光手段の前面を被覆する装飾パネルは１枚のパネル板にて構成されているため、機種固有の装飾が施された装飾パネルを交換することで機種変更に容易に対応することができるとともに、装飾パネルとともに演出表示手段、払出数表示手段、発光手段を取付枠体から取り外す必要がないばかりか、前面扉体を分離ユニットとして本体ユニットから取り外した状態で装飾パネルの交換作業を行うことができるため、交換作業が簡単になるとともに、交換部品を減らして製造コストを極力抑えることができる。
尚、所定数の賭数とは、少なくとも１以上の賭数であって、２以上の賭数が設定されることや最大賭数が設定されることでゲームが開始可能となるようにしても良い。
また、前記サブ制御手段は、前記メイン制御手段と直接接続されていても良いし、中継基板等を介して接続されていても良い。
また、前記払出球数表示更新手段は、払出球検出手段からメイン制御手段に対して直接入力された検出信号を所定数検出することに基づいて、払出球数表示手段に表示されている払出球数に関する情報を更新表示するようにしても良いし、サブ制御手段が払出球検出手段からの検出信号を検出した際に、その旨を示す検出信号をメイン制御手段に対して出力し、該サブ制御手段から出力された検出信号を所定数検出することに基づいて、払出球数表示手段に表示されている払出球数に関する情報を更新表示するようにしても良い。更に、サブ制御手段が払出球検出手段からの検出信号を所定数検出した際に、その旨を示す検出信号をメイン制御手段に対して出力し、該サブ制御手段から出力された検出信号を検出することに基づいて、払出球数表示手段に表示されている払出球数に関する情報を更新表示するようにしても良い。
また、払出球数に関する情報とは、例えば、払出球数そのものであっても良いし、払出球数を、賭数を設定するのに必要な単位球数で除算した値であっても良く、前者であれば、払出球数を正確に報知できるのに対して、後者であれば、払出球数によって設定することができる賭数の大きさを遊技者が容易に把握することが可能となる。また、ここでいう所定数とは、前者であれば、１球が該当し、後者であれば単位球数が該当することとなり、前者であれば、払出球が１検出される毎に払出球数に関する情報が更新され、後者であれば、単位球数の払出球が検出される毎に払出球数に関する情報が更新されることとなる。
また、前記未払出球数更新手段は、払出球検出手段からメイン制御手段に対して直接入力された検出信号を検出することに基づいて、未払出球数記憶手段に記憶されている未払出球数を減算更新するようにしても良いし、サブ制御手段が払出球検出手段からの検出信号を検出した際に、その旨を示す検出信号をメイン制御手段に対して出力し、該サブ制御手段から出力された検出信号を検出することに基づいて、未払出球数記憶手段に記憶されている未払出球数を減算更新するようにしても良い。
また、前記払出要求信号出力手段による払出要求信号の出力形態は、パルス信号であっても良いし、パラレル信号やシリアル信号であっても良い。
また、前記払出制御開始信号出力手段、前記払出制御中信号出力手段及び前記払出制御終了信号出力手段は、払出制御開始信号、払出制御中信号、払出制御終了信号を１種類の信号経路（例えば、１ｂｉｔのパルス信号等）にて出力するようにしても良いし、各信号毎の信号経路（例えば、各々１ｂｉｔ毎のパルス信号等）にて出力するようにしても良い。また、これら各信号の出力形態は、払出要求信号と同様に、パルス信号であっても良いし、パラレル信号やシリアル信号であっても良い。
【００１２】
本発明の請求項２に記載の遊技球を用いたスロットマシンは、請求項１に記載の遊技球を用いたスロットマシンであって、
前記メイン制御手段は、
前記サブ制御手段側の前記払出制御に伴う異常を判定する払出制御異常判定手段と、
前記払出制御異常判定手段が前記払出制御に伴う異常を判定したときに、該異常を報知する払出異常報知手段と、
を含み、
前記メイン制御手段は、前記払出異常報知手段が前記異常の報知中であっても前記サブ制御手段から出力される前記払出制御開始信号、前記払出制御中信号及び前記払出制御終了信号の検出を継続して行う、
ことを特徴とする。
この特徴によれば、メイン制御手段が払出制御に伴う異常を判定し、その旨の報知中であっても、サブ制御手段から出力される払出制御開始信号、払出制御中信号及び払出制御終了信号の検出を継続して行っているので、このような場合でもメイン制御手段がサブ制御手段による払出制御の状況を把握することができる。
尚、前記払出異常報知手段は、ランプの点灯態様や表示器の表示態様、音声の出力等によって払出制御に伴う異常を報知するようにしても良いし、払出制御に伴う異常を示す信号を呼出ランプやホールコンピュータ等の周辺機器に出力することで、当該異常を報知するようにしても良い。
【００１３】
本発明の請求項３に記載の遊技球を用いたスロットマシンは、請求項２に記載の遊技球を用いたスロットマシンであって、
前記メイン制御手段は、前記払出異常報知手段が前記異常の報知中において前記払出制御終了信号を検出したときに、該払出異常報知手段による異常の報知を自動的に終了させる異常報知終了手段を含む、
ことを特徴とする。
この特徴によれば、メイン制御手段が払出制御に伴う異常を判定し、その旨の報知中に、サブ制御手段から払出制御終了信号を検出したとき、すなわちサブ制御手段による払出制御が正常に完了した場合には、払出異常報知手段による異常の報知が自動的に終了するので、極力遊技に支障を来すことがないようにできるばかりか、報知の解除操作を行う手間を省くこともできる。
【００１４】
本発明の請求項４に記載の遊技球を用いたスロットマシンは、請求項１〜３のいずれかに記載の遊技球を用いたスロットマシンであって、
前記移行許容手段は、前記払出球検出手段により検出された遊技球数が前記払出入賞に応じた遊技球数に到達したか否かに関わらず、前記サブ制御手段から前記払出制御終了信号を検出したときに、次ゲームへの移行を許容する、
ことを特徴とする。
この特徴によれば、メイン制御手段が、払出球検出手段の検出に基づいてサブ制御手段に対して要求した遊技球数の払出を確認できない場合でも、サブ制御手段から払出制御終了信号を検出することで、次ゲームへ移行することが許容される。すなわちメイン制御手段が払出球検出手段の検出を取りこぼした場合でも、実際に払出の制御を行っているサブ制御手段が正常に払出制御を完了していれば、次ゲームへ移行することが可能となるので、ゲームの進行を迅速に行うことができる。
【００１５】
本発明の請求項５に記載の遊技球を用いたスロットマシンは、請求項１〜４のいずれかに記載の遊技球を用いたスロットマシンであって、
記憶媒体に記憶された有価価値を用いて前記遊技球の貸出要求を出力する貸出装置に対応して設けられ、
前記サブ制御手段は、
前記貸出装置から出力される接続確認信号が入力される接続確認信号入力手段と、
前記貸出要求を検出したときに、前記接続確認信号入力手段に前記接続確認信号が入力されていることを条件に、該貸出要求が要求する数の遊技球を前記払出装置により払い出させる貸出制御を行う貸出制御手段と、
前記接続確認信号入力手段に前記接続確認信号が入力されているか否かを特定可能な接続特定信号を前記メイン制御手段に対して出力する接続特定信号送信手段と、
を含み、
前記メイン制御手段は、前記接続確認信号入力手段に前記接続確認信号が入力されていない旨を示す接続特定信号が入力された場合に、前記取込制御を不能にする取込制御不能化手段を含む、
ことを特徴としている。
この特徴によれば、貸出装置から貸出要求を検出したときに、貸出装置とスロットマシンとが接続されていることを条件に遊技球の貸出が行われるので、貸出装置とスロットマシンが正常に接続されていないにも関わらず遊技球の貸出が行われてしまうことを防止できるうえに、貸出装置とスロットマシンが接続されていない場合には、新たにゲームを行うために遊技球の取込制御が行われなくなるので、ゲームを行うにあたって貸出装置とスロットマシンの接続を担保することができる。また、メイン制御手段は、サブ制御手段から出力される接続特定信号に基づいて貸出装置とスロットマシンが接続されているか否かを特定しており、遊技の制御を行うメイン制御手段にスロットマシン外の貸出装置からの信号が直接入力されることがないので、外部から不正な信号がメイン制御手段に入力されて遊技の制御に影響を与えてしまうことを防止できる。
【００１６】
本発明の請求項６に記載の遊技球を用いたスロットマシンは、請求項１〜４のいずれかに記載の遊技球を用いたスロットマシンであって、
記憶媒体に記憶された有価価値を用いて前記遊技球の貸出要求を出力する貸出装置に対応して設けられ、
前記サブ制御手段は、
前記貸出装置から出力される接続確認信号が入力される第１の接続確認信号入力手段と、
前記貸出要求を検出したときに、前記第１の接続確認信号入力手段に前記接続確認信号が入力されていることを条件に、該貸出要求が要求する数の遊技球を前記払出装置により払い出させる貸出制御を行う貸出制御手段と、
を含み、
前記メイン制御手段は、
前記貸出装置から出力される接続確認信号が入力される第２の接続確認信号入力手段と、
前記第２の接続確認信号入力手段に前記接続確認信号が入力されていない場合に、前記取込制御を不能にする取込制御不能化手段と、
を含む、
ことを特徴としている。
この特徴によれば、貸出装置から貸出要求を検出したときに、貸出装置とスロットマシンとが接続されていることを条件に遊技球の貸出が行われるので、貸出装置とスロットマシンが正常に接続されていないにも関わらず遊技球の貸出が行われてしまうことを防止できるうえに、貸出装置とスロットマシンが接続されていない場合には、新たにゲームを行うために遊技球の取込制御が行われなくなるので、ゲームを行うにあたって貸出装置とスロットマシンの接続を担保することができる。また、メイン制御手段及びサブ制御手段には、貸出装置から出力された接続確認信号が各々入力され、貸出装置とスロットマシンが接続されているか否かを特定しているので、メイン制御手段とサブ制御手段の双方で、貸出装置が接続されているか否かを確実に判定することができる。
【００１７】
本発明の請求項７に記載の遊技球を用いたスロットマシンは、請求項１〜６のいずれかに記載の遊技球を用いたスロットマシンであって、
遊技者所有の遊技球を貯留する遊技球貯留部と、
前記遊技球貯留部に貯留された遊技球の取込を要求する際に操作される取込要求操作部と、
前記遊技球貯留部に貯留された遊技球を取り込む取込動作を行う取込装置と、
前記取込装置の取込動作により取り込まれた遊技球を検出する取込遊技球検出手段と、
を備え、
前記メイン制御手段は、
前記取込要求操作部が操作されたときに、前記取込装置の取込動作により遊技球を取り込むための取込制御を行う取込制御手段と、
前記取込装置の取込動作により１単位の賭数を設定するのに必要な単位球数の遊技球が取り込まれる毎に賭数の設定を行う賭数設定手段と、
を含み、
前記取込制御手段は、
前記取込要求操作部が操作されたことにより、前記遊技球貯留部に遊技球が貯留されているか否かに関わらず、規定の動作量の取込動作を前記取込装置に行わせる取込動作制御手段と、
前記取込動作が終了した後に前記取込要求操作部の操作による取込要求数に応じた数の遊技球が前記取込遊技球検出手段により検出されたか否かを判定する取込遊技球数判定手段と、
前記取込遊技球数判定手段により前記取込要求数に応じた数の遊技球が前記取込遊技球検出手段により検出されていないと判定されたときに、前記規定の動作量の取込動作を前記取込装置に再度行わせる取込動作再制御手段と、
前記取込遊技球数判定手段により前記取込要求操作部の操作による取込要求数に応じた数の遊技球が前記取込遊技球検出手段により検出されたと判定されたとき、または前記取込動作再制御手段による取込動作の再試行回数が所定回数に達したときに取込制御を終了させる取込制御終了手段と、
を含む、
ことを特徴としている。
この特徴によれば、取込要求操作部が操作されたときには、遊技球貯留部に遊技球が貯留されているか否かに関わらず、規定の動作量の取込動作が行われるため、従来の遊技機に比較して遊技球の取込を速やかに行うことが可能となり、遊技を円滑に進行することができる。また、取込動作の終了後、取込要求数に応じた数の遊技球が取り込まれない場合には、規定の動作量の取込動作が再度行われるとともに、取込動作の再試行回数が所定回数に達しても取込要求数に応じた数の遊技球が取り込まれない場合には、一連の取込制御が終了するので、取込動作が延々と行われてしまうといった不都合を防止できる。
尚、取込動作の動作量とは、例えば、取込装置の取込動作がステッピングモータにおいて実行される場合には、モータのステップ数が該当する。また、取込装置の取込動作がソレノイドの駆動により実行される場合には、駆動の回数が該当する。また、取込装置の取込動作がステッピングモータ以外のモータにおいて実行される場合には、モータの駆動時間が該当する。
【００１８】
本発明の請求項８に記載の遊技球を用いたスロットマシンは、請求項１〜６のいずれかに記載の遊技球を用いたスロットマシンであって、
遊技者所有の遊技球を貯留する遊技球貯留部と、
前記遊技球貯留部に貯留された遊技球の取込を要求する際に操作される取込要求操作部と、
前記遊技球貯留部に貯留された遊技球を取り込む取込動作を行う取込装置と、
前記取込装置の取込動作により取り込まれた遊技球を検出する取込遊技球検出手段と、
を備え、
前記メイン制御手段は、
前記取込要求操作部が操作されたときに、前記取込装置の取込動作により遊技球を取り込むための取込制御を行う取込制御手段と、
前記取込装置の取込動作により１単位の賭数を設定するのに必要な単位球数の遊技球が取り込まれる毎に賭数の設定を行う賭数設定手段と、
を含み、
前記取込制御手段は、
前記取込要求操作部が操作されたことにより、前記遊技球貯留部に遊技球が貯留されているか否かに関わらず、該取込要求操作部の操作による取込要求数に応じた動作量の取込動作を前記取込装置に行わせる取込動作制御手段と、
前記取込動作が終了した後に動作量に応じた数の遊技球が前記取込遊技球検出手段により検出されたか否かを判定する取込遊技球数判定手段と、
前記取込遊技球数判定手段により前記動作量に応じた数の遊技球が前記取込遊技球検出手段により検出されていないと判定されたときに、前記取込要求数から前記取込遊技球検出手段により検出された遊技球数を減算した不足数分に応じた動作量の取込動作を前記取込装置に再度行わせる取込動作再制御手段と、
前記取込遊技球数判定手段により前記動作量に応じた数の遊技球が前記取込遊技球検出手段により検出されたと判定されたとき、または前記取込動作再制御手段による取込動作の再試行回数が所定回数に達したときに取込制御を終了させる取込制御終了手段と、
を含む、
ことを特徴としている。
この特徴によれば、取込要求操作部が操作されたときには、遊技球貯留部に遊技球が貯留されているか否かに関わらず、取込要求操作部の操作による取込要求数に応じた動作量の取込動作が行われるため、従来の遊技機に比較して遊技球の取込を速やかに行うことが可能となり、遊技を円滑に進行することができる。また、取込動作の終了後、動作量に応じた数の遊技球が取り込まれない場合には、不足数分に応じた動作量の取込動作が再度行われるとともに、取込動作の再試行回数が所定回数に達しても動作量に応じた数の遊技球が取り込まれない場合には、一連の取込制御が終了するので、取込動作が延々と行われてしまうといった不都合を防止できる。
尚、取込動作の動作量とは、例えば、取込装置の取込動作がステッピングモータにおいて実行される場合には、モータのステップ数が該当する。また、取込装置の取込動作がソレノイドの駆動により実行される場合には、駆動の回数が該当する。また、取込装置の取込動作がステッピングモータ以外のモータにおいて実行される場合には、モータの駆動時間が該当する。
【００１９】
本発明の請求項９に記載の遊技球を用いたスロットマシンは、請求項７または８に記載の遊技球を用いたスロットマシンであって、
前記取込制御手段は、前記取込装置の取込動作により既に遊技球が取り込まれている状態において前記取込要求操作部が操作されたときに、該取込要求操作部の操作に対して定められた取込指定数から前記既に取り込まれた遊技球数を減算した数を前記取込要求数として設定する取込要求数設定手段を含む、
ことを特徴としている。
この特徴によれば、取込装置の取込動作により既に遊技球が取り込まれている状態において取込要求操作部が操作されたときには、当該操作に応じた取込指定数から既に取り込まれた遊技球数を減算した数が取込要求数として設定され、該設定された取込要求数に基づいて遊技球の取込動作が行われるため、遊技球の取込を一層速やかに行うことができる。
【００２０】
本発明の請求項１０に記載の遊技球を用いたスロットマシンは、請求項１〜９のいずれかに記載の遊技球を用いたスロットマシンであって、
前記前面扉体は、
前記装飾パネルと前記発光手段との間に取り付けられ、前記発光手段からの光を前方に向けて透過、かつ拡散して前記装飾パネルの表面所定領域を均一に照らす面発光手段を備える、
ことを特徴としている。
この特徴によれば、装飾パネルにおける窓部の周囲を、局部的な偏りが生じることがないように照らして装飾することができる。
【発明を実施するための最良の形態】
【００２１】
以下、本発明の実施例を図面に基づいて詳細に説明する。
【００２２】
（１）スロットマシンの概略説明
本発明が適用された実施例としての遊技球を用いたスロットマシン１（以下、スロットマシン１と略称する）の概略構成を、図１〜図６を参照して以下に説明する。図１はスロットマシン１を斜め前方から見た斜視図であり、図２は外枠に対して枠基体を開放した状態のスロットマシン１を斜め前方から見た斜視図であり、図３は本体枠に対して上部前面扉及び下部前面扉を開放した状態を示す斜視図であり、図４はスロットマシン１を示す正面図であり、図５は上皿を示す平面図であり、図６は枠基体の内部を示す正面図であり、図７（ａ）は上部前面扉を示す背面図であり、（ｂ）は下部前面扉を示す背面図である。
【００２３】
本実施例のスロットマシン１は、図１〜図３に示されるように、遊技場に設置される図示しない遊技機設置島に本体部を設置するための外枠２５と、該外枠２５の一側辺に開閉自在に枢支される枠基体２６と、から主に構成されている。枠基体２６は、特に図３に示されるように、外枠２５の前面開口を閉塞可能な大きさに形成された本体枠２７と、該本体枠２７の一側辺上部に開閉自在に枢支され、前面中央にリール２Ｌ、２Ｃ、２Ｒを透視可能な透視窓３が形成された上部前面扉２８と、本体枠２７の一側辺下部に開閉自在に枢支され、前面に後述する上皿１２や各種操作ボタン等が配設された上皿受部４が前方に向けて膨出するように形成された下部前面扉２９と、を備えている。
【００２４】
本体枠２７の上部には、リール２Ｌ、２Ｃ、２Ｒが左右方向に向けて並設されたリールユニット３０が、後述するように本体枠２７に設けられた設置部に対して分離自在に設置されているとともに、前面下部には、パチンコ球を貯留可能な下皿１１及び灰皿１４が設けられた下皿受部３１が前方に向けて突設されている。
【００２５】
本体枠２７に設けられる施錠装置２３の鍵穴２３ａ（図４参照）に挿入した所定のキーを反時計回り方向に回転操作することにより、外枠２５に対する枠基体２６の施錠が解除されて、図２に示されるように枠基体２６を開放することができるようになっているとともに、前記所定のキーを時計回り方向に回転操作することにより、本体枠２７に対する上部前面扉２８の施錠が解除されて、図３に示されるように上部前面扉２８を開放することができるようになっている。また、上部前面扉２８を開放することにより、本体枠２７に対する下部前面扉２９の係止状態を解除するための係止解除操作が可能となり、該係止解除操作を行うことにより、本体枠２７に対して下部前面扉２９を開放することができるようになっている。
【００２６】
（１−１）スロットマシンの前面
特に図４に示されるように、上部前面扉２８の前面上端部には、遊技効果ランプ７１ａ（図１６参照）が内蔵された遊技効果ランプ部７１が左右方向に延びるように設けられているとともに、下端部には、左右方向の中央位置に当該遊技機の製造メーカーのロゴ等を表示可能なメーカー名表示部５８が設けられた装飾部５７が設けられている。左右側端部には、遊技効果ランプ７２Ｌａ及び遊技効果ＬＥＤ７２Ｌｂ（図１６参照）が内蔵された遊技効果ランプ・ＬＥＤ部７２Ｌと、遊技効果ランプ７２Ｒａ及び遊技効果ＬＥＤ７２Ｒｂ（図１６参照）が内蔵された遊技効果ランプ・ＬＥＤ部７２Ｒが、上部前面扉２８の上端から下端にかけて一連に設けられている。
【００２７】
また、遊技効果ランプ・ＬＥＤ部７２Ｌの上部位置には、入賞の発生に伴う賞球の払出時に点灯する入賞払出ＬＥＤ７４ａが内蔵される入賞払出表示部７４が設けられているとともに、遊技効果ランプ・ＬＥＤ部７２Ｒの上部位置には、払出球の球切れ時に点灯する球切れ表示ＬＥＤ７５ａが内蔵される球切れ表示部７５が設けられている。
【００２８】
これら遊技効果ランプ部７１、遊技効果ランプ・ＬＥＤ部７２Ｌ、７２Ｒにより囲まれた上部前面扉２８の前面には、中央に透視窓３が形成されるとともに、その周囲に後述する各種表示部が形成された遊技パネル２４が設けられている。遊技パネル２４は、上方の遊技効果ＬＥＤ部７１から下方の下部装飾部５７にかけて延びる１枚のパネルにて構成されているとともに、その前面は、上下方向の略中央位置に装着された左右方向を向く装飾部材５６にて上下の領域に区画されている。
【００２９】
遊技パネル２４の装飾部材５６よりも上方の領域には、上部前面扉２８の背面に設けられる演出装置としての液晶表示器５１ａを透視可能な演出用透視窓５１が、左右方向の中央位置に印刷形成されているとともに、該演出用透視窓５１の左右側には、上部前面扉２８の背面に設けられる装飾効果ＬＥＤ７６Ｌａ、７６Ｒａにより面発光する装飾効果ＬＥＤ部７６Ｌ、７６Ｒが設けられている。
【００３０】
遊技パネル２４の装飾部材５６よりも下方の領域には、外周に複数種類の図柄が配列されたリール２Ｌ、２Ｃ、２Ｒを透視するための透視窓３と、各種表示部１６、１７、７７〜８５と、がそれぞれ印刷形成されている。各リール２Ｌ、２Ｃ、２Ｒは、各々対応して設けられたリールモータ３４Ｌ、３４Ｃ、３４Ｒ（図１６参照）によって回転されることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３を透して３つの連続する図柄が表示結果として導出表示されるようになっている。なお、透視窓３から視認できる各リールの領域を、各リールに対応させて左可変表示部２２Ｌ、中可変表示部２２Ｃ、右可変表示部２２Ｒ（領域）と呼ぶ（図４参照）。この可変表示部としての各可変表示部２２Ｌ、２２Ｃ、２２Ｒからは、各リールに描かれた複数の図柄のうち、連続する３つの図柄が上段、中段、下段の位置に表示される。
【００３１】
透視窓３の左右側には、遊技に関連する演出の表示に使用される演出用表示部５４、５５が設けられており、これら左右の演出用表示部５４、５５は、遊技パネル２４の後面に上下方向に向けて配置される複数の演出用ランプ５４ａ〜５４ｅ、５５ａ〜５５ｅ（図１６参照）にて、上下方向に向けて区画された各領域をそれぞれ個別に表示できるようになっている。
【００３２】
透視窓３の下側には、遊技の進行に関連する情報が表示される各種表示部１６、１７、７７〜８５が印刷形成されている。
【００３３】
取込済球／払出済球表示部１６には、賭数の設定に使用された使用済球数と、取り込まれたものの最小単位の賭数を設定する際に必要な単位球数（本実施例では５球）に満たないために未だ賭数の設定に用いられていない未使用球数との合算値である取込済球数や、入賞の発生に伴う賞球数のうち既に払い出された払出済球数が、内蔵される取込済球／払出済球表示器１６ａ（図１６参照）にて表示される。遊技補助表示部１７には、後述するビッグボーナスやレギュラーボーナス中における総賞球数やエラーが検知された際に当該エラーの種類を示すエラーコードが、内蔵される遊技補助表示器１７ａ（図１６参照）にて表示される。
【００３４】
賭数表示部７７、７８、７９は、遊技者がゲームに賭数を設定した場合に、その賭数に応じて内蔵された賭数表示ＬＥＤ７７ａ、７８ａ、７９ａ（図１６参照）が点灯する。
【００３５】
リプレイ表示部８０は、リプレイ入賞が発生した場合に、その内部に内蔵されたリプレイＬＥＤ８０ａ（図１６参照）が点灯する。スタート表示部８２は、賭数が設定されることによりスタート操作をすることが可能となった場合に、その内部に内蔵されたスタートＬＥＤ８２ａ（図１６参照）が点灯し、有効なスタート操作が検出されることにより消灯する。投入指示表示部８３は、パチンコ球を取込可能な状態である場合に、その内部に内蔵された投入指示ＬＥＤ８３ａ（図１６参照）が点滅し、パチンコ球を取込不可能な状態である場合に消灯する。
【００３６】
ウェイト表示部８１は、ウェイトタイム中にスタート操作が検出された場合に、その内部に内蔵されたウェイトＬＥＤ８１ａ（図１６参照）が点灯し、ウェイトタイムが経過した後に消灯する。ウェイトタイムは、ゲームがあまりに速く進行しすぎてしまうことを規制するために設定されたゲーム進行規制期間であり、このウェイトタイム中にスタート操作が検出されると、ウェイトタイムが経過した後にリールが始動するように設定されている。
【００３７】
また、型式名表示部８４は、遊技機の型式名等が表示される表示部であり、証紙表示窓８５は、製造業者名、製造番号及び製造年月日等を表記してある証紙を透視可能とするための証紙用透視窓である。
【００３８】
下部前面扉２９の前面左右端部には、遊技効果ＬＥＤ７３ａ（図１６参照）が内蔵された上下方向を向く遊技効果ＬＥＤ部７３Ｌ、７３Ｒが、上方の遊技効果ランプ・ＬＥＤ部７２Ｌ、７２Ｒの下端から連続するように設けられているとともに、これら左右の遊技効果ランプ・ＬＥＤ部７２Ｌ、７２Ｒ間上部には、前述した上皿受部４が形成されている。
【００３９】
上皿受部４の上面には、特に図５に示されるように、ゲームに使用するパチンコ球及び本体枠２７の背面に設けられる払出装置２００（図１６参照）から払い出されたパチンコ球を貯留する上皿１２が、左側端部から中央部に向けて設けられている。上皿１２の右側には、上皿１２から賭数を１設定するのに必要な数のパチンコ球の取込を指示する際に操作される１ＢＥＴボタン５及び上皿１２から１ゲームにおいて許容される最大賭数（本実施例では３）を設定するのに必要な数のパチンコ球の取込を指示する際に操作されるＭＡＸＢＥＴボタン６、取込済球を精算して上皿１２に返却させる際、または上皿１２に貯留されているパチンコ球及び下部前面扉２９の背面に設けられた取込装置１００内のパチンコ球を下皿１１に返却させる際に操作される精算ボタン１０、並設されたカードユニット１５（図４参照）に受付中のプリペイドカードから読み出された有価価値の残額が表示される残額表示器１８ａ（図１６参照）が内蔵される残額表示部１８、残額表示器１８に表示された有価価値の残額の範囲でパチンコ球の貸出を受ける際に操作される球貸ボタン１９、並設されたカードユニット１５に受付中のプリペイドカードを返却させる際に操作される返却ボタン２０、及び当該下部前面扉２９の内部に設けられる取込準備球通路１１０や取込装置１００内に残存するパチンコ球を外部から視認可能とするための残存球視認窓３２がそれぞれ配設されている。
【００４０】
なお、本実施例においては、上皿１２から賭数を１設定するのに必要な数のパチンコ球の取込を指示する際に操作される１ＢＥＴボタン５が配設されているが、該１ＢＥＴボタン５の替わりに、上皿１２からパチンコ球を１球ずつ取り込む際に操作される１球取込ボタンを配設してもよい。
【００４１】
また、下部前面扉２９の前面における上皿受部４の左側端部には、本体枠２７の背面に設けられる払出装置２００から払い出されたパチンコ球を、下部前面扉２９の前面に形成される上皿１２に流出させるための連通口１３が配設されているとともに、上皿受部４の上方中央位置には、上皿１２に貯留されているパチンコ球を、取込装置１００を経由させることなく、後述する球抜き通路１２０（図１３、図１４参照）を介して下皿１１に返却させる際に操作される球抜きレバー２１が配設されている。
【００４２】
上皿１２は上皿受部４の上面に凹設されてなり、投入されるパチンコ球が貯留される貯留部１２ａと、貯留部１２ａから取込装置１００に向けて流下するパチンコ球を整流する帯状の整流部１２ｂと、から構成されており、その底面は貯留部１２ａから取込装置１００に向けて下り傾斜に構成されている。また、図５及び図１３、図１４に示すように、整流部１２ｂの下流部、すなわち、上皿１２から流入したパチンコ球を取込装置１００に導いて供給するための取込準備球通路１１０との連設部には、整流部１２ｂを流下するパチンコ球を球抜き通路１２０内に流出させるための流出口１２１が形成されているとともに、流出口１２１は、下部前面扉２９の前面における上皿１２の上部に設けられた球抜きレバー２１のスライド操作に応じて連動するように設けられた開閉シャッタ１２２（図１４参照）により開閉するようになっている。
【００４３】
また、図５に示されるように、上皿１２の長手方向の一端部側に貯留部１２ａが形成されていることで、例えばスロットマシン１の側方に球貸機（図示略）が配置された場合等において、この球貸機から延設される供給ノズル（図示略）を介して貸出される貸出球を上皿１２に直接受け入れることができるようになっている。さらに、上皿受部４の長手方向における左側端部にパチンコ球を貯留するための貯留部１２ａを配設されているとともに、右側端部にゲームを開始するために操作するスタートボタン７が配設されている。すなわち、貯留部１２ａとスタートボタン７とがそれぞれスロットマシン１の前面における左右端部側にそれぞれ別々に離間して配設されているため、遊技者によるゲームの開始操作と貯留部１２ａへのパチンコ球の投入操作とを左右の手で効率よく行うことができるため、ゲームを進行するための操作性が効果的に向上する。尚、貯留部１２ａとスタートボタン７とは、スロットマシン１の前面における左右方向の中央位置を基準として、それぞれが上皿受部４の左右方向中央位置よりも左側及び右側の端部に別々に配設されていれば、それぞれがスロットマシン１の前面における左右方向の端部側に配設されていることになる。
【００４４】
このように、上皿１２は上面が開口する皿状に形成されていることで、貯留されているパチンコ球を上方から手で取り出すことができるとともに、上皿１２に貯留されたパチンコ球は、下流側の整流部１２ｂにおいて３条に分流され、図１３、図１４に示すように、これら分流されたパチンコ球が、取込準備球通路１１０を流下して取込装置１００に供給されるようになっているため、上皿１２から取込装置１００へのパチンコ球の供給速度を向上させることが可能となり、これにより取込装置１００によるパチンコ球の取込速度も向上させることができる。
【００４５】
また、下流側の整流部１２ｂを流下したパチンコ球は、上皿受部４の内部に配置される取込準備球通路１１０内を流下し、同じく上皿受部４の内部に配置された取込装置１００に誘導されるようになっているため、取込準備球通路１１０内に流入したパチンコ球は、残存球透視窓３２を除き、下部前面扉２９の外部から視認不能となるとともに、手で取り出すことができないとともに、このように取込装置１００や取込準備球通路１１０が下部前面扉２９の内部に配設されていることで、外部から取込装置１００や取込準備球通路１１０の内部に針金等の異物を挿入すること等が困難となるため、異物を挿入して不正に球検出を行わせて賭数を設定するといった不正行為が効果的に抑止される。
【００４６】
上皿受部４の前面には、リール２Ｌ、２Ｃ、２Ｒの回転を各々停止する際に操作されるストップボタン８Ｌ、８Ｃ、８Ｒ等が設けられている。また、下部前面扉２９の前面における上皿受部４の下方には、本体枠２７の前面下部に設けられるスピーカ５３ａ（図１６参照）から出力される効果音等を放音するための複数の放音孔からなる放音部５３が、左右方向の中央よりやや左側に設けられている。
【００４７】
下部前面扉２９の下方には、払出装置２００から払い出された後、連通口１３からオーバーフローして流下されたパチンコ球を下皿１１に流出させるための払出口９が設けられるとともに、その前方には、該払出口９から払い出されたパチンコ球や、上皿１２から取込装置１００により取り込まれて排出（返却）されたパチンコ球を貯留する下皿１１と、灰皿１４が配設された下皿受部３１が設けられている。
【００４８】
下皿１１の底面には、下皿１１に貯留されたパチンコ球を取り出すための取出口１１ａが形成されており、下皿１１の前部に設けられたレバー１１ｂのスライド操作により取出口１１ａを閉塞するシャッタ１１ｃを開放することで、下皿１１に貯留されたパチンコ球が該下皿１１の下方に配置される図示しない球箱等に流出し、下皿１１に貯留されたパチンコ球を容易に取り出すことができるようになっている。
【００４９】
（１−２）本体枠の前面
本体枠２７には、図６に示されるように、リール２Ｌ、２Ｃ、２Ｒが並設されたリールユニット３０が設置されているとともに、該リールユニット３０の下方には、下皿１１が形成された下皿受部３１が前方に膨出するように設けられている。本体枠２７の前面上部には、演出画像等を制御するための演出制御基板９０と、効果音、ランプ等を制御するための音声ランプ基板１３０が収容された演出制御基板ケース１７０が取り付けられているとともに、演出制御基板ケース１７０における音声ランプ基板１３０側の上部には、音量を調整するための音量スイッチ１３１が設けられている。
【００５０】
演出制御基板ケース１７０の左側には、音声ランプ基板１３０と上皿ＬＥＤ中継下基板１３２とを中継する上皿ＬＥＤ中継上基板１３３が取り付けられているとともに、その下方には、払出制御基板６０と賞球ＬＥＤ基板１４３（図７参照）と中継基板とを中継する賞球球切れＬＥＤ中継基板１３４が取り付けられている。
【００５１】
演出制御基板ケース１７０の下方には、リール２Ｌ、２Ｃ、２Ｒが左右方向に向けて並設されている。各リール２Ｌ、２Ｃ、２Ｒには、リールモータ３４Ｌ、３４Ｃ、３４Ｒが備えられており、該リールモータ３４Ｌ、３４Ｃ、３４Ｒの駆動により各リール２Ｌ、２Ｃ、２Ｒが縦方向に回転し、外周に配列された図柄が可変表示されるようになっているとともに、それぞれのリールの回転基準位置を検出するリールセンサ３５Ｌ、３５Ｃ、３５Ｒが備えられており、このリールセンサ３５Ｌ、３５Ｃ、３５Ｒにより所定の図柄の停止位置を導出できるようになっている。また、各リール２Ｌ、２Ｃ、２Ｒには、各リール２Ｌ、２Ｃ、２Ｒにおける可変表示領域（上、中、下段の表示領域）を裏面側から個別に照射可能な複数のリールランプ３３Ｌａ〜３３Ｌｃ、３３Ｃａ〜３３Ｃｃ、３３Ｒａ〜３３Ｒｃがそれぞれ上、中、下段に配置されたリールランプ基板１３５Ｌ、１３５Ｃ、１３５Ｒが設けられており、これら各３３Ｌａ〜３３Ｌｃ、３３Ｃａ〜３３Ｃｃ、３３Ｒａ〜３３Ｒｃは、透視窓３に表示される各図柄をリールの背面側から点灯するバックライトとして機能するようになっている。
【００５２】
リール２Ｌ、２Ｃ、２Ｒの下方には、リール２Ｌ、２Ｃ、２Ｒを回転または停止させるために、遊技制御基板４０とリールモータ３４Ｌ、３４Ｃ、３４Ｒとを中継するとともに、遊技制御基板４０と遊技状態表示ＬＥＤ基板１５１（図７参照）及びリールランプ基板１３５Ｌ、１３５Ｃ、１３５Ｒとを中継するリール中継基板１３６が取り付けられている。
【００５３】
また、リール２Ｌ、２Ｃ、２Ｒの右側には、上部前面扉２８を閉鎖位置にて係止するための透視窓枠係止片２２８ａ、２２８ｂが、上下２箇所に設けられているとともに、その下方には、施錠装置２３の錠前２３ｂが設けられている。
【００５４】
リールユニット３０の下方左側には、下部前面扉２９を閉鎖位置にしたときに、本体枠２７の背面側に配設される払出球通路２０８と下部前面扉２９の連通口１３とを連通させるための球連通路２８５ｂが形成されている。球連通路２８５ｂの下方には、前述した上皿ＬＥＤ中継下基板１３２が取り付けられているとともに、さらにその下方には、接続端子板７０と残高表示基板とを中継する残高表示中継基板１３７が取り付けられている。なお、残高表示中継基板１３７の右側には、スピーカ５３ａが取り付けられている。
【００５５】
スピーカ５３ａの右側には、設定値の変更または確認に使用する設定キースイッチ３６と、設定値を選択する設定スイッチ３７と、打止めの有無を選択する打ち止めスイッチ３９と、が上面左右方向に向けて配設されたキースイッチ基板１３８が取り付けられている。
【００５６】
キースイッチ基板１３８の上方には、遊技制御基板４０と演出制御基板９０とを中継する周辺コマンド中継基板１６４と、遊技制御基板４０と音声ランプ基板１３０とを中継する周辺電源中継基板１６５と、遊技制御基板４０と操作部中継基板１５３（図７参照）とを中継する前板下中継基板１６６と、が左右方向に並設された状態で取り付けられている。
【００５７】
（１−３）上部前面扉の背面
上部前面扉２８の背面上部には、図７（ａ）に示されるように、遊技効果ランプ７１ａが複数配設された左右方向を向く上部ランプ基板１３９が取り付けられるとともに、該上部ランプ基板１３９の左右側には、遊技効果ＬＥＤ（図示略）が設けられた上部ＬＥＤ右基板１４０Ｒ、上部ＬＥＤ左基板１４０Ｌが取り付けられている。左右側部には、遊技効果ランプ７２Ｌａ及び遊技効果ＬＥＤ７２Ｌｂ（図１４４参照）が複数配設された上下方向を向くサイドランプ・ＬＥＤ右基板１４１Ｒ、遊技効果ランプ７２Ｌａ及び遊技効果ＬＥＤ７２Ｌｂ（図１４４参照）が複数配設された上下方向を向くサイドランプ・ＬＥＤ左基板１４１Ｌがそれぞれ取り付けられている。サイドランプ・ＬＥＤ右基板１４１Ｒの上方には、球切れ表示ＬＥＤ７５ａが設けられた球切れＬＥＤ基板１４２が取り付けられており、また、サイドランプ・ＬＥＤ左基板１４１Ｌの上方には、入賞払出ＬＥＤ７４ａが設けられた賞球ＬＥＤ基板１４３が取り付けられている。
【００５８】
上部中央位置には、液晶表示器５１ａを有する液晶ユニット１２３０が取り付けられているとともに、該液晶ユニット１２３０の内部には、演出制御基板９０と液晶表示器５１ａのインバータ基板である液晶インバータ基板１４４及び液晶表示器５１ａとを中継する液晶中継基板１４５と、前記液晶インバータ基板１４４と、が設けられている。液晶ユニット１２３０の左右側には、装飾効果ＬＥＤ７６Ｒａが設けられたパネル右ＬＥＤ基板１４７Ｒと、装飾効果ＬＥＤ７６Ｌａが設けられたパネル左ＬＥＤ基板１４７Ｌと、がそれぞれ配設されている。
【００５９】
液晶表示器５１ａの下方には、リール２Ｌ、２Ｃ、２Ｒを照明する左右方向に延びる冷陰極管５９が、透視窓３の上辺部に沿うように配置されているとともに、該冷陰極管５９の長手方向中央位置には、冷陰極管５９のインバータ基板である冷陰極管インバータ基板１４８が取り付けられている。また、透視窓３の左右側辺部には、複数の演出用ランプ５５ａ〜５５ｅが配置された上下方向を向く演出用ランプ基板１５０と、複数の演出用ランプ５４ａ〜５４ｅが配置された上下方向を向く演出用ランプ基板１４９と、が取り付けられている。
【００６０】
透視窓３の下辺部には、前述した各種表示器１６ａ、１７ａ及び各種ＬＥＤ７７ａ〜８３ａが設けられた遊技状態表示ＬＥＤ基板１５１が取り付けられている。また、遊技状態表示ＬＥＤ基板１５１の背面左側には、設定値を表示する設定値表示器５０が設けられている。また、遊技状態表示ＬＥＤ基板１５１の左側には、前述した型式名表示ラベルや証紙を添付するための証紙ベース１２１４が取り付けられている。
【００６１】
（１−４）下部前面扉の背面
下部前面扉２９の背面左側には、図７（ｂ）に示されるように、取込装置１００が取り付けられているとともに、その左側方には、本体枠２７に係止するための係止部材２３６が設けられている。取込装置１００の右側方には、球抜き通路１２０を形成するための球抜き通路カバー１０４９が取り付けられているとともに、球抜き通路カバー１０４９の右側方には、前述した放音部５３が形成されている。
【００６２】
下部前面扉２９の背面左端部には、遊技効果ＬＥＤ７３Ｒａが設けられた上皿ＬＥＤ右基板１５２Ｒが設けられているとともに、右端部には、遊技効果ＬＥＤ７３Ｌａが設けられた上皿ＬＥＤ右基板１５２Ｌが設けられている。また、中央には、前板下中継基板１６６と１ＢＥＴスイッチ５ａ、精算スイッチ１０ａが設けられるスイッチ基板（図示略）、ストップスイッチ８Ｌａ、８Ｃａ、８Ｒａが設けられるスイッチ基板１８０４（図１３５参照）、スタートスイッチ７ａが設けられるスイッチ基板１７０４（図１３４参照）及び投入中継基板１５４とを中継する操作部中継基板１５３が設けられている。
【００６３】
また、取込装置１００の内部には、取込モータ１０１の回転位置を検出する投入センサ基板１５５と、操作部中継基板１５３と投入センサ基板１５５、振分ソレノイド１０２、第１取込球検出スイッチ１０４、第２取込球検出スイッチ１０５ａ、１０５ｂ及び取込モータ１０１とを中継する投入中継基板１５４と、が設けられている。
【００６４】
（１−５）スロットマシンの背面
図８はスロットマシン１を示す背面図である。図８に示されるように、スロットマシン１の背面上部には、図示しない遊技機設置島から供給されるパチンコ球が貯留される左右方向を向く補給タンク２０４が取り付けられているとともに、該補給タンク２０４の下面左端部からは、下り傾斜の球供給通路２１０が右方向に向けて延設されているとともに、その先端は右端部にて下方に向けて屈曲した後、下方に配置される払出装置２００まで延設されている。
【００６５】
球供給通路２１０の下方には、本体枠２７に形成されたリール用開口部２２６（図７５参照）の前面側より背面側に向けて挿通されたリールユニット３０のリール収容凹部３０ａを形成する膨出部５５１が、背面側に向けて膨出するように配置されている。膨出部５５１の下方には、遊技制御基板４０及び払出制御基板６０が収容されたメイン制御基板ケース４００が、本体枠２７の背面側に取り付けられた基板取付板４０１に取り付けられている。なお、この基板取付板４０１の前面側には、払出装置２００から払い出されたパチンコ球や、払出装置２００の上流側にて球供給通路２１０から抜き取られたパチンコ球が流下する供給球抜き通路１２３ｂ（図１３、図１４参照）が配設されている。
【００６６】
補給タンク２０４の左右側には、本体枠２７に対する上部前面扉２８の開放を検出する上部前面扉開放スイッチ１１３と、外枠２５に対する枠基体２６の開放を検出する枠基体開放スイッチ１１４と、がそれぞれ設けられている。また、枠基体開放スイッチ１１４の近傍には、各種信号をスロットマシンの外部に出力する外部出力基板１５７と、遊技制御基板４０と、上部前面扉開放スイッチ１１３及び枠基体開放スイッチ１１４とを中継する開放スイッチ中継基板１５８が設けられている。
【００６７】
球供給通路２１０における払出装置２００の上流側には、球切れ状態を検出する供給球検出スイッチ２０５が設けられている。払出装置２００の内部には、該装置内に配設される払出モータ２０１の回転位置を検出する払出センサ基板１５９と、払い出されたパチンコ球をカウントする払出球検出スイッチ２０２ａ、２０２ｂと、払出制御基板６０と払出センサ基板１５９、払出球検出スイッチ２０２ａ、２０２ｂ及び払出モータ２０１とを中継する払出中継基板１６０と、が設けられている。
【００６８】
基板取付板４０１の前面側には、各部へ電源を供給する電源基板１６３と、払出制御基板６０と供給球検出スイッチ２０５及び払出球詰まり検出スイッチ１１２とを中継する機構板中継基板１６１と、遊技制御基板４０とキースイッチ基板１３８及び返却球詰まり検出スイッチ１１１とを中継する本体枠中継基板１６２と、下皿１１の満タン状態を検出する払出球詰まり検出スイッチ１１２と、返却球誘導通路１０９の満タン状態を検出する返却球詰まり検出スイッチ１１１と、カードユニット１５とパチンコ球の貸出に関わる信号を入出力する接続端子板７０と、が設けられている。
【００６９】
また、払出制御基板６０の表面側には、払出制御基板６０が遊技制御基板４０またはカードユニット１５と未接続であるときに実行される未接続エラー、または払出装置２００による払い出し時に発生するエラーを解除するためのエラー解除スイッチ１１８と、払出装置２００による払い出しのエラー発生時に所定のエラーコードをする払出エラー表示器１１９と、がそれぞれ設けられている。
【００７０】
（１−６）スロットマシンの左右側面
図９はスロットマシン１の左側面図であり、図１０はスロットマシン１の右側面図である。図９及び図１０に示されるように、本体枠２７の一部と上部前面扉２８及び下部前面扉２９とは、外枠２５の前端面２５ａよりも前方に配置されるため、下部前面扉２９の前面上部から前方に向けて突設された上皿受部４及び本体枠２７の前面下部から前方に向けて突設された下皿受部３１は、スロットマシン１を左右側から見たときに、外枠２５の前端面２５ａよりも前方に位置している。
【００７１】
また、本体枠２７の背面側に設けられる補給タンク２０４、球供給通路２１０、払出装置２００、リール収容凹部３０ａを形成する膨出部５５１、電源基板ケース３００及びメイン制御基板ケース４００は、外枠２５の後端面２５ｂよりも背面側に位置しており、これらのうち払出装置２００はスロットマシン１を左側方から見たとき、電源基板ケース３００はスロットマシン１を右側方から見たときにのみ視認できるようになっており、左側または右側から見たときの外観形状が異なっている。なお、電源基板ケース３００の右側面には、図１０に示されるように、当該スロットマシン１を作動させるための電源スイッチ３１３と、ＲＡＭクリア、エラー解除または打止の解除をするリセットスイッチ３８と、が設けられている。
【００７２】
（１−７）スロットマシンの平面、底面
図１１はスロットマシン１を示す平面図であり、図１２はスロットマシン１を示す底面図である。図１１に示されるように、スロットマシン１を上面側から見たとき、外枠２５の前端面２５ａよりも前方には、本体枠２７の上辺部、上部前面扉２８及び上皿受部４の上面前部、下皿受部３１の上面前部がそれぞれ位置するとともに、外枠２５の後端面２５ｂよりも後側には、補給タンク２０４、球供給通路２１０、払出装置２００、リールユニット３０の膨出部５５１がそれぞれ位置する。
【００７３】
また、図１２に示されるように、スロットマシン１を下面側から見たとき、外枠２５の前端面２５ａよりも前方には、本体枠２７の下辺部、下皿１１及び灰皿１４を含む下皿受部３１の下面及び上皿受部４の下面前部がそれぞれ位置する。これら下皿１１の取出口１１ａや灰皿１４が外枠２５の前端面２５ａよりも前方に位置することで、下皿１１に貯留されたパチンコ球を、その鉛直下方に配置される図示しない球箱に取出口１１ａを介して流出できるとともに、灰皿１４を上下に反転させることにより排出した吸い殻を、その鉛直下方に配置される図示しない吸い殻受けに排出できる。
【００７４】
外枠２５の後端面２５ｂよりも後方には、払出装置２００、メイン制御基板ケース４００、取込球誘導通路１０８及び該通路の後端に形成された流出口１０８ａ、球抜き通路１２３ｂの流出口１２３ｃがそれぞれ位置する。これら流出口１０８ａ及び球抜き通路１２３ｂの流出口１２３ｃが外枠２５の後端面２５ｂよりも後方に位置することで、流出口１０８ａから流出したパチンコ球が、その鉛直下方に配置される図示しない球タンクに流出されるとともに、球抜き通路１２３ｂの流出口１２３ｃから流出したパチンコ球を、図示しない球受けに受け入れることができる。
【００７５】
（１−８）球の流れ
次に、スロットマシン１におけるパチンコ球の流下経路を、図１３及び図１４に基づいて説明する。なお、図１３はスロットマシン１におけるパチンコ球の流下経路を示す概略図であり、図１４（ａ）は図１３の要部拡大図であり、（ｂ）は（ａ）の平面図である。
【００７６】
当該スロットマシン１が設置される図示しない遊技機設置島から各スロットマシン１に供給されたパチンコ球は、図１３に示されるように、スロットマシン１の背面上部に設けられた補給タンク２０４に貯留され、補給タンクから延設される球供給通路２１０を流下して払出装置２００に供給されるようになっている。この球供給通路２１０は、後述するように３条の通路からなり、補給タンク２０４から流出したパチンコ球は３条の通路それぞれに分流された状態で払出装置２００に供給されるようになっている。また、球供給通路２１０における払出装置２００の上方所定高さ位置には、各条に対応して供給球検出スイッチ２０５（図１６参照）が設けられており、この供給球検出スイッチ２０５により払出装置２００に供給されるパチンコ球が待機しているか否かが検出されるようになっている。本実施例では、供給球検出スイッチ２０５は、賞球を伴う入賞の発生により払出装置２００にて払い出される最大賞球数である７５球分の球が供給されていることを検出可能な位置に設けられており、最大賞球数の払出を要求する前に、当該球数の払出に必要なパチンコ球が待機しているか否かが検出されるようになっている。更に本実施例では、取込装置１００にて取り込まれる最大球数が１５球であり、精算ボタン１０の操作に基づき払出装置２００にて最大１５球のパチンコ球が払い出されるが、この場合でも、精算ボタン１０に基づき払い出すべき球数の払出を要求する前に、供給球検出スイッチ２０５により、当該球数の払出に必要なパチンコ球が待機しているか否かが検出されるようになっている。更に、本実施例では、カードユニット１５からの１回の貸出要求により２５球の貸出が要求されるが、この場合でも、貸出要求に基づき払い出すべき球数の払出を要求する前に、供給球検出スイッチ２０５により、当該球数の払出に必要なパチンコ球が待機しているか否かが検出されるようになっている。
【００７７】
球供給通路２１０における供給球検出スイッチ２０５と払出装置２００との間には、パチンコ球の流下経路を、払出装置２００側または球供給通路２１０内に残存する残存球を通路外に抜き取るための供給球抜き通路１２３ａ側のいずれかに振り分ける流路振分部１２７が設けられており、流下経路が供給球抜き通路１２３ａ側に切り替えられた場合には、パチンコ球は球供給通路２１０の側方に配設された供給球抜き通路１２３ａ内に流入し、本体枠２７の下部まで延設された供給球抜き通路１２３ｂの流出口１２３ｃから流出する。また、流下経路が払出装置２００側に切り替えられた場合には、パチンコ球はそのまま球供給通路２１０内を流下して払出装置２００に供給される。
【００７８】
払出装置２００にて払い出されたパチンコ球は、払出球誘導通路２０８ａを流下した後、連通口１３を介して本体枠２７の背面側から前面側に流下し、本体枠２７の前面側の上皿１２に払い出される。また、上皿１２から溢れた余剰球は、前記払出球誘導通路２０８ａから側方に分流された払出球誘導通路２０８ｂ内を流下し、払出口９を介して下皿１１に払い出されるようになっている。また、払出球誘導通路２０８ｂにおける下皿１１の近傍位置には、図１３及び図１４に示されるように、通路内の球詰りを検出する払出球詰まり検出スイッチ１１２が設けられており、例えば、下皿１１が満タンのために払出球誘導通路２０８ｂが球詰りを起こしているか否かを検出できるようになっている。
【００７９】
また、上皿１２のパチンコ球は、特に図１４（ａ）に示されるように、上皿１２の下流側端部から取込装置１００まで延設された取込準備球通路１１０及び取込装置１００内に流入するようになっており、１ＢＥＴボタン５またはＭＡＸＢＥＴボタン６あるいは精算ボタン１０の操作にて取込装置１００内に設けられたスプロケット１０６ａ、１０６ｂが回転することにより取り込まれて排出される。
【００８０】
スプロケット１０６ａ、１０６ｂにて取り込まれて排出されたパチンコ球の流下経路は、その下方に設けられた流路切替弁１０７ａ、１０７ｂにて切り替えられるようになっており、１ＢＥＴボタン５またはＭＡＸＢＥＴボタン６の操作に応じて取り込まれた場合には、取込球誘導通路１０８内に誘導され、特に図１４（ｂ）に示されるように、取込球誘導通路１０８にて本体枠２７の後面側まで誘導された後、該通路の下流側端部に形成された流出口１０８ａから下方に落下し、その下方に配置される図示しない球タンク内に排出されるようになっている。
【００８１】
精算ボタン１０の操作に応じて取り込まれた場合には、返却球誘導通路１０９内に誘導され、特に図１４（ｂ）に示されるように、返却球誘導通路１０９にて本体枠２７の後面側まで誘導された後、該通路の下流側端部から、払出口９の背面側に設けられる流し樋１２６に合流した後、払出口９を介して前面側の下皿１１に返却される。
【００８２】
また、取込準備球通路１１０の上流側には、図１４（ａ）、（ｂ）に示されるように、上皿１２のパチンコ球を、取込装置１００を経由させることなく下皿１１に誘導する球抜き通路１２０に連通する流出口１２１が形成されている。流出口１２１は、図４に示される球抜きレバー２１の操作に連動する開閉シャッタ１２２にて常時閉塞されており、球抜きレバー２１により開閉シャッタ１２２を開放することにより、流出口１２１を介して球抜き通路１２０内にパチンコ球が流入するようになっている。球抜き通路１２０は、図１４（ｂ）に示されるように、本体枠２７の前面側から背面側にかけて延設されており、球抜き通路１２０内に流入したパチンコ球は、本体枠２７の背面側に配設された返却球誘導通路１０９に合流し、流し樋１２６から払出口９を介して下皿１１に返却されるようになっている。
【００８３】
（１−９）図柄配列
図１５は、本実施例のスロットマシン１における各リール２Ｌ、２Ｃ、２Ｒの図柄配列を示す図であり、各リール２Ｌ、２Ｃ、２Ｒの外周部には、図２に示すように、それぞれ「赤７」（図中黒色の７）、「青７」（図中網かけの７）、「白７」、「ＢＡＲ」、「ＪＡＣ」、「スイカ」、「チェリー」、「ベル」といった互いに識別可能な複数種類の図柄が所定の順序で、それぞれ２１個ずつ描かれている。リール２Ｌ、２Ｃ、２Ｒの外周部に描かれた図柄は、透視窓３において各々上中下三段に表示される。
【００８４】
（１−１０）遊技状態の説明
次に、遊技者が遊技（ゲーム）を行うための操作や、該操作に伴う各種装置の作動状況を説明する。本実施例のスロットマシン１は、図４に示すように、有価価値が記録されたプリペイドカードを受け付けるカードユニット１５と並設されており、前述した球貸ボタン１９の操作に基づくカードユニット１５からの要求に応じて、受付中のプリペイドカードに記録された有価価値を用いてパチンコ球の貸出を行うことが可能とされている。
【００８５】
本実施例のスロットマシン１においてゲームを行う場合には、まず、上皿１２に貯留されたパチンコ球を使用して賭数を設定する。賭数を設定するには、１ＢＥＴスイッチ５またはＭＡＸＢＥＴスイッチ６を操作すれば良い。本実施例では、１ＢＥＴスイッチ５が操作されると、上皿１２に貯留されたパチンコ球からその時点で賭数を１設定するのに必要な数のパチンコ球が取り込まれ、ＭＡＸＢＥＴスイッチ６が操作されると、上皿１２に貯留されたパチンコ球からその時点で１ゲームにおいて許容される最大賭数を設定するのに必要な数のパチンコ球が取り込まれる。
【００８６】
尚、このように１ＢＥＴスイッチ５またはＭＡＸＢＥＴスイッチ６の操作に応じて賭数を設定するために取込装置１００により取り込まれたパチンコ球は、前述したように取込球誘導通路１０８を流下して、スロットマシン１の内部、すなわち、スロットマシン１における遊技者が対面する側から見て裏側に取り込まれて、前述したように図示しない遊技機設置島内部に設けられたアウト球タンクに排出される。
【００８７】
次いで、所定数の賭数が設定されると、設定された賭数に応じて入賞ラインＬ１、Ｌ２、Ｌ２’、Ｌ３、Ｌ３’（図４参照）が有効となり、スタートスイッチ７の操作が有効な状態、すなわち、ゲームが開始可能な状態となる。本実施例では賭数として最大賭数（３）が設定されたとき、すなわち１５球のパチンコ球が取り込まれたときにゲームが開始可能な状態となる。尚、本実施例においては、賭数として最大賭数（３）が設定されたときにゲームが開始可能な状態となるが、少なくとも賭数として１または２が設定された時点、すなわち５球または１０球のパチンコ球が取り込まれた時点でゲームが開始可能な状態となるようにしても良い。
【００８８】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、表示結果が導出表示される。
【００８９】
そして全てのリール２Ｌ、２Ｃ、２Ｒが停止されることで１ゲームが終了し、賭数に応じて有効化されたいずれかの入賞ラインＬ１、Ｌ２、Ｌ２’、Ｌ３、Ｌ３’上に予め定められた図柄の組み合わせが各リール２Ｌ、２Ｃ、２Ｒの表示結果として停止した場合には入賞が発生し、その入賞に応じて定められた数のパチンコ球（賞球）が払出装置２００から払出され、払出球誘導通路２０８ａを介して上皿１２または払出球誘導通路２０８ｂを介して下皿１１に払い出されて遊技者に対して付与される。
【００９０】
本実施例では、図柄の組み合わせに応じて異なる数の賞球が付与されるようになっている。特に、賭数を１設定するのに単位球数（５球）のパチンコ球が必要であるのに対して、入賞の発生に応じて付与される賞球数は、単位球数（５球）の倍数となる球数に限られず、７５球を上限として入賞に応じた任意の球数のパチンコ球を付与することが可能とされており、これら入賞の発生に応じて付与される賞球数を、各入賞に応じてより細かく設定することができるようになっている。
【００９１】
本実施例のスロットマシン１は、全てのリール２Ｌ、２Ｃ、２Ｒが停止した際に、有効化されたいずれかの入賞ラインＬ１、Ｌ２、Ｌ２’、Ｌ３、Ｌ３’上に役と呼ばれる図柄の組み合わせが揃うと入賞となる。入賞となる役の種類は、遊技状態に応じて定められているが、大きく分けて、パチンコ球の払い出しを伴う小役と、賭数の設定を必要とせずに次のゲームを開始可能となる再遊技役と、遊技状態の移行を伴う特別役とがある。遊技状態に応じて定められた各役の入賞が発生するためには、後述する内部抽選に当選して、当該役の当選フラグが設定されている必要がある。
【００９２】
尚、これら各役の当選フラグのうち、小役及び再遊技役の当選フラグは、当該フラグが設定されたゲームにおいてのみ有効とされ、そのゲームの終了時にクリアされるが、特別役の当選フラグは、当該フラグにより許容された役の組み合わせが揃うまで有効とされ、許容された役の組み合わせが揃ったゲームにおいてクリアされる。すなわち特別役の当選フラグが一度当選すると、例え、当該フラグにより許容された役の組み合わせを揃えることができなかった場合にも、その当選フラグはクリアされずに、次のゲームへ持ち越されることとなる。もっとも、後に説明するように特別役のうちＪＡＣＩＮの組み合わせは、当選したゲームに必ず揃うこととなるので、次のゲームへ持ち越されることはなく、それ以外の特別役の当選フラグのみ、当該フラグにより許容される役の組み合わせが揃わなかった場合に、次のゲームへ持ち越されることとなる。
【００９３】
このスロットマシン１における役としては、小役としてＪＡＣ、チェリー、スイカ、ベルが、再遊技役としてリプレイ、特別役としてビッグボーナス（１）、ビッグボーナス（２）、ビッグボーナス（３）、レギュラーボーナス（１）、レギュラーボーナス（２）、ＪＡＣＩＮが定められている。
【００９４】
レギュラーボーナスの遊技状態では、小役であるＪＡＣ、チェリー、スイカ及びベルが、入賞となる役として定められており、レギュラーボーナスにおける内部抽選で抽選の対象とされる。ビッグボーナスの後述する小役ゲームでは、小役であるチェリー、スイカ及びベル、特別役であるレギュラーボーナス（２）及びＪＡＣＩＮが入賞となる役として定められており、小役ゲームにおける内部抽選で抽選の対象とされる。通常遊技状態では、小役であるチェリー、スイカ及びベル、再遊技役であるリプレイ、特別役であるビッグボーナス（１）、ビッグボーナス（２）、ビッグボーナス（３）、レギュラーボーナス（１）が入賞となる役として定められており、通常遊技状態における内部抽選で抽選の対象とされる。
【００９５】
尚、本実施例では、レギュラーボーナスの遊技状態において、チェリー、スイカ及びベルに加えてＪＡＣが入賞となる小役として定められているが、レギュラーボーナスの遊技状態においても、小役ゲームや通常遊技状態と同様に、チェリー、スイカ及びベルのみを入賞となる小役として定めるようにしても良い。
【００９６】
ビッグボーナスは、通常遊技状態において入賞ラインＬ１、Ｌ２、Ｌ２’、Ｌ３、Ｌ３’のいずれかに「赤７−赤７−赤７」の組み合わせ、「白７−白７−白７」の組み合わせ、または「青７−青７−青７」の組み合わせが揃ったときに入賞となる。ビッグボーナス入賞すると、遊技状態がビッグボーナスに移行する。ビッグボーナスにおいては、小役ゲームと称されるゲームを行うことができる。遊技状態がビッグボーナスにある間は、ビッグボーナス中フラグがＲＡＭに設定される。ビッグボーナスは、当該ビッグボーナス中において遊技者に払い出したパチンコ球の総数が２３２５球に達したときに終了する。
【００９７】
尚、「赤７−赤７−赤７」によるビッグボーナス、「白７−白７−白７」によるビッグボーナス、及び「青７−青７−青７」を区別する必要がある場合には、それぞれビッグボーナス（１）、ビッグボーナス（２）、ビッグボーナス（３）と呼ぶものとする。
【００９８】
レギュラーボーナスは、小役ゲーム及び通常遊技状態において入賞ラインＬ１、Ｌ２、Ｌ２’、Ｌ３、Ｌ３’のいずれかに「ＢＡＲ−ＢＡＲ−ＢＡＲ」の組み合わせが揃ったときに入賞となる。レギュラーボーナス入賞すると、遊技状態が小役ゲームまたは通常遊技状態からレギュラーボーナスに移行する。レギュラーボーナスは、１２ゲームを消化したとき、または８ゲーム入賞（役の種類は、いずれでも可）したとき、のいずれか早いほうで終了する。遊技状態がレギュラーボーナスにある間は、レギュラーボーナス中フラグがＲＡＭに設定される。特に、小役ゲームにおいてレギュラーボーナス入賞すると、ビッグボーナス中にレギュラーボーナスが提供されることとなり、ビッグボーナス中フラグに併せてレギュラーボーナス中フラグもＲＡＭに設定される。ビッグボーナス中のレギュラーボーナスで当該ビッグボーナス中において遊技者に払い出したパチンコ球の総数が２３２５球に達したときは、ビッグボーナスとともに当該レギュラーボーナスも終了する。
【００９９】
尚、通常遊技状態の「ＢＡＲ−ＢＡＲ−ＢＡＲ」によるレギュラーボーナス、ビッグボーナスにおける小役ゲームの「ＢＡＲ−ＢＡＲ−ＢＡＲ」によるレギュラーボーナスを区別する必要がある場合には、それぞれレギュラーボーナス（１）、レギュラーボーナス（２）と呼ぶものとする。また、前述したビッグボーナス（１）、ビッグボーナス（２）及びビッグボーナス（３）、レギュラーボーナス（１）及びレギュラーボーナス（２）をまとめて、単に「ボーナス」と呼ぶ場合があるものとする。
【０１００】
ＪＡＣＩＮは、小役ゲームにおいて入賞ラインＬ１、Ｌ２、Ｌ２’、Ｌ３、Ｌ３’のいずれかに「スイカ−ＪＡＣ−ＪＡＣ」の組み合わせが揃ったときに入賞となるが、小役ゲーム以外の遊技状態では、この組み合わせが揃ったとしてもＪＡＣＩＮ入賞とならない。ＪＡＣＩＮ入賞すると、ビッグボーナス中に前述したレギュラーボーナスが提供されることとなり、ビッグボーナス中フラグに併せてレギュラーボーナス中フラグもメイン制御部４１のＲＡＭに設定される。ビッグボーナス中のレギュラーボーナスで当該ビッグボーナス中において遊技者に払い出したパチンコ球の総数が２３２５球に達したときは、ビッグボーナスとともに当該レギュラーボーナスも終了する。
【０１０１】
ＪＡＣは、レギュラーボーナスにおいて入賞ラインＬ１、Ｌ２、Ｌ２’、Ｌ３、Ｌ３’に「ベル−ＪＡＣ−ＪＡＣ」の組み合わせが揃ったときに入賞となるが、レギュラーボーナス以外の遊技状態では、この組み合わせが揃ったとしてもＪＡＣ入賞とならない。チェリーは、いずれの遊技状態においても左のリール２Ｌについて入賞ラインＬ１、Ｌ２、Ｌ２’、Ｌ３、Ｌ３’のいずれかに「チェリー」の図柄が導出されたときに入賞となる。スイカは、いずれの遊技状態においても入賞ラインＬ１、Ｌ２、Ｌ２’、Ｌ３、Ｌ３’のいずれかに「スイカ−スイカ−スイカ」の組み合わせが揃ったときに入賞となる。ベルは、いずれの遊技状態においても有効ラインのいずれかに「ベル−ベル−ベル」の組み合わせが揃ったときに入賞となる。これらの小役が入賞したときのパチンコ球の払い出しについては後述する。
【０１０２】
リプレイは、通常遊技状態において入賞ラインＬ１、Ｌ２、Ｌ２’、Ｌ３、Ｌ３’のいずれかに「ＪＡＣ−ＪＡＣ−ＪＡＣ」の組み合わせが揃ったときに入賞となるが、レギュラーボーナスやビッグボーナス（小役ゲーム及びレギュラーボーナス）では、この組み合わせが揃ったとしてもリプレイ入賞とならない。リプレイ入賞したときには、パチンコ球の払い出しはないが次のゲームを改めて賭数を設定することなく開始できるので、次のゲームで設定不要となった賭数（リプレイ入賞が対象となるのは通常遊技状態であるので設定不要となった賭数とは２または３である）に対応した１０球または１５球のパチンコ球が払い出されるのと実質的には同じこととなる。
【０１０３】
（２）スロットマシンの制御内容
次に、このように構成された本実施例のスロットマシン１の制御内容を、図１６〜図６６に基づいて説明する。
【０１０４】
（２−１）スロットマシンの構成
図１６は、スロットマシン１の構成を示すブロック図である。スロットマシン１には、図１６に示すように、遊技制御基板４０、演出制御基板９０、電源基板１６３が設けられており、遊技制御基板４０によって主に遊技状態が制御され、払出制御基板６０によってパチンコ球の払出が制御され、演出制御基板９０によって遊技状態に応じた演出が制御されるとともに、電源基板１６３から遊技制御基板４０の電源が供給されるとともに、電源基板１６３から遊技制御基板４０を介して、払出制御基板６０、演出制御基板９０の電源が供給される。
【０１０５】
電源基板１６３には、遊技制御基板４０が接続されており、外部から供給されたＡＣ１００Ｖの電源に基づいてスロットマシン１を構成する電気部品の駆動に必要な直流電圧が生成され、遊技制御基板４０及び遊技制御基板４０を介して接続された払出制御基板６０や演出制御基板９０に供給されるようになっている。また、電源基板１６３には、エラーの解除等を行うためのリセットスイッチ３８が接続されている。
【０１０６】
遊技制御基板４０には、前述した１ＢＥＴスイッチ５ａ、ＭＡＸＢＥＴスイッチ６ａ、スタートスイッチ７ａ、精算スイッチ１０ａ、ストップスイッチ８Ｌａ、８Ｃａ、８Ｒａ、第１取込球検出スイッチ１０４、第２取込球検出スイッチ１０５ａ、１０５ｂ、返却球検出スイッチ１０３、返却球詰まり検出スイッチ１１１、払出球詰まり検出スイッチ１１２、流路検出スイッチ１１５、払出球検出スイッチ２０２ａ、２０２ｂ、供給球検出スイッチ２０５に加えて、リール２Ｌ、２Ｃ、２Ｒの基準位置を検出するリールセンサ３５、電源投入時に出玉率の設定変更を行うための設定キースイッチ３６、設定の切替を行うための設定スイッチ３７、ボーナス終了時に遊技の進行を不能動化させるか否かを設定するための打止めスイッチ３９等の各種スイッチ類が接続されているとともに、電源基板１６３を介して前述したリセットスイッチ３８が接続されており、これら接続されたスイッチやセンサの検出信号が入力されるようになっている。
【０１０７】
また、遊技制御基板４０には、前述したリールモータ３４Ｌ、３４Ｃ、３４Ｒや取込済球／払出済球表示器１６ａ、遊技補助表示器１７ａ、賭数表示ＬＥＤ７７ａ、７８ａ、７９ａ、リプレイ表示ＬＥＤ８０ａ、ウェイト表示ＬＥＤ８１ａ、スタート表示ＬＥＤ８２ａ、投入指示ＬＥＤ８３ａ、取込モータ１０１、振分ソレノイド１０２等の電気部品が接続されており、遊技制御基板４０に搭載された後述の遊技制御部４１の制御に基づいて駆動されるようになっている。
【０１０８】
遊技制御基板４０には、所定の手順で演算を行うＣＰＵ、ＣＰＵの制御プログラムや各種データテーブル等を格納するＲＯＭ、必要なデータの書き込み及び読み出しを行うＲＡＭ、各種信号の入出力を行うＩ／Ｏポートを備えたマイクロコンピュータからなる遊技制御部４１、遊技制御基板４０に直接または電源基板１６３を介して接続されたスイッチ、センサから入力された検出信号が入力されるスイッチ回路４２、リールモータ３４Ｌ、３４Ｃ、３４Ｒの駆動制御を行う第１モータ回路４３、取込モータ１０１の駆動制御を行う第２モータ回路４４、振分ソレノイド１０２の駆動制御を行うソレノイド駆動回路４５、取込済球／払出済球表示器１６ａ、遊技補助表示器１７ａを含む各種表示器や各種ＬＥＤ等の駆動制御を行う表示駆動回路４６、スロットマシン１に供給される電源電圧の低下を検出する電源監視用ＩＣ４７等、が搭載されており、遊技制御部４１は、遊技制御基板４０に直接または電源基板１６３を介して接続されたスイッチ、センサの検出信号を受けて、ゲームの進行に応じた各種の制御を行う。
【０１０９】
遊技制御部４１は、図１８（ｂ）に示すように、信号入力端子ＰＯＲＴを備えている。この信号入力端子ＰＯＲＴは、マイクロコンピュータが備える入力ポートの１端子であり、該信号入力端子ＰＯＲＴの信号入力状態は、マイクロコンピュータにより監視されている。更に、信号入力端子ＰＯＲＴとは別に、割込入力端子ＣＬＫ／ＴＲＧを備えており、この割込入力端子ＣＬＫ／ＴＲＧに信号が入力されることで外部割込が発生し、遊技制御部４１のＣＰＵは外部割込に応じて割込処理１を各種スイッチ類の検出に応じて段階的に移行する基本処理に割り込んで実行可能とされている。また、遊技制御部４１は、内部タイマ（図示略）を備えており、遊技制御部４１のＣＰＵは、内部タイマの出力に基づいて割込処理２及び割込処理３を基本処理に割り込んで定期的に実行可能とされている。また、遊技制御部４１のＣＰＵは、割込処理１を割込処理２よりも優先して実行し、割込処理２を割込処理３よりも優先して実行するよう設定されており、割込処理１と割込処理２または割込処理３が同時に要求された場合には、割込処理１を優先して実行し、割込処理２と張り込み処理３が同時に要求された場合には、割込処理２を優先して実行するようになっている。また、割込処理１、割込処理２または割込処理３の実行中においては、他の割込処理が禁止されるようになっている。
【０１１０】
遊技制御部４１のＲＡＭは、停電時においてもバックアップ電源より電力が供給され、記憶されているデータが保持されるようになっている。
【０１１１】
払出制御基板６０には、前述した供給球検出スイッチ２０５、払出球検出スイッチ２０２ａ、２０２ｂ、返却球詰まり検出スイッチ１１１、払出球詰まり検出スイッチ１１２が接続されており、これら接続されたスイッチの検出信号が入力されるようになっている。尚、前述のように供給球検出スイッチ２０５、払出球検出スイッチ２０２ａ、２０２ｂ、返却球詰まり検出スイッチ１１１、払出球詰まり検出スイッチ１１２は、遊技制御基板４０及び払出制御基板６０の双方に接続されており、これら供給球検出スイッチ２０５、供給球検出スイッチ２０５、払出球検出スイッチ２０２ａ、２０２ｂ、返却球詰まり検出スイッチ１１１、払出球詰まり検出スイッチ１１２の検出信号は、遊技制御基板４０及び払出制御基板６０の双方に入力されるようになっている。
【０１１２】
また、払出制御基板６０には、前述した払出モータ２０１、入賞払出ＬＥＤ７４ａ、球切れ表示ＬＥＤ７５ａ等の電気部品が接続されており、これら電気部品は、払出制御基板６０に搭載された後述の払出制御部６１による制御に基づいて駆動されるようになっている。
【０１１３】
払出制御基板６０には、遊技制御部４１と同様にＣＰＵ、ＲＯＭ、ＲＡＭ、Ｉ／Ｏポートを備えたマイクロコンピュータからなる払出制御部６１、払出制御基板６０に接続されたスイッチから入力された検出信号が入力されるスイッチ回路６２、払出モータ２０１の駆動制御を行うモータ回路６３、各種ＬＥＤ等の駆動制御を行う表示駆動回路６４等、が搭載されており、払出制御部６１は、遊技制御基板４０に搭載された遊技制御部４１から出力される信号や、払出制御基板６０に接続されたスイッチからの検出信号を受けて、パチンコ球を払い出す払出制御を行う。また、払出制御基板６０は、接続端子板７０を介して並設されるカードユニット１５と接続されており、払出制御部６１は、カードユニット１５に搭載された制御ユニット（図示略）からの要求に応じてパチンコ球を貸し出す貸出制御を行う。
【０１１４】
払出制御部６１は、遊技制御部４１と同様に内部タイマ（図示略）を備えており、払出制御部６１のＣＰＵは内部タイマの出力に基づいて割込処理を基本処理に割り込んで定期的に実行可能とされている。尚、払出制御部６１のＲＡＭは、遊技制御部４１のＲＡＭと異なり、バックアップ電源が供給されることはなく、停電時において記憶されたデータが保持されないようになっている。
【０１１５】
演出制御基板９０には、スロットマシン１の前面側に配置された液晶表示器５１ａ、スピーカ５３ａ、演出用ランプ５４ａ〜ｅ、５５ａ〜ｅ、冷陰極管５９、遊技効果ランプ７１ａ、７２Ｌａ、７２Ｒａ、遊技効果ＬＥＤ７２Ｌｂ、７２Ｒｂ、７３Ｌａ、７３Ｒａ、装飾効果ＬＥＤ７６Ｌａ、７６Ｒａ等の電気部品が接続されており、これら電気部品は、演出制御基板９０に搭載された後述の演出制御部９１による制御に基づいて駆動されるようになっている。
【０１１６】
演出制御基板９０には、遊技制御部４１と同様のＣＰＵ、ＲＯＭ、ＲＡＭ、Ｉ／Ｏポートを備えたマイクロコンピュータからなる演出制御部９１、演出制御基板９０に接続された液晶表示器５１の駆動制御を行う液晶駆動回路９２、各種ＬＥＤや各種ランプの駆動制御を行うランプ駆動回路９３、スピーカ５３ａからの音声出力制御を行う音声出力回路９４等、が搭載されており、演出制御部９１は、遊技制御基板４０に搭載された遊技制御部４１から送信されたコマンドを受けて演出を行うための各種の制御を行う。
【０１１７】
演出制御部９１は、遊技制御部４１と同様に信号入力端子（図示略）と割込入力端子（図示略）を別個に備えているとともに、内部タイマ（図示略）を備えており、演出制御部９１のＣＰＵは割込入力端子からの信号入力に基づいて発生する外部割込に応じて割込処理１を基本処理に割り込んで実行可能とされ、内部タイマの出力に基づいて割込処理２を基本処理に割り込んで定期的に実行可能とされている。また、演出制御部９１のＣＰＵにおいても、割込処理１を割込処理２よりも優先して実行するよう設定されており、割込処理１と割込処理２が同時に要求された場合には、割込処理１を優先して実行するようになっている。また、遊技制御部４１では、割込処理１の実行中は割込処理２の割込が禁止されるようになっているのに対して、演出制御部９１は、割込処理２の実行中においては、割込処理１の割込が可能とされている。
【０１１８】
演出制御部９１のＲＡＭは、遊技制御部４１のＲＡＭと同様に、停電時においてバックアップ電源により電力が供給され、記憶されているデータが保持されるようになっている。
【０１１９】
図１７に示すように、遊技制御基板４０に搭載された遊技制御部４１は、払出制御基板６０に対して、遊技制御基板４０と払出制御基板６０との接続確認を払出制御基板６０側で確認するための遊技制御基板接続確認信号を出力する。そして、払出制御基板６０に搭載された払出制御部６１は、遊技制御基板接続確認信号の検出に基づき遊技制御基板４０との接続を確認する。また、遊技制御部４１は、払出制御基板６０に対して、精算要求または払出要求により払出を指示する球数として０〜１００の値を示す球数信号、取込済球数（既に取り込まれた球数のうち賭数の設定に用いられた使用済球数及び未だ賭数の設定に用いられていない未使用球数を合計した球数）の精算を要求する精算要求信号、賞球の払出を要求する払出要求信号を出力する。そして、払出制御部６１は、精算要求信号または払出要求信号を検出したときに、その時点で球数信号が示す数のパチンコ球を払い出す払出制御を行う。
【０１２０】
一方、払出制御部６１は、遊技制御基板４０に対して、遊技制御基板６０に対して、遊技制御基板４０と払出制御基板６０との接続確認を遊技制御基板４０側で確認するための払出制御基板接続確認信号、カードユニット１５と接続されている旨を示すカードユニット接続中信号、精算要求または払出要求に基づくパチンコ球の払出動作の開始、動作中、終了を示す動作中信号を出力する。そして、遊技制御部４１は、払出制御基板接続確認信号の検出に基づき払出制御基板６０との接続を確認し、カードユニット接続中信号の検出に基づき払出制御基板６０とカードユニット１５との接続を確認し、動作中信号の検出に基づき、払出制御部６１によるパチンコ球の払出動作の開始、動作中及び終了を確認する。
【０１２１】
球数信号は、常時出力されている状態であり、遊技制御部４１は、精算要求または払出要求を行う前、すなわち払出要求信号または精算要求信号をｏｎにする前に、球数信号の値を精算要求または払出要求により払出を指示する球数の値に更新するとともに、払出制御部６１が、払出要求信号または精算要求信号のｏｎを検出したときに、その際の球数信号が示す値を取得することで、払出要求または精算要求により要求された球数を特定するようになっている。
【０１２２】
尚、本実施例では、球数信号が常時出力されている状態、すなわち前回更新された値がそのままの状態で保持されているが、例えば、払出要求や精算要求を行うときのみ、球数信号を出力するようにしても良い。
【０１２３】
カードユニット１５は、マイクロコンピュータを搭載した制御ユニットを備える。カードユニット１５には、図１７に示すように、スロットマシン１に設けられた前述の残額表示器１８が接続端子板７０を介して接続されており、制御ユニットが搭載するマイクロコンピュータの制御により残額表示器１８が駆動されるようになっている。また、図１７に示すように、カードユニット１５には、スロットマシン１に設けられた前述の球貸スイッチ１９ａや返却スイッチ２０が接続端子板７０を介して接続されており、これらスイッチの検出信号が制御ユニットに入力されるようになっている。
【０１２４】
また、カードユニット１５は、カード挿入口から挿入されたプリペイドカードの記録情報の読み出し及び書き込みを行うカードリーダライタを備えており、カードリーダライタは、プリペイドカードから読み出された記録情報を制御ユニットに対して出力するとともに、制御ユニットからの指令に基づき挿入されているプリペイドカードの記録情報の更新等を行う。
【０１２５】
図１７に示すように、カードユニット１５は、スロットマシン１の払出制御基板６０（払出制御部６１）に対して、カードユニット１５が正常に接続されている旨を示すカードユニット接続信号（ＶＬ）、カードユニット１５による貸出処理の開始及び終了を示すカードユニットＲＥＡＤＹ信号（ＢＲＤＹ）、パチンコ球の貸出を要求する貸出要求信号（ＢＲＱ）を出力する。尚、カードユニット接続信号は、制御ユニットと払出制御基板６０との間で通信を行う際の電源でもある。
【０１２６】
これに対して、払出制御基板６０（払出制御部６１）は、カードユニット１５に対して、パチンコ球の貸出を行うことが可能な状態を示すスロットマシンＲＥＡＤＹ信号（ＳＲＤＹ）、ＢＲＱに基づくパチンコ球の貸出動作の開始及び完了を示す貸出完了信号（ＥＸＳ）を出力する。
【０１２７】
また、前述のようにスロットマシン１に搭載された残額表示器１８ａ、返却スイッチ２０ａ及び球貸スイッチ１９ａはカードユニット１５に接続されており、残額表示器１８ａは、制御ユニットの制御に基づき出力される残数表示制御信号に基づき駆動されるとともに、返却スイッチ２０の検出信号（返却操作検出信号）及び球貸スイッチ１９ａの検出信号（貸出操作検出信号）は、カードユニット１５に入力される。そして、カードユニット１５に搭載された制御ユニットは、球貸スイッチ１９ａが検出されることで、受付中のプリペイドカードから読み出された有価価値が残存することを条件に前述したＢＲＤＹを出力するとともに、前述したＢＲＱを出力し、スロットマシン１に対して貸出単位分（本実施例では２５球）パチンコ球の貸出を要求する処理を、残存する有価価値の範囲内で規定回数（本実施例では、１０回）行い、返却スイッチ２０ａが検出されることで、受付中のプリペイドカードを返却させる処理を行う。
【０１２８】
図１８（ａ）は、電源基板１６３の構成を説明するための回路図であり、図１８（ｂ）は、遊技制御基板４０における遊技制御部４１への電源まわりの構成を説明するための回路図である。
【０１２９】
電源基板１６３には、図１８（ａ）に示すように、整流回路３０２、トランス３０４、電圧生成回路３０３、３０５〜３０８が搭載されている。整流回路３０２は、外部から供給されたＡＣ１００Ｖの交流電圧を直流電圧に変換し、トランス３０４は、整流回路３０２により変換された直流電圧を内部回路に伝達する。そして電圧生成回路３０３は、トランス３０２を介して伝達された直流電圧から＋２５Ｖの直流電圧を生成してコネクタ３０１と電圧生成回路３０５、３０６、３０７、３０８にそれぞれ出力する。電圧生成回路３０５、３０６、３０７、３０８は、電圧生成回路３０３にて生成された＋２５Ｖの直流電圧から、＋２４Ｖ、＋１２Ｖ（ＶＣＣ）、＋１２Ｖ、＋５Ｖの直流電圧を各々生成してコネクタ３０１に出力する。コネクタ３０１は遊技制御基板４０等に接続され、電圧生成回路３０５、３０６、３０７、３０８により生成された直流電圧が、遊技制御基板４０や払出制御基板６０、演出制御基板９０に搭載されたデバイス、遊技制御基板４０や払出制御基板６０、演出制御基板９０に接続された各種電気部品を駆動するための電源として供給される。すなわち電圧生成回路３０３により生成された＋２５Ｖの直流電圧は、遊技制御基板４０や払出制御基板６０、演出制御基板９０に搭載された各種デバイス、遊技制御基板４０や払出制御基板６０、演出制御基板９０に接続された各種電気部品を駆動するための電源の生成源となっている。
【０１３０】
電源基板１６３から供給される直流電圧のうち、＋２４Ｖの直流電圧は、遊技制御基板４０に供給されるとともに、遊技制御基板４０を介して払出制御基板６０に供給され、遊技制御基板４０に接続されたリールモータ３４Ｌ、３４Ｃ、３４Ｒ、取込モータ１０１、振分ソレノイド１０２等の電気部品、払出モータ２０１等、払出制御基板６０に接続された電気部品の駆動電源として使用される。また、＋１２Ｖの直流電圧は、遊技制御基板４０に供給されるとともに、遊技制御基板４０を介して払出制御基板６０に供給され、遊技制御基板４０に接続されたＬＥＤや表示器、センサ、スイッチ等の電気部品（電源基板１６３を介して遊技制御基板４０に接続されたスイッチ等の電気部品を含む）、払出制御基板６０に接続されたＬＥＤやスイッチ等の電気部品の駆動電源として使用される。また、＋１２Ｖ（ＶＣＣ）の直流電圧は、遊技制御基板４０を介して演出制御基板９０に供給されており、演出制御部９１やバックアップＲＡＭ等の演出制御基板９０に搭載されたデバイスを駆動させるための元となる電源や、演出制御基板９０に接続される液晶表示器５１、ＬＥＤ、ランプ、蛍光灯等の電気部品の駆動電源として使用される。また、＋５Ｖの直流電圧は、遊技制御基板４０に供給されるとともに、遊技制御基板４０を介して払出制御基板６０に供給され、遊技制御部４１や電源監視用ＩＣ４７等の遊技制御基板４０に搭載されたデバイス、払出制御部６１等の払出制御基板６０に搭載されたデバイスの駆動電源として使用される。
【０１３１】
また、遊技制御基板４０における＋５Ｖの直流電圧の供給ラインは、図１８（ｂ）に示すように、遊技制御基板４０上で分岐して＋５Ｖ（ＶＢＢ）の直流電圧の供給ラインを形成する。この＋５Ｖ（ＶＢＢ）の直流電圧の供給ラインは、逆流防止用のダイオード３１２を介してメモリバックアップ電源入力端子ＶＢＢに接続されているとともに、図１８（ａ）に示すように、電源基板１６３側でグラウンドレベルに接続され、その間には大容量のコンデンサ３１０が設けられている。これにより＋５Ｖ（ＶＢＢ）の直流電圧をコンデンサ３１０に蓄積可能とされ、スロットマシン１に対する電力供給が遮断されたときに、コンデンサ３１０に蓄積された電圧を、当該電圧が全て放出されるまでの期間にわたり遊技制御部４１におけるＲＡＭの記憶状態を保持するためのバックアップ電源として供給できるようになっている。
【０１３２】
また、電源基板１６３から出力される直流電圧のうち、＋２５Ｖの直流電圧、すなわち＋２４Ｖ、＋１２Ｖ（ＶＣＣ）、＋１２Ｖ、＋５Ｖの直流電圧の生成源となる直流電圧は、遊技制御基板４０において、図１８（ｂ）に示すように、抵抗３１１により減圧（本実施例では、約６．６％減圧）されて、電源監視用ＩＣ４７が備える監視電圧入力端子ＶＳＢに入力される。電源監視用ＩＣ４７は、監視電圧入力端子ＶＳＢに入力された電圧が所定の大きさ（本実施例では、＋１．２Ｖ）以下となったときに、電圧低下信号出力端子ＲＥＳＥＴから電圧低下信号を出力する構成とされている。この電圧低下信号出力端子ＲＥＳＥＴは、遊技制御部４１の割込入力端子ＣＬＫ／ＴＲＧに接続されており、監視電圧入力端子ＶＳＢに入力された電圧が所定の大きさ以下となったときに、電圧低下信号が遊技制御部４１の割込入力端子ＣＬＫ／ＴＲＧに入力されるようになっている。すなわち、遊技制御部４１は、電源監視用ＩＣ４７からの電圧低下信号の入力に基づき電源断の発生を検知して割込処理を実行できるようになっている。本実施例では、＋２５Ｖの直流電圧が約＋１８Ｖ以下となったときに抵抗３１１により減圧された電圧が＋１．２Ｖ以下となり、電圧低下信号が出力されるため、遊技制御部４１は電圧低下信号の入力に基づいて、＋２５Ｖの直流電圧が、＋１８Ｖ以下となったときに電源断の発生を検知することができる。
【０１３３】
また、電圧低下信号出力端子ＲＥＳＥＴは、途中で分岐して遊技制御部４１の信号入力端子ＰＯＲＴにも接続されており、監視電圧入力端子ＶＳＢに入力された電圧が所定の大きさ以下となったときに、電圧低下信号が遊技制御部４１の割込入力端子ＣＬＫ／ＴＲＧに加えて信号入力端子ＰＯＲＴにも入力されるようになっている。また、電源監視用ＩＣ４７は、監視電圧入力端子ＶＳＢに入力された電圧が所定の大きさ（＋１．２Ｖ）以下となってから、当該電源監視用ＩＣ４７が動作不能となるか、電圧が所定の大きさ（＋１．２Ｖ）を超えるまでの間、継続して電圧低下信号を出力するようになっている。このため、遊技制御部４１では、電源監視用ＩＣ４７からの電圧低下信号の入力に基づく割込処理中にも、電圧低下信号の入力状況を監視することが可能とされている。
【０１３４】
このように本実施例では、遊技制御部４１並びに電源監視用ＩＣ４７が、電圧生成回路３０８により生成された＋５Ｖの直流電圧にて駆動されているとともに、電源監視用ＩＣ４７は、電圧生成回路３０３により生成された＋２５Ｖの直流電圧がこれら各デバイスを駆動させる＋５Ｖよりも高い電圧である＋１８Ｖ以下となったときに、電源断の発生を検知し、電圧低下信号を出力するようになっており、遊技制御部４１が電源断の発生を検知した後もしばらくは＋５Ｖの直流電圧が遊技制御部４１等のデバイスに対して供給されるため、電圧低下信号の入力に基づき遊技制御部４１が後述の電源断割込処理を行うのに必要な時間を十分に確保することができるようになっている。
【０１３５】
また、本実施例では、電源監視用ＩＣ４７が、電圧生成回路３０３にて生成された＋２５Ｖの直流電圧の降下を監視するとともに、遊技制御基板４０が搭載する各種デバイス、遊技制御基板４０に接続された電気部品、演出制御基板９０が搭載する各種デバイス、演出制御基板９０に接続された電気部品を駆動するための電源電圧が、電源監視用ＩＣ４７が監視する＋２５Ｖの直流電圧を生成する電圧生成回路３０３とは別個に設けられた電圧生成回路３０５、３０６、３０７、３０８にて生成されるようになっており、これら電気部品の駆動状況により下降し易い電源電圧に比較して安定した電圧が電源監視用ＩＣ４７により監視されるので、一時的な電圧降下に伴って電源断の発生が判別され、後述の電源断割込処理が行われてしまう等の誤動作を防止できる。
【０１３６】
また、図１８（ａ）に示すように、電源基板１６３において電圧生成回路３０６に入力される＋２５Ｖの直流電圧のラインにはコンデンサ３０９が設けられており、＋２５Ｖの直流電圧から電圧生成回路３０６に供給される電圧を蓄積可能とされ、スロットマシン１に対する電力供給が遮断されて電圧生成回路３０３からの電圧の供給が途切れたときでも、一定時間、電圧生成回路３０６に対して＋１２Ｖ（ＶＣＣ）を生成するのに必要な電圧が供給されるようになっている。このため、電圧生成回路３０６は、停電時において電圧生成回路３０３からの電圧の供給が途切れたときでも一定時間の間、演出制御基板９０に搭載された演出制御部９１等のデバイスの電源の元となる＋１２Ｖ（ＶＣＣ）の直流電圧の供給を維持できるようになっており、演出制御基板９０に搭載されたデバイスは、停電時において遊技制御基板４０に搭載されたデバイスよりも長い時間駆動させることができるようになっている。尚、本実施例では、コンデンサ３０９として停電時において電源監視用ＩＣ４７が電圧低下信号を出力した時点、すなわち＋２５Ｖの直流電圧が＋１８Ｖ以下となった時点から、最低でも２０ｍｓ以上の時間にわたり演出制御部９１の駆動を維持することが可能な容量のコンデンサが用いられている。
【０１３７】
また、演出制御基板９０には、特に図示しないが、電源基板１６３から遊技制御基板４０を介して供給された＋１２Ｖ（ＶＣＣ）の直流電圧から＋５Ｖ（ＶＣＣ）を生成する電圧生成回路が設けられており、この電圧生成回路により生成された＋５Ｖ（ＶＣＣ）の直流電圧は、演出制御部９１等、演出制御基板９０が搭載する各種デバイスに供給され、これらデバイスの駆動電源として使用される。
【０１３８】
また、＋５Ｖ（ＶＣＣ）の直流電圧の演出制御部９１への供給ラインは、逆流防止用のダイオード（図示略）を介して演出制御部９１のメモリバックアップ電源入力端子（図示略）に接続されるとともに、グラウンドレベルに接続され、その間には大容量のコンデンサ（図示略）が設けられている。これにより＋５Ｖ（ＶＣＣ）の直流電圧をコンデンサに蓄積可能とされ、スロットマシン１に対する電力供給が遮断されたときに、コンデンサに蓄積された電圧を、当該電圧が全て放出されるまでの期間にわたり演出制御部９１のＲＡＭの記憶状態を保持するためのバックアップ電源として供給できるようになっている。
【０１３９】
（２−２）遊技制御部
次に、本実施例における遊技制御基板４０に搭載された遊技制御部４１が実行する各種制御内容を、図１９〜図３６に基づいて以下に説明する。
【０１４０】
遊技制御部４１は、電源が投入されてＣＰＵがリセットされると、図１９のフローチャートに示す電源投入時処理（遊技）を行う。尚、本実施例では、遊技制御部４１のＣＰＵに対して、電源投入時において払出制御基板６０に搭載された払出制御部６１のＣＰＵ及び演出制御基板９０に搭載された演出制御部９１のＣＰＵにおける電源投入時処理が終了し、遊技制御部４１との通信が可能な状態となるまでの時間よりも長い期間、リセット信号が入力されるようになっている。すなわち、遊技制御部４１が電源投入時処理（遊技）が終了して通常の処理に移行する時点で、払出制御部６１及び演出制御部９１は、遊技制御部４１との通信が可能な状態で待機していることとなる。
【０１４１】
電源投入時処理（遊技）では、まず、前述した遊技制御基板接続確認信号をｏｎに設定する（Ｓａ１）。尚、遊技制御基板接続確認信号は、電源が供給されている間常にｏｎの状態を維持する。そして、遊技制御部４１のＲＡＭのデータチェック（本実施例ではパリティチェック。尚、パリティとはデータ列を足し合わせた総和の最下位ｂｉｔのことである）を行う（Ｓａ２、Ｓａ３）。詳しくは、現在のパリティを作成し、電断時に格納されたパリティと一致するか否かによってバックアップされているデータが正常か否かを判断する。
【０１４２】
チェック結果が正常であれば、電断時に作成されたＲＡＭ診断用データを確認し（Ｓａ４）、正常か否かを判定する（Ｓａ５）。そして、ＲＡＭ診断用データが正常であれば、設定キースイッチ３６がｏｎの状態か否かを確認し（Ｓａ６）、設定キースイッチ３６がｏｎでなければ、全レジスタを復帰する（Ｓａ７）。そして、後述するように割込禁止が解除されて電断前の処理に戻った際に、球数信号、精算要求信号、払出要求信号等が出力され、払出制御部６０が出力された信号に基づく処理を行ってしまうといった不都合が生じることがないように、これら球数信号、精算要求信号、払出要求信号の出力状態を初期化する（Ｓａ８）。
【０１４３】
次いで、遊技制御部４１のＲＡＭに設定された未払出球カウンタ（後述する払出要求に基づく払出要求数のうち未だ払い出されていない未払出球数を記憶するカウンタ）の値を取得し、未払出球カウンタの値が０か否か、すなわち払出要求に基づく未払出球が残存するか否かを確認し（Ｓａ９）、未払出球カウンタの値が０であれば、更に、遊技制御部４１のＲＡＭに設定された未精算球カウンタ（後述する精算要求に基づく精算要求数のうち未だ払い出されていない未精算球数を記憶するカウンタ）の値を取得し、未精算球カウンタの値が０か否か、すなわち精算要求に基づく未精算球が残存するか否かを確認する（Ｓａ１０）。そして、未精算球カウンタの値が０であれば、割込禁止を解除し（Ｓａ１１）、電断前の処理に戻る。
【０１４４】
また、Ｓａ９のステップにおいて未払出球カウンタの値が０でない場合、すなわち払出要求に基づく未払出球が残存する場合には、割込禁止を解除し（Ｓａ１２）、後述する払出要求処理の先頭（図２６におけるＳｃ１０１のステップ）へ移行する。また、Ｓａ１０のステップにおいて未精算球カウンタの値が０でない場合、すなわち精算要求に基づく未精算球が残存する場合には、割込禁止を解除し（Ｓａ１３）、後述する精算要求処理の先頭（図２３におけるＳｂ２０１のステップ）へ移行する。
【０１４５】
また、Ｓａ６のステップにおいて設定キースイッチ３６がｏｎの状態であれば、ＲＡＭに記憶されているデータ、すなわち遊技制御部４１の制御状態を初期化する初期化処理を実行する（Ｓａ１４）。そして、出玉率の設定を変更する設定変更処理を実行した後（Ｓａ１５）、割込禁止を解除し（Ｓａ１６）、ゲーム制御処理に移行する。
【０１４６】
また、Ｓａ３のステップにおいてデータチェックの結果が正常でない場合やＳａ５のステップにおいてＲＡＭ診断用データが正常でない場合には、遊技状態を電断時の状態に戻すことができないので、ＲＡＭ異常エラーコードをセットする（Ｓａ１７）。すなわち当該エラーコードを遊技補助表示器１７ａに表示させて、ＲＡＭ異常エラーを報知する。そして、設定キースイッチ３６がｏｎの状態か否かを確認し（Ｓａ１８）、設定キースイッチ３６がｏｎでなければ、Ｓａ１４のステップ同様の初期化処理を実行した後（Ｓａ１９）、割込禁止を解除して（Ｓａ２０）、遊技の進行を不能動化するエラー処理を実行する（Ｓａ２１）。エラー処理は、遊技の進行を不能動化する必要のあるエラーが発生した際に共通して実行される処理であり、リセットスイッチ３８が検出されるとエラー状態が解除されるようになっている。そして、Ｓａ２１のステップにおいてエラー状態が解除されると、ゲーム制御処理に移行する。
【０１４７】
また、Ｓａ１８のステップにおいて、設定キースイッチがｏｎの状態であれば、Ｓａ１４のステップに移行し、初期化処理、設定変更処理を実行した後、割込禁止を解除して、ゲーム制御処理に移行する。
【０１４８】
以上のように電源投入時処理（遊技）では、バックアップされているデータが正常の場合に、未払出球カウンタの値または未精算球カウンタの値が０か否かを判定し、未払出球カウンタまたは未精算球カウンタの値が０ではない場合、すなわち払出要求に基づく未払出球や精算要求に基づく未精算球が残存する場合には、電断時の処理に応じて払出要求処理または精算要求処理の先頭に移行する。そして、払出要求処理や精算要求処理では、後述するように未払出球カウンタの値分のパチンコ球の払出要求または未精算球カウンタの値分の未精算要求が行われることとなるので、例えば、払出要求処理中や精算要求処理中に電断し、電断時に未払出球や未精算球が残存する場合には、電断復旧時において、再度未払出分の払出要求または未精算分の精算要求が行われ、未払出分または未精算分のパチンコ球が払い出されることとなる。
【０１４９】
また、電源投入後、割込禁止が解除されるまでの間、全ての割込はマスクされており、後述する電断割込処理を含め全ての割込処理が行われないようになっている。
【０１５０】
なお、本実施例においては、未払出球カウンタや未精算球カウンタの値を確認する前に球数信号、精算要求信号、払出要求信号の出力状態の全てを初期化する処理を行っているが、これら信号の出力状態を初期化する処理は割込禁止を解除する前であればいつでも良く、例えば未払出球カウンタや未精算球カウンタの値が０であるか否かに関わらず、各カウンタ値の確認後において、いずれかの信号が出力状態にある場合のみ該当する信号の出力状態を初期化するようにしてもよい。
【０１５１】
図２０は、遊技制御部４１が基本処理として実行するゲーム制御処理の制御内容を示すフローチャートである。
【０１５２】
ゲーム制御処理では、ＢＥＴ処理（Ｓａ１０１）、内部抽選処理（Ｓａ１０２）、リール回転処理（Ｓａ１０３）、リール停止処理（Ｓａ１０４）、入賞判定処理（Ｓａ１０５）、賞球付与処理（Ｓａ１０６）、遊技状態更新処理（Ｓａ１０７）を順に実行する。
【０１５３】
Ｓａ１０１のステップにおけるＢＥＴ処理では、賭数を設定可能な状態で待機し、賭数が設定され、スタートスイッチ７が操作された時点で賭数を確定する処理を実行する。また、前回のゲームでリプレイ入賞が発生した場合には、前回のゲームと同じ賭数を設定する。
【０１５４】
Ｓａ１０２のステップにおける内部抽選処理では、Ｓａ１０１のステップにおけるスタートスイッチ７の検出によるゲームスタートと同時に取得した乱数値と各入賞の当選確率を定めた内部当選確率テーブルとの比較結果に基づいて入賞の発生を許容するか否かを決定し、その結果に応じて内部当選フラグを設定する処理を実行する。
【０１５５】
Ｓａ１０３のステップにおけるリール回転処理では、各リール２Ｌ、２Ｃ、２Ｒを回転させる処理を実行する。このリール回転処理においては、全てのリール２Ｌ、２Ｃ、２Ｒが定速回転した時点でストップスイッチ８Ｌ、８Ｃ、８Ｒの操作を有効とする。
【０１５６】
Ｓａ１０４のステップにおけるリール停止処理では、遊技者によるストップスイッチ８Ｌ、８Ｃ、８Ｒの操作が検出されるか、リール２Ｌ、２Ｃ、２Ｒが定速回転した時点から遊技者によるストップスイッチ８Ｌ、８Ｃ、８Ｒの操作が検出されることなく自動停止時間が経過したこと、すなわち各リール２Ｌ、２Ｃ、２Ｒの停止条件が成立したことに応じて対応するリール２Ｌ、２Ｃ、２Ｒの回転を停止させる処理を実行する。
【０１５７】
Ｓａ１０５のステップにおける入賞判定処理では、Ｓａ１０４のステップにおいて全てのリール２Ｌ、２Ｃ、２Ｒの回転が停止されたと判定した時点で、各リール２Ｌ、２Ｃ、２Ｒに導出された表示結果に応じて入賞が発生したか否かを判定する処理を実行する。
【０１５８】
Ｓａ１０６のステップにおける賞球付与処理では、Ｓａ１０５のステップにおいて入賞の発生が判定された場合に、入賞に応じて付与される賞球数分のパチンコ球の払出を要求する処理を行う。
【０１５９】
Ｓａ１０７のステップにおける遊技状態更新処理では、次のゲームに備えて遊技状態を設定する処理を実行する。
【０１６０】
図２１は、遊技制御部４１がＳａ１０１のステップにおいて実行するＢＥＴ処理の制御内容を示すフローチャートである。
【０１６１】
ＢＥＴ処理では、まず今回のゲームがリプレイゲームであるかを確認し（Ｓｂ１）、リプレイゲームの場合には、スタートスイッチ７の検出待ちの状態となり（Ｓｂ２）、この状態でスタートスイッチ７が検出されると、ゲームを開始して図２０に示す内部抽選処理に移行する。この際、遊技制御部４１のＲＡＭに設定されたＢＥＴカウンタ（その時点で設定されている賭数の値を記憶するカウンタ）には、前のゲームの賭数がそのまま設定されているので、前のゲームと同一の賭数にてゲームを開始して、図２０に示す内部抽選処理に移行する。尚、この際、取込済球／払出済球表示器１６ａに前のゲームの払出済球数が表示されている場合には、当該払出済球数の表示をクリアする。
【０１６２】
また、Ｓｂ１のステップにおいてリプレイゲームでない場合には、ＢＥＴカウンタの値をクリアして（Ｓｂ３）、カードユニット接続中信号のｏｎが検出されているか否か、すなわちカードユニット１５が払出制御基板６０と接続されているか否かを確認する（Ｓｂ４）。
【０１６３】
Ｓｂ４のステップにおいてカードユニット接続中信号のｏｎが検出されている場合には、精算ボタン１０が検出されたか否かを確認し（Ｓｂ５）、ＢＥＴカウンタの値が３か否か、すなわち最大賭数が設定されているか否かを確認し（Ｓｂ６）、ＢＥＴカウンタの値が３未満であれば、１ＢＥＴスイッチ５が検出されたか否かを確認し（Ｓｂ７）、１ＢＥＴスイッチ５が検出されていなければ、更にＭＡＸＢＥＴスイッチ６が検出されたか否かを確認する（Ｓｂ８）。
【０１６４】
そして、Ｓｂ７、Ｓｂ８のステップにおいて１ＢＥＴスイッチ５も検出されず、ＭＡＸＢＥＴスイッチ６も検出されていなければ、Ｓｂ４のステップに戻る。
【０１６５】
また、Ｓｂ６のステップにおいてＢＥＴカウンタの値が３の場合には、スタートスイッチ７が検出されたか否かを確認し（Ｓｂ９）、スタートスイッチ７が検出されていなければ、Ｓｂ４のステップに戻る。
【０１６６】
また、Ｓｂ４のステップにおいてカードユニット接続中信号のｏｎが検出されない場合には、カードユニット１５がスロットマシン１に接続されていない旨を示す接続エラーフラグをセットする（Ｓｂ１０）。エラーフラグがセットされると、エラーフラグの種類を特定可能なエラーコードが遊技補助表示器１７ａに表示され、エラーが遊技機外部に報知される。接続エラーフラグがセットされると、カードユニット１５がスロットマシン１に接続されていない旨を示すエラーコードが遊技補助表示器１７ａに表示されるので、カードユニット１５との接続異常が遊技機外部に報知されるようになる。
【０１６７】
次いで、精算ボタン１０が検出されたか否かを確認し（Ｓｂ１１）、精算ボタン１０が検出されていない場合には、ＢＥＴカウンタの値が３か否かを確認し（Ｓｂ１２）、ＢＥＴカウンタの値が３の場合、すなわち最大賭数が設定されている場合には、スタートスイッチ７が検出されたか否かを確認する（Ｓｂ１３）。そして、Ｓｂ１３のステップにおいてＢＥＴカウンタの値が３未満の場合、またはＳｂ１４のステップにおいてスタートスイッチ７が検出されていない場合には、カードユニット接続中信号のｏｎが検出されているか否か、すなわちカードユニット１５と払出制御基板６０とが接続状態となったか否かを確認し（Ｓｂ１４）、カードユニット接続中信号のｏｎが検出されていなければ、Ｓｂ４のステップに戻る。一方、Ｓｂ１４のステップにおいてカードユニット接続中信号のｏｎが検出されていれば、Ｓｂ１０のステップにおいて設定した接続エラーフラグをクリアする（Ｓｂ１５）。これに伴い遊技補助表示器１７ａに表示されたエラーコードの表示も解除される。そして、Ｓｂ４のステップに戻る。
【０１６８】
また、Ｓｂ５またはＳｂ１１のステップにおいて精算ボタン１０が検出されている場合には、図２２に示す精算制御処理に移行し（Ｓｂ１６）、精算制御処理が終了すると、Ｓｂ４のステップに戻る。
【０１６９】
また、Ｓｂ９のステップまたはＳｂ１３のステップにおいてスタートスイッチ７が検出されている場合には、ＢＥＴカウンタの値を賭数として確定し（Ｓｂ１７）、ゲームを開始して図２０に示す内部抽選処理に移行する。この際、取込済球／払出済球表示器１６ａに表示されている取込済球数の表示をクリアする。
【０１７０】
また、Ｓｂ７のステップにおいて１ＢＥＴスイッチ５が検出されている場合には、遊技制御部４１のＲＡＭに設定された取込球カウンタ（取り込むべき球数のうち未だ取り込まれていない球数である取込球数を記憶するカウンタ）の値を｛５−未使用球カウンタ（遊技制御部４１のＲＡＭに設定されたカウンタであり、既に取り込まれているが未だ賭数の設定に用いられていない未使用球数を記憶するカウンタ）の値）に更新する（Ｓｂ１８）。すなわち取込球カウンタの値を１ＢＥＴスイッチ５の操作により指示された取込要求球数から未だ賭数の設定に用いられていない未使用球数を減算した値に更新する。尚、この際、取込済球／払出済球表示器１６ａに前のゲームの払出済球数が表示されている場合には、当該払出済球数の表示をクリアし、取込済球数の値として０を表示する。そして、図２４に示す取込制御処理に移行し（Ｓｂ２０）、取込制御処理が終了すると、Ｓｂ４のステップに戻る。
【０１７１】
また、Ｓｂ８のステップにおいてＭＡＸＢＥＴスイッチ６が検出されている場合には、取込球カウンタの値を（１５−ＢＥＴカウンタの値×５−未使用球カウンタの値）に更新する（Ｓｂ１９）。すなわち取込球カウンタの値をＭＡＸＢＥＴスイッチ６の操作により指示された取込要求球数から既に賭数の設定に用いられている使用済球数と未だ賭数の設定に用いられていない未使用球数を減算した値に更新する。尚、この際、取込済球／払出済球表示器１６ａに前のゲームの払出済球数が表示されている場合には、当該払出済球数の表示をクリアし、取込済球数の値として０を表示する。そして、図２４に示す取込制御処理に移行し（Ｓｂ２０）、取込制御処理が終了すると、Ｓｂ４のステップに戻る。
【０１７２】
図２２は、遊技制御部４１がＳｂ１６のステップにおいて実行する精算制御処理の制御内容を示すフローチャートである。
【０１７３】
精算制御処理では、まず、未使用球カウンタの値が０か否かを確認し（Ｓｂ１０１）、未使用球カウンタの値が０であれば、ＢＥＴカウンタの値が０か否かを確認する（Ｓｂ１０２）。
【０１７４】
そして、Ｓｂ１０１、Ｓｂ１０２のステップにおいて未使用球カウンタの値またはＢＥＴカウンタの値のいずれか一方でも０でない場合には、未精算球カウンタの値を（未使用球カウンタの値＋ＢＥＴカウンタの値×５）の値、すなわち未使用球数と使用済球数との合計値に更新し（Ｓｂ１０３）、未使用球カウンタ及びＢＥＴカウンタの値をクリアする（Ｓｂ１０４）。この際、取込済球／払出済球カウンタに表示されている取込済球数を０に更新する。そして、図２３に示す精算要求処理に移行し（Ｓｂ１０５）、精算要求処理が終了すると、図２１に示すＳｂ４のステップに戻る。
【０１７５】
また、Ｓｂ１０１、Ｓｂ１０２のステップにおいて未使用球カウンタの値もＢＥＴカウンタの値も０の場合には、返却球詰まり検出スイッチ１１１が検出されているか否か、すなわち返却球誘導通路１０９内に返却球が詰まっているか否かを確認し（Ｓｂ１０６）、返却球詰まり検出スイッチ１１１が検出されていなければ、更に、払出球詰まり検出スイッチ１１２が検出されているか否か、すなわち払出球誘導通路２０８ｂ内に払出球が詰まっているか否かを確認する（Ｓｂ１０７）。そして、Ｓｂ１０６のステップにおいて返却球詰まり検出スイッチ１１１が検出されているか、Ｓｂ１０７のステップにおいて払出球詰まり検出スイッチ１１２が検出されていれば、図２１に示すＳｂ４のステップに戻る。
【０１７６】
また、Ｓｂ１０６、Ｓｂ１０７のステップにおいて返却球詰まり検出スイッチ１１１も払出球詰まり検出スイッチ１１２も検出されていなければ、取込モータ１０１の回転駆動量を１００球分に設定し（Ｓｂ１０８）、振分ソレノイド１０２を励磁（駆動）させる駆動信号を振分ソレノイド１０２に対して出力して振分ソレノイド１０２をｏｎとして（Ｓｂ１０９）、取り込まれたパチンコ球の流路方向を返却球誘導通路１０９側とする。
【０１７７】
そして、流路切替弁１０７ａ、１０７ｂによる実際の流路方向が返却球誘導通路１０９側か否か、すなわち流路検出スイッチ１１５がｏｎの状態か否かを確認し（Ｓｂ１１０）、流路切替弁１０７ａ、１０７ｂによる実際の流路方向が返却球誘導通路１０９側であれば、取込モータ１０１の設定をｏｎとして取込動作を開始する（Ｓｂ１１１）。すなわち流路切替弁１０７ａ、１０７ｂの流路方向を検出する流路検出スイッチ１１５の検出状態に基づき、実際の流路方向が返却球誘導通路１０９側を向いていることを条件に取込モータ１０１の駆動を開始する。
【０１７８】
取込モータ１０１の駆動中においては、流路切替弁１０７ａ、１０７ｂによる実際の流路方向が返却球誘導通路１０９側か否か、すなわち流路検出スイッチ１１５がｏｎの状態か否かを確認し（Ｓｂ１１２）、流路方向が返却球誘導通路１０９側であれば、取込モータ１０１の駆動停止条件が成立したか否かを確認する（Ｓｂ１１３〜Ｓｂ１１６）。詳しくは、Ｓｂ１１３のステップにおいて第１取込球検出スイッチ１０４及び第２取込球検出スイッチ１０５ａ、１０５ｂの検出状況をチェックし、最後に取込球が検出されてから規定時間（例えば３秒間）にわたり取込球が検出されていないか否かを確認し、Ｓｂ１１４のステップにおいて返却球詰まり検出スイッチ１１１が検出されているか否か、すなわち返却球誘導通路１０９内に返却球が詰まっているか否かを確認し、Ｓｂ１１５のステップにおいては、払出球詰まり検出スイッチ１１２が検出されているか否か、すなわち払出球誘導通路２０８ｂ内に払出球が詰まっているか否かを確認し、Ｓｂ１１６のステップにおいては、回転駆動量分、すなわち１００球分の回転が終了したか否かを確認する。
【０１７９】
そして、Ｓｂ１１３〜Ｓｂ１１６のステップにおいて取込モータ１０１の駆動停止条件がいずれも成立していなければ、Ｓｂ１１２のステップに戻る。また、Ｓｂ１１３〜Ｓｂ１１６のステップにおいて取込モータ１０１の駆動条件がいずれか１つでも成立している場合、すなわち最後に取込球が検出されてから規定時間にわたり取込球が検出されていない場合、返却球詰まり検出スイッチ１１１が検出されている場合、払出球詰まり検出スイッチ１１２が検出されている場合または１００球分の回転が終了した場合には、取込モータ１０１の設定をｏｆｆにして（Ｓｂ１１７）、振分ソレノイド１０２を励磁（駆動）を解除するために振分ソレノイド１０２に対する駆動信号の出力をｏｆｆとして振分ソレノイド１０２をｏｆｆとして取り込まれたパチンコ球の流路方向を取込球誘導通路１０８側とし（Ｓｂ１１８）、図２１に示すＳｂ４のステップに戻る。
【０１８０】
また、Ｓｂ１１０のステップまたはＳｂ１１２のステップにおいて流路方向が返却球誘導通路１０９側ではない場合、すなわち振分ソレノイド１０２をｏｎとして返却球誘導通路１０９側に切り替えたにも関わらず、流路切替弁１０７ａ、１０７ｂによる流路方向が返却球誘導通路１０９側に切り替わってない場合、または取込モータ１０１の駆動中に、振分ソレノイド１０２がｏｎの状態であり、流路方向が返却球誘導通路１０９側であるにも関わらず、流路切替弁１０７ａ、１０７ｂによる流路方向が取込球誘導通路１０８側を向いている場合には、取込モータ１０１の設定をｏｆｆとし（Ｓｂ１１９）、振分ソレノイド１０２をｏｆｆとした後（Ｓｂ１２０）、流路方向の異常を示す流路方向異常エラーフラグをセットする（Ｓｂ１２１）。流路方向異常エラーフラグがセットされると、流路方向の異常を示すエラーコードが遊技補助表示器１７ａに表示されるので、流路方向の異常が遊技機外部に報知されるようになる。次いで、遊技者の操作を検出する各種スイッチを無効として遊技の進行を不能動化するエラー処理を実行する（Ｓｂ１２２）。エラー処理は、流路検出スイッチ１１５がｏｆｆの状態、すなわち流路切替弁１０７ａ、１０７ｂによる流路方向が振分ソレノイド１０２の駆動状態と一致する状態でリセットスイッチ３８が検出されると解除され、図２１に示すＳｂ４のステップに戻る。
【０１８１】
図２３は、遊技制御部４１がＳｂ１０５のステップ及び電源投入時処理において精算要求に基づく未精算球が残存する場合において実行する精算要求処理の制御内容を示すフローチャートである。
【０１８２】
精算要求処理では、まず、払出制御基板接続確認信号のｏｎが検出されているか否か、すなわち遊技制御基板４０と払出制御基板６０が接続されているか否かを確認し（Ｓｂ２０１）、払出制御基板接続確認信号のｏｎが検出されていなければ、払出制御基板６０と正常に接続されていない旨を示す払出制御基板接続エラーフラグをセットする（Ｓｂ２０２）。払出制御基板接続エラーフラグがセットされると、払出制御基板６０と正常に接続されていない旨を示すエラーコードが遊技補助表示器１７ａに表示されるので、その旨が遊技機外部に報知されるようになる。次いで、前述したエラー処理を実行し（Ｓｂ２０３）、当該エラー処理の実行中にリセットスイッチ３８が検出され、エラー処理が解除されると、Ｓｂ２０１のステップに戻る。
【０１８３】
また、Ｓｂ２０１のステップにおいて払出制御基板接続確認信号のｏｎが検出されていれば、球数信号の値を未精算球カウンタの値に更新し（Ｓｂ２０４）、遊技制御部４１のＲＡＭに設定されたエラー判定用タイマカウンタ（払出通信エラー判定時間をカウントするためのカウンタ）に初期値を設定し（Ｓｂ２０５）、精算要求信号をｏｎとする（Ｓｂ２０６）。
【０１８４】
次いで、動作中信号のｏｎが検出されるまで動作中信号の出力状況を監視する（Ｓｂ２０７〜Ｓｂ２０９）。また、Ｓｂ２０８のステップにおいては、払出通信エラー判定時間（例えば５秒）が経過したか否か、すなわちエラー判定用タイマカウンタが０か否かを確認し、払出通信エラー判定時間が経過している場合、すなわち精算要求を行った時点から払出通信エラー判定時間が経過しても当該精算要求に基づくパチンコ球の払出動作の開始が確認できない場合には、払出制御基板６０側で払出に伴う異常が発生した旨を示す払出通信エラーフラグを設定し（Ｓｂ２０９）、再びＳｂ２０７のステップに戻る。払出通信エラーフラグがセットされると、払出制御基板６０側で払出に伴う異常が発生した旨を示すエラーコードが遊技補助表示器１７ａに表示されるので、その旨が遊技機外部に報知されるようになる。
【０１８５】
次いで、Ｓｂ２０７のステップにおいて、動作中信号のｏｎが検出された場合、すなわち精算要求に基づくパチンコ球の払出動作の開始を確認した場合には、動作中信号のｏｆｆが検出されるまで動作中信号の出力状況を監視する（Ｓｂ２１０〜Ｓｂ２１４）。また、Ｓｂ２１０のステップにおいては、払出球検出スイッチ２０２ａ、２０２ｂの検出状況をチェックして払出球が検出されたか否かを確認し、払出球が検出された場合には、未精算球カウンタの値を１減算し（Ｓｂ２１２）、再びＳｂ２１０のステップに戻る。また、Ｓｂ２１３のステップにおいては、払出通信エラー判定時間が経過したか否か、すなわちエラー判定用タイマカウンタが０か否かを確認し（Ｓｂ２１３）、払出通信エラー判定時間が経過している場合、すなわち精算要求を行った時点から払出通信エラー判定時間が経過しても当該精算要求に基づくパチンコ球の払出動作の終了が確認できない場合には、前述した払出通信エラーフラグを設定し（Ｓｂ２１４）、再びＳｂ２１０のステップに戻る。払出通信エラーフラグがセットされると、前述のように払出制御基板６０側で払出に伴う異常が発生した旨を示すエラーコードが遊技補助表示器１７ａに表示され、その旨が遊技機外部に報知されるようになる。
【０１８６】
次いで、Ｓｂ２１１のステップにおいて、動作中信号のｏｆｆが検出された場合、すなわち精算要求に基づくパチンコ球の払出動作の終了を確認した場合には、払出通信エラーフラグがセットされているか否かを確認し（Ｓｂ２１５）、払出通信エラーフラグがセットされていない場合には、未精算球カウンタの値が残存するか否かに関わらず未精算球カウンタの値をクリアした後（Ｓｂ２１７）、精算要求信号をｏｆｆにして（Ｓｂ２１８）、図２１に示すＳｂ４のステップに戻る。また、Ｓｂ２１５のステップにおいて、払出通信エラーフラグがセットされている場合には、払出通信エラーフラグをクリアする（Ｓｂ２１６）。すなわち精算要求を行った時点から払出通信エラー判定時間が経過してエラー状態に制御されている場合でも、精算要求に基づくパチンコ球の払出動作の終了を確認した場合には、当該エラー状態が自動的に解除されるようになっている。これに伴い遊技補助表示器１７ａに表示されたエラーコードの表示も解除される。そして、未精算球カウンタの値が残存するか否かに関わらず未精算球カウンタの値をクリアした後（Ｓｂ２１７）、精算要求信号をｏｆｆにして（Ｓｂ２１８）、図２１に示すＳｂ４のステップに戻る。
【０１８７】
図２４は、遊技制御部４１がＳｂ２０のステップにおいて実行する取込制御処理の制御内容を示すフローチャートである。
【０１８８】
取込制御処理では、まず、遊技制御部４１のＲＡＭに設定されたリトライカウンタ（取込動作の再試行回数を記憶するカウンタ）に３を設定し（Ｓｂ３０１）、取込球カウンタの値に応じた取込モータ１０１の回転駆動量、すなわち取込球カウンタに設定された値の球数を取り込むのに必要な回転駆動量を設定する（Ｓｂ３０２）。尚、この状態では、振分ソレノイド１０２はｏｆｆの状態であり、流路切替弁１０７ａ、１０７ｂによる流路方向は取込球誘導通路１０８側を向いている状態である。
【０１８９】
そして、流路切替弁１０７ａ、１０７ｂによる実際の流路方向が取込球誘導通路１０８側か否か、すなわち流路検出スイッチ１１５がｏｆｆの状態か否かを確認し（Ｓｂ３０３）、流路切替弁１０７ａ、１０７ｂによる実際の流路方向が取込球誘導通路１０８側であれば、取込モータ１０１の設定をｏｎにして取込動作を開始する（Ｓｂ３０４）。すなわち流路切替弁１０７ａ、１０７ｂの流路方向を検出する流路検出スイッチ１１５の検出状態に基づき、実際の流路方向が取込球誘導通路１０８側を向いていることを条件に取込モータ１０１の駆動を開始する。
【０１９０】
取込モータ１０１の駆動中においては、流路切替弁１０７ａ、１０７ｂによる実際の流路方向が取込球誘導通路１０８側か否か、すなわち流路検出スイッチ１１５がｏｆｆの状態か否かを確認し（Ｓｂ３０５）、流路方向が取込球誘導通路１０８側であれば、第１取込球検出スイッチ１０４及び第２取込球検出スイッチ１０５ａ、１０５ｂの検出状況をチェックし、取込球が検出されたか否かを確認する（Ｓｂ３０６）。
【０１９１】
Ｓｂ３０６のステップにおいて取込球を検出した場合には、取込球カウンタの値を１減算するとともに、未使用球カウンタの値を１加算する（Ｓｂ３０７）。この際、取込済球／払出済球表示器１６ａに表示されている取込済球数も１加算する。そして、未使用球カウンタの値が５、すなわち賭数を１設定するのに必要な球数に到達したか否かを確認し（Ｓｂ３０８）、未使用球カウンタの値が５未満であればＳｂ３０５のステップに戻る。また、Ｓｂ３０８のステップにおいて未使用球カウンタの値が５であれば、ＢＥＴカウンタの値を１加算するとともに、未使用球カウンタの値をクリアして（Ｓｂ３０９）、Ｓｂ３０５のステップに戻る。
【０１９２】
また、Ｓｂ３０６のステップにおいて取込球を検出していなければ、取込モータ１０１がｏｎの状態か否か、すなわち取込モータ１０１が未だ駆動中か否かを確認し（Ｓｂ３１０）、取込モータ１０１がｏｎであれば、回転駆動量分、すなわち取込球カウンタの値分の回転が終了したか否かを確認し（Ｓｂ３１１）、回転駆動量分の回転が終了していなければ、Ｓｂ３０５のステップに戻り、回転駆動量分の回転が終了していれば、取込モータ１０１の設定をｏｆｆにして（Ｓｂ３１２）、Ｓｂ３０５のステップに戻る。
【０１９３】
また、Ｓｂ３１０のステップにおいて取込モータ１０１がｏｎでなければ、取込モータ１０１がｏｆｆとなってから、取込モータ１０１の回転により取り込まれたパチンコ球が第２取込球検出スイッチ１０５ａ、１０５ｂにて検出されるまでに要する時間である検出待ち時間が経過したか否かを確認し（Ｓｂ３１３）、検出待ち時間が経過していなければ、Ｓｂ３０５のステップに戻る。
【０１９４】
また、Ｓｂ３１３のステップにおいて検出待ち時間が経過していれば、取込球カウンタの値が０か否か、すなわち１ＢＥＴスイッチ５またはＭＡＸＢＥＴスイッチ６の操作により要求された球数が全て取り込まれたか否かを確認し（Ｓｂ３１４）、取込球カウンタの値が０でなければ、リトライカウンタの値が０か否か、すなわち再試行回数にわたり取込動作が行われたか否かを確認し（Ｓｂ３１５）、リトライカウンタの値が０でなければ、リトライカウンタの値を１減算して（Ｓｂ３１６）、Ｓｂ３０２のステップに戻る。
【０１９５】
また、Ｓｂ３１４のステップにおいて取込球カウンタの値が０であれば、リトライカウンタの値をクリアして（Ｓｂ３１７）、図２１に示すＳｂ４のステップに戻る。また、Ｓｂ３１５のステップにおいてリトライカウンタの値が０であれば、取込球カウンタの値をクリアして（Ｓｂ３１８）、図２１に示すＳｂ４のステップに戻る。
【０１９６】
また、Ｓｂ３０３のステップまたはＳｂ３０６のステップにおいて流路方向が取込球誘導通路１０８側ではない場合、すなわち振分ソレノイド１０２がｏｆｆの状態であり、流路方向が取込球誘導通路１０８側であるにも関わらず、流路切替弁１０７ａ、１０７ｂによる流路方向が返却球誘導通路１０９側を向いている場合、または取込モータ１０１の駆動中に、振分ソレノイド１０２がｏｆｆの状態であり、流路方向が取込球誘導通路１０８側であるにも関わらず、流路切替弁１０７ａ、１０７ｂによる流路方向が返却球誘導通路１０９側を向いている場合には、取込モータ１０１の設定をｏｆｆとし（Ｓｂ３１９）、リトライカウンタ及び取込球カウンタの値をクリアした後（Ｓｂ３２０）、流路方向の異常を示す流路方向異常エラーフラグをセットする（Ｓｂ３２１）。流路方向異常エラーフラグがセットされると、流路方向の異常を示すエラーコードが遊技補助表示器１７ａに表示されるので、流路方向の異常が遊技機外部に報知されるようになる。次いで、遊技者の操作を検出する各種スイッチを無効として遊技の進行を不能動化するエラー処理を実行する（Ｓｂ３２２）。エラー処理は、流路検出スイッチ１１５がｏｆｆの状態、すなわち流路切替弁１０７ａ、１０７ｂによる流路方向が振分ソレノイド１０２の駆動状態と一致する状態でリセットスイッチ３８が検出されると解除され、図２１に示すＳｂ４のステップに戻る。
【０１９７】
以上のようにＢＥＴ処理では、精算ボタン１０が有効に受け付けられると、精算制御処理に移行し、既に１以上の賭数が設定されている場合または未使用球カウンタの値が０でない場合、すなわち取込済球が残存する場合には、精算要求を行い、これに基づき取込済球を遊技者に返却させる精算要求処理を行った後、精算制御処理を終了する。これに対して、賭数が設定されておらず、未使用球カウンタの値が０の場合には、取込装置１００により取り込まれたパチンコ球の流路方向を返却球誘導通路１０９側とした状態で取込モータ１０１を駆動させることにより、取込装置１００内のパチンコ球を返却させる制御を行った後、精算制御処理を終了する。
【０１９８】
また、精算要求処理では、精算要求を行った時点から払出通信エラー判定時間が経過しても、動作中信号のｏｆｆが検出されない場合、すなわち当該精算要求に基づくパチンコ球の払出動作の終了が確認できない場合に、払出通信エラーフラグがセットされてエラー状態に制御される。そして、当該エラー状態は、動作中信号のｏｎを検出し、精算要求に基づくパチンコ球の払出動作の終了を確認した時点で、自動的に解除されるようになっている。
【０１９９】
また、１ＢＥＴスイッチ５の操作が有効に受け付けられると、賭数を１設定するのに必要な球数（５球）から未使用球数（未使用球カウンタの値）を減算した球数、すなわちその時点で賭数を１設定するのに必要な球数を取込球カウンタに設定して取込制御処理に移行し、取込球カウンタの値分のパチンコ球を取り込むための動作量の取込動作を、第１取込球検出スイッチ１０４及び第２取込球検出スイッチ１０５ａ、１０５ｂによる取込球の検出により減算された取込球カウンタの値が０となるか、取込動作を１回行う毎に減算されるリトライカウンタの値が０となるか、のいずれかの条件が成立するまで繰り返し行い、いずれか一方の条件が成立することで、取込制御処理が終了する。
【０２００】
また、ＭＡＸＢＥＴスイッチ６の操作が有効に受け付けられると、最大賭数を設定するのに必要な球数（１５球）から、使用済球数（ＢＥＴカウンタの値×５）及び未使用球数（未使用球カウンタの値）を減算した球数、すなわちその時点で最大賭数を設定するのに必要な球数を取込球カウンタに設定して取込制御処理に移行し、取込球カウンタの値分のパチンコ球を取り込むための取込動作を、第１取込球検出スイッチ１０４及び第２取込球検出スイッチ１０５ａ、１０５ｂによる取込球の検出により減算された取込球カウンタの値が０となるか、取込動作を１回行う毎に減算されるリトライカウンタの値が０となるか、のいずれかの条件が成立するまで繰り返し行い、いずれか一方の条件が成立することで、取込制御処理が終了する。
【０２０１】
また、１ＢＥＴスイッチ５及びＭＡＸＢＥＴスイッチ６の操作は、ＢＥＴカウンタの値が３未満、すなわち未だ最大賭数が設定されていないことを条件に有効に受け付けられ、取込制御処理に移行することとなる。すなわち、最大賭数が設定されている状態においては、１ＢＥＴスイッチ５及びＭＡＸＢＥＴスイッチ６の操作が無効とされる。また、ＢＥＴカウンタの値が３未満であっても、カードユニット接続中信号のｏｎが検出されない場合、すなわちカードユニット１５が正常に接続されていない場合には、１ＢＥＴスイッチ５及びＭＡＸＢＥＴスイッチ６の操作が無効とされる。
【０２０２】
また、スタートスイッチ７の操作は、ＢＥＴカウンタの値が３、すなわち最大賭数が設定されていることを条件に有効に受け付けられ、ゲームが開始することとなる。すなわち、賭数が３未満であれば、ゲームの開始条件が成立していないので、スタートスイッチ７の操作は無効とされる。尚、ＢＥＴカウンタの値が３であれば、カードユニット接続中信号のｏｎが検出されない場合、すなわちカードユニット１５が正常に接続されていない場合でも、スタートスイッチ７の操作は有効とされる。
【０２０３】
また、精算ボタン１０の操作が有効に受け付けられ、精算制御処理に移行すると、当該精算制御処理が終了するまでの間、すなわち精算ボタン１０の操作に基づく精算制御が終了するまでの間、１ＢＥＴスイッチ５、ＭＡＸＢＥＴスイッチ６、スタートスイッチ７、精算ボタン１０の各操作の受付が無効とされる。同様に、１ＢＥＴスイッチ５またはＭＡＸＢＥＴスイッチ６の操作が有効に受け付けられ、取込制御処理に移行すると、当該取込制御処理が終了するまでの間、すなわち１ＢＥＴスイッチ５またはＭＡＸＢＥＴスイッチ６の操作に基づく取込制御が終了するまでの間、１ＢＥＴスイッチ５、ＭＡＸＢＥＴスイッチ６、スタートスイッチ７、精算ボタン１０の各操作の受付が無効とされる。更に、スタートスイッチ７の操作が有効に受け付けられると、当該操作に基づき開始したゲームが終了し、次ゲームのＢＥＴ処理に移行するまで、１ＢＥＴスイッチ５、ＭＡＸＢＥＴスイッチ６、スタートスイッチ７、精算ボタン１０の各操作の受付が無効とされる。また、精算制御処理や取込制御処理の途中でカードユニット接続中信号のｏｎが検出されなくなった場合、すなわちカードユニット１５との接続が断絶した場合には、実行中の精算制御処理や取込制御処理が終了しても、引き続き１ＢＥＴスイッチ５、ＭＡＸＢＥＴスイッチ６の各操作の受付が無効とされる。また、ゲームの実行中にカードユニット接続中信号のｏｎが検出されなくなった場合にも、ゲームの終了後、次ゲームのＢＥＴ処理に移行した際に引き続き１ＢＥＴスイッチ５、ＭＡＸＢＥＴスイッチ６の各操作の受付が無効とされる。
【０２０４】
図２５は、遊技制御部４１がＳａ１０６のステップにおいて実行する賞球付与処理の制御内容を示すフローチャートである。
【０２０５】
賞球付与処理では、まず、賞球の付与を伴う入賞が発生しているか否かを確認し（Ｓｃ１）、賞球の付与を伴う入賞が発生していない場合には、図１８に示すＳａ１０７の遊技状態更新処理に移行する。
【０２０６】
また、Ｓｃ１のステップにおいて賞球の付与を伴う入賞が発生している場合には、当該入賞の発生により付与される賞球数を、遊技制御部４１のＲＡＭに設定された未払出球カウンタ（払出要求に基づく未払出球数を記憶するカウンタ）にセットする（Ｓｃ２）。この際、取込済球／払出済球表示器１６ａに払出済球として０を表示する。そして、図２６に示す払出要求処理に移行し、払出要求処理が終了すると、図１８に示すＳａ１０７の遊技状態更新処理に移行する。
【０２０７】
図２６は、遊技制御部４１がＳｃ３のステップ及び電源投入時処理において払出要求に基づく未払出球が残存する場合において実行する払出要求処理の制御内容を示すフローチャートである。
【０２０８】
払出要求処理では、まず、払出制御基板接続確認信号のｏｎが検出されているか否か、すなわち遊技制御基板４０と払出制御基板６０が接続されているか否かを確認し（Ｓｃ１０１）、払出制御基板接続確認信号のｏｎが検出されていなければ、払出制御基板６０と正常に接続されていない旨を示す払出制御基板接続エラーフラグをセットする（Ｓｃ１０２）。払出制御基板接続エラーフラグがセットされると、払出制御基板６０と正常に接続されていない旨を示すエラーコードが遊技補助表示器１７ａに表示されるので、その旨が遊技機外部に報知されるようになる。次いで、前述したエラー処理を実行し（Ｓｃ１０３）、当該エラー処理の実行中にリセットスイッチ３８が検出され、エラー処理が解除されると、Ｓｃ１０１のステップに戻る。
【０２０９】
また、Ｓｃ１０１のステップにおいて払出制御基板接続確認信号のｏｎが検出されていれば、球数信号の値を未払出球カウンタの値に更新し（Ｓｃ１０４）、前述したエラー判定用タイマカウンタに初期値を設定し（Ｓｃ１０５）、払出要求信号をｏｎとする（Ｓｃ１０６）。
【０２１０】
次いで、動作中信号のｏｎが検出されるまで動作中信号の出力状況を監視する（Ｓｃ１０７〜Ｓｃ１０９）。また、Ｓｃ１０８のステップにおいては、払出通信エラー判定時間（例えば５秒）が経過したか否か、すなわちエラー判定用タイマカウンタが０か否かを確認し、払出通信エラー判定時間が経過している場合、すなわち払出要求を行った時点から払出通信エラー判定時間が経過しても当該払出要求に基づくパチンコ球の払出動作の開始が確認できない場合には、前述した払出通信エラーフラグを設定し（Ｓｃ１０９）、再びＳｃ１０７のステップに戻る。払出通信エラーフラグがセットされると、前述のように払出制御基板６０側で払出に伴う異常が発生した旨を示すエラーコードが遊技補助表示器１７ａに表示されるので、その旨が遊技機外部に報知されるようになる。
【０２１１】
次いで、Ｓｃ１０７のステップにおいて、動作中信号のｏｎが検出された場合、すなわち払出要求に基づくパチンコ球の払出動作の開始を確認した場合には、動作中信号のｏｆｆが検出されるまで動作中信号の出力状況を監視する（Ｓｃ１１０〜Ｓｃ１１５）。また、Ｓｃ１１０のステップにおいては、払出球検出スイッチ２０２ａ、２０２ｂの検出状況をチェックして払出球が検出されたか否かを確認し、払出球が検出された場合には、未払出球カウンタの値を１減算し（Ｓｃ１１２）、取込済球／払出済球表示器１６ａに表示されている払出済球数を、（賞球数−未払出球カウンタの値）、すなわち賞球数のうちその時点で既に払い出されている払出済球数に更新し（Ｓｃ１１３）、再びＳｃ１１０のステップに戻る。また、Ｓｃ１１４のステップにおいては、払出通信エラー判定時間が経過したか否か、すなわちエラー判定用タイマカウンタが０か否かを確認し（Ｓｃ１１４）、払出通信エラー判定時間が経過している場合、すなわち払出要求を行った時点から払出通信エラー判定時間が経過しても当該払出要求に基づくパチンコ球の払出動作の終了が確認できない場合には、前述した払出通信エラーフラグを設定し（Ｓｃ１１５）、再びＳｃ１１０のステップに戻る。払出通信エラーフラグがセットされると、前述のように払出制御基板６０側で払出に伴う異常が発生した旨を示すエラーコードが遊技補助表示器１７ａに表示され、その旨が遊技機外部に報知されるようになる。
【０２１２】
次いで、Ｓｃ１１１のステップにおいて、動作中信号のｏｆｆが検出された場合、すなわち払出要求に基づくパチンコ球の払出動作の終了を確認した場合には、払出通信エラーフラグがセットされているか否かを確認し（Ｓｃ１１６）、払出通信エラーフラグがセットされている場合には、払出通信エラーフラグをクリアする（Ｓｃ１１７）。すなわち払出要求を行った時点から払出通信エラー判定時間が経過してエラー状態に制御されている場合でも、払出要求に基づくパチンコ球の払出動作の終了を確認した場合には、当該エラー状態が自動的に解除されるようになっている。これに伴い遊技補助表示器１７ａに表示されたエラーコードの表示も解除される。
【０２１３】
次いで、未払出球カウンタの値が０か否かを確認し（Ｓｃ１１８）、未払出球カウンタの値が０であれば、払出要求信号をｏｆｆにして（Ｓｃ１２０）、図１８に示すＳａ１０７の遊技状態更新処理に移行する。また、Ｓｃ１１８のステップにおいて未払出球カウンタの値が０でなければ、未払出球カウンタの値をクリアするとともに、取込済球／払出済球表示器１６ａに表示されている払出済球数を賞球数の値に更新する（Ｓｃ１１９）。そして、払出要求信号をｏｆｆにして（Ｓｃ１２０）、図１８に示すＳａ１０７の遊技状態更新処理に移行する。
【０２１４】
以上のように賞球付与処理では、賞球の付与を伴う入賞が発生した場合に、当該入賞により付与される賞球数の払出要求を行う払出要求処理を行う。
【０２１５】
払出要求処理では、動作中信号のｏｎが検出された後、動作中信号のｏｆｆが検出されるまでの間、すなわち払出要求に基づく払出動作が行われている期間において、払出球が検出される毎に、未払出球カウンタの値が減算されるとともに、未払出球カウンタの値が減算されることに伴って、取込済球／払出済球表示器１６ａに表示される払出済球数が加算されるようになっている。
【０２１６】
また、払出要求処理では、払出要求を行った時点から払出通信エラー判定時間が経過しても、動作中信号のｏｆｆが検出されない場合、すなわち当該払出要求に基づくパチンコ球の払出動作の終了が確認できない場合に、払出通信エラーフラグがセットされてエラー状態に制御される。そして、当該エラー状態は、動作中信号のｏｎを検出し、払出要求に基づくパチンコ球の払出動作の終了を確認した時点で、自動的に解除されるようになっている。
【０２１７】
図２７及び図２８は、遊技制御部４１が内部タイマからの出力に基づき前述した割込処理３として基本処理（本実施例ではゲーム制御処理）に割り込んで定期的（本実施例では０．５６ｍｓ毎）に実行するタイマ割込処理（Ａ）の制御内容を示すフローチャートである。
【０２１８】
タイマ割込処理（Ａ）においては、まず、割込禁止を設定する（Ｓｄ１）。すなわち、タイマ割込処理の開始に伴って他の割込処理の実行を禁止する。そして、基本処理のレジスタをＲＡＭに退避し（Ｓｄ２）、タイマ割込処理（Ａ）の終了後に、割込前の処理に復帰できるようにする。
【０２１９】
次いで、４種類のタイマ割込１〜４から当該タイマ割込処理において実行すべきタイマ割込を識別するために遊技制御部４１のＲＡＭに設定された分岐用カウンタを１進める（Ｓｄ３）。Ｓｄ３のステップでは、分岐用カウンタ値が０〜２の場合に１が加算され、カウンタ値が３の場合に０に更新される。すなわち分岐用カウンタ値は、タイマ割込処理（Ａ）が実行される毎に、０→１→２→３→０・・・の順番でループする。
【０２２０】
次いで、分岐用カウンタ値を参照して２または３か、すなわちタイマ割込３またはタイマ割込４かを判定し（Ｓｄ４）、タイマ割込３またはタイマ割込４ではない場合、すなわちタイマ割込１またはタイマ割込２の場合には、リールモータ３４Ｌ、３４Ｃ、３４Ｒの始動時または定速回転中か否かを確認し、リールモータ３４Ｌ、３４Ｃ、３４Ｒの始動時または定速回転中であれば、後述するＳｄ８のモータステップ処理において変更した位相信号データや後述するＳｄ２３の最終停止処理において変更した位相信号データを出力するモータ位相信号出力処理を実行する（Ｓｄ５）。
【０２２１】
次いで、分起用カウンタ値を参照して１か否か、すなわちタイマ割込２か否かを判定し（Ｓｄ６）、タイマ割込２ではない場合、すなわちタイマ割込１の場合には、リールモータ３４Ｌ、３４Ｃ、３４Ｒの始動時のステップ時間間隔の制御を行うリール始動処理（Ｓｄ７）、リールモータ３４Ｌ、３４Ｃ、３４Ｒの位相信号データの変更を行うモータステップ処理（Ｓｄ８）、リールモータ３４Ｌ、３４Ｃ、３４Ｒの停止後、一定時間経過後に位相信号を１相励磁に変更するモータ位相信号スタンバイ処理（Ｓｄ９）、取込モータ１０１の回転駆動量の更新等を行う取込モータ制御処理（Ｓｄ１０）を順次実行した後、Ｓｄ２において退避したレジスタを復帰し（Ｓｄ２２）、割込禁止を解除して（Ｓｄ２３）、割込前の処理に戻る。
【０２２２】
また、Ｓｄ６のステップにおいてタイマ割込２の場合には、各種表示器をダイナミック点灯させるＬＥＤダイナミック表示処理（Ｓｄ１１）、各種ランプ等の点灯信号や外部出力信号等のデータをポートに出力する制御信号等出力処理（Ｓｄ１２）、各種ソフトウェア乱数を更新する乱数更新処理（Ｓｄ１３）、各種時間カウンタを更新する時間カウンタ更新処理（Ｓｄ１４）、基本処理においてセットされたコマンドを演出制御部９１に対して送信するコマンド送信処理（Ｓｄ１５）、外部出力信号を更新する外部出力信号更新処理（Ｓｄ１６）を順次実行した後、Ｓｄ２において退避したレジスタを復帰し（Ｓｄ２２）、割込禁止を解除して（Ｓｄ２３）、割込前の処理に戻る。
【０２２３】
また、Ｓｄ４のステップにおいてタイマ割込３またはタイマ割込４であれば、更に、分起用カウンタ値を参照して３か否か、すなわちタイマ割込４か否かを判定し（Ｓｄ１７）、タイマ割込４でなければ、すなわちタイマ割込３であれば、入力ポートから各種スイッチ類（電源監視用ＩＣ４７から入力される電圧低下信号を含む）の検出データを入力するポート入力処理（Ｓｄ１８）、定速回転中のリール２Ｌ、２Ｃ、２Ｒの原点通過をチェックする原点通過時処理（Ｓｄ１９）、各種スイッチ類の検出信号に基づいてこれら各種スイッチが検出条件を満たしているか否かを判定し、検出条件を満たしていればその旨を示すスイッチオンフラグをセットするスイッチ入力判定処理（Ｓｄ２０）、Ｓｄ１０のステップと同様の取込モータ制御処理（Ｓｄ２１）を順次実行した後、Ｓｄ２において退避したレジスタを復帰し（Ｓｄ２２）、割込禁止を解除して（Ｓｄ２３）、割込前の処理に戻る。
【０２２４】
また、Ｓｄ１７のステップにおいてタイマ割込４であれば、有効な停止スイッチ８Ｌ、８Ｃ、８Ｒの検出が判定されたときに、停止位置を決定し、何ステップ後に停止すれば良いかを算出する停止スイッチ処理（Ｓｄ２４）、停止スイッチ処理で算出された停止までのステップ数をカウントして、停止する時期になったら２相励磁によるブレーキを開始する停止処理（Ｓｄ２５）、停止処理においてブレーキを開始してから一定時間後に３相励磁とする最終停止処理（Ｓｄ２６）を順次実行した後、Ｓｄ２において退避したレジスタを復帰し（Ｓｄ２２）、割込禁止を解除して（Ｓｄ２３）、割込前の処理に戻る。
【０２２５】
本実施例では、上述のようなタイマ割込処理（Ａ）が０．５６ｍｓの間隔で行われることにより、図２９に示すように、タイマ割込１〜４に固有な処理が２．２４ｍｓの間隔で行われるようになっている。特に本実施例では、コマンド送信処理が行われるタイマ割込２の間隔として、演出制御部９１側でコマンドを受信し、受信したコマンドをバッファした後、新たなコマンドを検出してもこのコマンドを確実にバッファするのに必要な時間を十分に確保できる時間（２．２４ｍｓ）が設定されている。更に、後に詳述するが、演出制御部９１では、１．１２ｍｓ毎にタイマ割込処理（演出）が実行され、その中でバックアップが行われるようになっているため、遊技制御部４１から演出制御部９１に対して連続してコマンドを送信する場合でも、演出制御部９１がコマンドを確実に受信し、かつ受信したコマンドをバックアップするための時間を確保することができるようになっている。
【０２２６】
尚、本実施例では、タイマ割込処理（Ａ）が行われる毎に分岐用カウンタ値が更新されるとともに、この分岐用カウンタ値に対応するタイマ割込１〜４の処理が行われる、すなわちタイマ割込１〜４がタイマ割込処理（Ａ）の回数に応じて順番に行われるようになっており、タイマ割込１〜４がそれぞれ同一の間隔（２．２４ｍｓ）で行われるようになっているが、例えば、これらタイマ割込１〜４をその実行頻度に応じて定められた異なる間隔で行うようにしても良い。
【０２２７】
図３０は、遊技制御基板４０に搭載された遊技制御部４１から演出制御基板９０の演出制御部９１に対して送信されるコマンドの一例を示す図である。
【０２２８】
演出制御基板９０の演出制御部９１に対して送信されるコマンドのうち、ＢＥＴコマンドは、賭数が１設定された旨を特定可能なコマンドであり、単位球数分のパチンコ球が取り込まれて賭数が設定されたときに送信される。
【０２２９】
内部当選コマンドは、内部当選フラグの当選状況、並びに成立した内部当選フラグの種類を特定可能なコマンドであり、ゲームが開始されたとき、すなわちスタートスイッチ７が操作されたときに送信される。
【０２３０】
リール回転開始コマンドは、リールの回転の開始を通知するコマンドであり、各リールの回転が開始されたときに送信される。
【０２３１】
リール停止コマンドは、停止するリールが左リール、中リール、右リールのいずれかであるか、該当するリールに停止する図柄、を特定可能なコマンドであり、各リールの停止操作が検出される毎に送信される。
【０２３２】
入賞判定コマンドは、入賞の有無、並びに入賞の種類、入賞時の払出球数、を特定可能なコマンドであり、全リールが停止して入賞判定が行われた後に送信される。
【０２３３】
払出開始コマンドは、入賞等によるパチンコ球の払出開始を通知するコマンドであり、パチンコ球の払出が開始されたときに送信される。また、払出終了コマンドは、パチンコ球の払出終了を通知するコマンドであり、パチンコ球の払出が終了したときに送信される。
【０２３４】
遊技状態コマンドは、次ゲームの遊技状態（通常ゲームであるか、ＢＢ中であるか等）を特定可能なコマンドであり、ゲームの終了時に送信される。
【０２３５】
初期化コマンドは、遊技状態が初期化された旨を示すコマンドであり、前述した初期化処理により遊技状態が初期化されたときに送信される。
【０２３６】
これら各コマンドのうち初期化コマンドを除くコマンドは、前述したゲーム制御処理においてゲームの進行に応じて生成された後、遊技制御部４１のＲＡＭに設けられたコマンドキューに一時格納され、前述したタイマ割込２のコマンド送信処理（Ａ）において演出制御部９１に対して送信される。尚、初期化コマンドは、前述した初期化処理においてコマンドキューに一時格納され、その後割込禁止が解除されて最初に実行されるタイマ割込２のコマンド送信処理（Ａ）において演出制御部９１に対して送信される。
【０２３７】
図３１は、前述したコマンドキューの構成を示す図である。コマンドキューには、最大で１６個のコマンドを格納可能な領域が設けられており、複数のコマンドを蓄積できるようになっている。また、各コマンドを格納する領域には、領域の識別番号として領域の通し番号を示す数値（０〜１５）が対応付けて設定される。さらに、コマンドキューには、次に送信すべきコマンドが格納されている領域の通し番号を示す送信ポインタと次にコマンドを格納すべき領域の通し番号を示す格納ポインタが設定されている。送信ポインタは、コマンドキューに格納された未送信のコマンドが送信される毎に１加算され、格納ポインタは、コマンドを格納する際に１加算されるようになっており、未送信のコマンドが全て送信されたとき及び未送信のコマンドでコマンドキューの全ての領域が満タンとなったときに送信ポインタが示す通し番号と格納ポインタの通し番号とが同一の番号となる。尚、未送信のコマンドが格納されている場合には、未送信フラグがセットされるため、送信ポインタが示す通し番号と格納ポインタの通し番号とが同一の番号の場合に、未送信フラグがセットされていれば、コマンドキューが未送信のコマンドで満タンである旨が示され、未送信フラグがセットされていなければ未送信のコマンドが空である旨が示されるようになっている。
【０２３８】
図３２は、遊技制御部４１のゲーム制御処理や初期化処理においてコマンドを生成して、コマンドキューに格納する際に実行するコマンド格納処理の制御内容を示すフローチャートである。
【０２３９】
尚、遊技制御部４１から送信されるコマンドは、２バイトで構成され、１バイト目はＭＯＤＥ（コマンドの分類）を表し、２バイト目はＥＸＴ（コマンドの内容）を表す。また、本実施例で示すコマンドの形態は一例であって他のデータ形態を用いても良い。また、本実施例では、コマンドを２バイトの信号で構成しているが、これらコマンドを１バイトの信号または３バイト以上の信号で構成しても良い。
【０２４０】
コマンド格納処理では、まず、送信すべきコマンドを構成するＭＯＤＥとＥＸＴを生成する（Ｓｅ１）。
【０２４１】
次いで、生成したコマンドを格納ポインタが示す通し番号の領域、すなわちコマンドキューの空き領域に格納した後（Ｓｅ２）、格納ポインタが示す通し番号に１を加算する（Ｓｅ３）。尚、通し番号は０〜１５の範囲の数値なので、格納ポインタが示す通し番号が１５の場合に１を加算して１６となったときには０に更新する。
【０２４２】
次いで、未送信フラグがセットされているか否かを確認し（Ｓｅ４）、未送信フラグがセットされていなければ未送信フラグをセットする（Ｓｅ５）。
【０２４３】
次いで、格納ポインタが示す通し番号が送信ポインタが示す通し番号と一致したか否か、すなわち未送信のコマンドでコマンドキューの全ての領域が満タンとなったか否かを確認し、一致している場合には、コマンドキューに格納されている未送信のコマンドが送信されて格納ポインタが示す通し番号と送信ポインタが示す通し番号とが一致しなくなるまで待機し、格納ポインタが示す通し番号と送信ポインタが示す通し番号とが一致しなくなった時点、すなわちコマンドキューに空きができた時点でコマンド格納処理を終了する（Ｓｅ６）。
【０２４４】
図３３は、遊技制御部４１が前述したタイマ割込処理（Ａ）のタイマ割込２内において実行するコマンド送信処理の制御内容を示すフローチャートである。
【０２４５】
コマンド送信処理では、まず、コマンドの送信遅延時間を設定するための遅延カウンタが０より大きいか否か、すなわちコマンドキューに格納されたコマンドの送信待ちの状態であるか否かを判定する（Ｓｆ１）。
【０２４６】
Ｓｆ１において、送信待ちの状態でない場合には、コマンドキューに未送信のコマンドが格納されている旨を示す前述の未送信フラグがセットされているか否かを判定する（Ｓｆ２）。
【０２４７】
Ｓｆ２において未送信フラグがセットされていない場合には、送信すべきコマンドが格納されていないので、処理を終了する。
【０２４８】
また、Ｓｆ２において未送信フラグがセットされている場合、すなわちコマンドキューに未送信のコマンドが格納されている場合には、乱数カウンタから０〜１５の範囲でランダムに発生する乱数値を取得し（Ｓｆ３）、取得した乱数値に２を加算して２〜１７の値に補正し、遅延カウンタに設定する（Ｓｆ４）。
【０２４９】
次いで、遅延カウンタ値を１減算し（Ｓｆ５）、遅延カウンタ値が０より大きいか否か、すなわちコマンドキューの送信ポインタ値が示す領域に格納されたコマンドの送信遅延時間が経過したか否か、を判定し（Ｓｆ６）、遅延カウンタ値が０より大きい場合、すなわち送信遅延時間が経過していない場合には、処理を終了する。
【０２５０】
また、Ｓｆ６のステップにおいて遅延カウンタ値が０の場合、すなわち送信遅延時間が経過した場合には、コマンドキューの送信ポインタ値が示す領域に格納されたコマンドを演出制御部９１に対して送信する（Ｓｆ７〜Ｓｆ１０）。詳しくは、まず、コマンドキューの送信ポインタ値が示す領域に格納されたコマンドを構成するＭＯＤＥを出力し（Ｓｆ７）、コマンドを出力した旨を演出制御部９１に通知するためのストローブ信号を所定時間（本実施例では、１０μｓ）出力する（Ｓｆ８）。そして、送信ポインタ値が示す領域に格納されたコマンドを構成するＥＸＴを出力し（Ｓｆ９）、再度ストローブ信号を所定時間出力する（Ｓｆ１０）。
【０２５１】
次いで、送信ポインタが示す通し番号に１を加算する（Ｓｆ１１）。尚、通し番号は０〜１５の範囲の数値なので、送信ポインタが示す通し番号が１５の場合に１を加算して１６となったときには０に更新する。
【０２５２】
次いで、送信ポインタが示す通し番号が格納ポインタが示す通し番号と一致したか否か、すなわちコマンドキューに送信すべきコマンドが格納されているか否かを確認し（Ｓｆ１２）、一致している場合には、未送信フラグをクリアして処理を終了する（Ｓｆ１３）。
【０２５３】
また、Ｓｆ１において遅延カウンタ値が０より大きい、すなわち送信待ちの状態であると判定した場合には、Ｓｆ５に移行し、送信遅延時間が経過した場合にはコマンドキューの送信ポインタ値が示す領域に格納されたコマンドを送信するとともに、未送信のコマンドが空になった場合には未送信フラグをクリアする等の処理を行い、処理を終了する（Ｓｆ５〜Ｓｆ１３）。
【０２５４】
図３４（ａ）（ｂ）は、本実施例におけるコマンドの送信状況の一例を示すタイミングチャートである。
【０２５５】
本実施例では、図３４（ａ）に示すように、ゲーム制御処理中または初期化処理中のコマンド格納処理においてコマンドが生成され、コマンドキューに格納されるとともに、タイマ割込処理（Ａ）のタイマ割込２内のコマンド送信処理においてコマンドキューに格納された未送信のコマンドが検知されると、遅延時間が設定され、設定した遅延時間が経過した時点で、コマンドキューに格納された未送信のコマンドが送信される。
【０２５６】
具体的には、コマンド送信処理においてコマンドキューに格納された未送信のコマンドを検知すると、０〜１５の範囲に設定された遅延用乱数値を取得し、取得した値を補正した２〜１７の範囲の値（Ｌ）を遅延カウンタに設定する。
【０２５７】
この際、当該遅延カウンタ値（Ｌ）を設定したコマンド送信処理及びその後のタイマ割込２内において実行するコマンド送信処理において遅延カウンタ値を１ずつ減算していき、遅延カウンタ値が０となった時点で、コマンドキューに格納されているコマンドを送信する。
【０２５８】
すなわち、コマンド送信処理において検知されたコマンドは、コマンド送信処理の実行間隔（２．２４ｍｓ）の倍数に相当する時間、詳しくはその際取得した遅延カウンタの値（Ｌ）から１を減算した値（Ｌ−１）にコマンド送信処理の実行間隔（２．２４ｍｓ）を乗じた時間｛（Ｌ）は２〜１７の値なので２．２４〜３５．８４ｍｓ｝が経過した後、送信されることとなる。
【０２５９】
また、本実施例では、コマンドキューに複数のコマンドを格納可能な領域が設けられており、コマンドキューに格納されたコマンドの送信を待たずに、新たにゲーム制御処理において生成したコマンドをコマンドキューの空き領域に格納することが可能とされている。すなわち複数のコマンドを蓄積できるようになっている。このため、コマンドの送信が遅延されることに伴ってゲーム制御処理の進行が停止してしまうことを回避できる。尚、コマンドキューが未送信のコマンドで満タンの場合はこの限りでない。
【０２６０】
また、コマンド格納処理では、コマンドキューに複数のコマンドを格納する際にこれらコマンドをその生成順に格納するとともに、コマンド送信処理ではコマンドキューに格納された順番でコマンドを送信するようになっている。すなわちコマンドキューに格納されたコマンドは、常に生成された順番で送信されるようになっている。
【０２６１】
また、コマンドキューに未送信のコマンドが複数格納されている場合には、最初に生成されたコマンドを送信した後、次に実行するコマンド送信処理において改めてコマンドキューに未送信のコマンドが格納されているかを判定し、コマンドが格納されている場合には、その時点でそのコマンドの遅延時間（遅延カウンタ値）を設定し、その遅延時間が経過した時点で送信する。このため、複数のコマンドがコマンドキューに格納されている場合には、各々の送信間隔が最短（遅延カウンタの値として２が決定された場合）でも、図３４（ａ）に示すように、４．４８ｍｓ（２．２４×２ｍｓ）の間隔をあけて送信されることとなる。言い換えれば、コマンドの送信後、４．４８ｍｓが経過するまでは新たなコマンドの送信が禁止されるようになっている。
【０２６２】
本実施例のスロットマシン１では、リール２Ｌ、２Ｃ、２Ｒに配列された図柄数が２１個とされているとともに、回転速度が７５０ｍｓで１回転（１分間で８０回転）するように構成されており、各リール２Ｌ、２Ｃ、２Ｒが１図柄移動するのに要する時間は３５．７ｍｓ（＝７５０／２１ｍｓ）となる。
【０２６３】
また、演出制御部９１により目押しの補助となるような演出が行われてしまうことを防止するためには、遊技制御部４１から演出制御部９１に各種コマンドを送信するときに、遅延時間の最大値としてリール２Ｌ、２Ｃ、２Ｒが１図柄移動するのに要する時間以上の時間を設定する必要がある。すなわち本実施例では、遅延時間の最大値として３５．７ｍｓ以上の時間を設定する必要がある。
【０２６４】
一方、演出制御部９１による演出と、遊技制御部４１による制御とのズレが大きくなって違和感が生じるのを防止するためには、コマンド送信処理における遅延時間の最大値をできるだけ短くすることが好ましい。すなわち本実施例の場合には、遅延時間の最大値が３５．７ｍｓ以上の値で、かつ３５．７ｍｓに可能な限り近い値に設定されることが好ましい。また、本実施例では、前述したようにコマンド送信処理における遅延時間がコマンド送信処理の実行間隔（２．２４ｍｓ）の倍数に相当する時間のみ設定可能とされており、これら２．２４ｍｓの倍数で３５．７ｍｓ以上の値のうち最小の値は、２．２４ｍｓ×１６＝３５．８４ｍｓとなることから、本実施例のスロットマシン１において最適な遅延時間の最大値は３５．８４ｍｓとなる。
【０２６５】
このため、遅延カウンタの値（Ｌ）の上限値として１７を設定すれば良く、このようにすれば遅延時間の最大値を、本実施例において目押しの補助となるような演出を防止するために最低限必要な遅延時間の最大値以上の値のうち最小の値とすることができる。
【０２６６】
また、本実施例では、図３４（ｂ）に示すように、未送信のコマンドが検知された際に設定された遅延時間｛２．２４×（Ｌａ−１）ｍｓ｝が経過する前に停電が発生し、後述する電断割込処理が実行された場合には、当該電断割込処理においてコマンドキューに格納されたコマンド及び格納されている領域の通し番号、送信ポインタ及び格納ポインタの値、未送信フラグがバックアップされるのに対して、遅延カウンタの値、すなわち遅延時間のバックアップは行わないようになっている。そして、電断が復旧して割込禁止が解除された後、最初に実行されるタイマ割込処理１のコマンド送信処理において電断前に未送信のコマンドが残っている場合には、遅延カウンタの値を再度設定し、ここで設定された遅延カウンタの値が０となった時点で、未送信のコマンドを送信する。すなわち電断の復旧後に再設定した遅延時間｛２．２４×（Ｌａ’−１）ｍｓ｝が経過することで未送信のコマンドを送信するようになっている。
【０２６７】
図３５は、遊技制御部４１が内部タイマからの出力に基づき前述した割込処理３として基本処理（本実施例ではゲーム制御処理）に割り込んで定期的（本実施例では０．４ｍｓ毎）に実行するタイマ割込処理（Ｂ）の制御内容を示すフローチャートである。
【０２６８】
タイマ割込処理（Ｂ）においては、まず、割込禁止を設定する（Ｓｇ１）。すなわち、タイマ割込処理の開始に伴って他の割込処理の実行を禁止する。そして、基本処理のレジスタをＲＡＭに退避し（Ｓｇ２）、タイマ割込処理（Ｂ）の終了後に、割込前の処理に復帰できるようにする。
【０２６９】
次いで、取込モータ１０１の駆動状態がｏｎに設定されているか否かを確認し（Ｓｇ３）、取込モータ１０１の駆動状態がｏｎに設定されていれば、遊技制御部４１のＲＡＭに設定された処理実行カウンタの値を更新する（Ｓｇ４）。Ｓｇ４のステップでは、初期値として２０が設定されており、１回の更新毎に１減算される。そして、更新後のカウンタ値が０になると再び初期値として２０が設定されるようになっている。
【０２７０】
次いで、処理実行カウンタ値に基づいて処理を行う時期か否か確認する（Ｓｇ５）。Ｓｇ５のステップでは、まず、取込動作に基づく駆動であるか、返却動作に基づく駆動であるか、を判定し、取込動作に基づく駆動であれば、更に処理実行カウンタ値が５の倍数、すなわち５、１０、１５、２０のいずれかの値か否かを判定し、処理実行カウンタ値が５の倍数であれば処理を行う時期と判定する。一方、返却動作に基づく駆動であれば、更に処理カウンタ値が２０であるか否かを判定し、処理実行カウンタ値が２０であれば処理を行う時期と判定する。
【０２７１】
そして、Ｓｇ５のステップにおいて処理を行う時期と判定された場合には、取込モータ１０１の位相信号を出力する取込モータ位相信号出力した後（Ｓｇ６）、入力ポートから取込モータ位置信号を入力し（Ｓｇ７）、Ｓｇ２において退避したレジスタを復帰し（Ｓｇ８）、割込禁止を解除して（Ｓｇ９）、割込前の処理に戻る。
【０２７２】
また、Ｓｇ３のステップにおいて、取込モータ１０１の駆動状態としてｏｎが設定されていない場合や、Ｓｇ５のステップにおいて、処理を行う時期ではないと判定された場合には、Ｓｇ２において退避したレジスタを復帰し（Ｓｇ８）、割込禁止を解除して（Ｓｇ９）、割込前の処理に戻る。
【０２７３】
以上のようにタイマ割込処理（Ｂ）では、取込モータ１０１の駆動が取込動作によるものか返却動作によるものか、が判定され、それに応じて実行間隔が異なるようになっている。詳しくは、より正確性が要求される取込動作に基づく取込モータ１０１の駆動である場合には、短い間隔で実行され、取込動作に比較すると正確性が要求されない返却動作に基づく取込モータ１０１の駆動である場合には、長い間隔で実行されるようになっている。
【０２７４】
図３６は、遊技制御部４１が電源監視用ＩＣ４７からの電圧低下信号の検出に基づいて割込処理１として基本処理（本実施例ではゲーム制御処理）に割り込んで実行する電断割込処理を示すフローチャートである。
【０２７５】
電断割込処理においては、まず、割込禁止に設定する。すなわち、電断割込処理の開始にともなってその他の割込処理の実行を禁止する（Ｓｈ１）。次いで、使用している可能性がある全てのレジスタをＲＡＭに退避し（Ｓｈ２）、電断処理が中止された場合や電断復旧時に、元の処理に復帰できるようにする。
【０２７６】
次いで、入力ポートから電圧低下信号の検出データを入力するポート入力処理を実行し（Ｓｈ３）、電圧低下信号が入力されているか否かを確認する（Ｓｈ４）。この際、電圧低下信号が入力されていなければ、Ｓｈ２において退避したレジスタを復帰し（Ｓｈ５）、割込禁止を解除して（Ｓｈ６）、割込前の処理に戻る。
【０２７７】
また、Ｓｈ４のステップにおいて電圧低下信号が入力されていれば、ＲＡＭ診断用データをセットして（Ｓｈ７）、全出力ポートを初期化する（Ｓｈ８）。次いでＲＡＭ領域の全バイトの排他的論理和が０になるようにＲＡＭパリティデータを計算してセットし（Ｓｈ９）、ＲＡＭアクセスを禁止する（Ｓｈ１０）。
【０２７８】
そして、電圧低下信号が入力されているか否かの判定（Ｓｈ１１、Ｓｈ１２、尚、Ｓｈ１１及びＳｈ１２は、Ｓｈ３、Ｓｈ４と同様の処理である）を除いて、何らの処理も行わないループ処理に入る。すなわち、そのまま電圧が低下すると内部的に動作停止状態になる。よって、電断時に確実に遊技制御部４１は動作停止する。また、このループ処理において、電圧が回復し、電圧低下信号が入力されない状態となると、前述した電源投入時処理（遊技）が実行され、パリティチェックやＲＡＭ診断用データが正常であれば、元の処理に復帰することとなる。
【０２７９】
尚、本実施例では、ＲＡＭへのアクセスを禁止した後、電圧低下信号の出力状況を監視して、電圧低下信号が入力されなくなった場合に電圧の回復を判定し、電源投入時処理（遊技）へ移行するようになっているが、例えば、所定期間クリアされずにタイムアップするとリセット信号を出力するリセット回路（いわゆるウォッチドッグタイマ）を備えるものであれば、ループ処理において何らの処理も行わず、ループ処理が行われている間に、リセット信号が入力されたことに基づいて、電源投入時処理（遊技）へ移行するようにしても良い。
【０２８０】
（２−３）演出制御部
次に、本実施例における演出制御基板９０に搭載された演出制御部９１が実行する各種制御内容を、図３７〜図３９のフローチャートに基づいて以下に説明する。
【０２８１】
演出制御部９１は、電源が投入されてＣＰＵがリセットされると、図３７に示す電源投入時処理（演出）を行う。
【０２８２】
電源投入時処理（演出）では、まず演出制御部９１のＲＡＭのデータチェック（本実施例ではパリティチェック）を行う（Ｓｊ１、Ｓｊ２）。詳しくは、現在のパリティを作成し、電断前に格納されたパリティと一致するか否かによってバックアップされているデータが正常か否かを判断する。
【０２８３】
チェック結果が正常であれば、電断前に作成されたＲＡＭ診断用データを確認し（Ｓｊ３）、正常か否かを判定する（Ｓｊ４）。そして、ＲＡＭ診断用データが正常であれば、全レジスタを復帰した後（Ｓｊ５）、割込禁止を解除する（Ｓｊ６）。すなわち電断時の演出状態に復帰する。
【０２８４】
また、Ｓｊ２のステップにおいてデータチェックの結果が正常でない場合やＳｊ４のステップにおいてＲＡＭ診断用データが正常でない場合には、演出状態を電断時の状態に戻すことができないので、ＲＡＭに記憶されているデータ、すなわち演出制御部９１の制御状態を初期化する演出初期化処理を実行した後（Ｓｊ７）、割込禁止を解除する（Ｓｊ６）。
【０２８５】
図３８は、演出制御部９１が、遊技制御部４１から出力されたストローブ信号の検出に基づき割込処理１として他の処理に割り込んで実行するコマンド受信割込処理の制御内容を示すフローチャートである。尚、ストローブ信号は、コマンド送信時に演出制御部９１の割込入力端子に入力される信号である。
【０２８６】
コマンド受信割込処理においては、まず、割込禁止に設定する（Ｓｋ１）。そして、レジスタをＲＡＭに退避して（Ｓｋ２）、コマンド受信割込処理の終了後に、割込前の処理に復帰できるようにする。
【０２８７】
次いで、遊技制御部４１から出力されるＭＯＤＥを取得するとともに（Ｓｋ３）、再度ストローブ信号が検出されるまで待機して（Ｓｋ４）、再度ストローブ信号を検出すると遊技制御部４１から出力されるＥＸＴを取得する（Ｓｋ５）。そして、ＭＯＤＥとＥＸＴから構成されるコマンドを演出制御部９１のＲＡＭに設けられたバッファに格納する（Ｓｋ６）。
【０２８８】
次いで、Ｓｋ２において退避したレジスタを復帰し（Ｓｋ７）、割込禁止を解除し（Ｓｋ８）、割込前の処理に戻る。
【０２８９】
図３９は、演出制御部９１が内部タイマからの出力に基づき定期的（本実施例では１．１２ｍｓ毎）に実行する割込処理２としてのタイマ割込処理（演出）の制御内容を示すフローチャートである。
【０２９０】
タイマ割込処理（演出）においては、まず、レジスタをＲＡＭに退避して（Ｓｍ１）、タイマ割込処理（演出）の終了後に、割込前の処理に復帰できるようにする。
【０２９１】
次いで、バッファにコマンドが格納されているか否かを確認する（Ｓｍ２）。格納されていれば、バッファからコマンドを取得し（Ｓｍ３）、取得したコマンドが初期化コマンドであるか否かを判定する（Ｓｍ４）。そして取得したコマンドが初期化コマンドであれば、前述した演出初期化処理を実行し（Ｓｍ５）、Ｓｍ１において退避したレジスタを復帰した後（Ｓｍ１０）、割込前の処理に戻る。
【０２９２】
また、Ｓｍ４において、取得したコマンドが初期化コマンドでないと判定された場合には、コマンドの内容に応じた演出用周辺機器の制御内容を設定する演出設定処理と（Ｓｍ６）、設定された制御内容に従って演出用周辺機器を制御する演出制御処理を行うことにより（Ｓｍ７）、コマンドに応じた演出状態に制御するとともに、各種カウンタを更新するカウンタ更新処理を行う（Ｓｍ８）。
【０２９３】
次いで、演出制御部９１のＲＡＭの内容、すなわち演出状態のバックアップを正常に行うための処理、詳しくは、前述した電源投入時処理（演出）でバックアップされているデータが正常か否かを確認するためのパリティやＲＡＭ診断データを作成して保存するバックアップ処理を行い（Ｓｍ９）、Ｓｍ１において退避したレジスタを復帰した後（Ｓｍ１０）、割込前の処理に戻る。
【０２９４】
次に停電時における遊技制御部４１及び演出制御部９１の動作状況を図４０のタイミングチャートに基づいて説明する。
【０２９５】
まず、電源監視用ＩＣ４７は、＋２５Ｖの直流電圧（以下電源監視用電圧と称す）が＋１８Ｖ以下となったとき（ｔａ１）に電圧低下信号（ｏｎ）を遊技制御部４１に対して出力する。遊技制御部４１が電圧低下信号を検出した際にゲーム制御処理の実行中であればゲーム制御処理に割り込んで電断割込処理を実行する。また、遊技制御部４１がタイマ割込処理の要求と同時に電圧低下信号を検出した場合にはタイマ割込処理（Ａ）よりも電断割込処理を優先して電断割込処理を実行する。また、遊技制御部４１がタイマ割込処理（Ａ）の実行中に電圧低下信号を検出した場合には実行中のタイマ割込処理（Ａ）が終了した時点で電断割込処理を実行する（ｔａ２）。尚、本実施例では、タイマ割込処理（Ａ）に要する最大時間と電断割込処理に要する最大時間の合計よりも、電源監視用電圧が電圧低下信号が出力される＋１８Ｖとなってから遊技制御部４１を駆動させることが可能な電圧（＋５Ｖ）（ｔａ３）まで降下する時間の方が長いので、停電時に遊技制御部４１がタイマ割込処理（Ａ）の実行中であっても電断割込処理を確実に行える時間が担保されるようになっている。
【０２９６】
また、演出制御部９１の電源電圧｛＋５Ｖ（ＶＣＣ）｝の元となる＋１２Ｖ（ＶＣＣ）は、停電時においても電源基板１６３に搭載されたコンデンサ３０９によって電圧の降下が遅延されるようになっており、停電時にタイマ割込処理（Ａ）において送信されたコマンドを受信し、かつ受信したコマンドをその後のタイマ割込処理（演出）においてバックアップ処理に反映するのに十分な時間が経過するまで（ｔａ４）、演出制御部９１を駆動させることが可能な電圧（＋７Ｖ）が維持されるので、停電時に遊技制御部４１からコマンドを受信した場合でも、当該コマンドを確実にバックアップ処理に反映させる時間が担保されるようになっている。尚、本実施例では、電源監視用電圧が＋１８Ｖ以下となった時点から２０ｍｓ以上の時間が経過するまで演出制御部９１を駆動させることが可能な電圧が維持されるようになっているが、少なくともタイマ割込１の実行間隔（演出制御部９１がコマンドを確実に受信するのに十分な時間）の時間以上にわたり、演出制御部９１を駆動させることが可能な電圧を維持できれば良い。
【０２９７】
（２−４）払出制御部
次に、本実施例における払出制御基板６０に搭載された払出制御部６１が実行する各種制御内容を、図４１〜図５６に基づいて以下に説明する。
【０２９８】
払出制御部６１は、電源が投入されてＣＰＵがリセットされると、図４１のフローチャートに示す電源投入時処理（払出）を行う。
【０２９９】
払出制御部６１は、電源投入時処理（払出）では、まず、前述した払出制御基板接続確認信号をｏｎに設定する（Ｓｐ１）。尚、払出制御基板接続確認信号は、電源が供給されている間常にｏｎの状態を維持する。そして、ＲＡＭに記憶されているデータ、すなわち払出制御部６１の制御状態を初期化する初期化処理を実行した後（Ｓｐ２）、割込禁止を解除し（Ｓｐ３）、ループ処理に移行する。
【０３００】
図４２は、払出制御部６１が割込禁止を解除した後、内部タイマの出力に基づいて定期的に実行する割込処理（払出）の制御内容を示すフローチャートである。
【０３０１】
割込処理（払出）では、スイッチ検出処理（Ｓｑ１）、接続確認処理（Ｓｑ２）、主基板通信処理（Ｓｑ３）、貸出制御処理（Ｓｑ４）、払出制御処理（Ｓｑ５）、モータ制御処理（Ｓｑ６）を順次実行する。
【０３０２】
Ｓｑ１のステップにおけるスイッチ検出処理では、各種センサやスイッチ、信号の検出状態を取得する処理を実行する。Ｓｑ２のステップにおける接続確認処理では、カードユニット１５との接続状況を確認する処理を実行する。Ｓｑ３のステップにおける主基板通信処理では、遊技制御基板４０との信号の授受を行う処理を実行する。Ｓｑ４のステップにおける貸出制御処理では、カードユニットとの信号の授受を行う処理を実行する。Ｓｑ５のステップにおける払出制御処理では、払出モータ２０１の駆動状態を設定する処理を実行する。Ｓｑ６のモータ制御処理では、Ｓｑ５のステップおいて設定された払出モータ２０１の駆動状態に基づいて払出モータ２０１の位相信号の出力制御を行う処理を実行する。
【０３０３】
図４３は、払出制御部６１がＳｑ２のステップにおいて実行する接続確認処理の詳細な制御内容を示すフローチャートである。
【０３０４】
接続確認処理では、まず、ＶＬのｏｎが検出されているか否か、すなわちカードユニット１００と接続されているか否かを確認する（Ｓｒ１）。そして、Ｓｒ１のステップにおいてＶＬのｏｎが検出されている場合には、カードユニット接続中信号をｏｎとする。また、Ｓｒ１のステップにおいてＶＬのｏｎが検出されていない場合には、カードユニット接続中信号をｏｆｆとする（Ｓｒ３）。
【０３０５】
図４４は、払出制御部６１がＳｑ３のステップにおいて実行する主基板通信処理の詳細な制御内容を示すフローチャートである。
【０３０６】
主基板通信処理では、まず、主基板通信処理の種別を示す主基板通信処理選択フラグ（０〜２）を確認し（Ｓｓ１）、主基板通信処理選択フラグが０であれば主基板通信処理１を実行し（Ｓｓ２）、主基板通信処理選択フラグが１であれば主基板通信処理２を実行し（Ｓｓ３）、主基板通信処理選択フラグが２であれば主基板通信処理３を実行する（Ｓｓ４）。
【０３０７】
図４５は、払出制御部６１がＳｓ２のステップにおいて実行する主基板通信処理１の詳細な制御内容を示すフローチャートである。
【０３０８】
主基板通信処理１では、まず、遊技制御基板接続確認信号のｏｎが検出されているか否か、すなわち、遊技制御基板４０と接続されているか否かを確認し（Ｓｓ１１）、遊技制御基板接続確認信号のｏｎが検出されていなければ、もとの処理に戻る。また、Ｓｓ１１
のステップにおいて遊技制御基板接続確認信号のｏｎが検出されていれば、払出要求信号または精算要求信号のｏｎが検出されているか否か、すなわち遊技制御基板４０から賞球の払出または取込済球の精算が要求されているか否かを確認し（Ｓｓ１２、Ｓｓ１３）、払出要求信号のｏｎも精算要求信号のｏｎも検出されていなければ、もとの処理に戻る。また、Ｓｓ１２、Ｓｓ１３のステップにおいて払出要求信号または精算要求信号のｏｎが検出されていれば、払出が可能か否かを確認する（Ｓｓ１４〜Ｓｓ１６）。詳しくは、供給球検出スイッチ２０５が検出されているか否か、すなわち払出球が確保されているか否かを確認し、返却球詰まり検出スイッチ１１１が検出されているか否か、すなわち返却球誘導通路１０９内に返却球が詰まっているか否かを確認し、払出球詰まり検出スイッチ１１２が検出されているか否か、すなわち払出球誘導通路２０８ｂ内に払出球が詰まっているか否かを確認する。そして、払出が可能でなければ、もとの処理に戻る。また、Ｓｓ１４〜Ｓｓ１６のステップにおいて、払出が可能な場合、すなわち供給球検出スイッチ２０５が検出されており、かつ返却球詰まり検出スイッチ１１１も払出球詰まり検出スイッチ１１２も検出されていない状態であれば、主基板通信処理選択フラグを１にして（Ｓｓ１７）、もとの処理に戻る。
【０３０９】
図４６は、払出制御部６１がＳｓ３のステップにおいて実行する主基板通信処理２の詳細な制御内容を示すフローチャートである。
【０３１０】
主基板通信処理２では、まず、遊技制御基板接続確認信号のｏｎが検出されているか否か、すなわち、遊技制御基板４０と接続されているか否かを確認し（Ｓｓ２１）、遊技制御基板接続確認信号のｏｎが検出されていなければ、主基板通信処理選択フラグを０にして（Ｓｓ２２）、もとの処理に戻る。また、Ｓｓ２１のステップにおいて遊技制御基板接続確認信号のｏｎが検出されていれば、ＥＸＳがｏｎの状態か否か、すなわちカードユニット１００からの貸出要求に基づく貸出制御の実行中であるか否かを確認し（Ｓｓ２３）、ＥＸＳがｏｎの状態であれば、もとの処理に戻る。また、Ｓｓ２３のステップにおいてＥＸＳがｏｎの状態であれば、球数信号が示す値を読み取り（Ｓｓ２４）、読み取った球数信号の値を、払出制御部６１のＲＡＭに設定された払出カウンタ（遊技制御基板４０からの払出要求及び精算要求、カードユニット１００からの貸出要求に基づいて払い出す球数のうち未だ払い出されていない未払出数を記憶するカウンタ）に記憶し（Ｓｓ２５）、動作中信号をｏｎとする（Ｓｓ２６）。そして、主基板通信処理選択フラグを２として（Ｓｓ２７）、もとの処理に戻る。
【０３１１】
図４７は、払出制御部６１がＳｓ４のステップにおいて実行する主基板通信処理３の詳細な制御内容を示すフローチャートである。
【０３１２】
主基板通信処理３では、まず、遊技制御基板接続確認信号のｏｎが検出されているか否か、すなわち、遊技制御基板４０と接続されているか否かを確認し（Ｓｓ３１）、遊技制御基板接続確認信号のｏｎが検出されていなければ、もとの処理に戻る。また、Ｓｓ３１のステップにおいて遊技制御基板接続確認信号のｏｎが検出されていれば、払出カウンタの値が０か否か、払出カウンタ分の払出が完了したか否かを確認し（Ｓｓ３２）、払出カウンタの値が０であれば、動作中信号をｏｆｆとして（Ｓｓ３３）、主基板通信処理選択フラグを０にして（Ｓｓ３４）、もとの処理に戻る。また、Ｓｓ３２のステップにおいて払出カウンタの値が０でなければ、もとの処理に戻る。
【０３１３】
図４８は、払出制御部６１がＳｑ４のステップにおいて実行する貸出制御処理の詳細な制御内容を示すフローチャートである。
【０３１４】
貸出制御処理では、まず、貸出制御処理の種別を示す貸出処理選択フラグ（０〜３）を確認し（Ｓｔ１）、貸出処理選択フラグが０であれば貸出通信処理１を実行し（Ｓｔ２）、貸出処理選択フラグが１であれば貸出通信処理２を実行し（Ｓｔ３）、貸出処理選択フラグが２であれば貸出通信処理３を実行し（Ｓｔ４）、貸出処理選択フラグが３であれば貸出通信処理４を実行する（Ｓｔ５）。
【０３１５】
図４９は、払出制御部６１がＳｔ２のステップにおいて実行する貸出通信処理１の詳細な制御内容を示すフローチャートである。
【０３１６】
貸出通信処理１では、まず、ＶＬのｏｎが検出されているか否か、すなわちカードユニット１００と接続されているか否かを確認し（Ｓｔ１１）、ＶＬのｏｎが検出されていなければ、もとの処理に戻る。また、Ｓｔ１１のステップにおいてＶＬのｏｎが検出されていれば、遊技制御基板接続確認信号のｏｎが検出されているか否か、すなわち、遊技制御基板４０と接続されているか否かを確認し（Ｓｔ１２）、遊技制御基板接続確認信号のｏｎが検出されていなければ、もとの処理に戻る。また、Ｓｔ１２のステップにおいて遊技制御基板接続確認信号のｏｎが検出されていれば、ＢＲＤＹのｏｎが検出されているか否か、すなわちカードユニット１００から貸出操作がなされた旨が通知されているか否かを確認し（Ｓｔ１３）、ＢＲＤＹのｏｎが検出されていなければ、もとの処理に戻る。また、Ｓｔ１３のステップにおいてＢＲＤＹのｏｎが検出されていれば、貸出処理選択フラグを１にして（Ｓｔ１４）、もとの処理に戻る。
【０３１７】
図５０は、払出制御部６１がＳｔ３のステップにおいて実行する貸出通信処理２の詳細な制御内容を示すフローチャートである。
【０３１８】
貸出通信処理２では、まず、ＶＬのｏｎが検出されているか否か、すなわちカードユニット１００と接続されているか否かを確認し（Ｓｔ２１）、ＶＬのｏｎが検出されていなければ、貸出処理選択フラグを０にして（Ｓｔ２２）、もとの処理に戻る。また、Ｓｔ２１のステップにおいてＶＬのｏｎが検出されていれば、遊技制御基板接続確認信号のｏｎが検出されているか否か、すなわち、遊技制御基板４０と接続されているか否かを確認し（Ｓｔ２３）、遊技制御基板接続確認信号のｏｎが検出されていなければ、貸出処理選択フラグを０にして（Ｓｔ２２）、もとの処理に戻る。また、Ｓｔ２３のステップにおいて遊技制御基板接続確認信号のｏｎが検出されていれば、ＢＲＤＹのｏｎが検出されているか否か、すなわちカードユニット１００から貸出操作がなされた旨が通知されているか否かを確認し（Ｓｔ２４）、ＢＲＤＹのｏｎが検出されていなければ、貸出処理選択フラグを０にして（Ｓｔ２２）、もとの処理に戻る。また、Ｓｔ２４のステップにおいてＢＲＤＹのｏｎが検出されていれば、ＢＲＱのｏｎが検出されているか否か、すなわちパチンコ球の貸出が要求されているか否かを確認し（Ｓｔ２５）、ＢＲＱのｏｎが検出されていなければ、もとの処理に戻る。また、Ｓｔ２５のステップにおいてＢＲＱのｏｎが検出されていれば、払出が可能か否かを確認する（Ｓｔ２６〜Ｓｔ２８）。詳しくは、供給球検出スイッチ２０５が検出されているか否か、すなわち払出球が確保されているか否かを確認し、返却球詰まり検出スイッチ１１１が検出されているか否か、すなわち返却球誘導通路１０９内に返却球が詰まっているか否かを確認し、払出球詰まり検出スイッチ１１２が検出されているか否か、すなわち払出球誘導通路２０８ｂ内に払出球が詰まっているか否かを確認する。そして、払出が可能でなければ、もとの処理に戻る。また、Ｓｔ２６〜Ｓｔ２８のステップにおいて、払出が可能な場合、すなわち供給球検出スイッチ２０５が検出されており、かつ返却球詰まり検出スイッチ１１１も払出球詰まり検出スイッチ１１２も検出されていない状態であれば、貸出処理選択フラグを２にして（Ｓｔ２９）、もとの処理に戻る。
【０３１９】
図５１は、払出制御部６１がＳｔ４のステップにおいて実行する貸出通信処理３の詳細な制御内容を示すフローチャートである。
【０３２０】
貸出通信処理３では、まず、ＶＬのｏｎが検出されているか否か、すなわちカードユニット１００と接続されているか否かを確認し（Ｓｔ３１）、ＶＬのｏｎが検出されていなければ、貸出処理選択フラグを０にして（Ｓｔ３２）、もとの処理に戻る。また、Ｓｔ３１のステップにおいてＶＬのｏｎが検出されていれば、遊技制御基板接続確認信号のｏｎが検出されているか否か、すなわち、遊技制御基板４０と接続されているか否かを確認し（Ｓｔ３３）、遊技制御基板接続確認信号のｏｎが検出されていなければ、貸出処理選択フラグを０にして（Ｓｔ３２）、もとの処理に戻る。また、Ｓｔ３３のステップにおいて遊技制御基板接続確認信号のｏｎが検出されていれば、ＢＲＤＹのｏｎが検出されているか否か、すなわちカードユニット１００から貸出操作がなされた旨が通知されているか否かを確認し（Ｓｔ３４）、ＢＲＤＹのｏｎが検出されていなければ、貸出処理選択フラグを０にして（Ｓｔ３２）、もとの処理に戻る。また、Ｓｔ３４のステップにおいてＢＲＤＹのｏｎが検出されていれば、払出カウンタの値が０か否か、すなわち払出カウンタ分の払出が完了したか否かを確認し（Ｓｔ３５）、払出カウンタの値が０でなければ、もとの処理に戻る。また、Ｓｔ３５のステップにおいて払出カウンタの値が０であれば、ＥＸＳをｏｎとして貸出動作の開始を通知する（Ｓｔ３６）。そして、１回の貸出要求により貸し出される球数である貸出単位球数（本実施例では２５）を払出カウンタに記憶し（Ｓｔ３７）、貸出処理選択フラグを３にして（Ｓｔ３８）、もとの処理に戻る。
【０３２１】
図５２は、払出制御部６１がＳｔ５のステップにおいて実行する貸出通信処理４の詳細な制御内容を示すフローチャートである。
【０３２２】
貸出通信処理４では、まず、ＶＬのｏｎが検出されているか否か、すなわちカードユニット１００と接続されているか否かを確認し（Ｓｔ４１）、ＶＬのｏｎが検出されていなければ、貸出処理選択フラグを０にして（Ｓｔ４２）、もとの処理に戻る。また、Ｓｔ４１のステップにおいてＶＬのｏｎが検出されていれば、遊技制御基板接続確認信号のｏｎが検出されているか否か、すなわち、遊技制御基板４０と接続されているか否かを確認し（Ｓｔ４３）、遊技制御基板接続確認信号のｏｎが検出されていなければ、貸出処理選択フラグを０にして（Ｓｔ４２）、もとの処理に戻る。また、Ｓｔ４３のステップにおいて遊技制御基板接続確認信号のｏｎが検出されていれば、ＢＲＤＹのｏｎが検出されているか否か、すなわちカードユニット１００から貸出操作がなされた旨が通知されているか否かを確認し（Ｓｔ４４）、ＢＲＤＹのｏｎが検出されていなければ、貸出処理選択フラグを０にして（Ｓｔ４２）、もとの処理に戻る。また、Ｓｔ４４のステップにおいてＢＲＤＹのｏｎが検出されていれば、払出カウンタの値が０か否か、すなわち払出カウンタ分の払出が完了したか否かを確認し（Ｓｔ４５）、払出カウンタの値が０でなければ、もとの処理に戻る。また、Ｓｔ４５のステップにおいて払出カウンタの値が０であれば、ＥＸＳをｏｆｆとして貸出動作の完了を通知し（Ｓｔ４６）、貸出処理選択フラグを２にして（Ｓｔ４７）、もとの処理に戻る。
【０３２３】
図５３は、払出制御部６１がＳｑ５のステップにおいて実行する払出制御処理の詳細な制御内容を示すフローチャートである。
【０３２４】
払出制御処理では、まず、払出球検出スイッチ２０２ａ、２０２ｂの検出状況をチェックして払出球が検出されたか否かを確認し（Ｓｕ１）、払出球が検出された場合には、払出カウンタの値から１を減算する（Ｓｕ２）。
【０３２５】
次いで、払出制御処理の種別を示す払出制御処理選択フラグ（０〜２）を確認し（Ｓｕ３）、払出制御処理選択フラグが０であれば払出開始待ち処理を実行し（Ｓｕ４）、払出制御処理選択フラグが１であれば払出停止待ち処理を実行し（Ｓｕ５）、払出制御処理選択フラグが２であれば払出通過待ち処理を実行する（Ｓｕ６）。
【０３２６】
図５４は、払出制御部６１がＳｕ４のステップにおいて実行する払出開始待ち処理の詳細な制御内容を示すフローチャートである。
【０３２７】
払出開始待ち処理では、まず、払出カウンタの値が０か否か、すなわち未払出球が残存するか否かを確認し（Ｓｕ１１）、払出カウンタの値が０であれば、もとの処理に戻る。また、Ｓｕ１１のステップにおいて払出カウンタの値が０でなければ、払出カウンタの値に応じた払出モータ２０１の回転駆動量、すなわち払出カウンタに設定された値の球数を払い出すのに必要な回転駆動量を設定する（Ｓｕ１２）。そして、払出モータ２０１の設定をｏｎにして払出モータ２０１の駆動を開始する（Ｓｕ１３）。そして、払出制御処理選択フラグを１にして（Ｓｕ１４）、もとの処理に戻る。
【０３２８】
図５５は、払出制御部６１がＳｕ５のステップにおいて実行する払出停止待ち処理の詳細な制御内容を示すフローチャートである。
【０３２９】
払出停止待ち処理では、まず、回転駆動量分、すなわち払出カウンタの値分の回転が終了したか否かを確認し（Ｓｕ２１）、払出カウンタの値分の回転が終了していなければ、もとの処理に戻る。また、Ｓｕ２１のステップにおいて払出カウンタの値分の回転が終了していれば、払出モータ２０１の設定をｏｆｆにして払出モータ２０１の駆動を停止する（Ｓｕ２２）。そして、払出制御部６１のＲＡＭに設定された通過待ちタイマカウンタ（払出モータ２０１の回転により払い出されたパチンコ球が払出球検出スイッチ２０２ａ、２０２ｂにて検出されるまでに要する通過待ち時間を計測するためのカウンタ）に初期値を設定し（Ｓｕ２３）、払出制御処理選択フラグを２にして（Ｓｕ２４）、もとの処理に戻る。
【０３３０】
図５６は、払出制御部６１がＳｕ６のステップにおいて実行する払出通過待ち処理の詳細な制御内容を示すフローチャートである。
【０３３１】
払出通過待ち処理では、まず、通過待ちタイマカウンタの値を１減算し（Ｓｕ３１）、通過待ちタイマカウンタの値が０か否か、すなわち通過待ち時間が経過したか否かを確認し（Ｓｕ３２）、通過待ちタイマカウンタの値が０でなければ、もとの処理に戻る。また、Ｓｕ３２のステップにおいて通過待ちタイマカウンタの値が０であれば、払出処理選択フラグを０にして（Ｓｕ３３）、もとの処理に戻る。
【０３３２】
（２−５）スロットマシンの動作状況
次に以上説明した遊技制御部４１及び払出制御部６１の制御に基づくスロットマシン１の動作状況を図５７〜図６６のタイミングチャートに基づいて説明する。
【０３３３】
図５７は、賞球を伴う入賞が発生した場合や取込済球が残存する状態で精算ボタン１０の操作が受け付けられた場合の動作状況を示すタイミングチャートである。
【０３３４】
賞球を伴う入賞が発生した場合や取込済球が残存する状態で精算ボタン１０の操作が受け付けられた場合に、遊技制御部４１は、球数信号の値を払出要求により払出を要求する球数（払出要求数）または精算要求により払出を要求する球数（精算要求数）を示す値に更新し（ｔｂ１）、払出要求信号または精算要求信号をｏｎとする（ｔｂ２）。払出制御部６１が払出要求信号または精算要求信号のｏｎを検出すると、動作中信号をｏｎとして払出要求または精算要求に基づくパチンコ球の払出動作の開始を遊技制御部４１に対して通知する（ｔｂ３）。そして、球数信号が示す数のパチンコ球を払い出す払出動作を開始し（ｔｂ４）、払出動作が終了すると（ｔｂ５）、動作中信号をｏｆｆとして払出要求または精算要求に基づくパチンコ球の払出動作の終了を遊技制御部４１に対して通知する（ｔｂ６）。次いで、遊技制御部４１が動作中信号のｏｆｆを検出すると払出動作の終了を確認し、払出要求信号または精算要求信号をｏｆｆとする（ｔｂ７）。また、遊技制御部４１は、動作中信号のｏｎを検出してからｏｆｆが検出されるまでの期間（ｔｂ３〜ｔｂ６）においてのみ、払出球検出スイッチ２０２ａ、２０２ｂによる払出球の検出を有効とし、この間に払出球が検出される毎に、遊技制御部４１のＲＡＭに設定された未払出球カウンタの値または未精算球カウンタの値を減算更新する。また、払出要求中においては、払出球が検出され、未払出球カウンタの値が１減算される毎に取込済球／払出済球表示器１６ａに表示されている払出済球数の値が１ずつ加算更新されるようになっている。
【０３３５】
図５８は、払出要求中または精算要求中においてエラーが発生した場合の動作状況を示すタイミングチャートである。
【０３３６】
遊技制御部４１は、払出要求信号または精算要求信号をｏｎにした時点（ｔｃ１）から払出通信エラー判定時間のカウントを開始する。そして、図５８（ａ）に示すように、払出要求信号または精算要求信号をｏｎにした時点（ｔｃ１）から払出通信エラー判定時間が経過しても動作中信号のｏｎを検出できない場合（ｔｃ２）、すなわち払出要求または精算要求に基づくパチンコ球の払出動作の開始を確認できない場合には、払出通信エラーと判定し、エラー状態に制御し、遊技補助表示器１７ａに払出通信エラーを示すエラーコードを表示させて報知する。尚、払出通信エラーに基づいてエラー状態に制御されていても、払出要求信号または精算要求信号をｏｎの状態に維持し、動作中信号の監視も継続する。そして、この状態で、動作中信号のｏｎを検出し、その後、動作中信号のｏｆｆを検出した場合（ｔｃ３）、すなわち払出要求または精算要求に基づくパチンコ球の払出動作の終了を確認した場合には、エラー状態を自動的に解除する（ｔｃ４）。
【０３３７】
また、図５８（ｂ）に示すように、払出要求信号または精算要求信号をｏｎにした時点（ｔｃ１）から払出通信エラー判定時間が経過する前に、動作中信号のｏｎを検出したが、払出要求信号または精算要求信号をｏｎにした時点（ｔｃ１）から払出通信エラー判定時間が経過しても動作中信号のｏｆｆを検出できない場合（ｔｃ５）、すなわち払出要求または精算要求に基づくパチンコ球の払出動作の終了を確認できない場合にも、払出通信エラーと判定し、エラー状態に制御し、遊技補助表示器１７ａに払出通信エラーを示すエラーコードを表示させて報知する。尚、この場合でも、払出要求信号または精算要求信号をｏｎの状態に維持し、動作中信号の監視も継続する。そして、この状態で、動作中信号のｏｎを検出し、その後、動作中信号のｏｆｆを検出した場合（ｔｃ６）、すなわち払出要求または精算要求に基づくパチンコ球の払出動作の終了を確認した場合には、エラー状態を自動的に解除する（ｔｃ７）。
【０３３８】
このように本実施例では、遊技制御部４１が払出要求または精算要求を行った後、払出要求または精算要求に基づくパチンコ球の払出動作の開始を確認したか否かに関わらず、払出要求または精算要求を行った時点から払出通信エラー判定時間が経過しても、当該払出要求または精算要求に基づくパチンコ球の払出動作の終了を確認できない場合に、払出通信エラーと判定するようになっている。すなわち、払出通信エラーは、払出要求または精算要求を行った時点からカウントされる払出通信エラー判定時間にのみ基づいて判定されるようになっている。また、払出通信エラーと判定され、エラー状態に制御されている状態でも、払出制御部６１との通信は継続し、払出要求または精算要求に基づくパチンコ球の払出動作の終了を確認できた時点で、エラー状態が自動的に解除されるようになっている。
【０３３９】
尚、本実施例では、上記のように、払出要求信号または精算要求信号をｏｎにした時点から払出通信エラー判定時間が経過しても、当該払出要求または精算要求に基づくパチンコ球の払出動作の終了を確認できない場合に、払出通信エラーと判定するようになっているが、これに限られるものではない。
【０３４０】
図５９は、払出要求中または精算要求中においてエラーが発生した場合の動作状況の変形例を示すタイミングチャートである。
【０３４１】
この変形例では、図５９（ａ）に示すように、遊技制御部４１が、払出要求信号または精算要求信号をｏｎにした時点（ｔｄ１）から第１の払出通信エラー判定時間のカウントを開始し、払出要求信号または精算要求信号をｏｎにした時点（ｔｄ１）から第１の払出通信エラー判定時間が経過しても動作中信号のｏｎを検出できない場合（ｔｄ２）、すなわち払出要求または精算要求に基づくパチンコ球の払出動作の開始を確認できない場合に、払出通信エラーと判定し、エラー状態に制御する。尚、この場合でも、払出通信エラーに基づいてエラー状態に制御されている間、払出要求信号または精算要求信号をｏｎの状態に維持し、動作中信号の監視も継続する。そして、この状態で、動作中信号のｏｎを検出した場合（ｔｄ３）、すなわち払出要求または精算要求に基づくパチンコ球の払出動作の開始を確認した場合には、エラー状態を自動的に解除する（ｔｄ４）。
【０３４２】
また、図５９（ｂ）に示すように、遊技制御部４１が、動作中信号のｏｎを検出した時点（ｔｄ５）から第２の払出通信エラー判定時間のカウントを開始し、動作中信号のｏｎを検出した時点（ｔｄ５）から第２の払出通信エラー判定時間が経過しても動作中信号のｏｆｆを検出できない場合（ｔｄ６）、すなわち払出要求または精算要求に基づくパチンコ球の払出動作の終了を確認できない場合に、払出通信エラーと判定し、エラー状態に制御する。尚、この場合でも、払出通信エラーに基づいてエラー状態に制御されている間、払出要求信号または精算要求信号をｏｎの状態に維持し、動作中信号の監視も継続する。そして、この状態で、動作中信号のｏｆｆを検出した場合（ｔｄ７）、すなわち払出要求または精算要求に基づくパチンコ球の払出動作の終了を確認した場合には、エラー状態を自動的に解除する（ｔｄ８）。
【０３４３】
このように当該変形例では、遊技制御部４１が払出要求または精算要求を行った後、第１の払出通信エラー判定時間が経過しても、当該払出要求または精算要求に基づくパチンコ球の払出動作の開始を確認できない場合、及び払出要求または精算要求に基づくパチンコ球の払出動作の開始を確認した後、第２の払出通信エラー判定時間が経過しても、当該払出要求または精算要求に基づくパチンコ球の払出動作の終了を確認できない場合に、払出通信エラーと判定するようになっている。すなわち払出通信エラーは、払出要求または精算要求を行った時点から払出動作の開始を確認するまでの期間において第１の払出通信エラー判定時間が経過した場合と、払出動作の開始を確認してから払出動作の終了を確認するまでの期間において第２の払出通信エラー判定時間が経過した場合と、で別個に判定されるようになっている。また、払出通信エラーと判定され、エラー状態に制御されている状態でも、払出制御部６１との通信は継続し、払出要求または精算要求に基づくパチンコ球の払出動作の開始または終了を確認できた時点で、エラー状態が自動的に解除されるようになっている。
【０３４４】
図６０は、球貸ボタン１９が検出されたことに伴いカードユニット１５により貸出処理が行われた場合の動作状況を示すタイミングチャートである。
【０３４５】
球貸ボタン１９の操作が検出されると、カードユニット１５の制御ユニットは、ＢＲＤＹをｏｎとして貸出処理の開始を払出制御部６１に対して通知する（ｔｅ１）。更に、ＢＲＱをｏｎとして貸出単位数のパチンコ球の貸出を要求する（ｔｅ２）。払出制御部６１がＢＲＱのｏｎを検出すると、ＶＬがｏｎの状態であるか、すなわちカードユニット１５と正常に接続されているか否かを確認し、ＶＬがｏｎの状態であることを条件に、ＥＸＳをｏｎとしてＢＲＱに基づくパチンコ球の貸出動作の開始をカードユニット１５に対して通知する（ｔｅ３）。そして、貸出単位数のパチンコ球を貸し出す貸出動作を開始し（ｔｅ４）、貸出動作が終了すると（ｔｅ６）、ＥＸＳをｏｆｆとしてＢＲＱに基づくパチンコ球の貸出動作の終了をカードユニット１５に対して通知する（ｔｅ７）。尚、ＢＲＱのｏｎを検出してもＶＬがｏｎの状態でなければ、ＥＸＳをｏｎとせず、ＢＲＱに基づくパチンコ球の貸出動作も行わないようになっている。また、払出制御部６１は、遊技制御部４１がＢＥＴ処理中か否かに関わらず、ＢＲＱのｏｎを検出することで貸出動作を行うことが可能とされている。一方、カードユニット１５の制御ユニットがＢＲＱをｏｎとした後、ＥＸＳのｏｎを検出すると貸出動作が開始した旨を確認してＢＲＱをｏｆｆとし（ｔｅ５）、ＥＸＳのｏｎを検出した後、ＥＸＳのｏｆｆを検出すると貸出動作が終了した旨を確認し、残存する有価価値の範囲内で規定回数の貸出要求が完了していなければ、再びＢＲＱをｏｎとして貸出単位数のパチンコ球の貸出を要求する（ｔｅ８）。また、ＥＸＳのｏｆｆを検出して貸出動作が終了した旨を確認した際に、貸出要求に必要な有価価値が残存しない場合や規定回数の貸出要求が完了した場合には、ＢＲＤＹをｏｆｆとして貸出処理の終了を払出制御部６１に対して通知する（ｔｅ９）。
【０３４６】
図６１は、貸出動作の実行中に賞球を伴う入賞が発生した場合の動作状況を示すタイミングチャートである。
【０３４７】
払出制御部６１が貸出動作中に払出要求信号のｏｎを検出すると（ｔｆ１）、貸出単位球数の貸出動作が終了するまで待機し、貸出動作が終了すると（ｔｆ２）、再びＢＲＱがｏｎとなった場合、すなわち貸出要求がなされた場合でも、動作中信号をｏｎとして払出要求に基づくパチンコ球の払出動作の開始を遊技制御部４１に対して通知する（ｔｆ３）。そして、球数信号が示す数のパチンコ球を払い出す払出動作を開始し（ｔｆ４）、払出動作が終了すると（ｔｆ５）、動作中信号をｏｆｆとして払出要求に基づくパチンコ球の払出動作の終了を遊技制御部４１に対して通知する（ｔｆ６）。この際、ＢＲＱのｏｎを検出している場合には、ＥＸＳをｏｎとして貸出要求に基づくパチンコ球の貸出動作の開始をカードユニット１５に対して通知し（ｔｆ７）、貸出単位球数のパチンコ球を貸し出す貸出動作を開始する（ｔｆ８）。
【０３４８】
このように貸出動作の実行中に賞球を伴う入賞が発生した場合には、当該貸出動作の終了後、カードユニット１５からの貸出要求に基づく貸出動作よりも賞球の発生に基づく払出動作を優先して行うようになっている。
【０３４９】
図６２は、賞球の払出動作の実行中に球貸ボタン１９が検出されたことに伴いカードユニット１５により貸出処理が行われた場合の動作状況を示すタイミングチャートである。
【０３５０】
払出制御部６１が賞球の払出動作中にＢＲＱがｏｎとなっても、当該払出動作が優先されるようになっており、払出動作が終了するまで待機する。そして、払出動作が終了すると（ｔｇ１）、動作中信号をｏｆｆとして払出要求に基づくパチンコ球の払出動作の終了を遊技制御部４１に対して通知する（ｔｇ２）。この際、ＢＲＱのｏｎを検出している場合には、ＥＸＳをｏｎとして貸出要求に基づくパチンコ球の貸出動作の開始をカードユニット１５に対して通知し（ｔｇ３）、貸出単位球数のパチンコ球を貸し出す貸出動作を開始する（ｔｇ４）。
【０３５１】
尚、払出制御部６１は、賞球の払出動作を行っている期間を除いて、遊技制御部４１の制御状態に関わらず、常に貸出要求を検出すると、当該貸出要求に基づく貸出制御を行うことが可能とされている。すなわちゲームの実行中であってもパチンコ球の貸出を受けることが可能である。
【０３５２】
図６３は、１ＢＥＴスイッチ５またはＭＡＸＢＥＴスイッチ６の操作が受け付けられ、取込制御（取込制御処理）が行われた場合や、精算ボタン１０の操作が受け付けられ、精算制御（精算制御処理）が行われた場合の動作状況を示すタイミングチャートである。
【０３５３】
１ＢＥＴスイッチ５またはＭＡＸＢＥＴスイッチ６の操作が有効に受け付けられると（ｔｈ１）、遊技制御部４１は、１ＢＥＴスイッチ５及びＭＡＸＢＥＴスイッチ６、精算ボタン１０の操作の受付を無効にする。更に、最大賭数が設定されており、スタートスイッチ７の操作の受付も有効な状態であったならば、スタートスイッチ７の操作の受付も無効にする。そして、１ＢＥＴスイッチ５またはＭＡＸＢＥＴスイッチ６の操作の受付に基づく取込制御が終了した際に（ｔｈ２）、精算ボタン１０の操作の受付を有効にするとともに、最大賭数が未だ設定されていない状態、すなわち取り込まれたパチンコ球数が最大賭数を設定するのに必要な１５球に満たない状態であれば、１ＢＥＴスイッチ５及びＭＡＸＢＥＴスイッチ６の操作の受付を有効にする。また、１ＢＥＴスイッチ５またはＭＡＸＢＥＴスイッチ６の操作の受付に基づく取込制御が終了した際に（ｔｈ２）、最大賭数が設定されている状態であれば、スタートスイッチ７の操作の受付も有効にする。
【０３５４】
また、精算ボタン１０の操作が有効に受け付けられると（ｔｈ１）、遊技制御部４１は、１ＢＥＴスイッチ５及びＭＡＸＢＥＴスイッチ６、精算ボタン１０の操作の受付を無効にする。更に、最大賭数が設定されており、スタートスイッチ７の操作の受付も有効な状態であったならば、スタートスイッチ７の操作の受付も無効にする。そして、精算ボタン１０の操作の受付に基づく精算制御が終了した際に（ｔｈ２）、精算ボタン１０の操作の受付を有効にするとともに、最大賭数が未だ設定されていない状態、すなわち取り込まれたパチンコ球数が最大賭数を設定するのに必要な１５球に満たない状態であれば、１ＢＥＴスイッチ５及びＭＡＸＢＥＴスイッチ６の操作の受付を有効にする。また、精算ボタン１０の操作の受付に基づく精算制御が終了した際に（ｔｈ２）、最大賭数が設定されている状態であれば、スタートスイッチ７の操作の受付も有効にする。
【０３５５】
このように本実施例では、１ＢＥＴスイッチ５またはＭＡＸＢＥＴスイッチ６の操作の受付に基づいて取込制御が行われたり、精算ボタン１０の操作の受付に基づいて精算制御が行われると、これら取込制御や精算制御が終了するまでの間、１ＢＥＴスイッチ５、ＭＡＸＢＥＴスイッチ６、精算ボタン１０、スタートスイッチ７の各操作の受付が無効化されるようになっている。
【０３５６】
図６４及び図６５は、ＢＥＴ処理中にカードユニット１５と払出制御基板６０との接続が断絶した際の動作状況を示すタイミングチャートである。
【０３５７】
図６４に示すように、カードユニット１５と払出制御基板６０との接続が断絶し、ＶＬのｏｎを検出できなくなると（ｔｉ１）、払出制御部６１は、貸出制御を禁止するとともに、カードユニット接続中信号をｏｆｆとしてカードユニット１５と接続されていない旨を遊技制御部４１に対して通知する。遊技制御部４１がカードユニット接続中信号のｏｆｆを検出してカードユニット１５と接続されていない旨を確認すると、１ＢＥＴスイッチ５及びＭＡＸＢＥＴスイッチ６の操作の受付を無効化し、これら１ＢＥＴスイッチ５及びＭＡＸＢＥＴスイッチ６の操作の受付に基づく取込制御を禁止する。そして、カードユニット１５がスロットマシン１に接続されていない旨を示すエラーコードを取込済球表示器１６に表示させて、接続エラーを報知する。
【０３５８】
また、図６５に示すように、遊技制御部４１が、取込制御や精算制御を行っている途中で（ｔｊ１）、カードユニット接続中信号のｏｆｆを検出した場合には、実行中の取込制御や精算制御が終了した時点（ｔｊ２）で、これら取込制御や精算制御の実行に伴い無効化されている１ＢＥＴスイッチ５及びＭＡＸＢＥＴスイッチ６の操作の受付を引き続き無効にし、これら１ＢＥＴスイッチ５及びＭＡＸＢＥＴスイッチ６の操作の受付に基づく取込制御を禁止するとともに、カードユニット１５がスロットマシン１に接続されていない旨を示すエラーコードを取込済球表示器１６に表示させて、接続エラーを報知する。
【０３５９】
その後、図６４に示すように、カードユニット１５と払出制御基板６０との接続が復帰し、ＶＬのｏｎを検出すると（ｔｉ２）、払出制御部６１は、禁止されていた貸出制御を許可するとともに、カードユニット接続中信号をｏｎとしてカードユニット１５と接続されている旨を遊技制御部４１に対して通知する。遊技制御部４１がカードユニット接続中信号のｏｎを検出してカードユニット１５と接続されている旨を確認すると、１ＢＥＴスイッチ５及びＭＡＸＢＥＴスイッチ６の検出を有効化して取込制御を許可する。そして、接続エラーの報知を解除する。
【０３６０】
尚、最大賭数が既に設定されている状態においてカードユニット１５と払出制御基板６０との接続が断絶し、遊技制御部４１がカードユニット接続中信号のｏｆｆを検出してカードユニット１５と接続されていない旨を確認しても、スタートスイッチ７の操作の受付は有効であり、このような状態でスタートスイッチ７の操作を受け付けた場合でも有効にゲームが開始する。すなわち最大賭数が既に設定されておりゲームの開始条件が成立している状態であれば、カードユニット１５と払出制御基板６０との接続状態に関わらず、常にスタートスイッチ７の操作の受付に基づき有効にゲームを開始させることが可能である。また、カードユニット１５と払出制御基板６０との接続が断絶し、遊技制御部４１がカードユニット接続中信号のｏｆｆを検出してカードユニット１５と接続されていない旨を確認しても、精算ボタン１０の操作の受付は有効であり、このような状態で精算ボタン１０の操作を受け付けた場合でも有効に精算制御を行う。すなわちカードユニット１５と払出制御基板６０との接続状態に関わらず、常に精算ボタン１０の操作の受付に基づいて精算制御を行うことが可能である。
【０３６１】
以上説明したように、本実施例のスロットマシン１では、賞球を伴う入賞が発生したゲームでは、遊技制御部４１が払出入賞に応じた数のパチンコ球の払出を要求した後、動作中信号のｏｆｆを検出したとき、すなわち払出制御部６１から当該払出要求に基づく払出動作が終了した旨が通知されたことを条件に、次ゲームへの移行が許容される。すなわち入賞の発生に基づき払い出すべき数のパチンコ球の払出が完了したことにより、次ゲームへの移行が許容されるので、入賞の発生に基づくパチンコ球の払出が完了していないにも関わらず、次のゲームへ移行してしまうことを防止できる。
【０３６２】
また、取込済球／払出済球表示器１６ａには、賞球を伴う入賞が発生した際に、当該入賞の発生に基づく賞球数のうち既に払い出された払出済球数が表示されるので、入賞の発生に伴い払い出されたパチンコ球数を遊技者に分かりやすく認識させることができる。更に、遊技制御部４１は、払出球検出スイッチ２０２ａ、２０２ｂにより払出球が検出される毎に、取込済球／払出済球表示器１６ａに表示されている払出済球数を加算更新するので、賞球の払出状況を正確に報知することができる。
【０３６３】
尚、本実施例では、遊技制御部４１に払出球検出スイッチ２０２ａ、２０２ｂの検出信号が直接入力されることで、遊技制御部４１が払出球を検出できるようになっているが、例えば、払出球検出スイッチ２０２ａ、２０２ｂの検出信号が払出制御部６１にのみ入力されるようにし、払出制御部６１が払出球を検出した際、または所定数の払出球を検出した際に、その旨を示す払出球信号を遊技制御部４１に対して出力するとともに、払出制御部６１から出力された払出球信号を遊技制御部４１が検出することで、遊技制御部４１が払出球を検出できるようにしても良い。
【０３６４】
また、遊技制御部４１は、入賞の発生に基づく賞球の払出要求を行った後、動作中信号のｏｎが検出されていること、すなわち払出制御部６１が、当該払出要求に基づくパチンコ球の払出動作の開始を通知した後、払出動作の終了を通知するまでの期間であることを条件に、払出球検出スイッチ２０２ａ、２０２ｂが払出球を検出する毎に、取込済球／払出済球表示器１６ａに表示されている払出済球数が加算更新されるので、払出制御部６１により払出要求に基づくパチンコ球の払出動作が行われていない状態において払出球検出スイッチ２０２ａ、２０２ｂの検出信号にノイズ等が混入しても、誤って取込済球／払出済球表示器１６ａに表示されている払出済球数が更新されることがないばかりか、カードユニット１５からの貸出要求に基づく貸出制御によって払い出されたパチンコ球が払出球検出スイッチ２０２ａ、２０２ｂにより検出された場合にも、取込済球／払出済球表示器１６ａに表示されている払出済球数が更新されることがないので、賞球の払出状況をより正確に報知することができる。
【０３６５】
尚、本実施例では、取込済球／払出済球表示器１６ａに表示される払出済球数として、賞球数から未払出球数を減算した値を用いているが、例えば、払出済球数を記憶する払出済球カウンタを遊技制御部４１のＲＡＭに設定し、払出要求に基づく払出動作により払い出された払出球が検出される毎に、払出済球カウンタの値を加算するとともに、払出済球カウンタの値を取込済球／払出済球表示器１６ａに表示される払出済球数として用いるようにしても良い。
【０３６６】
また、本実施例では、取込済球／払出済球表示器１６ａに払出済球数そのものが表示されるとともに、払出球が１球検出される毎に、払出済球数が更新表示されるようになっているが、例えば、取込済球／払出済球表示器１６ａに払出済球数を単位球数（５球）で除算した値を表示するとともに、払出球が単位球数分（５球）検出される毎に、取込済球／払出済球表示器１６ａに表示されている値を１加算更新するようにしても良く、このようにすれば、払い出された遊技球を用いて設定できる賭数を容易に把握することが可能となる。
【０３６７】
また、遊技制御部４１は、払出制御部６１に対して払出要求を行った後、払出通信エラー判定時間が経過するまでに動作中信号のｏｆｆを検出しなかったとき、すなわち当該払出要求に基づくパチンコ球の払出の終了が確認できなかったときに、払出制御部６１側の払出動作に伴う異常と判定し、エラー状態に制御して払出通信エラーを報知するようになっており、払出要求を行った時点から動作中信号のｏｎを検出するまでの期間、すなわち当該払出要求に基づくパチンコ球の払出の開始を確認するまでの期間と、動作中信号のｏｎを検出してから動作中信号のｏｆｆを検出するまでの期間、すなわち払出動作の開始を確認した後、当該払出動作の終了を確認するまでの期間と、の２つの期間を別個に計測して払出通信エラーを判定する必要がなく、払出要求を行った後、当該払出要求に基づくパチンコ球の払出の終了を確認するまでの期間のみ計測し、当該期間によって払出通信エラーを判定できるので、遊技制御部４１が、払出制御部６１側の異常を判定するための制御を簡素化できる。
【０３６８】
また、遊技制御部４１側が払出通信エラーと判定し、その旨の報知中であっても、動作中信号の監視を継続する。すなわち払出制御部６１との通信は継続して行われるので、このような場合でも遊技制御部４１が払出制御部６１による払出動作の状況を把握することができる。更に、遊技制御部４１側が払出通信エラーと判定し、その旨の報知中であっても、払出球検出スイッチ２０２ａ、２０２ｂが払出装置２００により払い出されたパチンコ球を検出する毎に、未払出球カウンタの値が更新され、これに伴い取込済球／払出済球表示器１６ａに表示される払出済球数も加算更新されるため、払出済球数を正確に報知することができる。
【０３６９】
尚、本実施例では、払出通信エラーを示すエラーコードを遊技補助表示器１７ａに表示すること、すなわち表示器の表示態様にて払出通信エラーを報知しているが、ランプの点灯態様や音声の出力等によって払出通信エラーを報知するようにしても良いし、払出通信エラーを示す信号を呼出ランプやホールコンピュータ等の周辺機器に出力することで、当該払出通信エラーを報知するようにしても良い。
【０３７０】
また、遊技制御部４１が払出通信エラーと判定し、その旨の報知中であっても、動作中信号のｏｆｆを検出して、払出要求に基づく払出動作の終了を確認した場合、すなわち誤ってエラー状態に制御された場合や、エラー状態に制御されている間に払出制御部６１側の異常が解消されて払出動作が正常に完了した場合には、エラー状態が自動的に解除され、払出通信エラーの報知も自動的に終了するので、払出通信エラーと判定とされ、その旨の報知中であっても、極力遊技に支障をきたすことがないようにできるばかりか、報知の解除操作を行う手間を省くこともできる。尚、遊技制御部４１側で払出通信エラーと判定し、エラー状態に制御された場合、すなわち、払出通信エラーの報知が行われている場合において、所定のリセット操作（例えばリセットスイッチ３８の操作）により該エラー状態（払出通信エラーの報知）が解除されるようにしても良く、このようにすることで、払出通信エラーとなったことを遊技場の店員等が確実に把握することができる。
【０３７１】
また、本実施例では、遊技制御部４１が、払出球検出スイッチ２０２ａ、２０２ｂによる払出球の検出に基づいて、払出要求により要求した数のパチンコ球の払出を確認できない場合、すなわち遊技制御部４１のＲＡＭに設定された未払出球カウンタの値が残存する場合でも、動作終了信号のｏｆｆを検出すること、すなわち払出制御部６１側で払出要求に基づくパチンコ球の払出動作が終了した旨を示す払出制御終了情報を受信することで、次ゲームへ移行することが許容される。すなわち遊技制御部４１側で払出球検出スイッチ２０２ａ、２０２ｂによる払出球の検出を取りこぼした場合でも、実際に払出動作の制御を行っている払出制御部６１側で正常に払い出されたことが確認されれば、次ゲームへ移行することが可能となるので、ゲームの進行を迅速に行うことができる。
【０３７２】
また、本実施例では、電断時において、入賞の発生に伴う賞球数の未払出球数が遊技制御部４１でのみバックアップされるようになっており、電断復旧時においては、遊技制御部４１でバックアップされている未払出球数が残存する場合に、該未払出球数の払出要求を払出制御部６１に対して再度行い、電断時の未払出球数の払出が行われるようになっている。このため、電断復旧時において、払出制御部６１は遊技制御部４１から再度行われた払出要求に基づいて通常の払出動作を行うのみで済むので、遊技制御部４１と払出制御部６１が各々バックアップした内容の整合を図る必要がなく、電断復旧時の制御が複雑化することがない。
【０３７３】
また、本実施例では、遊技制御部４１が、割込入力端子ＣＬＫ／ＴＲＧに電圧低下信号が入力されることで、実行中の処理に割り込んで電断割込処理を実行するが、電断割込処理では、ＲＡＭ診断用データの設定やパリティデータの設定等、電断復旧時に電断前の制御状態に復帰するための処理を行う前に、信号入力端子ＰＯＲＴに電圧低下信号が入力されているか否かを判定を行い、信号入力端子ＰＯＲＴにも電圧低下信号が入力されていれば、電断復旧時に電断前の制御状態に復帰するための処理や出力ポートの初期化等の処理を行うのに対して、信号入力端子ＰＯＲＴにも電圧低下信号が入力されていなければ、もとの処理に復帰するようになっている。すなわち、遊技制御部４１には、電圧低下信号が２系統の入力部に入力され、一方の入力部に電圧低下信号が入力されて電断割込処理が実行されても、電断復旧時に電断前の制御状態に復帰するための処理が実行される前に再度他方の入力部に電圧低下信号が入力されているか否かを判定し、他方の入力部にも電圧低下信号が入力されていて初めて電断復旧時に電断前の制御状態に復帰するための処理や出力ポートの初期化等の処理が実行されるようになっており、電断を誤って検出した際に、誤って電断復旧時に電断前の制御状態に復帰するための処理や出力ポートの初期化等の処理が行われてしまうことが防止できるので、電断を誤って検出することに伴い、必要以上に長い間遊技制御部４１の制御が中断されたり、必要以上に負荷がかかってしまうことを防止できる。
【０３７４】
また、本実施例では、遊技制御部４１が電源投入時に電断前の状態に復帰できない場合、すなわちパリティチェックの結果が正常でない場合やＲＡＭ診断データが正常でない場合や、設定キースイッチがｏｎの場合には、遊技制御部４１のＲＡＭを初期化して、遊技制御部４１の制御状態を初期化する初期化処理が行われる。そして、遊技制御部４１では、電源投入後、初期化処理を含め、割込禁止が解除されるまでの期間、全ての割込はマスクされるようになっており、この間電断有り込み処理を含め全ての割込処理が行われないようになっている。このため、遊技制御部４１が初期化されている最中に電断が検出されても、電断割込処理が実行されないので、初期化処理中、すなわちデータをバックアップする必要のない状態で、無駄に電断割込処理が行われてしまうことを防止できる。
【０３７５】
また、本実施例のスロットマシン１では、１ＢＥＴスイッチ５またはＭＡＸＢＥＴスイッチ６の操作を受け付ける（検出する）と、取込制御に移行し、取込制御が終了するまで、１ＢＥＴスイッチ５、ＭＡＸＢＥＴスイッチ６、スタートスイッチ７、精算ボタン１０の各操作の受付が無効とされ、取込制御が終了するまでの間、これら各操作を受け付けない状態に制御される。すなわち、取込制御の実行中にこれら各操作がされたときに、これら各操作に基づく制御が行われないようになっており、取込制御の実行中にこれら各操作を受け付けることに伴い、取込制御を中断したり、複数の制御が重複して行われるようなことがないので、遊技制御部４１の制御を簡素化することができ、遊技制御部４１の制御が複雑化してしまうことを防止できる。
【０３７６】
また、精算ボタン１０の操作を受け付ける（検出する）と、精算制御に移行し、精算制御が終了するまで、１ＢＥＴスイッチ５、ＭＡＸＢＥＴスイッチ６、スタートスイッチ７、精算ボタン１０の各操作の受付が無効とされ、精算制御が終了するまでの間、これら各操作を受け付けない状態に制御される。すなわち、精算制御の実行中にこれら各操作がされたときに、これら各操作に基づく制御が行われないようになっており、精算制御の実行中にこれら各操作を受け付けることに伴い、精算制御を中断したり、複数の制御が重複して行われるようなことがないので、遊技制御部４１の制御を簡素化することができ、遊技制御部４１の制御が複雑化してしまうことを防止できる。
【０３７７】
尚、本実施例では、取込制御や精算制御の実行中に、１ＢＥＴスイッチ５、ＭＡＸＢＥＴスイッチ６、スタートスイッチ７、精算ボタン１０の各操作の検出を無効とすることで、取込制御や精算制御の実行中にこれら各操作がされても、これら各操作に基づく制御が行われないようになっているが、取込制御や精算制御の実行中に、１ＢＥＴスイッチ５、ＭＡＸＢＥＴスイッチ６、スタートスイッチ７、精算ボタン１０の各操作自体は検出するが、これら操作の検出に基づく制御を行わないようにしても良いし、１ＢＥＴスイッチ５、ＭＡＸＢＥＴスイッチ６、スタートスイッチ７、精算ボタン１０の各操作がされたときに、取込制御や精算制御が行われていないことを条件に、これら各操作に基づく制御を行うようにしても良く、これらの場合でも、取込制御や精算制御の実行中にこれら各操作を受け付けることに伴い、実行中の取込制御または精算制御を中断したり、複数の制御が重複して行われるようなことがないので、遊技制御部４１の制御を簡素化することができ、遊技制御部４１の制御が複雑化してしまうことを防止できる。
【０３７８】
また、本実施例では、１ＢＥＴスイッチ５またはＭＡＸＢＥＴスイッチ６の操作の受付に基づいて取込制御が行われたり、精算ボタン１０の操作の受付に基づいて精算制御が行われると、これら取込制御や精算制御が終了するまでの間、１ＢＥＴスイッチ５、ＭＡＸＢＥＴスイッチ６、精算ボタン１０、スタートスイッチ７の各操作の受付が無効化されるようになっているが、これら取込制御や精算制御が終了するまでの間に、１ＢＥＴスイッチ５、ＭＡＸＢＥＴスイッチ６、精算ボタン１０、スタートスイッチ７の各操作を受け付けた際に、受け付けた操作を記憶しておき、実行中の取込制御や精算制御が終了した時点で、操作の受付が記憶されていれば、記憶されている操作に応じた制御をその時点で行うようにしても良く、この場合でも、取込制御や精算制御の実行中に新たな制御が実行されることがないので、取込制御や精算制御の実行中にこれら各操作がされることに伴い、遊技制御部４１の制御が複雑化してしまうことを防止できる。
【０３７９】
また、本実施例では、１ＢＥＴスイッチ５またはＭＡＸＢＥＴスイッチ６が操作されたときには、上皿１２にパチンコ球が貯留されているか否かに関わらず、１ＢＥＴスイッチ５またはＭＡＸＢＥＴスイッチ６の操作による取込要求数に応じた動作量の取込動作が行われるため、従来のように単位球数分のパチンコ球が待機していることを条件に取込動作を行う遊技機に比較してパチンコ球の取込を速やかに行うことが可能となり、遊技を円滑に進行することができる。また、取込動作の終了後、動作量に応じた数のパチンコ球が取り込まれない場合には、不足数分に応じた動作量の取込動作が再度行われるとともに、取込動作の再試行回数が所定回数（本実施例では、初回の取込動作もリトライカウンタによりカウントされるので、２回）に達しても動作量に応じた数のパチンコ球が取り込まれない場合には、一連の取込制御が終了するので、取込動作が延々と行われてしまうといった不都合を防止できる。
【０３８０】
尚、本実施例では、１ＢＥＴスイッチ５またはＭＡＸＢＥＴスイッチ６の操作がなされたときに、上皿１２にパチンコ球が貯留されているか否かに関わらず取込装置１００により、１ＢＥＴスイッチ５またはＭＡＸＢＥＴスイッチ６の操作に応じた球数（１ＢＥＴスイッチ５が操作された場合には、その時点で賭数を１設定するのに必要な球数、ＭＡＸＢＥＴスイッチ６が操作された場合には、その時点で最大賭数を設定するのに必要な球数）を取り込むための取込動作を１度に行うようになっているが、パチンコ球を所定球数（例えば１球）ずつ取り込むための取込動作を繰り返し行い、１ＢＥＴスイッチ５またはＭＡＸＢＥＴスイッチ６の操作に応じて取り込むべき球数が取り込まれるか、所定回（例えば、１ＢＥＴスイッチ５またはＭＡＸＢＥＴスイッチ６の操作に応じて取り込むべき球数を取り込むのに十分な回数）が行われたことを条件に取込制御を終了するようにしても良い。
【０３８１】
また、１ＢＥＴスイッチ５の操作が有効に受け付けられると、賭数を１設定するのに必要な球数（５球）から、既に取り込まれたものの、単位球数（５球）に満たないために未だ賭数の設定に用いられていない未使用球数（未使用球カウンタの値）を減算した球数を取込球カウンタに設定し、取込制御にて取込球カウンタの値分のパチンコ球を取り込むための動作量の取込動作を行い、ＭＡＸＢＥＴスイッチ６の操作が有効に受け付けられると、最大賭数を設定するのに必要な球数（１５球）から、既に取り込まれて賭数の設定に用いられている使用済球数（ＢＥＴカウンタの値×５）及び既に取り込まれたものの、未だ賭数の設定に用いられていない未使用球数（未使用球カウンタの値）を減算した球数を取込球カウンタに設定し、取込制御にて、取込球カウンタの値分のパチンコ球を取り込むための動作量の取込動作を行うようになっている。すなわち、１ＢＥＴスイッチ５またはＭＡＸＢＥＴスイッチ６の操作が有効に受け付けられると、その時点で１ＢＥＴスイッチ５またはＭＡＸＢＥＴスイッチ６の操作に応じた賭数を設定するのに必要な球数分のみの取込動作が行われるので、パチンコ球の取込を一層速やかに行うことができる。
【０３８２】
また、取込装置１００により取り込まれたものの、使用済球数と未使用球数とを合算した取込済球数が取込済球表示器１６に表示されるので、取込済球数を外部から容易に確認することができる。
【０３８３】
また、本実施例では、精算ボタン１０の操作が有効に受け付けられても、返却球詰まり検出スイッチ１１１や払出球詰まり検出スイッチ１１２が検出されている状態においては、取込装置１００に供給されたパチンコ球の返却動作が行われないようになっており、下皿１１が満タン状態にも関わらずパチンコ球が下皿１１に返却されることがなく、返却球誘導通路１０９や取込装置１００内にパチンコ球が詰まってしまうことを防止できる。
【０３８４】
また、本実施例では、カードユニット１５から貸出要求を検出したとき、すなわちＢＲＱのｏｎを検出したときに、カードユニット１５から出力されるカードユニット接続確認信号（ＶＬ）の出力状況に基づいてカードユニット１５とスロットマシン１とが接続されているか否かを判定し、カードユニット１５とスロットマシン１とが正常に接続されていることを条件にパチンコ球の貸出が行われるので、カードユニット１５とスロットマシン１が正常に接続されていないにも関わらずパチンコ球の貸出が行われてしまうことを防止できる。
【０３８５】
また、カードユニット１５とスロットマシン１とが接続されていない場合には、１ＢＥＴスイッチ５及びＭＡＸＢＥＴスイッチ６の操作の受付が無効化され、取込制御が禁止される。すなわち新たにゲームを行うために賭数を設定することが不可能となるので、ゲームを行うにあたってカードユニット１５とスロットマシン１の接続を担保することができる。
【０３８６】
また、取込制御の実行中にカードユニット１５との接続が断絶され、ＶＬを検出できない状態となった場合には、これら実行中の取込制御が終了した後、１ＢＥＴスイッチ５及びＭＡＸＢＥＴスイッチ６の操作の受付が（引き続き）無効化され、新たに賭数を設定するための取込制御が禁止されるので、取込制御の実行中にカードユニット１５との接続が断絶して当該取込制御が途中で遮られることにより制御が複雑化してしまうことを防止できる。
【０３８７】
また、本実施例では、最大賭数が設定されており、ゲームの開始条件が成立している場合には、カードユニット１５とスロットマシン１が正常に接続されているか否かに関わらず、その分についてのゲームを行うことは可能となるので、既にゲームを開始するのに必要な球数のパチンコ球が取り込まれているのにも関わらず、カードユニット１５とスロットマシン１の接続が断絶して、ゲームが開始できなくなってしまうことを防止できる。
【０３８８】
また、本実施例では、カードユニット１５とスロットマシン１が正常に接続されているか否かに関わらず、常に精算ボタン１０の操作を受け付けることで精算制御を行うことができるので、取り込まれたパチンコ球や取込装置１００内に残留するパチンコ球を返却させることができずに遊技者が不利益を被ってしまうことを防止できる。
【０３８９】
また、本実施例では、カードユニット１５とスロットマシン１が接続されていないと判定されたときに、その旨を示すエラーコードが遊技補助表示器１７ａに表示され、接続エラーが報知されるようになっており、カードユニット１５とスロットマシン１が接続されていない状態であることを外部から容易に認識できる。
【０３９０】
尚、本実施例では、接続エラーを遊技補助表示器１７ａにエラーコードを表示して報知しているが、その他の報知手段、例えば、液晶表示器５１や演出効果ＬＥＤ５２、スピーカ５３ａからの音声出力等を用いて報知しても良い。
【０３９１】
また、本実施例では、遊技の制御を行う遊技制御基板４０と払出及び貸出の制御を行う払出制御基板６０とが別個に設けられ、カードユニット１５と払出制御基板６０とが接続端子板７０を介して接続されているとともに、カードユニット１５から出力されるＶＬが払出制御基板６０のみに入力され、カードユニット１５とスロットマシン１とが接続されているか否かを払出制御基板６０に搭載された払出制御部６１が判定し、当該判定結果を示すカードユニット接続中信号が遊技制御基板４０に対して出力され、遊技制御基板４０に搭載された遊技制御部４１は、払出制御基板６０からカードユニット１５が接続されていない旨を示すカードユニット接続中信号のｏｆｆを検出することで、１ＢＥＴスイッチ５及びＭＡＸＢＥＴスイッチ６の操作の受付を無効化し、取込制御を禁止するようになっている。このため、遊技の制御を行う遊技制御基板４０がスロットマシン１外のカードユニット１５と直接接続せずに済むので、外部から不正な信号が遊技制御基板４０に入力されて遊技の制御に影響を与えてしまうことを防止できる。
【０３９２】
尚、本実施例では、カードユニット１５とスロットマシン１とが接続されているか否かを払出制御基板６０が搭載する払出制御部６１が判定し、当該判定結果を示すカードユニット接続中信号が遊技制御基板４０に対して出力されるようになっているが、カードユニット１５が正常に接続されている旨を示すカードユニット接続信号（ＶＬ）を、図６６に示すように、接続端子板７０や払出制御基板６０にて分岐して払出制御基板６０及び遊技制御基板４０の双方に入力する構成とし、払出制御基板６０が搭載する払出制御部６１及び遊技制御基板４０が搭載する遊技制御部４１がカードユニット１５とスロットマシン１とが接続されているか否かを各々判定し、払出制御部６１は、カードユニット１５とスロットマシン１とが接続されていると判定したことを条件に貸出要求に応じたパチンコ球の貸出を行い、遊技制御部４１は、カードユニット１５とスロットマシン１とが接続されていないと判定した場合に１ＢＥＴスイッチ５及びＭＡＸＢＥＴスイッチ６の操作の受付を無効化し、取込制御を禁止するようにしても良く、このようにすることで、遊技制御手段の制御負荷を分散して軽減できるうえに、遊技制御部４１と払出制御部６１の双方で、カードユニット１５が接続されているか否かを確実に判定することができる。また、この場合には、カードユニット１５が正常に接続されている旨を示す２系統のカードユニット接続信号が別個にカードユニット１５から出力され、一方の信号が遊技制御基板４０に入力され、他方の信号が払出制御基板６０に入力されるようにしても良い。
【０３９３】
また、本実施例では、球貸ボタン１９が検出されたことに伴い複数回にわたり繰返し貸出要求が行われるとともに、貸出動作の実行中に入賞が発生して払出要求を検出した場合に、当該貸出動作が終了した時点で再び貸出要求がおこなわれても、払出要求に基づく払出動作を貸出要求に基づく貸出動作よりも優先して実行し、当該払出動作が終了した後、貸出要求に基づく貸出動作を行うようになっており、速やかに次ゲームへ移行するため、ゲームを速やかに進行することができる。
【０３９４】
また、本実施例では、払出要求に基づく払出動作の実行中においてカードユニット１５により貸出要求が行われても、払出要求に基づく払出動作を優先し、当該払出動作が終了した後、貸出要求に基づく貸出動作が実行され、払出要求に基づく払出動作が貸出要求により中断されることがないため、より一層ゲームを速やかに進行することができる。
【０３９５】
また、本実施例のスロットマシン１では、遊技制御部４１から演出制御部９１に対して送信されるコマンドの送信タイミングが所定時間の範囲（２．２４〜３５．８４ｍｓ）でランダムに変化するため、演出制御部９１により遊技制御部４１から送信されるコマンドの受信タイミングに基づいて目押しの補助となるような演出が行われてしまうことを防止できるとともに、複数のコマンドが連続して送信される場合でも、各々のコマンドがその生成順、すなわち本来コマンドが送信されるべき順番にて送信されるため、演出制御部９１は遊技制御部４１の制御状態を正確な順番で把握して演出を行うことが可能であり、演出の順番に食い違いが生じることにより遊技者に違和感を与えてしまうことを防止できる。
【０３９６】
尚、本実施例では、２．２４〜３５．８４ｍｓの範囲でコマンドの送信タイミングが遅延されるようになっているが、少なくとも、その最大遅延時間がリール２Ｌ、２Ｃ、２Ｒの図柄が１図柄以上移動する時間を超えるものであれば良い。
【０３９７】
また、本実施例の遊技制御部４１では、電断割込処理またはタイマ割込処理（Ａ）、タイマ割込処理（Ｂ）のいずれかの割込処理の実行中に他の割込処理の割込が禁止されるので、タイマ割込処理（Ａ）やタイマ割込処理（Ｂ）の実行中に電圧低下信号を検出した場合、すなわち電断が検出された場合でも２重に割込が生じることがなく、遊技制御部４１の制御負荷が増大してしまったりデータの整合性がとれなくなってしまうことを防止できる。特に、コマンドの送信中に電断の検出による割込が生じて当該コマンドの送信が阻害されることなく、遊技制御部４１が停止する前に正常に送信を完了させることができる。
【０３９８】
また、電断割込処理の割込タイミングとタイマ割込処理（Ａ）やタイマ割込処理（Ｂ）の割込タイミングとが同時となった場合には、電断割込処理を優先して実行するとともに、タイマ割込処理（Ａ）やタイマ割込処理（Ｂ）の実行中に電断が検出された場合には、当該タイマ割込処理（Ａ）、タイマ割込処理（Ｂ）の終了を待って電源断割込処理が実行されるようになっており、多重割込を防止しつつも極力早い段階で電源断割込処理が行われるため、遊技制御部４１の駆動が停止する前に電源断割込処理を確実に行うことができる。
【０３９９】
また、本実施例では、遊技制御部４１からのコマンドに依存せずに定期的に演出制御部９１の制御状態がバックアップされるので、コマンドを遅延して送信する場合でも従来のように停電を示すコマンドの送信が遅延されることによって演出制御部９１のバックアップが行えなくなってしまうようなことがなく、演出制御部９１の制御状態のバックアップを確実に行うことができる。
【０４００】
また、本実施例では、遊技制御部４１がコマンドを送信した後、最低でも４．４８ｍｓの間、新たなコマンドの送信が禁止されるため、演出制御部９１がコマンドを確実に受信し、かつ受信したコマンドをバックアップするための時間を担保できる。尚、本実施例では、新たなコマンドの送信が禁止される時間として４．４８ｍｓが適用されているが、少なくとも演出制御部９１がコマンドを受信し、かつ受信したコマンドをバックアップするのに十分な時間であれば、４．４８ｍｓよりも短い時間（例えば、２．２４ｍｓ）を適用しても良い。
【０４０１】
また、本実施例では、電源監視用ＩＣ４７が監視する電圧と、遊技制御基板４０が搭載する各種デバイス、遊技制御基板４０に接続された電気部品、演出制御基板９０が搭載する各種デバイス、演出制御基板９０に接続された電気部品を駆動させるための電源電圧と、が別個に設けられた電圧生成回路にて生成されるようになっており、これら電気部品の駆動状況により下降し易い電源電圧に比較して安定した電圧が電源監視用ＩＣ４７により監視されるので、一時的な電圧降下に伴って電源断の発生が判別され、後述の電源断割込処理が行われてしまう等の誤動作を防止できる。
【０４０２】
また、本実施例では、演出制御部９１の電源電圧｛＋５Ｖ（ＶＣＣ）｝の元となる＋１２Ｖ（ＶＣＣ）が、停電時においても電源基板１６３に搭載されたコンデンサ３０９によって電圧の降下が遅延され、少なくとも停電時にタイマ割込処理（Ａ）において送信されたコマンドを確実に受信するのに十分な時間（本実施例では２０ｍｓ）が経過するまで、演出制御部９１を駆動させることが可能な電圧（＋７Ｖ）が維持されるようになっており、コマンドの送信中に電源断が検出された場合でも、演出制御部９１は、電源断の検出時に送信されたコマンドを駆動が停止する前に確実に受信することができるとともに、演出制御部９１がバックアップを実行する間隔よりも長く、演出制御部９１を駆動させることが可能な電圧（＋７Ｖ）が維持されるので受信したコマンドを確実にバックアップすることもできる。
【０４０３】
以上、本発明の実施例を図面に基づいて説明してきたが、本発明はこの実施例に限定されるものではなく、本発明の主旨を逸脱しない範囲における変更や追加があっても本発明に含まれることは言うまでもない。
【０４０４】
例えば、前記実施例では、遊技の制御を行う遊技制御基板４０と払出及び貸出の制御を行う払出制御基板６０とを別個に設けているが、遊技制御基板４０側で全ての制御を行うようにしても良い。また、払出制御基板６０側で取込の制御を行ったり、別個に取込制御用の基板を設けて、当該基板が取込の制御を行うようにしても良い。
【０４０５】
また、前記実施例では、払出制御基板６０とカードユニット１５とを接続端子板７０を介して接続しているが、遊技制御基板４０に搭載された遊技制御部４１が遊技の制御に加えて払出及び貸出の制御を行う構成とし、遊技制御基板４０とカードユニット１５とが直接、または接続端子板７０等を介して接続されるようにしても良い。
【０４０６】
また、前記実施例では、遊技制御基板４０と払出制御基板６０や演出制御基板９０とを直接接続しているが、中継基板等を介して接続するようにしても良い。特に、演出制御基板９０と接続する際に中継基板を介して接続することで、遊技制御基板４０と演出制御基板９０との配線接続が容易になるとともに、演出制御基板９０から遊技制御基板４０に対して不正な信号等が直接入力されることを抑制することができる。
【０４０７】
また、前記実施例では、遊技制御部４１が球数信号が示す値を未払出球数に更新した状態で、払出要求信号をｏｎとすることで、払出制御部６１に対して未払出球数分の払出要求を行っている、すなわち本発明における払出要求信号をパラレル信号にて出力しているが、シリアル信号により未払出球数分の払出要求を出力するようにしても良い。また、遊技制御部４１が球数信号が示す値を未精算球数に更新した状態で、精算要求信号をｏｎとすることで、払出制御部６１に対して未精算球数分の精算要求を行っているが、同様にシリアル信号により未精算球数分の精算要求を出力するようにしても良い。
【０４０８】
また、前記実施例では、払出制御部６１が動作中信号をｏｎとすることで、払出要求（精算要求）に基づく払出動作（払出制御）の開始を遊技制御部４１に対して通知し、払出動作を行っている間、動作中信号のｏｎを継続することで、払出動作（払出制御）中である旨を遊技制御部４１に対して通知し、動作中信号をｏｆｆとすることで、払出動作（払出制御）が終了した旨を遊技制御部４１に対して通知している。すなわち本発明における払出制御開始信号、払出制御中信号、払出制御終了信号を、１種類のパルス信号にて出力しているが、各信号に対応するパルス信号を別個に出力するようにしても良いし、これら各信号をパラレル信号にて出力するようにしても良い。更に、これら各信号をシリアル信号にて出力するようにしても良く、例えば、払出動作（払出制御）が開始したときに、払出動作（払出制御）が開始した旨を示す情報をシリアル信号にて送信し、払出動作（払出制御）中においては定期的に払出動作（払出制御）中である旨を示す情報をシリアル信号にて送信し、払出動作（払出制御）が終了したときに、払出動作（払出制御）が終了した旨を示す情報をシリアル信号にて送信するようにしても良い。
【０４０９】
また、前記実施例では、記憶媒体として有価価値が記憶されたプリペイドカードを受け付けて、受け付けたプリペイドカードから読み出された有価価値を用いてパチンコ球の貸出を遊技機に行わせるカードユニット１５を貸出装置として適用しているが、例えば、貨幣を受け付けて、受け付けた貨幣金額に基づく有価価値を装置内に設けられた記憶媒体（例えば、遊技者が取り出せないように内封された記録媒体やＲＡＭ等の貸出装置が内蔵するメモリ）に記憶し、この装置内の記憶媒体に記憶された有価価値を用いてパチンコ球の貸出を遊技機に行わせる貸出装置を適用しても良い。
【０４１０】
また、前記実施例では、遊技機としてスロットマシンを適用しているが、遊技球を取込装置により取り込むことでゲームを行う遊技機であれば、その種類に関わらず適用可能であり、例えば所定数の遊技媒体を遊技領域に打ち込むことでゲームを行う雀球遊技機やアレンジボール遊技機等にも適用可能である。この場合、ゲームに先立って遊技領域に打ち込むための遊技媒体の付与を受けるために、取込装置により遊技球を取り込むものであれば良い。尚、遊技領域に打ち込まれる遊技媒体は、取込装置により取り込まれた遊技球でも良いし、取込装置により取り込まれた遊技球とは別に用意された打ち込み用の遊技媒体であっても良い。
【０４１１】
以上、本実施例のスロットマシン１の制御内容について説明してきたが、次に、スロットマシン１の構造について詳細に説明していく。スロットマシン１は、前述したように外枠２５と枠基体２６とから主に構成されているので、まずは外枠２５について説明する。図６７（ａ）は外枠２５を斜め左前方から見た斜視図であり、（ｂ）は外枠２５を斜め右後方から見た斜視図であり、図６８は枠基体２６の外枠２５への取り付け状態を示す要部概略図であり、図６９（ａ）、（ｂ）はステーの取り付け状態を示す図であり、図７０（ａ）は枠基体２６の開状態を示す概略図であり、（ｂ）は枠基体２６の閉状態を示す概略図である。
【０４１２】
（３）外枠
図６７に示される外枠２５は、スロットマシン１の本体を構成する枠基体２６を、例えば遊技場に設置される遊技機設置島（図示略）に設置固定するための枠であり、細長板状のベニヤ合板を縦長の長方形枠に組み付けることにより形成されるとともに、各種金具が取り付けられている。
【０４１３】
（３−１）外枠の構造
外枠２５は、上下の横杆２５０ａ、２５０ｂと、これら横杆２５０ａ、２５０ｂの左右端部間に配置される左右の縦杆２５０ｃ、２５０ｄと、下部の横杆２５０ｂの前面側に配置される合成樹脂材からなる幕板２５１と、から主に構成されている。なお、枠基体２６は、開閉時において、図示しない遊技機設置島に形成される繕板（図示略）上に配置される球箱（図示略）と干渉することがないように、この幕板２５１の上方位置にて開閉自在に取り付けられている。
【０４１４】
上下の横杆２５０ａ、２５０ｂの左側端部には、金属製の外枠ヒンジ部材２５２、２５３がそれぞれ固定されており、これら固定側ヒンジ部材２５２、２５３に対して、枠基体２６の左側上下部にそれぞれ設けられた金属製の可動側ヒンジ部材２５４、２５５（図６８及び図７７参照）が回動、かつ、左右方向に摺動自在に連結されるとともに、可動側ヒンジ部材２５４、２５５に一端が枢着されたリンク２５６、２５７の他端が固定側ヒンジ部材２５２、２５３に連結されるようになっている。すなわち、これら固定側ヒンジ部材２５２、２５３、可動側ヒンジ部材２５４、２５５、リンク２５６、２５７にてヒンジ装置が構成されている。また、右側の縦杆２５０ｄの内面上下所定高さ位置には、枠基体２６が閉位置に位置したときに、枠基体２６の錠前付き補強枠２２７が係止される後向きに屈曲する枠基体係止部２５８ａ、２５８ｂが取り付けられている。
【０４１５】
なお、上下の固定側ヒンジ部材２５２、２５３及び可動側ヒンジ部材２５４、２５５はほぼ同一に形成されているため、図６８〜図７０においては、上部の固定側ヒンジ部材２５２及び可動側ヒンジ部材２５４の構造のみを記載しており、下部の固定側ヒンジ部材２５３及び可動側ヒンジ部材２５５の構造に関しては、説明において符号を付すことにより、その詳細な図示は省略する。
【０４１６】
固定側ヒンジ部材２５２、２５３における前端部には、図６７及び図６８に示されるように、可動側ヒンジ部材２５４、２５５に設けられる上下方向を向く支軸２５４ａ、２５５ａが摺動自在に嵌合される左右方向を向くガイド溝２５２ａ、２５３ａが、互いに向き合うように設けられている。
【０４１７】
上部の固定側ヒンジ部材２５２の下面前端部に設けられたガイド溝２５２ａの内側端部は、特に図６８に示されるように、支軸２５４ａを側方から挿入可能に開口されている。ガイド溝２５２ａの端部開口の一端側には、後述する支軸規制部材２５９の回転時において当接規制部２５９ａとの干渉を回避するための切欠部２５２ｄが形成されているとともに、他端側には傾斜面２５２ｅが形成されている。また、ガイド溝２５２ａの端部開口の内側近傍には、支軸２５４ａに当接して該支軸２５４ａのガイド溝２５２ａからの逸脱を規制する当接規制凸部２５９ａと、支軸２５４ａをガイド溝２５２ａに挿入またはガイド溝２５２ａから逸脱自在にガイドするガイド面２５９ｂと、操作片２５９ｃと、を有する支軸規制部材２５９が、上下方向を向く軸部材２５９ｄを介して回動自在に枢支されている。なお、この支軸規制部材２５９は、図示しないバネ等の付勢手段により、支軸２５４ａのガイド溝２５２ａからの逸脱を規制する規制位置に位置するように常時付勢されており、操作片２５９ｃを介して付勢手段による付勢に抗して支軸規制部材２５９を回転させることにより、ガイド面２５９ｂをガイド溝２５２ａの端部近傍に位置させてガイド溝２５２ａの端部を開口させることができるようになっている。なお、支軸規制部材２５９は、回転されてガイド溝２５２ａの端部を開口したときに、図６８に示されるように、当接規制部２５９ａが切欠部２５２ｄの内面と当接して回転規制されるようになっている。
【０４１８】
また、図６９に示されるように、固定側ヒンジ部材２５２、２５３の内側端部には、リンク２５６、２５７の先端に設けられた取付軸２５６ａ、２５７ａが挿入される取付穴２５２ｂ、２５３ｂが形成されているとともに、この取付穴２５２ｂ、２５３ｂの周囲には、取付軸２５６ａ、２５７ａの先端に貫通された横方向を向く回り止めピン２５６ｂ、２５７ｂの回転を規制するための凸部２５２ｃ、２５３ｃが、取付穴２５２ｂ、２５３ｂの中心点を中心とする同心円上に９０度間隔おきに形成されている。また、図６９に示されるように、取付穴２５２ｂ、２５３ｂは円形状に形成されているとともに、回り止めピン２５６ｂ、２５７ｂを挿通可能とする凹部２５２ｄ、２５３ｄが、中心点を挟んで対向配置されている。
【０４１９】
取付軸２５６ａ、２５７ａは、リンク２５６、２５７の先端に、軸心方向に摺動自在、かつ、軸心回りに回動自在に挿通されており、回り止めピン２５６ｂ、２５７ｂと後端の頭部２５６ｃ、２５７ｃとにより逸脱不能とされている。頭部２５６ｃ、２５７ｃとリンク２５６、２５７との間にはコイルバネ２５６ｄ、２５７ｄが環装されており、取付軸２５６ａ、２５７ａの先端をリンク２５６、２５７から退避させる方向に向けて常時付勢している。また、リンク２５６、２５７の基端は、可動側ヒンジ部材２５４、２５５における支軸２５４ａ、２５５ａよりも内側の所定箇所に、軸部材２５４ｂ、２５５ｂを介して枢着されている。
【０４２０】
（３−２）枠基体の取り付け構造
ここで、図６８、図６９に基づいて、外枠２５に対する枠基体２６の取り付け、取り外し方法を簡単に説明すると、枠基体２６を外枠２５に取り付ける場合、まず下部の支軸２５５ａを下部のガイド溝２５３ａ内に嵌合した後、図６８に示されるように操作片２５９ｃを操作して支軸規制部材２５９を回転してガイド溝２５２ａの端部を開口し、上部の支軸２５４ａをガイド面２５９ｂと傾斜面２５２ｅとの間に形成される通路に沿って移動してガイド溝２５２ａ内に挿入する。
【０４２１】
次いで、図６９（ａ）に示されるように、頭部２５６ｃ、２５７ｃを押圧することによりリンク２５６、２５７から突出させた取付軸２５６ａ、２５７ａを、回り止めピン２５６ｂ、２５７ｂを凹部２５２ｄ、２５３ｄに合致させた状態で、取付穴２５２ｂ、２５３ｂ内にそれぞれ挿通する。その後、頭部２５６ｃ、２５７ｃを回転させて回り止めピン２５６ｂ、２５７ｂを凹部２５２ｄ、２５３ｄに対して直交させる。これにより、取付軸２５６ａ、２５７ａが回り止めピン２５６ｂ、２５７ｂにて取付穴２５２ｂ、２５３ｂから逸脱不能に係止されるとともに、回り止めピン２５６ｂ、２５７ｂの回転がその両側に位置する２つの凸部２５２ｃ、２５３ｃにて規制され、リンク２５６、２５７の先端が固定側ヒンジ部材２５２、２５３に枢着される。
【０４２２】
（３−３）枠基体の開閉状態
次に、外枠２５に対して枠基体２６を開閉する際の状態を、図７０に基づいて説明すると、枠基体２６が最大開放位置にあるときは、図７０（ａ）中実線で示されるように、支軸２５４ａは支軸規制部材２５９の当接規制凸部２５９ａに当接され、下部の支軸２５５ａはガイド溝２５３ａの内側端部に当接規制される。この状態から枠基体２６を図７０（ｂ）に示される閉鎖位置まで回動させると、図７０（ａ）中２点鎖線で示されるように、支軸２５４ｂ、２５５ｂを中心として回動支軸２５４ａ、２５５ａがガイド溝２５２ａ、２５３ａ内を外側に向けて摺動するとともに、リンク２５６、２５７は取付穴２５２ｂ、２５３ｂを中心として外枠２５側に向けて揺動する。これにより枠基体２６は、左側端部が左側に移動しながら回動し、上下の支軸２５４ａ、２５５ａがガイド溝２５２ａ、２５３ａの左側端部まで位置したとき、図７０（ｂ）に示されるように、外枠２５の前面開口を閉鎖する閉鎖位置に位置する。
【０４２３】
このように枠基体２６は、外枠２５に対して開閉する際において、支軸２５４ａ、２５５ａ側の端部が左右に移動しながら回動するため、外枠２５の左右幅内から大きくはみ出すことがないようにコンパクトに開閉でき、これにより枠基体２６の背面側に、リール収容凹部３０ａや各種装置が膨出するように取り付けられていても、外枠２５に干渉することなく開放させることができるばかりか、開放時において、当該スロットマシン１の左右に並設される他のスロットマシンや遊技者の邪魔になることなく開閉できる。
【０４２４】
（４）枠基体の分離構造
次に、枠基体２６の分離構造について、図７１〜図７４に基づいて説明する。図７１は枠基体２６を示す分解斜視図であり、図７２は本体枠２７へのリールユニット３０及び上部前面扉の取り付け状態を示す分解斜視図であり、図７３は本体枠２７に対するリールユニット３０の取り付け状態を示す概略断面図であり、図７４は各部の係止状態を示す概略側面図である。
【０４２５】
（４−１）枠基体の構造
枠基体２６は、図７１に示されるように、本体枠２７と、該本体枠２７の前面上部に対して分離自在に取り付けられる分離ユニット２２０と、本体枠２７の前面下部に一側端が枢着される下部前面扉２９と、から主に構成される。分離ユニット２２０は、リール２Ｌ、２Ｃ、２Ｒが取り付けられるリールニット３０及び該リールユニット３０の一側端に連動蝶番２３２ａ、２３２ｂを介して枢着される上部前面扉２８にて構成される。リールユニット３０は、リール２Ｌ、２Ｃ、２Ｒを収容するリール収容凹部３０ａが背面側に膨出するように凹設されたリールユニット枠５５０と、該リール収容凹部３０ａ内に収容されるリール２Ｌ、２Ｃ、２Ｒとから構成される。上部前面扉２８は、リールユニット枠５５０の左側端に開閉自在に枢着された透視窓枠２２２と、該透視窓枠２２２の前面を被覆する遊技パネル２４と、該遊技パネル２４の前面周囲を装飾する装飾枠２２４と、から構成される。
【０４２６】
本体枠２７の前面上部には、リールユニット３０を設置するためのリールユニット設置部２２５が凹設されているとともに、該リールユニット設置部２２５の背面には、リール収容凹部３０ａを嵌合可能なリール用開口部２２６が形成されており、リール用開口部２２６からリール収容凹部３０ａを背面側に突出させた状態でリールユニット３０をリールユニット設置部２２５に設置できるようになっている。リールユニット設置部２２５に設置されたリールユニット３０は、本体枠２７の前面におけるリール用開口部２２６の左右側辺部に沿って設けられる上下方向を向くリールユニット固定金具２３１Ｌ、２３１Ｒ、２３１Ｈにて本体枠２７に固定できるようになっている。
【０４２７】
また、本体枠２７の前面右側には、本体枠２７の背面側に取り付けられた錠前付き補強枠２２７から前向きに設けられた透視窓枠係止片２２８ａ、２２８ｂが、係止片挿通口２２９ａ、２２９ｂを挿通して前面側に臨むように設けられており、該透視窓枠係止片２２８ａ、２２８ｂにより透視窓枠２２２を閉鎖位置にて係止できるようになっている。
【０４２８】
透視窓枠２２２は、後方のリール２Ｌ、２Ｃ、２Ｒを前方から透視可能とするための透視用開口２３０が形成されており、その透視用開口２３０の周囲には、液晶表示器５１ａや、各種ＬＥＤ７７ａ〜８３ａ及び各種表示器１６ａ、１７ａが前面に臨むように配設されている。また、透視窓枠２２２の前面には、背面に機種固有の装飾や透視窓３が印刷された透明なアクリルパネルからなる遊技パネル２４が前面側から取り付けられるようになっており、該遊技パネル２４により、透視用開口２３０及び液晶表示器５１ａ、各種ＬＥＤ７７ａ〜８３ａ及び各種表示器１６ａ、１７ａの前面が被覆されるようになっている。さらに遊技パネル２４の前面には、各種ＬＥＤ７１ａ、７２Ｌａ、７２Ｒａ、７４ａ、７５ａ等が内蔵された装飾枠２２４が取り付けられるようになっている。
【０４２９】
（４−２）分離ユニットの取り付け、取り外し
このように、リールユニット３０及び上部前面扉２８からなる分離ユニット２２０は、図７２に示されるように、本体枠２７の前面上部に設けられたリールユニット設置部２２５に、リールユニット３０を前面側から嵌め込むように設置する。詳しくは、リールユニット３０をリールユニット設置部２２５に設置する際には、図７３に示されるように、リールユニット３０の下端を、リールユニット設置部２２５の底面２２５ａ上に載置し、該下端を中心としてリールユニット３０の上端を背面側に向けて押し込むようにして設置することができるため、重量物であるリールユニット３０を容易に設置できる。
【０４３０】
なお、底面２２５ａの左右端前部には、後述するストッパ部材２３３Ｒ（２３３Ｌ）が取り付けられており、設置時におけるリールユニット３０下端の底面２２５ａからの落下が防止されるようになっている。また、ストッパ部材２３３Ｒの背面側上部にはテーパ面２３３ａが形成されており、リールユニット３０の下端が上方から差し込みやすくなっている。
【０４３１】
次いで、設置後においては、リールユニット固定金具２３１Ｌ、２３１Ｒ、２３１Ｈにてリールユニット３０を固定することで、該リールユニット３０と連動蝶番２３２ａ、２３２ｂを介して一体化された上部前面扉２８を含む分離ユニット２２０が本体枠２７に固定されることになる。また、本体枠２７から分離ユニット２２０を取り外す際には、リールユニット固定金具２３１Ｌ、２３１Ｒ、２３１Ｈによるリールユニット３０の固定を解除し、分離ユニット２２０を前方に引き出すことで、本体枠２７から簡単に分離して取り外すことができる。
【０４３２】
（４−３）枠基体の係止構造
次に、枠基体２６の係止構造を、図７４に基づいて説明すると、まず、枠基体２６は、外枠２５の前面開口を閉鎖する閉鎖位置に位置したときに、本体枠２７の背面に設けられた錠前付き補強枠２２７から後向きに突設された枠基体係止片２３４ａ、２３４ｂが、外枠２５の枠基体係止部２５８ａ、２５８ｂに係止されることで、外枠２５に対する開放が防止される。上部前面扉２８は、本体枠２７の前面上部を被覆する被覆位置に位置したときに、本体枠２７の背面に設けられた錠前付き補強枠２２７から前向きに突設された透視窓枠係止片２２８ａ、２２８ｂが、透視窓枠２２２の背面左側に取り付けられた補強板１２７５Ｒに形成された被係止片１２７５ａ、１２７５ｂに係止されることで、本体枠２７に対する開放が防止される。
【０４３３】
なお、枠基体係止片２３４ａ、２３４ｂと枠基体係止部２５８ａ、２５８ｂとの係止状態は、施錠装置２３の鍵穴２３ａに差し込んだ遊技場所有のキーを反時計回りに回動させることで解除され、これにより外枠２５に対して枠基体２６を開放できる。また、透視窓枠係止片２２８ａ、２２８ｂと透視窓枠係合穴２３５ａ、２３５ｂとの係止状態は、施錠装置２３の鍵穴２３ａに差し込んだ遊技場所有のキーを時計回りに回動させることで解除され、これにより本体枠２７に対して上部前面扉２８を開放できる。
【０４３４】
また、下部前面扉２９は、本体枠２７の前面下部を被覆する被覆位置に位置したときに、下部前面扉２９の背面側に設けられた係止部材２３６から後向きに突設された係止片２３６ａ、２３６ｂが、本体枠２７の前面下部に取り付けられた被係止部材２３７にそれぞれ係止されることで、本体枠２７に対する開放が防止される。係止片２３６ａ、２３６ｂと被係止部材２３７との係止状態は、係止部材２３６の上端に設けられた操作片２３６ｃを把持して係止部材２３６を下方に押し込むことで解除され、これにより本体枠２７に対して下部前面扉２９を開放できる。なお、係止部材２３６の上端に設けられた操作片２３６ｃは、図７４中の拡大図に示されるように、本体枠２７の前面と下部前面扉の背面との間に配置され、上部前面扉２８を本体枠２７に対して開放したときに外部から操作可能に露呈するようになっている。なお、図７４中の拡大図は、全体の概略側面図における施錠装置２３の配置位置付近を拡大した状態を示すものであるが、図面上において施錠装置２３は省略している。
【０４３５】
下部前面扉２９の背面上部には、上端に前向きの折り曲げ片２３９ａが形成されたパネル受け板金２３９が取り付けられているとともに、上部前面扉２８の背面下部には、下端に後向きの折り曲げ片２３８ａが形成されたパネル受け板金２３８が取り付けられている。これら折り曲げ片２３９ａ、２３８ａは、図７４中の拡大図に示されるように、本体枠２７の前面下部を被覆する被覆位置に下部前面扉２９が位置した状態において互いに係止され、下部前面扉２９の開放が上部前面扉２８にて規制されるようになっている。
【０４３６】
このように、上部前面扉２８を所定のキー操作にて開放し、操作片２３６ｃの操作が可能な状態としない限り、係止片２３６ａ、２３６ｂと被係止部材２３７との係止状態を解除することはできないため、上部前面扉２８が閉鎖位置に位置している状態で下部前面扉２９を本体枠２７に対して開放することはできない。
【０４３７】
（５）本体枠の前面
本体枠２７の前面側には、図７６及び図７７に示されるように、分離ユニット２２０の一部を構成するリールユニット３０と、下皿受部３１０を構成する下皿カバー本体３２１と、各種部品や部材等が取り付けられる。以下、本体枠２７に取り付けられる各種部品や部材等について図面を参照して説明する。図７５は本体枠２７を示す正面図であり、図７６及び図７７は本体枠に取り付けられるユニット及び各種部品や部材を示す分解斜視図である。
【０４３８】
なお、以下に説明する全ての分解斜視図において、各種部材を止着するためのネジと該ネジが螺入されるネジ穴とを結ぶ引き出し線（１点鎖線）は、原則として、１つの部材に対して少なくとも１つのネジの引き出し線は完全に記載することとし、他の一部のネジの引き出し線は、図面上、途中で省略している場合があるが、これらのネジは引き出し線が省略されていても、該引き出し線の延長線上に位置するネジ穴に螺入されるものとする。
【０４３９】
（５−１）本体枠
本体枠２７は、図７５に示されるように、合成樹脂によって一体的に成形されているものであり、その中央よりやや上部には、リールユニット３０を設置するための凹状のリールユニット設置部２２５が後向きに膨出するように形成されているとともに、該リールユニット設置部２２５の後壁にはリール用開口部２２６が開設されている。また、本体枠２７の左側上下端部には、可動側ヒンジ部材２５４、２５５を取り付けるためのヒンジ取付部３２０ａ、３２０ｂが形成されているとともに、下部には、スピーカ５３ａを取り付けるためのスピーカ取付穴３２３や、下皿受部３１を構成する下皿カバー本体３２１が取り付けられる下皿取付部３２２が形成されている。
【０４４０】
左側上端部には、装飾部材３２５を止着するためのネジＮ１が背面側から取り付けられるネジ取付穴３２４が形成されているとともに、その上下には位置決め凸部３２４ａ、３２４ａが突設されている。上部のヒンジ取付部３２０ａには、可動側ヒンジ部材２５４を止着するためのネジＮ２が螺入されるネジ孔３２６が左右側２箇所に形成されているとともに、左右のネジ孔３２６、３２６の間には、リールユニット固定金具２３１Ｈを止着するためのネジＮ３が螺入されるネジ孔３２７が２箇所に形成されているとともに、位置決め用ボス３３４が形成されている。右側上部には、背面側に設けられる上部前面扉開放スイッチ１１３を挿通して前面側に臨ませるための開放スイッチ挿通穴３２８が突設されている。
【０４４１】
ヒンジ取付部３２０ａの下方には、上皿ＬＥＤ中継上基板１３３を取り付けるための取付用ボス３２９が２箇所に突設されているとともに、その下方には、賞球球切れＬＥＤ中継基板１３４を取り付けるための取付用ボス３３０が２箇所に突設されている。また、図中左側の取付用ボス３３０の上部には、賞球中継基板カバー３３１を止着するためのネジＮ４が螺入されるネジ孔３３２が形成されている。なお、３３２ａは予備用の予備ネジ穴である。また、これら取付用ボス３２９、３３０の左右側及び下側には、賞球中継基板カバー３３１に形成される後向きの係止片３３１ａ（図７７参照）が係止される係止片挿通穴３３３が形成されている。
【０４４２】
リール用開口部２２６の左右側には、先端にリールユニット固定金具２３１Ｌ、２３１Ｒを止着するためのネジＮ５が螺入されるネジ孔２４０ａ及び予備ネジ穴２４０ｂを有する前向きの固定金具取付用ボス２４０Ｌ、２４０Ｒが、上下方向に向けて３箇所に形成されているとともに、上下の固定金具取付用ボス２４０Ｌ、２４０Ｒには、先端に位置決め用凸部を有する前向きの位置決め用ボス２４１Ｌ、２４１Ｒが連設されている。また、これら固定金具取付用ボス２４０Ｌ、２４０Ｒの上方及び下方位置には、リールユニット固定金具２３１Ｌ、２３１Ｒの上下端を止着するためのネジＮ６が螺入されるネジ孔２４２Ｌ、２４２Ｒがそれぞれ形成されている。
【０４４３】
リール用開口部２２６の下辺上面には、リールユニット設置部２２５に設置されたリールユニット３０の下面所定箇所に当接する前後方向を向く３本のリブからなる当接片２４３が突設されている。また、リール用開口部２２６の右側には、背面側に形成される配線用フック２４４を形成するための係止片成形用穴２４４ａが上下２箇所に形成されているとともに、さらにその右側には、前述した係止片挿通口２２９ａ、２２９ｂが上下に形成されている。
【０４４４】
下部の係止片挿通口２２９ｂの下方には、背面側に設けられる施錠装置２３のシリンダ錠を挿通して前面側に臨ませるための錠前挿通穴２４５が形成されているとともに、該錠前挿通穴２４５の周囲には、その前面を装飾するとともに、中心に錠前挿通穴２４６ａが形成された錠前飾り２４６を背面側から止着するためのネジＮ７が螺入されるネジ孔２４７と、錠前飾り２４６に形成される係止片２４６ｂが挿通される係止片挿通穴２４８と、位置決め用の位置決め用ボス２４９と、がそれぞれ２個ずつ形成されている。
【０４４５】
錠前挿通穴２４５の左側には、右側のストッパ部材２３３Ｒを前面側から止着するためのネジＮ８が螺入されるネジ穴２７０が上下２箇所に形成されている。また、その下方には、前述した被係止部材２３７を前面側から止着するためのネジＮ９が螺入されるネジ穴２７１が上下２箇所に形成されているとともに、これら上下のネジ穴２７１間には、位置決め用の位置決め用ボス２７２が上下２箇所に突設されている。
【０４４６】
リールユニット設置部２２５の下方には、周辺コマンド中継基板１６４、周辺電源中継基板１６５、前板下中継基板１６６が取り付けられる中継基板取付枠２７３が形成されており、中継基板取付枠２７３には、周辺コマンド中継基板１６４を取り付けるための取付用ボス２７４、周辺電源中継基板１６５を取り付けるための取付用ボス２７５、周辺電源中継基板１６５を取り付けるための取付用ボス２７６がそれぞれ２個ずつ突設されているとともに、各取付部には、各基板１６４、１６５、１６６をそれぞれ前面側から止着するためのネジＮ１０、１１、１２が螺入されるネジ穴２７７、２７８、２７９がそれぞれ形成されている。なお、これらのうちネジＮ１０、１２に関しては、中継基板カバー２８０の前面に配線を押さえるためのワイヤラグＷをそれぞれ環装した状態で、これら３つの基板１６４、１６５、１６６の前面を被覆する中継基板カバー２８０の前面側から挿通されるようになっている。また、中継基板取付枠２７３の上下辺左右端部には、中継基板カバー２８０に形成される後向きの係止片２８０ａが挿通される係止片挿通穴２８１がそれぞれ形成されている。
【０４４７】
中継基板取付枠２７３の左右側近傍には、上向きの配線用フック２８２と、下向きの配線用フック２８３がそれぞれ形成されている。配線用フック２８２の左側には、当該本体枠２７の前面側と背面側との間でケーブル等を配線するための配線挿通口２８４が形成されているとともに、配線挿通口２８４の上方には、ワイヤラグＷを止着するためのネジＮ２８が螺入されるネジ穴２９８が形成されている。
【０４４８】
配線挿通口２８４の左側には、背面側に設けられる払出球誘導通路２０８ａと前面側に設けられる上皿１２とを連通するための球連通路２８５ｂが形成されているとともに、該球連通路２８５ｂの下方には、球連通路２８５ｂの前端と上皿１２との間から落下したパチンコ球を受け入れるための落下球受皿２８６が、球連通路２８５ｂの前端よりも前方に張り出すように突設されている。
【０４４９】
連通路２８５の左側には、配線押さえ２８７を前面側から止着するためのネジＮ１３が螺入されるネジ穴２８８が形成されているとともに、さらにその左側には、ストッパ部材２３３Ｌを前面側から止着するためのネジＮ１４が螺入されるネジ穴２８９が上下２箇所に形成されている。ネジ穴２８９の下方には、下部前面扉２９を回動自在に枢着するためのヒンジ金具２９０が取り付けられるヒンジ金具取付部２９１が形成されている。ヒンジ金具２９０の上端には、後述するヒンジ金具１０４０の枢軸１０４１上部が挿通される軸受穴２９０ｂが形成されているとともに、下端にはヒンジ金具１０４０の軸受穴１０４０ａに挿通される上向きの枢軸２９０ａが形成されている。ヒンジ金具取付部２９１には、ヒンジ金具２９０を前面側から止着するためのネジＮ１６が螺入されるネジ穴２９２が上下端部にそれぞれ３箇所ずつ形成されているとともに、上下のネジ穴２９２の下方には、位置決め用ボス２９７が上下に２箇所ずつ形成されている。また、ヒンジ金具取付部２９１の上部には、ヒンジ金具カバー２９３を背面側から止着するためのネジＮ１５が取り付けられるネジ取付穴２９４が形成されているとともに、ヒンジ金具カバー２９３に形成された後向きの係止片（図示略）が挿通される係止片挿通穴２９５及び位置決め用ボス２９３ａが嵌合される位置決め用穴２９６が形成されている。
【０４５０】
ヒンジ金具取付部２９１とスピーカ取付穴との間には、上皿ＬＥＤ中継下基板１３２及び残高表示中継基板１３７が取り付けられる中継基板取付枠３３５と、その下方に配置される配線挿通口３３６と、が形成されている。中継基板取付枠３３５には、上皿ＬＥＤ中継下基板１３２を取り付けるための取付用ボス３３７が３箇所に形成されているとともに、残高表示中継基板１３７を取り付けるための取付用ボス３３８が２箇所に形成されている。また、左右辺部には、上皿ＬＥＤ中継下基板１３２及び残高表示中継基板１３７の前面を被覆する中継基板カバー３４１に形成された係止片３４１ａが挿通される係止片挿通穴３３９が形成されているとともに、左辺部には、中継基板カバー３４１の前面側から挿通され、残高表示中継基板１３７を止着するためのネジＮ１７が螺入されるネジ穴３４０が形成されている。
【０４５１】
スピーカ取付穴３２３の周囲には、スピーカ５３ａ及び該スピーカ５３ａの前面をカバーするスピーカカバー３４２を前面側から止着するためのネジＮ１８が螺入されるネジ穴３４３が４箇所に形成されているとともに、スピーカ取付穴３２３の上部には、上向きの配線用フック３４４が２箇所に形成されている。
【０４５２】
スピーカ取付穴３２３の右側には、キースイッチ基板１３８を収容するキースイッチ基板収容ケース３４５を収容するためのキースイッチ基板収容ケース収容穴３５０が形成されている。キースイッチ基板収容ケース３４５は、ケース本体３４６と該ケース本体３４６の前面を被覆するケースカバー３４７とから構成されており、これらケース本体３４６とケースカバー３４７とは、ケースカバー３４７の背面側から挿通されるネジＮ１９にて閉鎖できるようになっている。
【０４５３】
収容されたキースイッチ基板１３８から延出される配線は、ケース本体３４６に形成された配線挿通口３４７ａを介して背面側に引き出し、背面側に配置される電源基板１６３に接続できるようになっている。また、ケースカバー３４７の前面には、キースイッチ基板１３８の上面に搭載された設定キースイッチ３６、設定スイッチ３７、打ち止めスイッチ３９のスイッチ部をケースカバー３４７の前面にそれぞれ臨ませるための開口３４７ａ、３４７ｂ、３４７ｃが形成されている。
【０４５４】
ケース本体３４６の上辺部には凹部３４６ｂが凹設されているとともに、ケースカバー３４７の上辺部における凹部３４６ｂに対応する箇所には、ケースカバーの前壁３４７ｅを残して凹部３４７ｄが凹設されており、キースイッチ基板収容ケース３４５をキースイッチ基板収容ケース収容穴３５０の前側から挿入したときに、キースイッチ基板収容ケース収容穴３５０の内周上部所定箇所から垂設された取付片３５０ａが前記凹部３４６ｂ、３４７ｄ内に嵌合され、前壁３４７ｅの後面が取付片３５０ａの前面と当接することにより位置決めされるようになっている。
【０４５５】
また、取付片３５０ａには、前壁３４７ｅに挿通され、キースイッチ基板収容ケース３４５を前方側から止着するためのネジＮ２０が螺入されるネジ穴３５１が形成されており、該ネジＮ２０をネジ穴３５１内に螺入することにより、キースイッチ基板収容ケース３４５をキースイッチ基板収容ケース収容穴３５０の内部に取り付けできるようになっている。
【０４５６】
本体枠２７におけるキースイッチ基板収容ケース収容穴３５０の左側には、設定基板カバー３４８の左側上下端部に設けられた下向きの枢軸３５２を軸支する軸受け穴３５３がそれぞれ前向きに突設されており、上下の枢軸３５２を上下それぞれの軸受け穴３５３内に嵌合させることで、設定基板カバー３４８が回動自在に枢支され、キースイッチ基板収容ケース収容穴３５０の前面開口、すなわち、ケースカバー３４７の前面に臨む各種スイッチ３６、３７、３９を開閉できるようになっている。
【０４５７】
また、キースイッチ基板収容ケース収容穴３５０の右側には、設定基板カバー３４８の右側端部に設けられた取付片３５４に形成された取付穴３５４ａに取り付けられるラッチ部材３５５の先端が嵌合される嵌合穴３５６が形成されており、設定基板カバー３４８を閉鎖位置とした状態で、取付穴３５４ａに取り付けたラッチ部材３５５の先端を嵌合穴３５６内に嵌合させることで、設定基板カバー３４８を閉鎖位置にて固定できるようになっている。なお、ラッチ部材３５５は、後端の操作部３４８ａを押し込むことで先端部が拡径するとともに、操作部３５５ａを手前側に引き抜くことで先端部が縮径するようになっているため、設定基板カバー３４８を閉鎖位置に固定するには、先端部を嵌合穴３５６内に嵌合した状態で操作部３５５ａを押し込めば、先端部が嵌合穴３５６内で拡径して抜けにくくなるとともに、また、操作部３５５ａを手前側に引き抜くことで、先端部が嵌合穴３５６内で縮径して抜けやすくなる。よって、設定基板カバー３４８の固定及び該固定の解除を手動操作にて容易に行うことができる。
【０４５８】
本体枠２７の左下端部に形成されたヒンジ取付部３２０ｂには、可動側ヒンジ部材２５５を止着するためのネジＮ３が螺入されるネジ孔３５７が左右側２箇所に形成されている。
【０４５９】
下皿取付部３２２の左右方向略中央位置には、払出口９を形成する払出部３５８ａと、返却球誘導通路１０９及び取込球誘導通路１０８を形成する取込・返却通路部材３５９を挿通する取込・返却通路部材挿通部３５８ｂと、球抜き通路１２０を形成する球抜き通路部材３６０を挿通する前後方向を向く球抜き通路部材挿通部３５８ｃと、からなる開口部３５８が形成されている。
【０４６０】
下皿取付部３２２の左右辺及び下辺部には、下皿カバー本体３２１を背面側から止着するためのネジＮ２１が取り付けられるネジ取付穴３６１が６箇所に形成されているとともに、上辺部には、下皿カバー本体３２１の背面に一体的に取り付けられる下皿カバー本体背面カバー３６２を背面側から止着するためのネジＮ２２が取り付けられるネジ取付穴３６３が３箇所に形成されている。また、左右のネジ取付穴３６３それぞれの内側下方には、下皿カバー本体背面カバー３６２の背面から突設される後向きの係止片３６４が挿通される係止片挿通穴３６５がそれぞれ形成されている。
【０４６１】
（５−２）下皿受部
次に、下皿受部３１を構成する下皿カバー本体３２１及び下皿カバー本体背面カバー３６２の詳細な構造を、図７６及び図７８、図７９に基づいて説明する。図７８は下皿受部３１の構造を示す分解斜視図であり、図７９は下皿１１のシャッタ構造を示す平面図である。
【０４６２】
下皿カバー本体３２１の左側には、図７６に示されるように灰皿収容凹部３２１ａが凹設されており、該灰皿収容凹部３２１ａ内には、吸い殻受３７４及びその下面側に２本のネジＮ２７を介して止着される吸い殻受カバー３７５からなる灰皿１４が、灰皿収容凹部３２１ａ内に設けられる水平方向を向く回転軸３７６を介して、開口が上方を向く使用位置と開口が下方を向く非使用位置との間で回転自在に設けられている。また、右側上面には、内部に配置される取込・返却通路部材３５８の前端上面を開放するための通路用切欠部３２１ｄが形成されているとともに、該通路用切欠部３２１ｄの周縁からは、その上方に配置される取込装置１００の下面との間を閉塞するためのカバー壁３２１ｅが突設されている。
【０４６３】
下皿カバー本体背面カバー３６２は、図７８に示されるように、ネジＮ２３及びネジＮ２４を介して下皿カバー本体３２１の背面に一体的に取り付けられるようになっており、その中央部に形成された切欠部３２１ｂには、下皿１１を形成する下皿球受部材３６８が背面側から嵌合されている。
【０４６４】
下皿球受部材３６８の底面には、下皿１１内に貯留されたパチンコ球を下方に流出させて取り出すための取出口１１ａが形成されている。また、下皿球受部材３６８の下面には、取出口１１ａを開閉するシャッタ１１ｃを備えるシャッタベース３６９が、４本のネジＮ２６を介して下側から止着されている。シャッタベース３６９の右側端部には、取出口１１ａに合致する貫通口３６９ａが形成されているとともに、上面にはシャッタベース３６９の前端から屈曲形成された下向片が長手方向に向けて摺動自在に嵌合されるガイド溝３６９ｂが形成されている。また、２本のガイド溝３６９ｂ間には、貫通口３６９ａを閉鎖する閉鎖位置にシャッタ１１ｃを付勢する付勢バネ３７１を収容する収容部３６９ｃが形成されているとともに、該収容部３６９の左側には、シャッタ１１ｃの左側端部に突設された突出片１１ｄを保持して、付勢バネ３７１の付勢力に抗して貫通口３６９ａを開放する開放位置にシャッタ１１ｃを保持する二股状の保持片３７０ａを有する保持具３７０を固定する固定部３６９ｄが形成されている。
【０４６５】
なお、保持具３７０は、その詳細な内部構造の説明は省略するが、突出片１１ｄの非保持状態において本体側に押圧されると、二股状の保持片３７０ａが本体内に退避して保持状態が維持されるとともに、この保持状態において保持片３７０ａがさらに本体方向に向けて押圧されると、保持片３７０ａが突出して突出片１１ｄの保持状態が解除されるようになっている。
【０４６６】
下皿球受部材３６８の前面側には、レバー１１ｂが前面側に設けられたレバーガイド部材３６７が配置されるようになっており、下皿球受部材３６８の切欠部３２１ｂへの嵌合時において、下皿カバー本体３２１の前面に形成された左右方向を向く長穴３２１ｃを介してレバー１１ｂが前面側に臨むようになっている。レバー１１ｂの背面所定箇所は、下皿球受部材３６８の配置位置に配置された状態において、シャッタ１１ｃの前端辺から突設された連係片１１ｅと係合するようになっている。
【０４６７】
下皿カバー本体背面カバー３６２は、中央に払出口９が形成されているとともに、背面からは、本体枠２７に形成された係止片挿通穴３６５内に挿通して係止される後向きの係止片３６４が背面に突設されている。また、前面からは下皿カバー本体３２１に止着する３本のネジＮ２３が挿通する挿通穴が形成された前向きの取付用ボス３７７が突設されているとともに、払出口９の周囲には、下皿球受部材３６８を背面側から止着するためのネジＮ２４が取り付けられるネジ取付穴３７８が４箇所に形成されている。つまり、下皿カバー本体背面カバー３６２の前面には、シャッタ１１ｃを備える下皿球受部材３６８がネジＮ２４により取り付けられ、この下皿カバー本体背面カバー３６２は、ネジＮ２３を介して下皿カバー本体３２１の背面に取り付けられる。なお、下皿カバー本体３２１には、下皿シャフトカバー３６６が４本のネジＮ２５を介して背面側から止着される。
【０４６８】
ここで、図７９に基づいて、取出口１１ａの開閉状態を説明する。なお、図７９（ａ）は、シャッタ１１ｃが取出口１１ａを開放する開放位置にある状態を示し、図７９（ｂ）は、シャッタ１１ｃが取出口１１ａを閉鎖する閉鎖位置にある状態を示している。
【０４６９】
まず、シャッタ１１ｃが開放位置にある状態では、シャッタ１１ｃの突出片１１ｄが保持具３７０の保持片３７０ａにより保持されている。この保持状態からレバー１１ｂを一旦図中左側に向けて移動させると、二股状の保持片３７０ａが本体から突出して、それらの先端間の間隔が広がることになる。これにより突出片１１ｄの保持状態が解除されるため、図７９（ｂ）に示されるように、付勢バネ３７１の付勢力により閉鎖位置まで移動されることになる。また、この閉鎖位置から再度レバー１１ｂを左側に移動して、突出片１１ｄを保持片３７０ａに嵌合させて押圧すると、突出片１１ｄが保持片３７０ａ内に嵌合されたまま保持片３７０ａが本体内に退避し、これにより開放位置にて保持される。
【０４７０】
（５−３）リールユニット枠
次に、リールユニット３０を構成するリールユニット枠５５０の構造及びリールユニット枠５５０に取り付けられる各部材の詳細を、図８０〜図８３に基づいて説明する。図８０はリールユニット枠５５０を示す正面図であり、図８１は図８２のＡ−Ａ断面図であり、図８２はリールユニット枠５５０に対する各部材の取り付け状況を示す分解斜視図であり、図８３はリールユニット枠５５０に対する演出制御基板ケース１７０及び各リール２Ｌ、２Ｃ、２Ｒの取り付け状況を示す分解斜視図である。
【０４７１】
リールユニット枠５５０は、図８０に示されるように、前面が開口する箱状に形成されているとともに、その背板の略中央位置は、内部にリール２Ｌ、２Ｃ、２Ｒの後半部を収容可能なリール収容凹部３０ａを形成するべく、背面側に向けて膨出する膨出部５５１が形成されている。膨出部５５１は、図８１に示されるように、リール収容凹部３０ａ内に収容されるリール２Ｌ、２Ｃ、２Ｒの後部外周面に沿うように、側面視で略半円状となるように膨出形成されており、膨出部５５１の背面壁は、内面が平坦面として形成された左右方向を向く横長長方形状の複数の平板部５５２ａ〜５５２ｃが、上下方向に向けて所定角度ずつ内向きに屈曲して連設されることにより、縦断面略多角形状をなすように構成されている。つまり、膨出部５５１の背面壁は、内面が平坦面として形成された複数の平板部５５２ａ〜５５２ｃをリール２Ｌ、２Ｃ、２Ｒの後部外周面に沿うように連接配置することにより形成されている。
【０４７２】
具体的には、平板部５５２ａ〜５５２ｃは、４つの上平板部５５２ａと１つの中平板部５５２ｂと４つの下平板部５５２ｃからなり、これら各平板部５５２ａ〜５５２ｃの内面は平坦面として形成されている。４つのうち下２つの上平板部５５２ａ及び４つのうち上２つの上平板部５５２ｃには、リール収容凹部３０ａ内に取り付けられるリール２Ｌ、２Ｃ、２Ｒのリールモータ３４Ｌ、３４Ｃ、３４Ｒからの放出熱を外部に放出させるための横長の放熱用スリット５５３が、左右方向及び上下方向に向けて複数形成されている。
【０４７３】
膨出部５５１の背面壁の上半部を形成する上平板部５５２ａに形成された複数の放熱用スリット５５３の上辺部からは後向きの庇片５５４が突設されている。庇片５５４は、図８１中の拡大図に示されるように、背面壁から外部に向けて延設された水平方向を向く水平庇面５５４ａと、該水平庇面５５４ａの端部から下方に延びる下向き庇面５５４ｂと、が形成されるように、先端部が平板部５５２ａと並行をなすように下向きに屈曲されており、外部の塵やゴミ等が放熱用スリット５５３を介してリール収容凹部３０ａ内に進入することが防止されている。
【０４７４】
また、下平板部５５２ｃに形成された複数の放熱用スリット５５３の上辺部からは、図８１中の拡大図に示されるように、背面壁から外部に向けて延設された水平方向を向く水平庇面５５５ａが形成されるように、後向きの庇片５５５が突設されており、外部の塵やゴミ等が放熱用スリット５５３を介してリール収容凹部３０ａ内に進入することが防止されているとともに、下方の放熱用スリット５５３から放出される熱がその上方の放熱用スリット５５３を介して内部に逆流することが防止されている。
【０４７５】
このように、上向きに開放することで内部へゴミ等が進入しやすい膨出部５５１の背面壁の上半部の上平板部５５２ａ（平坦面）に備えられる放熱用スリット５５３の上辺部からは、水平庇面５５４ａと下向き庇面５５４ｂとからなる庇片５５４が後向きに突設されることで、外部からのゴミ等の進入が効果的に防止されるとともに、下向きに開放することで、前記膨出部５５１の背面壁の上半部の上平板部５５２ａに備えられる放熱用スリット５５３に比較して内部へゴミ等が進入しにくい膨出部５５１の背面壁の下半部の下平板部５５２ｃ（平坦面）に形成された複数の放熱用スリット５５３の上辺部からは、水平庇面５５５ａのみからなる庇片５５５が後向きに突設されることで、庇片５５５の構造を極力簡素化できるばかりか、放熱用スリット５５３から外部に向かう熱が下向き庇面にて遮られることがないので、放熱効果の低減が防止される。
【０４７６】
また、上平板部５５２ａ及び下平板部５５２ｃの外面には、上下方向に延びる補強用の縦リブ５５６ａが、左右方向に向けて所定間隔おきに複数立設されているとともに、上平板部５５２ａ及び下平板部５５２ｃの屈曲部外面には、左右方向に延びる補強用の横リブ５５６ｂが立設されている（図２参照）。
【０４７７】
膨出部５５１の内面には、リール収容凹部３０ａ内にリール２Ｌ、２Ｃを取り付けるときに、支持板６００Ｌ、６００Ｃそれぞれの後端を左右側方から挟持してガイドする左右一対のガイド片５５７Ｌａ〜５５７Ｌｃ、５５７Ｃａ〜５５７Ｃｃと、リール２Ｒを取り付けるときに、支持板６００Ｒの後端左側ガイドするガイド片５５７Ｒａ〜５５７Ｒｃ及び支持板６００Ｒの後端右側をガイドする前後方向を向くガイド部５５８ａ〜５５８ｃと、が形成されている。なお、ガイド部５５８ａ〜５５８ｃは各平板部５５２ａ〜５５２ｃの内面から膨出部５５１の右側面に沿うように前向きに延設されている。
【０４７８】
ガイド片５５７Ｌａ、５５７Ｃａ、５５７Ｒａ、５５８ａは上平板部５５２ａ内面に突設され、ガイド片５５７Ｌｂ、５５７Ｃｂ、５５７Ｒｂ、５５８ｂは中平板部５５２ｂ内面に突設され、ガイド片５５７Ｌｃ、５５７Ｃｃ、５５７Ｒｃ、５５８ｃは下平板部５５２ｃ内面に突設されている。また、中平板部５５２ｂ内面に突設された左右一対のガイド片５５７Ｌｂ、５５７Ｃｂ間及びガイド片５５７Ｒｂとガイド部５５８ｂとの間には、後述するように、支持板６００Ｌ、６００Ｃ、６００Ｒの後端面から突設された後向きの位置決めピン６９０が嵌合される位置決め穴５５９Ｌ、５５９Ｃ、５５９Ｒが、それぞれ上下２箇所に形成されている。
【０４７９】
リール収容凹部３０ａの開口上下縁部には、リール２Ｌ、２Ｃ、２Ｒを取り付けるための左右方向に延びるリール固定板金５６０ａ、５６０ｂ（図８２参照）が取り付けられる取り付け部がそれぞれ形成されており、該上下の取り付け部には、リール固定板金５６０ａ、５６０ｂを止着するためのネジＮ３０、Ｎ３１がそれぞれ螺入されるネジ穴５６１ｃが先端に形成された前向きの取付用ボス５６１ａ、５６１ｂが、それぞれ３箇所ずつ形成されている。また、上部の３つの取付用ボス５６１ａそれぞれの右側には、支持板６００Ｌ、６００Ｃ、６００Ｒの上端を止着する際において使用されるネジ（本実施例では使用しないため図示略）が螺入されるネジ穴５６２ａが先端に形成された前向きの取付用ボス５６２が３箇所に突設されている。
【０４８０】
上部の取り付け部の右端部には、リール固定板金５６０ａの右側端部及びリールユニット枠補強用板金５６３Ｒの上端部を挿通してこれらを同時に止着するためのネジＮ３２が螺入されるネジ穴５６４ａが先端に形成された前向きの取付用ボス５６４Ｒが突設されているとともに、その内側には位置決め用凸部が先端に形成された前向きの位置決め用ボス５６５Ｒが突設されている。また、左端部には、リール固定板金５６０ａの左側端部及びリールユニット枠補強用板金５６３Ｌの上部所定箇所を挿通してこれらを同時に止着するためのネジＮ３３が螺入されるネジ穴５６４ａが先端に形成された前向きの取付用ボス５６４Ｌが突設されているとともに、その内側には位置決め用凸部が先端に形成された前向きの位置決め用ボス５６５Ｌが突設されている。
【０４８１】
下部の取り付け部の右端部には、リール固定板金５６０ｂの右側端部及びリールユニット枠補強用板金５６３Ｒの下端部を挿通してこれらを同時に止着するためのネジＮ３４が螺入されるネジ穴５６６ａが形成された前向きの取付用ボス５６６Ｒが突設されているとともに、その内側には位置決め用凸部が先端に形成された前向きの位置決め用ボス５６７Ｒが突設されている。また、左端部には、リール固定板金５６０ｂの左側端部及び連動蝶番２３２ｂの上部取付片を挿通してこれらを同時に止着するためのネジＮ３５が螺入されるネジ穴５６６ａが形成された前向きの取付用ボス５６６Ｌが突設されているとともに、その内側には位置決め用凸部が先端に形成された前向きの位置決め用ボス５６７Ｌが突設されている。
【０４８２】
リールユニット枠５５０の左側上下部には、連動蝶番２３２ａ、２３２ｂを取り付けるための取り付け部が形成されており、上方の取り付け部には、連動蝶番２３２ａを止着するためのネジＮ３６が螺入されるネジ穴５６８と、連動蝶番２３２ａの取付片及びリールユニット枠補強用板金５６３Ｌの上部を挿通してこれらを同時に止着するためのネジＮ３７が螺入されるネジ穴５６９と、連動蝶番２３２ａの位置決め用の位置決め用ボス５７０と、がそれぞれ形成されている。また、下方の取り付け部には、前述した取付用ボス５６６Ｌと、連動蝶番２３２ｂを止着するためのネジＮ３８が螺入されるネジ穴５７１と、ワイヤラグＷ、連動蝶番２３２ｂの取付片及びリールユニット枠補強用板金５６３Ｌの下部を挿通してこれらを同時に止着するためのネジＮ３９が螺入されるネジ穴５７２と、連動蝶番２３２ｂの位置決め用の位置決め用ボス５７３と、がそれぞれ形成されている。
【０４８３】
これら上下の取り付け部間には、リールユニット枠補強用板金５６３Ｌの位置決め用の位置決め用ボス５７４が上下２箇所に形成されているとともに、リールユニット枠補強用板金５６３Ｌを止着するためのネジＮ４０が螺入されるネジ穴５７５が上下２箇所に形成されている。また、本体枠２７への取り付け時において、本体枠２７のリールユニット固定金具２３１Ｌの上下に設けられる固定片を前方に臨ませて係止可能な状態とするための固定片挿通用開口５７６Ｌが上下２箇所に形成されているとともに、上部の固定片挿通口５７６Ｌの上方には、配線を背面側に挿通させるための配線挿通口５７８が形成されている。なお、配線挿通口５７８の右側には、配線保持片５７９が前向きに突設されているとともに、さらにその内側方には下向きの配線用フック５８０が形成されており、配線挿通口５７８に挿通する配線を配線保持片５７９の上端辺にて落下不能に保持するとともに、配線用フック５８０にて前方への逸脱が不能に保持されるようになっている。
【０４８４】
リールユニット枠５５０の右側には、リールユニット枠補強用板金５６３Ｒの位置決め用の位置決め用ボス５８１が上下２箇所に形成されているとともに、リールユニット枠補強用板金５６３Ｌを止着するためのネジＮ４１が螺入されるネジ穴５８２が上下２箇所に形成されている。また、本体枠２７への取り付け時において、本体枠２７のリールユニット固定金具２３１Ｒの上下に設けられる固定片２３１ａを前方に臨ませて係止可能な状態とするための固定片挿通用開口５７６Ｒが上下２箇所に形成されている。
【０４８５】
上下の固定片挿通用開口５７６Ｒの左辺部には、上下方向を向く配線用保持片５９６が突設されているとともに、これら上下の固定片挿通用開口５７６Ｒの間には、右向きの配線用フック５８３及び横向きの配線保持片５８４が突設されており、上下方向に配線する際に、該配線を配線用保持片５９６及び配線保持片５８４と配線用フック５８０との間に保持することができるようになっている。また、上部の配線用保持片５９６の上方には、配線押さえ５９８ａを止着するためのネジＮ４５が螺入されるネジ穴５９９ａが形成されているとともに、下部の配線用保持片５９６の下方には、配線押さえ５９８ｂを止着するためのネジＮ４６が螺入されるネジ穴５９９ｂが形成されており、上記したように配線用保持片５９６及び配線保持片５８４と配線用フック５８０との間に保持される配線を保持できるようになっている。
【０４８６】
リールユニット枠５５０の上端辺における左右方向略中央位置には、リールユニット枠５５０を持ち運びする際に手を挿入可能な把持穴５８５が開設されている。把持穴５８５の下方には、演出制御基板ケース１７０を取り付けるための演出制御基板ケース取付部５８６が形成されている。該演出制御基板ケース取付部５８６には、後述する係止片１７３ａ、１７３ｂを挿通可能な係止片挿通口５８７が四隅に形成されているとともに、これら各係止片挿通口５８７の背面側には、係止片１７３ａ、１７３ｂが係止される被係止片５８８ａ、５８８ｂがそれぞれ後向きに形成されている。
【０４８７】
上部左右側の係止片挿通口５８７に設けられる被係止片５８８ａは、係止片挿通口５８７の右側上部に、その下端辺と係止片挿通口５８７の下端辺との間に係止片１７３ａが挿通可能な間隙が形成されるように配置されているとともに、下部左右側の係止片挿通口５８７に設けられる被係止片５８８ｂは、係止片挿通口５８７の右側下部に、その上端辺と係止片挿通口５８７の上端辺との間に係止片１７３ｂが挿通可能な間隙が形成されるように配置されている。また、演出制御基板ケース取付部５８６の左側には、演出制御基板ケース１７０を取り付けたときに、演出制御基板ケース１７０の左側面に係止して左右方向への移動を規制するためのケース係止片５８９が形成されている。
【０４８８】
また、演出制御基板ケース取付部５８６の下部には、左右方向に延びる基板取付用凹部５９７がリール固定板金５６０ａに沿うように凹設されている。本実施例において該基板取付用凹部５９７には基板は取り付けていないが、例えば何らかの中継基板を増設したい場合等に使用することができるようになっている。
【０４８９】
リールユニット枠５５０の下部には、リール中継基板１３６を取り付けるための横長長方形状のリール中継基板取付枠５９０が形成されており、該リール中継基板取付枠５９０の左上角部、上辺中央部及び右下角部には、リール中継基板１３６の前面を被覆するリール中継基板カバー５９１及びリール中継基板１３６を止着するためのネジＮ４２が螺入されるネジ穴５９２が形成されているとともに、リール中継基板取付枠５９０の左下角部及び右上角部には、リール中継基板１３６の位置決め用の位置決め用ボス５９３が突設されている。また、リール中継基板取付枠５９０の左右辺部外側には、リール中継基板カバー５９１に形成される後向きの係止片５９１ａが挿通される係止片挿通穴５９４が形成されているとともに、下辺部には、リール中継基板カバー５９１に形成される後向きの位置決め片５９１ｂが嵌合される嵌合穴５９５が左右２箇所に形成されている。
【０４９０】
このように構成されるリールユニット枠５５０の前面側には、図８３に示されるように、各種部材が取り付けられた状態で、リール２Ｌ（２Ｃ、２Ｒは図示略）がリール収容凹部３０ａに取り付けられる。具体的には、各リール２Ｌ（２Ｃ、２Ｒ）は、リール支持板６００Ｌ（６００Ｃ、６００Ｒ）がガイド片５５７Ｌ、５５７Ｃ、５５７Ｒ及び５５８ａ〜５５８ｃ内に嵌合されるように後方に向けて押し込み、その上下部に取り付けられるラッチ６２０を上下のリール固定板金５６０ａ、５６０ｂそれぞれに形成されたラッチ挿入穴５６０ｃに挿入して止めることで固定されるようになっている。なお、各リール２Ｌ、２Ｃ、２Ｒの取り付け構造の詳細に関しては後述する。また、演出制御基板ケース取付部５８６には、演出基板ケース１７０が前側から取り付けられる。ここで、演出基板ケース１７０の詳細な構造を以下説明する。
【０４９１】
（５−４）演出制御基板ケース
図８４には、演出制御基板ケース１７０を示す分解斜視図が示されている。演出制御基板ケース１７０は、透明な合成樹脂材にて成形されたケース本体１７１と、該ケース本体１７１の開口を閉鎖可能なケースカバー体１７２と、から構成されており、ケース本体１７１内には、演出制御基板９０と音声ランプ基板１３０とを併設して収納することができるようになっている。
【０４９２】
ケース本体１７１内は、演出制御基板９０の取付部と音声ランプ基板１３０の取付部とが左右に区画された状態で形成されており、演出制御基板９０の取付部における左下角部及び右上角部には、演出制御基板９０を止着するためのネジＮ５０が螺入されるネジ穴１７４が形成されているとともに、左上角部及び右下角部には、演出制御基板９０の位置決め用の位置決め用ボス１７５が突設されている。また音声ランプ基板１３０の取付部における左上角部及び右下角部には、音声ランプ基板１３０を止着するためのネジＮ５１が螺入されるネジ穴１７６が形成されているとともに、左下角部及び右上角部には、音声ランプ基板１３０の位置決め用の位置決め用ボス１７７が突設されている。
【０４９３】
また、両基板９０、１３０の取付部には、リールユニット枠５５０の演出制御基板ケース取付部５８６に取り付けるための係止片１７３ａ、１７３ｂを背面側に形成するための係止片成形用開口１７８ａ、１７８ｂがそれぞれ上下箇所に形成されている。ケース本体１７１の背面における上部の係止片成形用開口１７８ａの下辺及び左辺からは係止片１７３ａが後向きに突設されているとともに、下部の係止片成形用開口１７８ｂの上辺及び左辺からは係止片１７３ｂが後向きに突設されている。
【０４９４】
これら係止片１７３ａ、１７３ｂは、図中拡大図に示されるように、係止片成形用開口１７８ａの下辺または係止片成形用開口１７８ｂの上辺から連設される上向きまたは下向きに屈曲するＬ字状のフック片部と、該フック片部の左側面を構成する側壁部とから構成されている。これら係止片１７３ａ、１７３ｂは、演出制御基板ケース取付部５８６の係止片挿通口５８７の右側に挿入した後、演出制御基板ケース１７０を右側にスライド移動させることで、フック片部が被係止片５８８ａ、５８８ｂの端辺と係止片挿通口５８７の端辺との間に入り込み、係止片１７３ａ、１７３ｂが被係止片５８８ａ、５８８ｂに係止される。そして、右側への移動が係止片１７３ａ、１７３ｂと係止片挿通口５８７の開口縁との当接により規制されると、ケース係止片５８９が演出制御基板ケース１７０の左側に係止されて左右方向への移動が不能となるため、これにより演出制御基板ケース１７０演出制御基板ケース取付部５８６に取り付けられる。また、取り付けられた状態において、ケース係止片５８９を後方に押圧して係止状態を解除し、演出制御基板ケース１７０を左側にスライド移動して前方に引き出せば、容易に取り外すことができる。
【０４９５】
ケース本体１７１の上下辺部には、ケースカバー体１７２に形成された係合穴１７９に係合可能な係合突部１８０が左右２箇所にそれぞれ突設されているとともに、左上角部及び右下角部には、ケース本体１７１の開口をケースカバー体１７２にて閉鎖した状態で該ケースカバー体１７２をケース本体１７１に止着するためのネジＮ５２が螺入されるネジ穴１８１が形成された取付用支柱１８１ａが形成されている。
【０４９６】
ケースカバー体１７２の上長辺部には、演出制御基板９０上に搭載された配線接続用のコネクタを外部に臨ませるためのコネクタ挿通口１８２と、音声ランプ基板１３０上に搭載された配線接続用のコネクタを外部に臨ませるためのコネクタ挿通口１８３ａと、が形成されているとともに、ケースカバー体１７２の左短辺部には、音声ランプ基板１３０上に搭載された配線接続用のコネクタを外部に臨ませるためのコネクタ挿通口１８３ｂが形成されている。また、ケースカバー体１７２の左上角部及び右下角部には、前述したネジＮ５２を取り付けるネジ取付部１８４が形成されている。
【０４９７】
ケースカバー体１７２の右側の一部の領域を除く全体には、複数の放熱孔１８５が形成されているとともに、中央に形成された隆起部１７２ａの下部には、シリーズシール１８６ａを貼着するためのシール貼着凹部１８６が形成されている。また、隆起部１７２ａ以外の領域には、ワイヤラグＷまたは配線押さえ１８７を取り付けるためのネジＮ５３、ネジＮ５４が螺入されるネジ穴が先端に形成されたワイヤラグ取付用ボス１８８及び配線押さえ取付用ボス１８９が前方に向けて複数突設されている。また、右側上部の２つの配線押さえ取付用ボス１８９の近傍に形成された配線保持用ボス１９０は、該配線押さえ取付用ボス１８９に回転自在に取り付けられた配線押さえ１８７と当接可能な位置に配置されており、図８３に示されるように配線押さえ１８７が当接することにより、配線押さえ１８７、配線押さえ取付用ボス１８９及び配線保持用ボス１９０によりコ字状の配線部が形成されるようになっている。なお、配線保持用ボス１９０の先端にもネジ穴が形成されており、ワイヤラグＷや配線押さえを取り付けることができるようになっている。
【０４９８】
（５−５）リール構造
次に、リール体としてのリール２Ｌ、２Ｃ、２Ｒの構造及びリール２Ｌ、２Ｃ、２Ｒのリールユニット枠５５０への取り付け構造を以下に説明する。なお、以下の説明においてはリール２Ｌに関わる部位のみを説明し、該リール２Ｌと同様に構成されるリール２Ｃ、２Ｒに関しては説明を省略することとする。図８５はリール体を示す分解斜視図であり、図８６はリールモータ３４Ｌを示す斜視図であり、図８７（ａ）は取付板６０５のリールモータ３４Ｌへの取付状態を示す図であり、（ｂ）は（ａ）のリールモータ３４Ｌの底面図であり、図８８（ａ）はリール保持枠６５６を示す縦断面図であり、（ｂ）はリール保持枠６５６を示す側面図であり、図８９は支持板６００Ｌへのランプユニット６０１の取り付け状態を示す斜視図であり、図９０（ａ）（ｂ）はランプユニット６０１Ｌの支持板６００Ｌへの取付状態を示す側面図であり、図９１はリール収容凹部３０ａにリール２Ｌ、２Ｃ、２Ｒが並設された状態を示す横断面図であり、図９２はリール体をリールユニット枠５５０に組み付ける状態を示す概略図であり、図９３はリール体がリールユニット枠５５０に組み付けられた状態を示す概略図である。
【０４９９】
図８５における６００Ｌは、リール２Ｌを回転駆動するリールモータ３４Ｌを取り付けるためのＡＢＳ樹脂製の支持板であり、この支持板６００Ｌの上下の取付片６００ａ、６００ｂに形成された孔部６０２内に取り付けたラッチ部材６２０を介してリール固定板金５６０ａ、５６０ｂに固定することで、リール２Ｌをリール収容凹部３０ａ内に組み付けることができるようになっている。また、上部の取付片６００ａには、支持板６００Ｌをネジ（図示略）にてリール固定板金５６０ａに止着する際に該ネジを取り付けるためのネジ穴７０１が形成されている。
【０５００】
なお、支持板６００Ｌをリール収容凹部３０ａに組み付けた状態で固定する固定手段の一例であるラッチ部材６２０は、図７７に基づいて説明した設定基板カバー３４８を固定するラッチ部材３３５ａと同様のラッチ部材が使用されているため、ここでの詳細な構造の説明は省略する。
【０５０１】
上下の取付片６００ａ、６００ｂの外側辺部からは、配線用保持片７０３が前方に向けて屈曲形成されているとともに、取付片６００ａ、６００ｂの基部からは外向きの配線用フック７０２が形成されている。また、上下の配線用フック７０２の近傍にも前向きの配線用フック７０４が形成されているとともに、これら上下の配線用フック７０４の間には、リールモータ３４Ｌ及びリールセンサ３５Ｌから延出される配線を外面側に挿通するための配線挿通口７０５が上下に形成されている。よって、これら配線用フック７０２、７０４、配線用保持片７０３により、配線挿通口７０５を介して外面側に挿通された配線を上方もしくは下方に向けて配線することができるようになっている。なお、配線用フック７０４の形成位置にはフック成形用開口７０４ａが形成されている（図９２参照）。
【０５０２】
支持板６００Ｌの後端面は、リールユニット枠５５０のリール収容凹部３０ａへの取り付け時において、膨出部５５１の背面を形成する複数の平板部５５２ａ〜５５２ｃそれぞれの内面に当接する平板部７０６ａ〜７０６ｃ（図９２参照）が形成されている。これら平板部７０６ａ〜７０６ｃは、上下方向に向けて所定角度ずつ内向きに屈曲して連設されることにより、側面視略多角形状をなすように構成されている。これら平板部７０６ａ〜７０６ｃの左右幅は、リール収容凹部３０ａ内面に形成される左右一対のガイド片５５７Ｌａ〜５５７Ｌｃ、５５７Ｃａ〜５５７Ｃｃ間、及びガイド片５５７Ｒａ〜５５７Ｒｃとガイド部５５８ａ〜５５８ｃとの離間幅よりも若干小寸に形成されており、これらガイド片５５７Ｌａ〜５５７Ｌｃ、５５７Ｃａ〜５５７Ｃｃ間、及びガイド片５５７Ｒａ〜５５７Ｒｃとガイド部５５８ａ〜５５８ｃとの間に嵌合されるようになっている。
【０５０３】
支持板６００Ｌの前端面は、隣接配置されるリール同士の間を閉塞する所定左右幅を有する円弧状のリール間隠蔽部７００が支持板６００Ｌに一体的に形成されている。また、リール間隠蔽部７００の上下所定箇所には、上部前面扉２８にてリールユニット３０ａの前面を閉鎖したときに、該上部前面扉２８の背面における透視用開口２３０の上辺所定箇所に当接し得る突出片７０７ａと、透視用開口２３０の下辺所定箇所に当接し得る突出片７０７ｂと、がそれぞれ突設されている。突出片７０７ａ、７０７ｂは、側面視三角形状をなし、透視用開口２３０の上下辺所定箇所に当接し得る前端面は上下方向を向く垂直面として形成されている。また、平板部５５２ｂからは、膨出部５５１の背面に形成された位置決め穴５５９Ｌに嵌合される後向きの位置決めピン６９０が上下に突設されている。
【０５０４】
このように、支持板６００Ｌの後端面が、リール収容凹部３０ａの背面形状と同一形状となるように、複数の平板部７０６ａ〜７０６ｃにて側面視略多角形状に形成されていることで、リール２Ｌ、２Ｃ、２Ｒの回転開始時や回転停止時において、リール収容凹部３０ａと支持板６００Ｌとのリールの回転方向への相対移動が平坦面同士の当接により規制され、これにより支持板６００Ｌの取付片６００ａ、６００ｂにかかる負荷が分散されるため、支持板６００Ｌのがたつき等が効果的に防止される。
【０５０５】
また、上部前面扉２８にてリールユニット３０ａの前面を閉鎖したときに、該上部前面扉２８の背面における透視用開口２３０の上下辺所定箇所に突出片７０７ａ、７０７ｂが当接するようになっていることで、上部前面扉２８にてリールユニット３０の前面を閉塞すれば、リール２Ｌ、２Ｃ、２Ｒのがたつきが防止されるとともに、リールシートと上部前面扉２８の後面所定箇所との接触が回避されるため、リールシートの損傷により図柄の視認性が損なわれることが効果的に防止される。
【０５０６】
また、上部前面扉２８にてリールユニット３０ａの前面を閉鎖したときに、上部前面扉２８の後面所定箇所である透視用開口２３０の上下辺所定箇所に突出片７０７ａ、７０７ｂが近接するようにした場合には、上部前面扉２８にてリールユニット３０ａの前面を閉鎖したときに透視用開口２３０の上下辺所定箇所と突出片７０７ａ、７０７ｂとが接触しないため、部材の摩耗等が防止されるとともに、上部前面扉２８の外部から何らかの外力が加わった場合等においては、透視用開口２３０の上下辺所定箇所と突出片７０７ａ、７０７ｂとが当接することで、リール２Ｌ、２Ｃ、２Ｒの外周と透視用開口２３０の上下辺所定箇所との接触が回避され、これによりリール２Ｌ、２Ｃ、２Ｒの損傷により図柄の視認性が損なわれることが効果的に防止される。
【０５０７】
支持板６００Ｌにおけるリール間隠蔽部７００の近傍には、３つのリールランプ３３Ｌが上、中、下段にそれぞれ区画して収容されるランプユニット６０１が挿通される開口部６８０が開成されており、後述する係止手段を介して着脱自在に取り付けられるようになっている。支持板６００Ｌの内面６００ｃ（リール２Ｌの配置側面）における略中央位置には、リールモータ３４Ｌを固定するためのモータ取付部６１３が形成されている。
【０５０８】
このモータ取付部６１３には、リールモータ３４Ｌの台座６４１の周囲を囲むように保持する四角状の枠条６０７と、リールモータ３４Ｌの取り付け位置を決定する駆動モータ位置決め手段としての凸部６０６と、リールモータ３４Ｌを取り付けるためのネジＮ６０を挿通するための挿通孔６０８と、回転軸６０４の後端との干渉を避けるための穴部６０９が形成されている。
【０５０９】
（５−６）リールモータ
リールモータ３４Ｌは、図８６及び図８７に示されるように、本体部６４０の下部には、支持板６００Ｌに取り付けるためのネジＮ６０が螺入されるネジ孔６４２が四隅に形成された台座６４１が設けられており、この台座６４１の裏面における所定箇所には、前述したモータ取付部６１３所定箇所に内向きに突設された凸部６０６に嵌合する嵌合孔部６４３が形成されている（図８７（ｂ）参照）。
【０５１０】
リールモータ３４Ｌは、この嵌合孔部６４３内に凸部６０６が嵌合されるように、台座６４１を枠条６０７内にはめ込んだ状態で、支持板６００Ｌの外面６００ｄ（内面６００ｃの反対面）側から挿通孔６０８内に挿通したネジＮ６０をネジ孔６４２内に螺入することで、支持板６００Ｌの内面６００ｃに取り付けられるようになっている。支持板６００Ｌの内面６００ｃに形成された凸部６０６と台座６４１の裏面に形成された嵌合孔部６４３とによりリールモータ３４Ｌの位置決め手段が構成されているため、リールモータ３４Ｌを正確な向きで取り付けることができる。
【０５１１】
リールモータ３４Ｌの本体部６４０における回転軸６０４側の端面部には、リールセンサ３５Ｌを設けるための取付板６０５が取り付けられている。取付板６０５は、図８６及び図８７に示されるように、一方の端部に切欠部６４４が形成されており、特に図８７（ａ）に示されるように、リールモータ３４Ｌの回転軸６０４の側方から差し込むことができるようになっているとともに、切欠部６４４の周囲には、本体部６４０の上部端面に形成された図示しないネジ孔内に螺合する取付ネジＮ６１を挿通するための取付部としての挿通孔６４６が４箇所形成されている。
【０５１２】
切欠部６４４の反対側端部近傍には、リールセンサ３５Ｌを取り付けるための開口６４７ａ、６４７ｂが形成されているとともに、その近傍にはリールセンサ３５Ｌから延出されるケーブルを挿通するための挿通孔６４８が形成されている。なお、６４９はケーブルを押さえるための押さえ片である。
【０５１３】
リールセンサ３５Ｌは、特に図８６中の拡大図に示されるように、本体部６５０の上部に透光部３５Ｌａ及び受光部３５Ｌｂが設けられるとともに、本体部６５０の下面四隅からは合成樹脂材からなる脚片６５１、６５２がそれぞれ下向きに連設されている。脚片６５１は、弾性変形自在に形成されているとともに、先端に開口６４７ａ周縁部に係止される係止爪６５１ａが形成されており、脚片６５２は、先端に開口６４７ｂ周縁部に係止される係止爪６５２ａが形成されている。リールセンサ３５Ｌを取付板６０５に取り付けるには、取付板６０５の上方から脚片６５２を開口６４７ｂ内に差し込んで係止爪６５２ａを係止させた状態で、脚片６５１を開口６４７ａ内に差し込むことにより、脚片６５１が弾性変形して係止爪６５１ａが開口６４７ａの周縁部に係止され、これら係止爪６５１ａ、６５２ａの係止作用にて取付板６０５に取り付けられる。なお、係止爪６５１ａ、６５２ａはそれぞれ異なる向きに形成されているので、前後左右方向のずれが効果的に防止されている。
【０５１４】
リールモータ３４Ｌの本体部６４０から突出した回転軸６０４の先端には、リール２Ｌを相対回動不能に固定するための円盤状の回転板６１０（回動板）が固定されている。この回転板６１０は、材質が亜鉛ダイキャストからなり、その中心に回転軸６０４とほぼ同径をなす貫通路６１１が形成される円板部６１０ａと、円板部６１０ａの外周端縁から環状に連設される環状片６１０ｂとから構成されている。
【０５１５】
円板部６１０ａにおけるリールモータ３４Ｌの反対側面には、リール２Ｌを固定するための固定ネジＮ６１が螺合するネジ孔６１５が、円板部６１０ａの中心部を中心とする同心円上に４箇所形成されているとともに、リール２Ｌを固定する際の位置決め手段となる位置決めピン６１６ａ、６１６ｂが、円板部６１０ａの中心部を挟んで対向するように、かつ、前記中心部からの距離がそれぞれ異なる位置に突設されている（Ｐ２＞Ｐ３）。なお、位置決めピン６１６ａの直径は位置決めピン６１６ｂの直径よりも小径に形成されている。
【０５１６】
円板部６１０ａの周縁部近傍には、大径穴６５３が８つ、その内側には小径穴６５４が４つ形成されているとともに、小径穴６６５が２つ形成されている。これら複数の穴が形成されていることにより、金属材からなる回転板６１０が軽量となってリールモータ３４Ｌの駆動負担が軽減されるとともに、製造コストを低減できる。また、リールモータ３４Ｌにて発生した熱が効果的に放熱されるようになっている。なお、これら穴のうち、４つの小径穴６５４は、図８７（ａ）に示されるように、回転板６１０を所定の向きで停止させた際に、取付板６０５をリールモータ３４Ｌの本体部６４０に取り付けるための取付部（取付ネジＮ６１）の直上に位置するようになっているため、回転軸６０４に回転板６１０が取り付けられた状態にあっても、ドライバー等を挿通してその下方の取付ネジＮ６１の取り付け、取り外しを目視にて確認しながら行うことができるため、取付板６０５、ひいてはリールセンサ３５Ｌのリールモータ３４Ｌに対する着脱を、回転板６１０が回転軸６０４に固定された状態でも容易に行うことができる。
【０５１７】
このように構成される回転板６１０は、工場からの出荷時において予め回転軸６０４に圧入することにより回転軸６０４に対して相対回転不能に固定されている。そして回転軸６０４に固定された状態において、特に図８７に示されるように、環状片６１０ｂの一部がリールセンサ３５Ｌにおける投光部３５Ｌａと受光部３５Ｌｂとの間に位置するようになっており、環状片６１０ｂの所定箇所に形成された回転基準位置検出部を構成する切欠部６１７が投光部３５Ｌａと受光部３５Ｌｂとの間を通過することにより、回転板６１０、すなわち、リール２Ｌの回転基準位置が検出されるようになっている。
【０５１８】
なお、回転軸６０４とリール２Ｌとが確実に相対回転不能に固定されていないと、リール２Ｌの周面に配置される図柄の停止位置ずれ等が発生することがあるため、本実施例においては、リール２Ｌを固定するための回転板６１０を回転軸６０４に対して圧入することにより回転軸６０４と回転板６１０とを相対回転不能に固定しているが、例えば回転軸６０４とリール２Ｌとの相対回転を不能に固定するために、予め回転軸６０４と回転板６１０とを一体成形により構成してもよい。
【０５１９】
また、本実施例においては、回転板６１０の回転軸６０４への取り付けはリールモータ３４Ｌを励磁させた状態で行われている。これは、リール２Ｌの回転基準位置検出部である切欠部６１７が回転板６１０に形成されているためである。詳しく説明すると、本実施例におけるリールモータ３４Ｌはステッピングモータであるため、回転板６１０を回転軸６０４へ固定する際において、リールモータ３４Ｌの回転軸６０４が励磁された状態における所定の停止位置（ステップ数に応じた停止位置）から若干ずれた位置にて停止されている状態で回転板６１０が取り付けられると、このような固定位置の微量のずれにより、リールモータ３４Ｌを駆動させてリール２Ｌを回転させた際において、リールセンサ３５Ｌによる切欠部６１７の検出位置に若干のずれが発生して、リール２Ｌの回転基準位置を正確に検出出来なくなることがあるからである。
【０５２０】
なお、本実施例におけるリールモータ３４Ｌは、４相のステッピングモータが使用されており、１相励磁の時に２００ステップであるのを１−２相励磁方式にて使用することで、プログラム上では４００ステップとなってスムーズに回転するようになっている。前述したように、本実施例における図柄は各リールシート６５５に２０個ずつ配置されているので、図柄の配置数に対してモータのステップ数が整数倍とされていることから、１図柄に対応するステップ数が均等に割り振られている（本実施例では１図柄に対して２０ステップ）。よって、図柄の停止位置のずれ等が効果的に防止されるため、例えば複数のリール２Ｌ、２Ｃ、２Ｒが図３３に示されるように並設された状態において、各リール２Ｌ、２Ｃ、２Ｒの図柄が横並びに整列する状態で停止させることができる。
【０５２１】
また、この励磁方式による基本励磁パターンは４ステップからなっており、この基本励磁パターンが繰り返されることにより回転軸６０４を回転させるようになっている。前述した切欠部６１７の検出方向の幅寸法Ｐ１は、この基本励磁パターン分に相当するステップ数である４ステップ分に相当する幅寸法に形成されているため、回転基準位置の検出を、リールセンサ３５Ｌによる切欠部６１７の検出と基本励磁パターンとで行う場合にも対応して使用することも可能である。
【０５２２】
（５−７）リール
リール２Ｌは、識別情報としての複数種の図柄が外方から視認可能となるように印刷等により配置された帯状のリールシート６５５と、このリールシート６５５の両端縁部をそれぞれ環状に保持する互いに別個に形成される一対の保持枠６５６、６５７とから構成されている。なお、本実施例におけるリールシート６５５は、厚さが約０．５ｍｍのＰＥＴ樹脂材により薄肉の帯状に成形されており、また、保持枠６５６、６５７は、ＡＢＳ樹脂材により成形されているがこれら材質は特に限定されるものではない。
【０５２３】
保持枠６５６は、図８５及び図８８に示されるように、リールシート６５５の一端縁部が外周面に貼着される環状片６５８と、回転軸６０４に対して回転不能に固定された回転板６１０に固定するための固定部を構成する円板状の固定板６５９と、この固定板６５９と環状片６５８とを連結するように放射線状に設けられる複数のスポーク片６６０と、から、リールモータ３４Ｌに固定するための駆動保持枠として構成されている。なお、本実施例においては、これら固定板６５９、スポーク片６６０、環状片６５８を主にそれぞれ厚さ約１〜１．５ｍｍの薄肉の板材にて全体を枠状に形成するとともに、要所に補強用のリブを形成することで軽量化が図られている。
【０５２４】
固定板６５９の中心には、回転軸６０４が嵌合される嵌合穴６６１が形成されているとともに、その周囲には、固定ネジＮ６１の挿通孔６６２、及び位置決めピン６１６ａ、６１６ｂが挿通される挿通長穴６６３ａと挿通穴６６３ｂとが形成されている。この挿通長穴６６３ａ及び挿通穴６６３ｂは、回転板６１０に突設された位置決めピン６１６ａ、６１６ｂにそれぞれ対応する箇所に形成されている。これらを構成する挿通長穴６６３ａ、挿通穴６６３ｂ（位置決めピン６１６ａ、６１６ｂ）は、図８８（ｂ）に示されるように固定板６５９の中心Ｏからそれぞれの挿通長穴６６３ａ、６６３ｂまでの距離が異なる位置に形成されている（Ｐ２＞Ｐ３）。これにより円形の保持枠６５６を回転板６１０に対して常に所定の向きで取り付けることができるようになっている。
【０５２５】
また、固定板６５９と環状片６５８とが複数のスポーク片６６０により連結されていることにより保持枠６５６の軽量化が図られているとともに、各スポーク片６６０は、固定板６５９から環状片６５８側に向かうに従い先細りとなるように形成されているため、回転軸６０４の固定部となる固定板６５９側の強度が高く、かつ、保持枠６５６の外周付近が軽量化されて、保持枠６５６の回転時における慣性モーメントが極力小さくなるように形成されている。
【０５２６】
環状片６５８は、図８８（ａ）に示されるように、断面略Ｔ字状に形成されており、その外周面６５８ａには、リールシート６５５における幅方向の一端縁部裏面が高粘着性の両面テープ材等を介して貼着されているとともに、保持枠６５７の反対側となる外端部には、リールシート６５５における幅方向の外側端面に当接して位置ずれを規制するための凸条６５８ｂが環状に突設されている。また、環状片６５８の一側面所定箇所には、図中に示されるように、リールシート６５５の貼着基準位置を示す基準位置表示部としての基準マークＭが設けられており、リールシート６５５を保持枠６５６、６５７に貼着する際において、この基準マークＭにリールシート６５５の長手方向の一端部を合わせることで、保持枠６５６、６５７に対してリールシート６５５を常に一定の位置から貼着することができるようになっている。よって、この基準マークＭの位置がリールシート６５５の継ぎ目となる。
【０５２７】
他方の保持枠６５７は、図８５に示されるように、保持枠６５８と同様に断面が略Ｔ字状をなすとともに、環状に形成されるＡＢＳ樹脂材のみからなり、その外周面６５７ａには、リールシート６５５における幅方向の一端縁部裏面が高粘着性の両面テープ材等を介して貼着されている。
【０５２８】
このように本実施例におけるリール２Ｌ、２Ｃ、２Ｒは複数種の図柄が表面に複数配置された帯状のリールシート６５５と、該リールシート６５５の両端縁部を環状に保持する一対の保持枠６５６、６５７と、からなり、リールシート６５５の両端縁部を、それぞれの枠状の保持枠６５６、６５７の外周面に両面テープ材等によりそれぞれ貼着することにより一体化されている。
【０５２９】
このように構成されたリール２Ｌとリールモータ３４Ｌとの固定方法を図８５及び図９１に基づいて説明する。
【０５３０】
リール２Ｌをリールモータ３４Ｌに取り付ける場合、回転軸６０４に予め固定された回転板６１０に、保持枠６５６の固定板６５９を取り付ける。詳しくは、固定板６５９の嵌合穴６６１内に回転板６１０から突出された回転軸６０４を嵌合するとともに、挿通長穴６６３ａ内に位置決めピン６１６ａを、かつ、挿通穴６６３ｂ内に位置決めピン６１６ｂを挿通させるようにして回転板６１０に固定板６５９を当接させる。
【０５３１】
この状態で、固定ネジＮ６１を各挿通孔６６２内に挿通し、回転板６１０のネジ孔６１５内にそれぞれ螺入する。これにより、回転板６１０と固定板６５９とは、複数の固定ネジＮ６１による取付け作用と位置決めピン６１６ａ、６１６ｂ及び挿通長穴６６３ａ及び挿通穴６６３ｂによる嵌合作用によって回動不能に固定される。よって、リール２Ｌは保持枠６５６を介して回転板６１０、ひいてはリールモータ３４Ｌの回転軸６０４に対して相対回動不能に固定される。
【０５３２】
以上説明したように、本実施例におけるリール２Ｌ（２Ｃ、２Ｒ）の回動基準位置を検出するための回動基準位置検出部である切欠部６１７が、リール２Ｌを回転軸６０４に固定するための回転板６１０自体に形成されていることにより、リール２Ｌの成型精度や回転軸６０４に対する取り付け精度に影響されることなく、かつ、リール２Ｌの回動に応じた回動基準位置の検出が行われるため、回転軸６０４の回転とリール２Ｌの回転とのずれによる図柄の停止位置のずれが効果的に防止される。
【０５３３】
また、回転板６１０に形成された小径穴６５４を取付けネジＮ６１の直上に位置させることで、回転板６１０の上方から取付けネジＮ６１をドライバー等で取り付けたり取り外すことができるようになっているので、回転軸６０４に回転板６１０が固定された状態でも、取付板６０５をリールモータ３４Ｌの本体部６４０に対して着脱することができるため、リールモータ３４Ｌだけの製造が可能となる。
【０５３４】
また、回動基準位置検出部としての切欠部６１７を、回転板６１０における外周縁部の環状片６１０ｂの所定箇所に形成することで、環状片６１０ｂの内側における回転軸６０４の近傍に切欠部６１７を設ける場合よりも、回転軸６０４の１ステップに対応する移動距離が長くなり、これにより回転基準位置の検出誤差の許容範囲を大きくとれることになるので、リールセンサ３５Ｌによる検出精度が高まることが好ましいが、回転軸６０４からの距離が長くなり過ぎると、切欠部６１７が大きくなって回転板６１０の強度が低下したり、回転板６１０の回動時に生じるぶれ等の要因により検出精度が低下しやすくなるため、切欠部６１７は回転軸６０４から所定距離離間した位置（例えばネジ穴６１５の近傍位置）に形成することが好ましい。
【０５３５】
（５−８）ランプユニット
支持板６００Ｌに回動自在に取り付けられるリール２Ｌにおいて、前述した可変表示部２２Ｌに対応する領域、すなわち、透視窓３を通して遊技者が図柄を視認可能となる視認領域を後面側から個別に照射可能な複数のリールランプ３３Ｌａ〜３３Ｌｃが設けられるランプユニット６０１Ｌの詳細を説明する。
【０５３６】
ランプユニット６０１Lは、図８５及び図８９に示されるように、リールランプ３３Ｌが配置される本体部６７０と、本体部６７０を支持板６００Ｌに取り付けるための取付部６７１とから主に構成されている。本体部６７０の前部には、図８５に示されるように、それぞれ前方に開口するとともに、上・中・下段それぞれに区画された区画室６７２ａ、６７２ｂ、６７２ｃが形成されている。これら区画室６７２ａ、６７２ｂ、６７２ｃそれぞれの後壁には、後方に設けられるリールランプ基板１３５Ｌの前面における上・中・下段にそれぞれ１個ずつ取り付けられたリールランプ３３Ｌａ〜３３Ｌｃを前方に臨ませるための横長の長穴６７４ａ、６７４ｂ、６７４ｃがそれぞれ形成されている。
【０５３７】
本体部６７０の取付部６７１側の側面には、先端に内向きの係止爪６７５ａが形成された弾性変形自在な係止片６７５が後向きに形成されているとともに、取付部６７１と反対側の側面上下部には、内向きＬ字状の係止フック６６６が後向きに形成されている。また、本体部６７０の背面上下部における左右位置には、リールランプ基板１３５Ｌの上下辺をそれぞれガイドして上下方向の位置ずれを防止するための左右方向を向く位置決め片６６４が後向きに突設されている。よって、上下の係止フック６６６それぞれにリールランプ基板１３５Ｌの一方の側辺を係止した状態で他方の側辺を本体部６７０に向けて押圧することで、係止片６７５の係止爪６７５ａにリールランプ基板１３５Ｌの一側辺が係止されるとともに、上下方向の位置ずれが位置決め片６６４にて防止されることで、リールランプ基板１３５Ｌを本体部６７０の背面側に取り付けることができるようになっている。
【０５３８】
リールランプ基板１３５Ｌが本体部６７０の後側に設けられることにより、各区画室６７２ａ、６７２ｂ、６７２ｃ内にリールランプ３３Ｌａ〜３３Ｌｃが配置される。各リールランプ３３Ｌａ〜３３Ｌｃは、それぞれ前後方向を向くように配置されるため、その前方に設けられるリールシート６５５の後面側が均等に照射される。また、本体部６７０における中央の区画室６７２ｂの側壁には、前面に上下方向を向く係合凹溝６７８が形成された突出部材６７９が側方に向けて突設されている。なお、上部区画室６７２ａの上面及び下部区画室６７２ｃの下面には放熱穴６６８が形成されている。また、本体部６７０の側面における係止片６７５の基部には、係止片６７５を成形するための係止片成形用穴６６７が形成されている（図８５参照）。
【０５３９】
また、取付部６７１は、本体部６７０の側方に前後方向を向くように形成されており、この取付部６７１の上端部には、側面視略上向きコ字状の係合片６７６が形成されているとともに、取付部６７１の下端部には、側面視略下向きコ字状の係合片６７７が形成されている。係合片６７６は、前片６７６ａと後片６７６ｂとを有しており、前片６７６ａと後片６７６ｂとは所定間隔離間して前後に形成されている。また、係合片６７７は、前片６７７ａと後片６７７ｂとを有しており、前片６７７ａと後片６７７ｂとは所定間隔離間して前後に形成されている。
【０５４０】
一方、支持板６００の開口部６８０は、本体部６７０を挿通可能な大きさに形成されており、その上端部には、幅寸法が前片６７６ａと後片６７６ｂとの間の隙間よりも小寸な下向きＬ字状の係合片６８１が形成されているとともに、下端部には、幅寸法が前片６７７ａと後片６７７ｂとの間の隙間よりも小寸な下向きＬ字状の係合片６８２が形成されている。開口部６８０の後端辺部には、先端に外面６００ｄ側に突出する係止爪６８３ａが形成された弾性変形自在な係止片６８３が形成されている。また、円弧状の前端辺部の中央部には係合凹溝６７８が嵌合される凹部６８０ａが形成されているとともに、該凹部６８０ａの前方には、係合凹溝６７８が凹部６８０ａに嵌合したときに突出部材６７９の上下面を狭持して上下方向の位置ずれを防止する位置決め片６８４ａ、６８４ｂが形成されている。
【０５４１】
このように構成されたランプユニット６０１Ｌは、図８９中矢印で示されるように、支持板６００Ｌの外面６００ｄ側、すなわち、リール２Ｌの配置位置側と反対側から、前方に形成された開口部６８０内に本体部６７０を挿通することにより支持板６００Ｌの内面６００ｃ側、すなわち、リール２Ｌの配置位置側に配置できるようになっている。
【０５４２】
ここで、支持板６００Ｌにランプユニット６０１Ｌを取り付ける場合、まず図８９に示されるように、リールランプ基板１３５Ｌが取り付けられたランプユニット６０１Ｌの本体部６７０を、支持板６００Ｌの外面６００ｄ側から開口部６８０内に挿通する。次いで、図９０（ａ）に示されるように、本体部６７０を開口部６８０内における後側に位置させ、上下の前片６７６ａ、６７７ａと後片６７６ｂ、６７７ｂとの間の隙間に係合片６８１、６８２を挿通させる。このとき、上下の前片６７６ａ、６７７ａと後片６７６ｂ、６７７ｂ、及び取付部６７１の後部が支持板６００の外面６００ｄに当接してそれ以上の挿通が規制される。
【０５４３】
この状態から、図９０（ａ）中矢印方向、すなわち、前方に向けてランプユニット６０１をスライド移動させると、図９０（ｂ）に示されるように、係合片６８１に後片６７６ｂが、また、係合片６８２に後片６７６ｂが係合して取付部６７１の支持板６００からの離脱が規制される。そして、突出部材６７９の前面に形成された係合凹溝６７８内に開口部６８０の凹部６８０ａが嵌合して前方移動が規制され、かつ上下の位置決め片６８４ａ、６８４ｂ間に突出部材６７９が嵌合して上下移動が規制されるとともに、取付部６７１の後端部に係止爪６８３ａが弾性復帰力により係止され、後方移動も規制される。
【０５４４】
このようにランプユニット６０１は、これら係合片６７６、６７７／係合片６８１、６８２、係合凹溝６７８／開口部６８０の凹部６８０ａ、係止爪６８３ａと取付部６７１の後端部、による係止作用によって支持板６００に取り付けできるようになっている。また、ランプユニット６０１Ｌを支持板６００Ｌから取り外す場合は、係止片６８３ａを外面６００ｄ側から内向きに押し込んで係止を解除した状態でランプユニット６０１Ｌを後退させ、上下の前片６７６ａ、６７７ａと後片６７６ｂ、６７７ｂとの間の隙間に係合片６８１、６８２が位置させれば、支持板６００Ｌの内面６００ｃ側に配置されていた本体部６７０を外面６００ｄ側に容易に引き出して取り外すことができる。
【０５４５】
このようにランプユニット６０１Ｌは、弾性変形自在な係止爪等の係止手段（係合片６７６、６７７／係合片６８１、６８２、係合凹溝６７８／開口部６８０の凹部６８０ａ、係止爪６８３ａと取付部６７１の後端部）を介して支持板６００Ｌに対して着脱自在に取り付けられているため、ランプユニット６０１の支持板６００Ｌからの着脱を、ドライバー等によりネジ固定などをすることなく手作業で容易に行うことができるため、着脱作業を容易に行うことができる。
【０５４６】
また、図９１及び図９２に示されるように、ランプユニット６０１Ｌの本体部６７０は、リール２Ｌのリールシート６５５の後面をリールランプ３３Ｌにて後方から照射できるように、支持板６００Ｌの内面６００ｃ側であるリール２Ｌの内部に配置されるため、前方の図柄を後方から均一に照射することができる。また、リールランプ３３Ｌは各区画室６７２ａ、６７２ｂ、６７２ｃ内に配置されるため、前方の上・中・下段にそれぞれ停止される図柄をそれぞれ個別に照射することができるばかりか、各区画室６７２ａ、６７２ｂ、６７２ｃを全体的に均一に明るく照射することができるため、演出効果が向上する。
【０５４７】
また、ランプユニット６０１Ｌの本体部６７０は、支持板６００Ｌに形成された開口部６８０を介して、リール２Ｌの回動軸心方向に向けて抜き差しできるようになっているとともに、係止爪６８３ａが外面６００ｄ側に設けられており、支持板６００Ｌの外面６００ｄ側にて前述した係止手段の係止及び解除作業を行うことで着脱できるため、リール２Ｌが支持板６００Ｌに回動自在に設けられている状態においても、リール２Ｌを支持板６００Ｌから取り外したりすることなく、かつ、支持板６００Ｌにおけるリール２Ｌの配置位置の反対側から、配置されたリール２Ｌに干渉することなく、開口部６８０を介して容易に着脱してリールランプ３３Ｌａ〜３３Ｌｃを交換することができる。
【０５４８】
このように、リール２Ｌ及びリールモータ３４Ｌ、ランプユニット６０１Ｌが固設される支持板６００Ｌからなるリール体は、図９２及び図９３に示されるように、リール収容凹部３０ａ内に横並び状態で組み込まれる。このとき、特に図９１に示されるように、互いに所定距離離間するように隣り合って配置される各リール２Ｌ、２Ｃ、２Ｒ間には、各支持板６００Ｌ、６００Ｃ、６００Ｒの前方に一体的に形成されたリール間隠蔽部７００が配置される。詳しくは、図９１中拡大図に示されるように、リール間隠蔽部７００は、その幅方向の端部とリールシート６５５の端部とが互いに所定幅分重なり合うように、互いに隣り合うそれぞれのリールのリールシート６５５の裏面（内周面）側端部まで張り出すように設けられているため、リールシート６５５の表面における遊技者からの視認領域を狭めることなくリール２Ｌ、２Ｃ、２Ｒ間を隠蔽することができる。よって、各リールシート６５５の表面を、幅方向に広く見せることができるため、リールシート６５５の表面に配置される図柄等を大きくするなどして視認性を高める等の自由度が向上するばかりか、リール隠蔽部５３が可変表示部内に大きく露呈して可変表示部の外観体裁が損なわれることを防止できる。
【０５４９】
（５−９）リールユニット枠へのリールの取り付け
次に、このようにリール２Ｌが回動自在に取り付けられた支持板６００Ｌのリール収容凹部３０ａ内への着脱時における作用を図９２及び図９３に基づいて説明する。
【０５５０】
リール２Ｌが回動自在に取り付けられた支持板６００Ｌをリール収容凹部３０ａ内に組み付けるには、まず、支持板６００Ｌをリール収容凹部３０ａに組み付ける前の段階で、図９２に示されるように、上下の取付片６００ａ、６００ｂの孔部６０２内それぞれにラッチ部材６２０を予め前側から取り付けておく。
【０５５１】
次いで、ラッチ部材６２０が取り付けられた支持板６００Ｌを、リール収容凹部３０ａの左右一対のガイド片５５７Ｌａ〜５５７Ｌｃに合わせて前方から後方に向けて差し込む。差し込まれた支持板６００Ｌは、その上下辺が前後方向を向く上下のガイド片５５７Ｌａ、５５７Ｌｃにより後方に向けて案内された状態でスライド移動し、図９３に示されるように、最終的に位置決めピン６９０が位置決め穴５５９Ｌ内に嵌合されたときに、各平板部７０６ａ〜７０６ｃの外面が、各々に対向するリール収容凹部３０ａの背面を形成する平板部５５２ａ〜５５２ｃの内面に当接するとともに、上下の取付片６００ａ、６００ｂの背面がリール固定板金５６０ａ、５６０ｂの前面に当接する。また、リール固定板金５６０ａ、５６０ｂに形成されたラッチ挿入穴５６０ｃ内に上下のラッチ部材６２０の先端が嵌合されるため、ラッチ部材６２０の操作部６２０ａを後方に向けて押し込むことにより、ラッチ部材６２０の先端部がラッチ挿入穴５６０ｃ内において拡径してラッチ挿入穴５６０ｃからの逸脱が防止され、これにより支持板６００Ｌがリール固定板金５６０ａ、５６０ｃに固定され、リール収容凹部３０ａからの逸脱が防止される。
【０５５２】
このように、リールユニット枠５５０のリール収容凹部３０ａを形成する膨出部５５１の背面は、上下方向に向けて所定角度ずつ内向きに屈曲して連設される複数の平板部７０６ａ〜７０６ｃにて側面視略多角形状をなすように構成されるとともに、リール２Ｌの支持板６００Ｌの後端面は、側面視が前記各複数の平板部７０６ａ〜７０６ｃの側面視形状と同様の略多角形状をなすように構成される複数の平板部５５２ａ〜５５２ｃにて形成されているため、リール収容凹部３０への取り付け時において、平板部７０６ａ〜７０６ｃと平板部５５２ａ〜５５２ｃとが当接するようになっているため、リール２Ｌの回転開始時や回転停止時において、リール２Ｌの回転方向への力が取付片６００ａ、６００ｂのみに局部的に加わることなく分散されるため、破損や損傷が防止される。
【０５５３】
さらに、本実施例にて用いたラッチ部材６２０にあっては、取付片６００ａ、６００ｂ側に取り付けられた部位（ブッシュ）に対して操作ピンが逸脱しないように保持されたままとなるため、ネジ等のようにその都度取付部にねじ込んだり取付部から取り外す必要がないので、支持板６００Ｌの取り外しの際にパーツを紛失したりすることがないばかりか、操作性が極めて容易であるため、作業性が向上する。このように、支持板６００Ｌのリール収容凹部３０ａに対する着脱をラッチ部材６２０を用いて行うことで、着脱作業を工具等を用いることなく手作業のみで極めて容易に行うことができる。
【０５５４】
なお、このような固定手段は、上記ラッチ部材６２０のように、操作部（操作ピン）の手動操作により作用する固定部材（ブッシュ）を作用させることでリール収容凹部３０ａに対する支持板６００Ｌ、６００Ｃ、６００Ｒの固定及び固定の解除を行うことができる固定手段のみに限定されるものではなく、リール収容凹部３０ａに対する支持板６００Ｌ、６００Ｃ、６００Ｒの固定及び固定の解除を、ドライバー等の工具等を用いることなく手作業で行えるものであれば、例えば蝶ネジ等種々の固定手段も適用可能である。
【０５５５】
また、リール間隠蔽部７００はリール２Ｌ、２Ｃ、２Ｒの内周面側に配置されることで、各リールの幅寸法を広げることができるため、図柄の視認性が著しく向上するばかりか、リール体（リール２Ｌ、２Ｃ、２Ｒ及び支持板６００Ｌ、６００Ｃ、６００Ｒ）の並列配置をリール間隠蔽部７００に干渉されることなく行うことができる。
【０５５６】
なお、他の支持板６００Ｃ、６００Ｒに関しても、上記支持板６００Ｌの着脱方法と同様の方法によってリール収容凹部３０ａに対して着脱自在に組み付けることができるため、詳細な説明は省略することとする。
【０５５７】
以上説明してきたように、本実施例におけるリールユニット５０にあっては、支持板６００Ｌ、６００Ｃ、６００Ｒを、左右一対のガイド片５５７Ｌａ〜５５７Ｌｃ、５５７Ｃａ〜５５７Ｃｃ、５５７Ｒａ〜５５７Ｒｃ及びガイド部５５８ａ〜５５８ｃ間にそれぞれ直線状に形成された設置用案内部に沿ってスライド移動させることで、支持板６００Ｌ、６００Ｃ、６００Ｒが設置体としてのリール収容凹部３０ａにおける設置位置まで確実に案内されて配置されるため、各リール２Ｌ、２Ｃ、２Ｒを、互いに隣接配置されるリールと干渉させることなく容易に配置することができるばかりか、設置位置での支持板６００Ｌ、６００Ｃ、６００Ｒの固定を、ラッチ部材６２０を介して工具等を用いることなく手作業で、また、支持板６００Ｌ、６００Ｃ、６００Ｒの組み付け方向、すなわち、リール収容凹部３０ａの前方からの固定のみで簡単に行うことができる。よって、これら各リールのリール収容凹部３０ａへの配置や取り外し、及び配置位置での固定や該固定の解除を含む一連の作業を、設置体を分解したりすることなく極めて容易に行うことができるため、製造時等におけるリール体の組み付け作業効率が向上するばかりか、機種変更等に伴うリールの交換作業効率が著しく向上する。
【０５５８】
（５−１０）本体枠の背面
次に、本体枠２７の背面への各種ユニットや部材について、図９４〜図９６に基づいて説明する。図９４は本体枠２７の背面への各種ユニットや部材の取り付け状態を示す分解斜視図であり、図９５（ａ）（ｂ）は下皿球通路部材８０２を示す斜視図であり、図９６（ａ）は錠前付き補強枠２２７を斜め前方から見た状態を示す斜視図であり、（ｂ）は錠前付き補強枠２２７を斜め後方から見た状態を示す斜視図である。
【０５５９】
図９４に示されるように、本体枠２７の背面には、図示しない遊技機設置島から供給されるパチンコ球を貯留する補給タンク２０４と、払出装置２００と、補給タンク２０４及び払出装置２００の間に配設される球供給通路２１０と、を有する上部払出ユニット８００と、払出装置２００から払い出されたパチンコ球を連通口１３や払出口９まで流下させる払出球誘導通路２０８ｂ（図１３参照）と、メイン制御基板ケース４００及び電源基板ケース３００が取り付けられる下部払出ユニット８０１と、下皿球通路部材８０２と、複数の係止片を有する錠前付き補強枠２２７と、が主に取り付けられる。
【０５６０】
具体的に説明すると、上部払出ユニット８００は、背面側から挿通されるネジＮ２００により背面上部に止着されており、下部払出ユニット８０１は、背面側から挿通されるネジＮ２０１により背面下部に止着されており、下皿球通路部材８０２は、背面側から挿通されるネジＮ２０２により背面下部に止着されており、錠前付き補強枠２２７は、背面側から挿通されるネジＮ２０３により背面下部に止着されている。
【０５６１】
また、本体枠２７の背面上部には、上部前面扉２８が本体枠２７の前面を閉鎖する閉鎖位置に位置したときに、先端が上部前面扉２８により後方に向けて押圧され、後端が後述する上部機構板８２０に設けられる上部前面扉開放スイッチ１１３を押圧する棒状のスイッチ部材８８０が設けられている。スイッチ部材８８０は、本体枠２７に形成された開放スイッチ挿通穴３２８（図７５参照）内に背面側から挿通され、ネジＮ２２０にて本体枠２７に止着される保持板８８２にて逸脱不能に保持されるとともに、内部にはコイルバネ８８１が環装されており、先端が本体枠２７の前面側に突出するように常時付勢されている。よって、上部前面扉２８が本体枠２７の前面を閉鎖する閉鎖位置にあるときは、スイッチ棒８８０の先端が上部前面扉２８にて押圧され、後端が上部前面扉開放スイッチ１１３を押圧するため、上部前面扉２８の閉鎖状態が検出される。また、上部前面扉２８が本体枠２７の前面を開放する開放位置にあるときは、スイッチ棒８８０の先端がコイルバネ８８１にて前方に付勢されるため、後端が上部前面扉開放スイッチ１１３から離間するため、上部前面扉２８の開放状態が検出されるようになっている。以下、各部材の詳細を図面に基づいて説明していく。
【０５６２】
（５−１１）下皿球通路部材
下皿球通路部材８０２は合成樹脂材からなり、図９５に示されるように、取込球誘導通路１０８を形成する上向きに開口する縦断面略コ字状の取込球通路部８０５と、返却球誘導通路１０９を形成する上向きに開口する縦断面略コ字状の返却球通路部８０６と、が一体成型により形成されている。取込球通路部８０５は、図９５（ｂ）に示されるように、図中下方の上流側から下流側に向かうに従い図中左側に向けて緩やかに円弧を描くように湾曲されているとともに、通路幅が漸次幅広となるように形成されている。通路底面は、上流側から下流側に向かうに従い下方に傾斜する傾斜面とされており、下流側端部には流下してきたパチンコ球を下方に落下させるための流出口１０８ａが形成されている。該流出口１０８ａは、図示しない遊技機設置島台内部に配設される球タンクの上方に位置するように配置される。
【０５６３】
一方、返却球通路部８０６は、図中下方の上流側から下流側に向かうに従い図中左側に向けて約９０度屈曲されているとともに、通路幅が漸次幅広となるように形成されている。通路底面は、上流側から下流側に向かうに従い下方に傾斜する傾斜面とされており、下流側端部には流下してきたパチンコ球を後述する流し樋１２６に流出させるための流出部１０９ａが形成されている。
【０５６４】
取込球通路部８０５及び返却球通路部８０６の下流部は、互いに離間配置されており、両者は連結片８０７を介して連結されているとともに、返却球通路部８０６の側面には、返却球詰まり検出スイッチ１１１を保持する検出スイッチ保持部８０８が形成されており、検出スイッチ保持部８０８内に保持された返却球詰まり検出スイッチ１１１の上部は、検出スイッチ保持部８０８に形成された弾性変形可能な係止片８０９により係止されて逸脱が防止されるようになっている。なお、取込球通路部８０５の上流側の外面にはネジＮ２０２を取り付ける取付片８１０が突設されている。
【０５６５】
また、取込球通路部８０５及び返却球通路部８０６の上流側端部は、図１４（ｂ）に示されるように、取込装置１００の下方に配置されるようになっている。具体的には、取込装置１００の下面に形成される取込球排出口１１０６ａ、１１０６ｂの下方に取込球通路部８０５の上流側端部が配置され、返却球排出口１１０７ａ、１１０７ｂの下方に返却球通路部８０６の上流側端部が配置されるようになっているとともに、それぞれの上流側端部には、取込球排出口１１０６ａ、１１０６ｂまたは返却球排出口１１０７ａ、１１０７ｂから排出されたパチンコ球を下流側に向けて流下させる傾斜面を形成する三角形状のリブ８１７が立設されている。
【０５６６】
（５−１２）錠前付き補強枠
錠前付き補強枠２２７は、図９６に示されるように、後向きに開口する横断面コ字状の取付部材８１１と、取付部材８１１の背面に沿って上下方向に摺動自在に取り付けられ、前面上部及び中央に透視窓枠係止片２２８ａ、２２８ｂが突設された透視窓枠係止部材８１２と、取付部材８１１の一側内面に沿って上下方向に摺動自在に取り付けられ、後端上下に枠基体係止片２３４ａ、２３４ｂが後向きに突設された枠基体係止部材８１３と、から主に構成される。
【０５６７】
取付部材８１１には、本体枠２７に止着するネジＮ２０３が取り付けられるネジ取付穴８１４と、本体枠２７の背面に形成された位置決め用ボス（図示略）が嵌合される位置決め穴８１８が上下方向に向けて複数箇所に形成されている。透視窓枠係止片２２８ａ、２２８ｂを、上下移動可能な状態で前方に挿通するスリット８１５ａ、８１５ｂが形成されているとともに、スリット８１５ｂの下方には、施錠装置２３の本体となる錠前２３ｂを前方に挿通するための挿通穴８１６が形成されている。また、錠前付き補強枠２２７がネジＮ２０３を介して本体枠２７の背面に止着されることで、透視窓枠係止片２２８ａ、２２８ｂは係止片挿通口２２９ａ、２２９ｂを挿通して前面側に突出される。なお、錠前付き補強枠２２７は、本体枠２７への取り付け時において、該本体枠２７の前面側に配設された被係止片２３７に一端が接触するように設けられる金属製のアース部材８１９（図９４参照）に接触し、帯電が防止されるようになっている。
【０５６８】
透視窓枠係止部材８１２及び枠基体係止部材８１３は、特に詳細な図示はしないが、施錠装置２３の本体背面に回動自在に設けられたリンク片２３ｃの両端にそれぞれ別々に連係されているとともに、図示しないバネにより上方または下方に付勢されており、鍵穴２３ａに所定のキーを差し込んで時計回りに回転させると、透視窓枠係止部材８１２が下降し、透視窓枠係止片２２８ａ、２２８ｂの係止が解除され、鍵穴２３ａに差し込んだ所定のキーを反時計回りに回転させると、枠基体係止部材８１３が上昇し、枠基体係止片２３４ａ、２３４ｂの係止が解除されるようになっている。
【０５６９】
（５−１３）上部払出ユニット
次に、図９７〜図１０１に基づいて、上部払出ユニット８００の詳細な構造を説明する。図９７は上部払出ユニット８００を示す分解斜視図であり、図９８（ａ）は上部機構板８２０を示す背面図であり、（ｂ）は上部機構板８２０を示す側面図であり、（ｃ）は上部機構板８２０を示す前面図であり、図９９（ａ）は通路表カバー８２１を示す正面図であり、（ｂ）は通路表カバー８２１を示す背面図であり、図１００（ａ）は図９９（ａ）のＡ−Ａ断面図であり、（ｂ）は図９９（ａ）のＢ−Ｂ断面図であり、図１０１（ａ）は通路裏カバー８２４を示す正面図であり、（ｂ）は断面図であり、図１０２（ａ）は補給タンク２０４を示す平面図であり、（ｂ）は（ａ）のＡ−Ａ断面図であり、図１０３（ａ）はタンクレールを示す平面図であり、（ｂ）は背面図であり、（ｃ）は正面図であり、（ｄ）は右側面図である。
【０５７０】
上部払出ユニット８００は、各種部材が取り付けられる略Ｌ字状の上部機構板８２０と、上部機構板８２０の水平片部８２０ａ背面に取り付けられる補給タンク２０４と、その下方に取り付けられるタンクレール８２５と、水平辺部８２０ａの一端から屈曲形成される垂直片部８２０ｂ背面に取り付けられる通路表カバー８２１と、通路表カバー８２１の背面上部に取り付けられるフォトカバー８２２と、その下方に取り付けられるケースカバー８２３と、ケースカバー８２３内に収容される払出装置２００と、垂直片部８２０ｂ前面に取り付けられる通路裏カバー８２４と、から主に構成される。
【０５７１】
（５−１４）上部機構板
上部機構板８２０は、図９７及び図９８に示されるように、左右方向に延びる水平片部８２０ａと、該水平片部８２０ａの一端から屈曲形成される垂直片部８２０ｂと、から構成されており、これらの周縁部には、該上部機構板８２０を本体枠２７の背面に取り付けるためのネジＮ２５０が取り付けられるネジ取付穴８９５と、ネジＮ２５１が取り付けられるネジ取付穴８９６とが所定箇所に形成されている。水平片部８２０ａの背面上部には、図９８（ａ）に示されるように、補給タンク２０４を止着するためのネジＮ２０５が螺入されるネジ穴８２６が左右４箇所に形成されているとともに、その下方には、タンクレール８２５を止着するためのネジＮ２０６が螺入されるネジ穴８２７が複数箇所に形成されている。補給タンク２０４とタンクレール８２５との間には、補給タンク２０４の下部を支持するとともに、タンクレール８２５の位置決め穴８２８が嵌合される位置決め用ボス８２９が前向きに突設されているとともに、その側方には、タンクレール８２５を流下するパチンコ球を整流するための球ならし部材８３１ａ、８３１ｂを揺動自在に支持するネジＮ２０７が止着される支持用ボス８３０が前向きに突設されている。
【０５７２】
また、水平片部８２０ａの一端部には、上部前面扉開放スイッチ１１３が設けられる開放スイッチ取付板８８４が、ネジＮ２０８により止着されているとともに、他端部に形成された突部には、前述した枠基体開放スイッチ１１４と、該枠基体開放スイッチ１１４のスイッチ部に隣接配置され、外枠２７との接触に応じて枠基体開放スイッチ１１４のスイッチ部を押圧する金属製のスイッチ部材８８５とを保持する保持板８８６が、ネジＮ２２１により止着されている。
【０５７３】
垂直片部８２０ｂ上部には、タンクレール８２５を流下してくる各条のパチンコ球を下方に向けて方向変換するカーブ通路部８３２が形成されている。その下方には、カーブ通路部８３２にて方向変換されたパチンコ球を裏面側の供給球抜き通路１２３ａに流下させるための球抜口８３３が形成されているとともに、後述するように球抜口８３３を閉塞可能に吊支される球抜き弁８３４の切り替え操作を行う球抜操作杆８３５が嵌挿される操作穴８３６が形成されている。また、カーブ通路部８３２周囲には、球止め部材８３７のボス８３７ａが嵌合される嵌合穴８３８と、フォトカバー８２２を止着するためのネジＮ２０９が螺入されるネジ穴８３９が形成されている。
【０５７４】
垂直片部８２０ｂの下部には、払出装置２００が取り付けられる払出装置取付部８４０が形成されており、該払出装置取付部８４０には、払出装置２００から突設される係合片２２００ａ、２２００ｂが係合される係合穴８４２ａ、８４２ｂが上下に形成されているとともに、係合穴８４２ａ、８４２ｂの一側辺からは、係合された係合片２２００ａ、２２００ｂの基部が摺動自在に嵌挿されるスライド溝８４２ｃが形成されている。また、上下の係合穴８４２ａ、８４２ｂの間には、払出装置２００の一側辺に係止される弾性変形可能な係止片８４１が形成されている。さらに、係止片８４１の反対側には、払出装置２００の一側辺から外向きに突設された係止片２２０１ａ、２２０１ｂが嵌挿される係止片挿通口８６５ａ、８６５ｂが形成されている。また、ネジ取付穴８９６の側方には、下部機構板９００に突設される後述する位置決め用ボス９４１が嵌合される位置決め穴８９７が形成されている。
【０５７５】
このように形成される垂直片部８２０ａの表面には、カーブ通路部８３２の下部から払出装置取付部８４０の上部にわたって、３条の球通路が並設されるように複数の通路壁が立設されている。また、垂直片部８２０ａの裏面における球抜口８３３の下方には、図９８（ｃ）に示されるように、供給球抜き通路１２３ａを形成する通路壁８４３が立設されており、通路壁８４３により供給球抜き通路１２３ａが垂直片部８２０ｂの外辺に沿って形成されるようになっている。また、通路裏カバー８２４を止着するためのネジＮ２１２が螺入されるネジ穴８４４が複数箇所に形成されているとともに、球抜口８３３の上方には、球抜き弁８３４を揺動自在に支持するシャフト８３４ａの両端が係合される支持凹部８５４が形成されている。
【０５７６】
（５−１５）通路表カバー
通路表カバー８２１は、図９９及び図１００に示されるように、該通路表カバー８２１にて形成される球供給通路２１０内にパチンコ球が供給されているか否かを検出するための供給球検出スイッチ２０５にて検出されるフォトレバー８４５ａ〜８４５ｃの一部をカバー内部、つまり通路内に出退させる縦長のフォトスリット８４６ａ〜８４６ｃが中央に併設されているとともに、その上下部には、供給球検出スイッチ２０５が設けられるフォトカバー８２２の上下部を止着するためのネジＮ２１０が螺入されるネジ穴８４７が形成されている。また、周縁部所定箇所には、該通路表カバー８２１を上部機構板８２０に止着するネジＮ２０９が取り付けられるネジ取付穴８８７と、球止め部材８３７の一方のボス８３７ａを回転自在に支持する球止め保持片８９０を止着するためのネジ取付穴８８８と、が形成されている。
【０５７７】
フォトスリット８４６ａ〜８４６ｃの下方には、ケースカバー８２３の上部左右に形成された吊支穴８４８が嵌合される外向きの吊支用ボス８４９が左右に形成されている。さらにその下方には、払出装置２００へのパチンコ球の供給を止める際に使用される球止め部材８５０を取り付けるためのネジＮ２１１が螺入されるネジ穴８５１が形成されているとともに、その下方には、球止め部材８５０の球止め片８５２の先端を通路内部に対して出退させるための球止めスリット８５３ａ〜８５３ｃが併設されている。
【０５７８】
（５−１６）通路裏カバー
通路裏カバー８２４は、図９７及び図１０１に示されるように、球抜操作杆８３５の後端に相対回転不能に嵌合され、球抜き弁８３４の背面に当接して球抜き弁８３４の位置を切り替えてパチンコ球の流路を払出装置２００または供給球通路１２３のいずれかに切り替えるための切替部材８５５を回動自在に支持する切替用ボス８５６が突設されている。この切替用ボス８５６の内部はネジ穴８５６ａとなっており、該ネジ穴８５６ａには球抜操作杆８３５を回動自在に止着するためのネジＮ２１３が螺入されるようになっている。また、周縁部には、該通路裏カバー８２４を上部機構板８２０に止着するためのネジＮ２１２が取り付けられるネジ取付穴８９１が複数箇所に形成されている。
【０５７９】
（５−１７）補給タンク
補給タンク２０４は、図１０２に示されるように、左右幅２９８．５ｍｍ、奥行き幅８４ｍｍ、最長深さ６３．５ｍｍの上面が開口する箱状に形成されており、左右側面にはネジＮ２０５が取り付けられるネジ取付穴８９２が形成されたネジ取付片８５７ａ、８５７ｂが外向きに突設されているとともに、下面には位置決め用ボス８２９上に嵌合する溝８９３が形成された位置決め片８５７ｃが下向きに突設されている。補給タンク２０４の底面２０４ａにおける最下位部には、貯留されたパチンコ球を下方のタンクレール８２５に流出させる流出口８５８が形成されており、内部における流出口８５８の形成位置が一番深くなっており、該流出口８５８に向けて下面が傾斜されている。
【０５８０】
（５−１８）タンクレール
タンクレール８２５は、図１０３に示されるように、補給タンク２０４の流出口８５８から落下したパチンコ球を受けて下流側に向けて誘導する湾曲面からなる球受面８６０が一端部に形成されるとともに、球受面８６０の端部から他端に向けて、球通路の底面を形成する帯状の底板８６１が下方に傾斜するように配設されている。底板８６１は、長手方向に向けてパチンコ球を３列で流下させることができる幅寸法を有しており、各通路に対応する箇所には、ゴミ等を下方に落下させるためのスリット８６２がそれぞれに長手方向に向けて複数形成されている。また、各通路間には仕切板８６３が立設されるとともに、前後の通路側面には、側壁８６４ａ、８６４ｂが立設されている。また、表側の側壁８６４ａは奥側の側壁８６４ｂよりも高く形成され、中央に形成された三角状部には、位置決め用ボス８２９の先端に形成されたネジ穴に螺入されるネジＮ２０６が取り付けられるネジ取付穴８２８ａが形成されている。また、周縁部にはネジＮ２０６が取り付けられるネジ取付穴８２８ｂが形成されている。
【０５８１】
（５−１９）払出装置
次に、払出装置２００の構造を図１０４〜図１０８に基づいて説明する。図１０４（ａ）は払出装置２００を右斜め前方から見た状態を示す斜視図であり、（ｂ）は払出装置２００を左斜め前方から見た状態を示す斜視図であり、図１０５は払出装置２００を示す背面図、左右側面図、平面図、底面図であり、図１０６は払出装置２００の内部構造を示す分解斜視図であり、図１０７（ａ）は球通路の状態を示す左側面図であり、（ｂ）は（ａ）のＡ−Ａ断面図、（ｃ）は（ａ）のＢ−Ｂ断面図である。
【０５８２】
払出装置２００は、図１０４及び図１０５に示されるように、透明な合成樹脂材により形成された正面ケース２１００及び背面ケース２１０１と、正面ケース２１００と背面ケース２１０１との間に挟持される中ケース２１０２、２１０３とを３本のネジＮ３００（図１０６参照）にて互いに一体化することにより、一部に切欠部２１０４を有する箱状に構成され、上面には３条の払出球誘導通路２１０に連通する球供給口２１０５ａ、２１０５ｂ、２１０５ｃが前後方向に向けて並設されているとともに、下面には、払出球誘導通路２０８ａに連通する前後の払出球排出口２１０７ａ、２１０７ｂとがそれぞれ並設されている。
【０５８３】
図１０４（ａ）に示されるように、正面ケース２１００の表面下部には、内部の通路壁を構成するための凹部２１０８が形成されている。また、図１０４（ｂ）に示されるように、背面ケース２１０１の表面には、払出モータ２０１の回転軸２０１ａの一端を外部に挿通可能な挿通穴２１０９ａを有する円形の操作用凹部２１０９が凹設されており、挿通穴２１０９ａを介して外部に挿通された回転軸２０１ａの一端を摘んで操作用凹部２１０９の下方に刻印された矢印２１１０の方向に回転させることで、例えば払出装置２００の故障時やメンテナンス時等において、払出装置２００内のパチンコ球を手操作で払出球排出口２１０７ａ、２１０７ｂから排出させることができるようになっている。
【０５８４】
操作用凹部２１０９の右側には、払出装置２００の製造者や型式等が刻印される型式刻印部２１１２が凹設されているとともに、スプロケット２０６ａ、２０６ｂの回転軸受用ボス２１１１が内向きに凹設されている。
【０５８５】
また、払出装置２００の右側面における切欠部２１０４の下方には、回転センサ２１６が搭載される払出センサ基板１５９（図１０６参照）から延出される配線を中継する払出中継基板１６０の背面に設けられるコネクタ（図示略）を臨ませるためのコネクタ挿通口２１１６が形成されている。
【０５８６】
また、中ケース２１０３の側面には、当該払出装置２００を払出装置取付部８４０に形成された係合穴８４２ａ、８４２ｂ内に係合される側面視Ｔ字状の係合片２２００ａ、２２００ｂが突設されているとともに、正面ケース２１００の側面端辺上下部には、取り付け時において係止片挿通口８６５ａ、８６５ｂに嵌合される係止片２２０１ａ、２２０１ｂが突設されている。
【０５８７】
図１０６に示されるように、背面ケース２１０１と中ケース２１０３との間には、払出センサ基板１５９、払出モータ２０１及び払出モータ２０１の回転をスプロケット２０６ａ、２０６ｂに伝達するためのギヤ２１１７が配設される配設空間部が形成されるようになっている。払出センサ基板１５９は、２本のネジＮ３０１を介して背面ケース２１０１の内面に止着され、払出モータ２０１は、絶縁カバー２１１８とともに背面ケース２１０１と中ケース２１０３との間に配置されるとともに、配置された状態において、背面側に突設された回転軸２０１ａの基部に固着されたギヤ２０１ｂが、回転軸受用ボス２１１１に軸支されるギヤ２１１７に噛合されるようになっている。なお、ギヤ２１１７の背面側には、回転センサ２１６にて検出される被検出片２１１７ａが突設されている。
【０５８８】
正面ケース２１００と中ケース２１０２の間には、球供給通路２１０内のパチンコ球を球供給口２１０５ａ、２１０５ｂを介して取り込んで排出させるスプロケット２０６ａと、払出球排出口２１０６ａから排出されるパチンコ球を検出する払出球検出スイッチ２０２ａと、前記払出中継基板１６０と、これら正面ケース２１０１と中ケース２１０２の間に形成される２条の球通路間を仕切るための仕切板２１１９ａと、が配設される。なお、払出中継基板１６０は、２本のネジＮ３０３により正面ケース２１００の内面に止着される。
【０５８９】
これら正面ケース２１０１と中ケース２１０２とが互いに当接されることにより、図１０７に示されるように、これらケースの上面には２個の球供給口２１０５ａ、２１０５ｂが仕切板２１１９ａにより形成されるとともに、下面に払出球排出口２１０７ａが形成され、さらに内部におけるスプロケット２０６ａの上方には２条の球通路が形成されるとともに、下方には１条の合流球通路が形成される。
【０５９０】
また、中ケース２１０２、２１０３の間には、球供給通路２１０内のパチンコ球を、球供給口２１０５ｃを介して取り込んで排出させるスプロケット２０６ｂと、払出球排出口２１０６ｂから排出されるパチンコ球を検出する払出球検出スイッチ２０２ｂと、これら正面ケース２１０１と中ケース２１０２の間に形成される１条の球通路の側面を形成する側板２１１９ｂと、が配設される。
【０５９１】
これら中ケース２１０２、２１０３が互いに当接されることにより、図１０７に示されるように、これらケースの上面には１個の球供給口２１０５ｃが側板２１１９ｂにより形成されるとともに、下面に払出球排出口２１０７ｂが形成され、さらに内部には上下方向に延びる１条の球通路が形成される。
【０５９２】
これら正面ケース２１００、背面ケース２１０１、中ケース２１０２、２１０３は、背面ケース２１０１の表面側から挿通され、中ケース２１０２、２１０３を貫通する長寸のネジＮ３００の先端を正面ケース２１００の内面に形成されたネジ穴（図示略）に螺入することで一体化される。
【０５９３】
スプロケット２０６ａ、２０６ｂは、図１０６に示されるように、正面ケース２１００から背面ケース２１０１まで貫通される回転シャフト２０６ｃにて回転自在に支持されており、これらの外周にはそれぞれ２カ所の切欠部が形成されており、スプロケット２０６ａ、２０６ｂが払出モータ２０１の駆動により回転されることで切欠内に入り込んだパチンコ球が１球ずつ下方に排出されるようになっている。具体的には、スプロケット２０６ａは２条の球通路に対応する切欠部が形成されるとともに、２０６ｂには１条の球通路に対応する切欠部が形成されている。また、各条の球通路に対応したスプロケット２０６ａ、２０６ｂ各々の切欠部は、円周方向に対する配置位置が互いに異なるように（３つのスプロケット２０６ａ、２０６ｂの６つの切欠が６０度間隔で配置されるように）配置されており、３つのスプロケット２０６ａ、２０６ｂが同期回転することでパチンコ球が各スプロケット２０６ａ、２０６ｂ毎に排出されるようになっている。また、回転シャフト２０６ｃの一端は、ギヤ２１１７を貫通して回転軸受用ボス２１１１に支持されている。
【０５９４】
図１０７に示すように、３条の球通路のうち正面ケース２１００と中ケース２１０２との間に形成される２条の球通路からスプロケット２０６ａに供給されたパチンコ球は、スプロケット２０６ａにてそれぞれ排出された後、下流側において合流して払出球誘導通路２０８ａに流下するようになっている。
【０５９５】
また、各ケース２１００〜２１０３は前述したように全て透明な合成樹脂材にて形成されており、払出装置２００内のパチンコ球を外部から視認することができるように構成されている。
【０５９６】
このように構成された払出装置２００は、係合片２２００ａ、２２００ｂを払出装置取付部８４０に向けた状態で各々を上下の係合穴８４２ａ、８４２ｂ内に係合させた後、係合穴８４２ａ、８４２ｂの側片から延設されたスライド溝８４２ｃ内に係合片２２００ａ、２２００ｂの基部を挿入してスライド移動させることにより、一端辺が係止片２２０１ａ、２２０１ｂが係止片挿通口８６５ａ、８６５ｂ内に挿通されるとともに、他端辺が係止片８４１により係止されることで、左右方向への移動が規制されるとともに、手前側への倒伏が防止され、これにより払出装置取付部８４０に取り付けられるようになっている。
【０５９７】
また、取り外す際には、係止片８４１を押圧して係止状態を解除した状態で払出装置２００を取り付け時と反対側にスライドさせることで、係止片２２０１ａ、２２０１ｂの係止状態が解除されるため、手前側に引き抜くことができるようになり、簡単に取り外すことができる。
【０５９８】
（５−２０）球供給通路
次に、球供給通路２１０の構造を、図１０８〜図１１２に基づいて説明する。図１０８（ａ）はカーブ通路部８３２付近の通路構造を示す要部拡大図であり、（ｂ）は（ａ）のＡ−Ａ断面図であり、（ｃ）は（ａ）のＢ−Ｂ断面図であり、図１０９（ａ）は供給球検出スイッチ２０５付近の構造を示す要部拡大図であり、（ｂ）は供給球の検出状態を示す断面図であり、（ｃ）は供給球の非検出状態を示す断面図であり、図１１０（ａ）は流路振分部１２７の構造を示す斜視図であり、（ｂ）は球抜き時の状態を示す斜視図であり、図１１１（ａ）は球止め部材８５０を示す要部拡大断面図であり、（ｂ）は球止め時の状態を示す断面図であり、図１１２はカーブ通路部８３２から払出装置２００までの球通路構造を示す概略図である。
【０５９９】
図１０８には、球供給通路２１０におけるカーブ通路部８３２の状態が示されている。補給タンク２０４からタンクレール８２５に流出したパチンコ球は、図１０８（ｂ）に示されるように、タンクレール８２５内に形成された３条の球通路２１０ａ〜２１０ｃをそれぞれ流下してカーブ通路部８３２に進入する。
【０６００】
具体的には、図１０８（ｂ）（ｃ）に示されるように、カーブ通路部８３２において、中央の球通路２１０ｂは、上流側に折り返された後、下方に向けて延設される。奥側の球通路２１０ａの流路は、球通路２１０ｂの折返し部よりも上流位置で上流側に折り返されるとともに、折り返し後に球通路２１０ｂ側に変位しながら下方に延設される。手前側の球通路２１０ｃは、球通路２１０ｂの折返し部と同位置で上流側に折り返されるとともに、折り返し後に球通路２１０ｂ側に変位しながら下方に延設される。これにより、図１０８（ｃ）に示されるように、カーブ通路部８３２にて折り返された各球通路２１０ａ〜２１０ｃは、カーブ通路部８３２の下方において、前後方向の同位置において左右方向に向けて並設される。
【０６０１】
このように３条の球通路２１０ａ〜２１０ｃからなる球供給通路２１０は、補給タンク２０４からカーブ通路部８３２までのタンクレール８２５において前後方向に並設されており、カーブ通路部８３２にて上流側に向けて折り返された後に下方に延設され、カーブ通路部８３２から下方の払出装置２００までは左右方向に向けて並設されてなる。
【０６０２】
（５−２１）供給球の検出
次に、球供給通路２１０にパチンコ球が供給されているか否かを検出する供給球検出スイッチ２０５の配設位置付近の構造を、図１０９に基づいて説明する。フォトレバー８４５ａ〜８４５ｃは、カーブ通路部８３２の下方位置において３条の球通路２１０ａ〜２１０ｃを横切るように枢支された揺動シャフト８４５ｄを中心として各球通路２１０ａ〜２１０ｃ内にそれぞれ揺動自在に配置され、各々の後端はフォトスリット８４６ａ〜８４６ｃを介して球通路２１０ａ〜２１０ｃに対して出没自在になっている。
【０６０３】
フォトレバー８４５ａ〜８４５ｃの揺動シャフト８４５ｄの上方には、操作片８４５ｅがそれぞれ前向きに突設され、該各操作片８４５ｅの先端は、通路表カバー８２１に取り付けられるフォトカバー８２２に形成された操作穴８２２ａに臨むように屈曲形成されている。また、フォトレバー８４５ａ〜８４５ｃは、揺動シャフト８４６ｄを中心として前後に揺動したときに、その上端が、フォトカバー８２２の内面上部に配設された下向きコ字状のフォトスイッチからなる供給球検出スイッチ２０５の透光部と受光部との間に出没するようになっているとともに、フォトレバー８４５ａ〜８４５ｃの上端には、前記透光部からの光を透過して受光部まで到達させるための透過穴８４５ｆがそれぞれ形成されている。
【０６０４】
ここで、フォトレバー８４５ａ〜８４５ｃの状態を、図１０９（ｂ）（ｃ）に基づいて説明する。なお、以下においてはフォトレバー８４５ｂを一例として説明し、同様に構成される他のフォトレバー８４５ａ、８４５ｃの説明は省略する。まず、図１０９（ｂ）に示されるように、球通路２１０ｂ内にパチンコ球が供給されているときには、その後端面がパチンコ球に当接されてフォトスリット８４６ｂから退避した退避位置に位置する。この状態において、上端に形成された透過穴８４５ｆが供給球検出スイッチ２０５の透光部と受光部との間に位置するため、フォトレバー８４５ｂは非検出状態となる。
【０６０５】
また、図１０９（ｃ）に示されるように、球通路２１０ｂ内にパチンコ球が供給されていないときには、その後端面がパチンコ球に当接されないため、フォトスリット８４６ｂを通して通路内に突出した突出位置に位置する。この状態において、上端に形成された透過穴８４５ｆが供給球検出スイッチ２０５の透光部と受光部との間からずれて、透光部からの光がフォトレバー８４５ｂの上端にて遮蔽されるため、フォトレバー８４５ｂの検出状態となる。
【０６０６】
本実施例においては、全てのフォトレバー８４５ａ〜８４５ｃが図１０９（ｂ）に示される退避位置にあるときには、透光部からの光が受光部に到達されてフォトレバー８４５ａ〜８４５ｃの非検出状態となるため、パチンコ球が供給されていると判定される。また、少なくとも１つのフォトレバー８４５ａ〜８４５ｃが図１０９（ｃ）に示される突出位置となり、つまり少なくともいずれか１つの球通路２１０ａ〜２１０ｃにパチンコ球が供給されていない状態になると、透光部からの光が遮蔽されてフォトレバー８４５ａ〜８４５ｃの検出状態となり、パチンコ球が供給されていないと判定され、球切れ表示部７５内の球切れＬＥＤ７５が点灯してその旨が報知される。
【０６０７】
（５−２２）球抜き構造
次に、球供給通路２１０における球抜口８３３の形成位置付近の構造を、図１１０に基づいて説明する。球抜口８３３の奥側には、球通路２１０ａ〜２１０ｃの背面側において３条の通路を横切るように枢支される揺動シャフト８３４ａにより、球抜き弁８３４が吊支されている。球抜き弁８３４の表面下部には、球抜口８３３を閉塞して通路壁を形成可能であるとともに、パチンコ球の流路を前方に向けて誘導する傾斜面８３３ｂが形成されており、その背面側に配置される切替部材８５５が図１１０（ａ）に示される水平位置に位置しているときには、傾斜面８３３ａにより球抜口８３３が閉塞されて通路壁が形成され、また、切替部材８５５が図１１０（ｂ）に示される起立位置に位置しているときには、自重により球抜き弁８３４が回転して傾斜面８３３ｂが球抜口８３３より退避し、球抜口８３３が開口するようになっている。
【０６０８】
通常時においては、図１１０（ａ）に示されるように、切替部材８５５が水平位置に位置しており、球抜き弁８３４の後面が前方に押圧された状態で保持されるため、傾斜面８３３ａにより球抜口８３３が閉塞されて通路壁が形成され、パチンコ球の流路は球通路２１０ａ〜２１０ｃ側となる。
【０６０９】
ここで、貯留タンク２０４から球抜口８３３までの間に残留するパチンコ球を供給球抜き通路１２３ａに流下させて球抜きするには、球供給通路２１０の手前側から球抜操作杆８３５を時計回りに回転させて切替部材８５５を前記起立位置に位置させることで、球抜き弁８３４が自重により回転するとともに、流下するパチンコ球が傾斜面８３４ｂに当接することによる押圧作用により、球抜き弁８３４が球抜口８３３から退避し、これにより球抜口８３３の下方に形成される供給球抜き通路１２３ａの上端が開口するため、パチンコ球の流路は供給球抜き通路１２３ａ側となる。
【０６１０】
（５−２３）球止め構造
次に、球供給通路２１０における球抜口８３３の下方に設けられる球止め部材８５０による球止めの構造を、図１１１に基づいて説明する。球止め部材８５０は、図１１１に示されるように、上端にネジＮ２１１が止着される金属製の本体片８７０と、本体片８７０の下部左右端から内向きに屈曲された屈曲片８７１に両端が固着されるシャフト８７２と、シャフト８７２を中心に回動自在に枢支された金属製の球止め片８５２と、シャフト８７２に回動自在に枢支され、球止め片８５２を回動操作する球止め操作シャフト８７３と、から主に構成される。
【０６１１】
球止め片８５２は、シャフト８７２を中心として回動することにより、その先端に形成された球止め部８５２ａ〜８５２ｃが各球通路２１０ａ〜２１０ｃに対応して形成された球止めスリット８５３ａ〜８５３ｃを介して球通路２１０ａ〜２１０ｃに対して出退するように設けられているとともに、図示しないコイルバネを介して、球止め部８５２ａ〜８５２ｃが各球通路２１０ａ〜２１０ｃから退避する退避位置に常時位置するように付勢されている。
【０６１２】
球止め操作シャフト８７３の先端は、球止め片８５２に形成された長穴８７５及び本体片８７０に形成された長溝８７４を挿通して外部まで延設されており、該球止め操作シャフト８７３を図１１１（ａ）に示される下方位置から長溝８７４に沿って上方に引き上げることにより球止め片８５２が回転して、球止め部８５２ａ〜８５２ｃが各球通路２１０ａ〜２１０ｃに対して出退するようになっている。なお、長溝８７４は、上方に向けて右側に傾斜するように形成されるとともに、その上端には、前述した図示しないコイルバネによる付勢力に抗して移動した球止め操作シャフト８７３が下方に復帰するのを防止するための係止溝部８７４ａが屈曲形成されている。
【０６１３】
このように構成された球止め部材８５０にあっては、球通路２１０ａ〜２１０ｃ内のパチンコ球が、その下方に配置される払出装置２００に供給されないように球止めすることができるようになっている。具体的には、通常時においては、図１１１（ａ）に示されるように、球止め操作シャフト８７３が下方位置に位置し、球止め部８５２ａ〜８５２ｃが各球通路２１０ａ〜２１０ｃから退避する退避位置にあるときは、パチンコ球の流下は妨げられない。
【０６１４】
そして、例えば球供給通路２１０内にパチンコ球が残存する状態において、払出装置２００を交換あるいはメンテナンスするために取り外すような場合には、図１１１（ｂ）に示されるように球止め操作シャフト８７３を上方に引き上げて、係止溝部８７４ａに係止させることにより、球止め部８５２ａ〜８５２ｃが各球通路２１０ａ〜２１０ｃ内に突出する突出位置まで回転し、突出した球止め部８５２ａ〜８５２ｃによりパチンコ球の流下が阻止される。よって、球供給通路２１０内に残存するパチンコ球の球供給通路２１０下端からの流出が防止されるため、球供給通路２１０内に残存するパチンコ球を取り除くことなく、払出装置２００を取り外すことができる。
【０６１５】
以上説明したように、上部機構板８２０の垂直片部８２０ｂに形成される球供給通路２１０は、図１１２に示されるように、カーブ通路部８３２の上流側においては、各球通路２１０ａ〜２１０ｃは前後方向（図中左右方向）に向けて並設され、カーブ通路部８３２の下方において、左右方向（図中手前奥側方向）に向けて並設される。そして、フォトレバー８４５ａ〜８４５ｃの下方位置において前方に屈曲され、該屈曲部に球抜口８３３が形成されており、前方の球供給通路２１０の背面側には球抜き通路１２３ａが配設されるため、球抜口８３３の配設位置は、パチンコ球の流路を球供給通路２１０側または球抜き通路１２３ａ側のいずれかに切り替え可能な流路振分部１２７として形成されている。
【０６１６】
流路振分部１２７において、球抜き弁８３４の傾斜面８３４ｂにより球供給通路２１０側に流下したパチンコ球は、その下方において再度後方に誘導されて払出装置２００に供給される。また、流路振分部１２７において、球抜き弁８３４の傾斜面８３４ｂが球抜口８３３から退避して球抜口８３３が開放されることにより、該球抜口８３３からその下方に配設される供給球抜き通路１２３ａに流下したパチンコ球は、その下方の払出装置２００の側方を通過して、後述する下部払出ユニット８０１に形成される球抜き通路１２３ａまで流下する。
【０６１７】
（５−２４）下部払出ユニット
次に、図１１３〜図１１５に基づいて、下部払出ユニット８０１の詳細な構造を説明する。図１１３は下部払出ユニット８０１を示す分解斜視図であり、図１１４は下部機構板９００を示す背面図、側面図、平面図、底面図であり、図１１５は排出部カバー９０１を示す背面図、側面図、平面図、底面図であり、図１１６は基板取付板４０１を示す背面図、側面図、平面図、底面図である。
【０６１８】
下部払出ユニット８０１は、各種部材が取り付けられる板状の下部機構板９００と、下部機構板９００の背面に止着され、球抜き通路１２３ａ及び払出球誘導通路２０８ｂの背面を形成する排出部カバー９０１と、接続端子板７０を収容する接続端子板ケース９０２と、機構板中継基板１６１が取り付けられる機構板中継基板ケース９０５と、本体枠中継基板１６２が取り付けられる本体枠中継基板ケース９０６と、遊技制御基板４０及び払出制御基板６０が収容されるメイン制御基板ケース４００と、メイン制御基板ケース４００を取り付けるための基板取付板４０１と、電源基板１６３が収容される電源基板ケース３００と、から主に構成される。
【０６１９】
（５−２５）下部機構板
下部機構板９００の背面における図中向かって右側には、図１１４に示されるように、上部機構板８００の背面下部に装着される払出装置２００の下面に形成される球排出口２１０７ａ、２１０７ｂに連通する払出球誘導通路２０８ａ、２０８ｂと、球抜き通路１２３ａに連通する球抜き通路１２３ｂと、が形成されている。払出球誘導通路部２０８ａの下部には、本体枠２７への取り付け時において該本体枠２７に形成された球連通路２８５ｂに合致して、払出球誘導通路２０８ａを流下してきたパチンコ球を連通口１３から払い出すための球連通口９０７が形成されており、該球連通口９０７の側方から払出球誘導通路２０８ｂが下方に向けて延設されている。
【０６２０】
球抜き通路１２３ｂの下部には、接続端子板ケース９０２が嵌合される接続端子板ケース取付凹部９０８が凹設されている。接続端子板ケース９０２は、図１１３に示されるように、一面が開口する箱状のケース本体９０３と、ケース本体９０３の開口を閉鎖可能なケースカバー９０４と、から構成され、接続端子板７０をネジＮ４０１によりケース本体９０３に止着した状態で、ケース本体９０３に取り付けられるネジＮ４００を接続端子板ケース取付凹部９０８に形成されたネジ穴９０９に螺入することで、接続端子板ケース取付凹部９０８に止着されるようになっている。
【０６２１】
接続端子板ケース取付凹部９０８の側方には、機構板中継基板ケース９０５が取り付けられる機構板中継基板ケース取付部９１０が形成されている。機構板中継基板ケース取付部９１０には、機構板中継基板ケース９０５の背面に形成される図示しない係合片が嵌合される係合穴９１１が形成されており、機構板中継基板１６１をネジＮ４０２により機構板中継基板ケース９０５に止着した状態で、該機構板中継基板ケース９０５の係合片（図示略）を係合穴９１１に係合して上方にスライドさせると、機構板中継基板ケース９０５の下端が機構板中継基板ケース取付部９１０に形成された係止片９１２に係止されて下降が規制され、機構板中継基板ケース取付部９１０に取り付けられる。また、払出球誘導通路２０８ｂの下部所定箇所には、排出部カバー９０１に取り付けられる払出球詰まり検出スイッチ１１２が嵌合される払出球詰まり検出スイッチ配置部９１３が形成されている。なお、払出球詰まり検出スイッチ配置部９１３の上部には、払出球誘導通路２０８ｂ内に常時突出するように設けられ、該通路内のパチンコ球に押圧されたときに払出球詰まり検出スイッチ１１２を押圧する払出スイッチ部材９４５の上部を揺動自在に止着するためのネジＮ４２１が螺入されるネジ穴９４６が形成されている。
【０６２２】
下部機構板９００の背面における図中向かって左側上部には、電源基板ケース３００が取り付けられる電源ユニット取付部９１５が形成されている。電源基板ケース３００は、後述するように、下部機構板９００の側方に形成された開口から下部機構板９００の中央に向けて挿通した後、電源基板ケース３００のケース本体３０１の背面に突設された係止片３０５ａ、３０５ｂを電源ユニット取付部９１５に形成された係合穴９１４ａ、９１４ｂ内に嵌合し、係合穴９１４ａ、９１４ｂから右側に向けて延設されたスライド溝９１４ｃに係止片３０５ａ、３０５ｂを挿通させたままスライド移動させることで、電源ユニット取付部９１５に形成された弾性変形可能な係止片９１６が電源基板ケース３００の一側端に係止され、電源ユニット取付部９１５に取り付けられる。
【０６２３】
電源ユニット取付部９１５の下方には、本体枠中継基板ケース９０６が取り付けられる本体枠中継基板ケース取付部９１７が形成されている。本体枠中継基板ケース取付部９１７には、本体枠中継基板ケース９０６の背面に形成される図示しない係合片が嵌合される係合穴９１８が形成されており、本体枠中継基板１６２をネジＮ４０３により本体枠中継基板ケース９０６に止着した状態で、該本体枠中継基板ケース９０６の係合片（図示略）を係合穴９１８に係合して右側にスライドさせると、本体枠中継基板ケース９０６の下端が本体枠中継基板ケース取付部９１７に形成された係止片９１９に係止されてスライド移動が規制され、本体枠中継基板ケース取付部９１７に取り付けられる。
【０６２４】
下部機構板９００の上下辺部から屈曲形成される上部壁９００ａ、下部壁９００ｂそれぞれの端面には、基板取付板４０１を止着するためのネジＮ４０５が螺入されるネジ穴９２０が形成されているとともに、上部壁９００ａの端面右側には、上部機構板８２０と下部機構板９００とを連結するとともに、これら上部機構板８２０及び下部機構板９００を本体枠２７の背面に止着するためのネジＮ２５１（図９７参照）が取り付けられるネジ取付穴９４０が形成されているとともに、その左側には上部機構板８２０を位置決めするための位置決め用ボス９４１が突設されている。また、通路部２０８ａ、２０８ｂ、１２３ｂの周囲には、排出部カバー９０１を止着するためのネジＮ４０７が螺入されるネジ穴９２１が形成されている。また、下部機構板９００における払出球誘導通路２０８ｂ及び球抜き通路１２３ｂの下部位置には、払出球誘導通路２０８ｂから流下されるパチンコ球を、前方に配置される本体枠２７に形成される開口部３５８を通して払出口９から払い出させるための切欠部９２６が形成されているとともに、該切欠部９２６近傍には、払出球誘導通路２０８ｂから流下されるパチンコ球が合流される流し樋１２６を止着するためのネジＮ４０９が螺入されるネジ穴９２７が形成されている。また、流し樋１２６の前方には、蓋部材１２６ａがネジＮ４１２にて止着されている。
【０６２５】
また、電源ユニット取付部９１５の右側には、配線押さえ９４２を止着するためのネジＮ４２０が螺入されるネジ穴が先端に形成された配線押さえ用ボス９４３と、図示しない予備ネジが螺入されるネジ穴が先端に形成されたネジ取付用ボス９４４とが前向きに突設されている。
【０６２６】
このように構成される下部機構板９００は、複数のネジＮ４０８をネジ取付穴９２５に取り付けた状態で本体枠２７の背面所定箇所に止着することで取り付けられるようになっている。
【０６２７】
（５−２６）排出部カバー
排出部カバー９０１は、図１１３及び図１１５に示されるように、払出球誘導通路２０８ａ、２０８ｂ、球抜き通路１２３ｂの背面壁を被覆可能な形状にて構成されており、その背面には、基板取付板４０１の一部を止着するためのネジＮ４０６が螺入するネジ穴９２２ａが先端に形成された取付用ボス９２２が後向きに突設されており、これら取付用ボス９２２及び前述した上部壁９００ａ、下部壁９００ｂの先端部に基板取付板４０１がネジＮ４０５、４０６を介して止着されるようになっている。
【０６２８】
つまり、基板取付板４０１は上部機構板９００の背面よりも手前側位置に取り付けられることになるため、基板取付板４０１と上部機構板９００の背面との間に、電源基板ケース３００や払出球誘導通路２０８ａ、２０８ｂ、球抜き通路１２３ｂの配設空間部が形成される。
【０６２９】
背面上部には、払出球誘導通路２０８ａを流下してきたパチンコ球を球連通口９０７に向けて誘導する誘導面を形成する払出球誘導部材９３０を前面側から止着するためのネジＮ４１３が取り付けられるネジ取付穴９３１が形成されているとともに、その下方には、配線押さえ９３２を止着するネジＮ４１４が螺入されるネジ穴９３３を有する取付用ボス９３３が突設されている。
【０６３０】
取付用ボス９３３の下方には、ネジＮ４１５により払出球詰まり検出スイッチ１１２が止着された払出球詰まり検出スイッチベース９３５が嵌挿されるベース開口９３６が形成されており、そのさらに下方には、流し樋１２６の一端を止着するためのネジＮ４０９が螺入されるネジ穴９３６が形成されている。このように構成される排出部カバー９０１は、周囲に形成された複数のネジ取付穴９３７に取り付けたネジＮ４０７により、下部機構板９００の背面に止着される。
【０６３１】
（５−２７）基板取付板
基板取付板４０１は、図１１６に示されるように、正面視略長方形状に形成された透明な合成樹脂材からなる板材にて構成されており、その前面左右側には、後述するメイン制御基板ケース４００を取り付けるための取付台４２１（図１２３参照）を固設するための固定板４６０が立設されており、その長手方向両端部に形成されたネジ穴４６０ａに、取付台４２１の長手方向両端部に設けられたネジ取付穴に取り付けられたネジＮ５７を螺入することで、固定板４６０に取付台４２１を固定できるようになっている。
【０６３２】
固定板４６０の近傍には、メイン制御基板ケース４００を係止するための内向きの係止爪４２５ａ、４２６ａを有する弾性変形可能な係止片４２５、４２６が立設されており、該係止片４２５、４２６を介してメイン制御基板ケース４００を係止することができるようになっている。なお、係止片４２５は後述する２つの予備ネジ収容部４２２ｂの外面を被覆可能な幅寸法を有し、係止片４２６は後述する３つの予備ネジ収容部４２２ａの外面を被覆可能な幅寸法を有している。また、各係止片４２５、４２６の内側には、係止爪４２５ａ、４２６ａの成型用穴４２５ｂ、４２６ｂが形成されている。
【０６３３】
基板取付板４０１の前面所定箇所には、該基板取付板４０１を本体枠背面に取り付けるためのネジＮ４０５が取り付けられるネジ取付穴４６１ａが７箇所に、ネジ取付穴４６１ｂが１箇所に形成されており、これらネジ取付穴４６１ａ、４６１ｂに挿通したネジＮ４０５を本体に止着することで、基板取付板４０１を本体枠２７の背面に取り付けられた下部機構板９００に取り付けできるようになっている。なお、これらネジ取付穴４６１ａ、４６１ｂは前面に形成された凹部内に形成されており、ネジＮ４０５の頭部が前面から突出しないように収容可能とされている。また、７つのネジ取付穴４６１ａは、メイン制御基板ケース４００を取り付けた際において、該メイン制御基板ケース４００にて前面側が被覆される位置に形成されているため、メイン制御基板ケース４００を当該基板取付板４０１から取り外さない限り、メイン制御基板ケース４００が一体化された基板取付板４０１ごと本体枠２７から取り外すといった不正行為を行うことができないようになっている。
【０６３４】
また、図中上部の長辺部には、後述する横向き帯状の封印シール４１５ｂが貼着される横向きのシール貼着面４６２が形成されているとともに、反対側の長辺部には、メイン制御基板ケース４００の落下を防止するための落下防止板４６３が左右所定箇所にそれぞれ前向きに立設されている。なお、固定板４６０の右側上部は外側方に向けて延設されて突出部４０１ａが形成されており、この突出部４０１ａ下部には配線を係止するための上向きの配線用フック４６４が形成されている。
【０６３５】
（５−２８）メイン制御基板ケース
次に、メイン制御基板ケース４００の構造について図１１７〜図１２５に基づいて説明していく。図１１７はケース本体４０２を示す正面図、左右側面図、平面図、底面図であり、図１１８（ａ）は図１１７のＡ−Ａ断面図であり、（ｂ）は図１１７のＢ−Ｂ断面図であり、図１１９はケースカバー４０３を示す正面図、左右側面図、平面図、底面図であり、図１２０（ａ）は図１１９のＡ−Ａ断面図であり、（ｂ）は図１１９のＢ−Ｂ断面図であり、（ｃ）は図１１９のＣ−Ｃ断面図であり、（ｄ）は図１１９のＤ−Ｄ断面図であり、図１２１（ａ）（ｂ）はケース本体４０２とケースカバー４０３とを封鎖する状態を示す斜視図であり、図１２２（ａ）（ｂ）はケース本体４０２の開口をケースカバー４０３にて閉鎖する状態を示す一部破断側面図であり、図１２３はメイン制御基板ケース４００を基板取付板４０１に取り付ける状態を示す斜視図であり、図１２４はメイン制御基板ケース４００を基板取付板４０１に固着する状態を示す一部破断断面図であり、図１２５は封印シールを貼着した状態を示す正面図、平面図及び底面図である。
【０６３６】
（５−２９）ケース本体
メイン制御基板ケース４００は、遊技制御基板４０の裏面側を覆うケース本体４０２と、遊技制御基板４０の表面側を覆うケースカバー４０３と、から平面視略長方形状に構成され、遊技制御基板４０を表裏から挟持するように組み付けられるものであり、遊技制御基板４０はケースカバー４０３の裏面側に取り付けられるようになっている。
【０６３７】
ケース本体４０２は、図１１７及び図１１８に示されるように、透明な合成樹脂からなる底板４０２ａと側壁４０９ａ〜４０９ｄとにより一面が開口する箱状に成形されている。ケース本体４０２の底板４０２ａ上には、左右に配置される遊技制御基板４０と払出制御基板６０とを区画するように配置される区画リブ４０４が立設されており、この区画リブ４０４の左右側には、各制御基板の裏面端部を支持する高さ方向に向けて延びる複数本のリブ４０４ａが突設されている。また、左側の遊技制御基板４０の配置領域には、遊技制御基板４０の裏面左辺部を支持する支持リブ４０５ａが立設されているとともに、右側の払出制御基板６０の配置領域には、払出制御基板６０の裏面右辺部を支持する支持リブ４０５ｂが立設されている。
【０６３８】
また、図１１７中上方の長辺の側壁４０９ａ近傍には、遊技制御基板４０及び払出制御基板６０の上辺部裏面をそれぞれ支持する長手方向を向く支持リブ４０６が立設されており、この支持リブ４０６の上端所定箇所からは、後述するケースカバー４０３に形成された係止用スリット４０８に嵌合される係止片４０７が３箇所からそれぞれ長辺の側壁４０９ａに向けて突出するように延設されているとともに、底面における各係止片４０７の形成箇所には、係止片４０７を成型するための成型用穴４０７ａが形成されている。
【０６３９】
短辺の側壁４０９ｃ、４０９ｄの長手方向両端部には、ケースカバー４０３に形成される係止片４１０、４１１が係止される係止片受部４１２、４１３が外向きに膨出するように形成されており、これら係止片受部４１２、４１３内部には、係止片４１０、４１１を受け入れる受入部４１２ａ、４１３ａと、係止片４１０、４１１が係止される係止受片４１２ｂ、４１３ｂがそれぞれ形成されており、後述するようにケースカバー４０３に形成される係止片４１０、４１１を受入部４１２ａ、４１３ａに差し込んだ状態でケースカバー４０３を長手方向と直交する方向にスライド移動させることで係止受片４１２ｂ、４１３ｂに係止されるようになっている。
【０６４０】
また、長辺の側壁４０９ａ、４０９ｂの上端所定箇所からは、後述する封印シール４１５ａ（図１２５参照）が貼着されるシール貼着面を形成する突出片４１４ａ、４１４ｂがそれぞれ上向きに突設されている。突出片４１４ａは、ケースカバー４０３の閉鎖時においてケースカバー４０３に形成された突出片４１６の下面に上端面が当接する高さを有しているとともに、突出片４１４ｂは、その上端面がケースカバー４０３の上面とほぼ同高さとなる高さを有しており、それぞれケースカバー４０３の上面から突出片４１４ａ、４１４ｂの外面にかけて１枚の帯状の封印シール４１５ａを貼着できるようになっている。また、これら突出片４１４ａ、４１４ｂは、側壁４０９ａ、４０９ｂの長手方向における左側と右側とに互いに対角線上に配置されているため、２枚の封印シール４１５ａにてケースカバー４０３の浮き上がりが効果的に防止されている。
【０６４１】
側壁４０９ｂにおける前記３つの係止片４０７それぞれに対応する位置には、ケースカバー４０３に形成される嵌合片４１７が係合可能な複数の嵌合用スリット４１８がそれぞれ底板４０２ａ付近に形成されており、ケースカバー４０３の閉鎖時において嵌合片４１７が嵌合されるようになっている。なお、各嵌合用スリット４１８の上辺部及び左右側辺からは庇片４１８ａが突設されており、嵌合された嵌合片４１７の先端部が被覆されるようになっている。
【０６４２】
短辺の側壁４０９ｃ、４０９ｄにおける係止片受部４１２、４１３間には、ケースカバー４０３を開放不能に封止（固着）する固着手段としてのワンウェイネジ４１９（図１２１参照）が螺入されるネジ穴４２０ａが形成された封止片４２０が、各側壁４０９ｃ、４０９ｄ外面に２個ずつ突設されている。これら各側壁４０９ｃ、４０９ｄそれぞれに突設された封止片４２０間は所定距離離間して配置されており、これら封止片４２０間に、後述する取付台４２１が配置されるようになっている。
【０６４３】
また、封止片４２０と係止片受部４１２、４１３との間には、予備のワンウェイネジ、すなわち、後述するようにメイン制御基板ケース４００の基板取付板４０１への取り付けに用いられる結合手段としての予備用ワンウェイネジ４１９ａを収容しておくための２個の予備ネジ収容部４２２ａ及び３個の予備ネジ収容部４２２ｂがそれぞれ形成されている。予備ネジ収容部４２２ａ、４２２ｂは、それぞれ予備用ワンウェイネジ４１９ａのネジ部を収容可能な深さを有する収容穴４２３が中心に形成された円柱形状をなし、予備用ワンウェイネジ４１９ａの頭部を残してネジ部を内部に収容できるようになっている。なお、ワンウェイネジ４１９と予備用ワンウェイネジ４１９ａとは同構造のワンウェイネジである。
【０６４４】
（５−３０）ケースカバー
ケースカバー４０３は、図１１９、図１２０に示されるように、透明な合成樹脂からなる上板４０３ａと側壁４３０ａ〜４３０ｄとにより一面が開口する箱状に成形されている。上板４０３ａの上面には、ケースカバー４０３の開放記録等が記される記録シート（図示略）を貼着するための長方形状をなす記録シート貼着部４３１が隆起形成されているとともに、前述した封印シール４１５ａを貼着する際の貼着位置を決定するための貼着位置決定枠４３２が突出片４１６の近傍に突設されているとともに、同じく封印シール４１５ａを貼着する際の貼着位置を決定するための貼着位置決定枠４３３が対角線上位置に突設されている。
【０６４５】
上板４０３ａの左右辺部及び上辺部には凹部が形成されており、左辺部及び上辺部の一部に形成された凹部には、遊技制御基板４０上に設けられた各種コネクタを挿通して外部に臨ませるためのコネクタ挿通口４３４が複数形成されているとともに、右辺部に形成された凹部には、払出制御基板６０上に設けられた各種コネクタを挿通して外部に臨ませるためのコネクタ挿通口４３５が複数形成されているとともに、払出制御基板６０上に設けられるエラー解除スイッチ１１８（図８参照）に対応する箇所は、図１２０（ａ）に示されるように半球状の凹部が形成されており、該凹部の中央位置には該スイッチを外部に臨ませるためのスイッチ挿通用穴４２４が形成されている。
【０６４６】
また、側壁４３０ａ側の上板４０３ａ所定箇所からは、前述した係止片４１６が外向きに突設されているとともに、反対側の側壁４３０ｂの下端からは、嵌合片４１７が外向きに突設されている。なお、長辺の側壁４３０ａ、４３０ｂには複数の放熱孔４３６が形成されている。
【０６４７】
ケースカバー４０３の内面における遊技制御基板４０の配置側には、該遊技制御基板４０をケースカバー４０３の裏面側に止着するためのネジＮ５５（図１２１参照）が螺入されるネジ穴４３７が対角線上角部に形成されているとともに、他方の対角線上角部には、遊技制御基板４０の角部に嵌合する位置決め用ボス４３８が突設されている。また、ケースカバー４０３の内面における払出制御基板６０の配置側には、該払出制御基板６０をケースカバー４０３の裏面側に止着するためのネジＮ５６（図１２１参照）が螺入されるネジ穴４３９が対角線上角部に形成されているとともに、他方の対角線上角部には、遊技制御基板４０の角部に嵌合する位置決め用ボス４４０が突設されている。なお、ケースカバー４０３の上面におけるネジ穴４３７、４３９に対応する箇所には、該ネジ穴４３７、４３９を所定深さに形成するためのボス４３７ａ、４３９ａが突設されている。
【０６４８】
また、ケースカバー４０３の内面における記録シート貼着部４３１の近傍には、遊技制御基板４０と払出制御基板６０とを基板対基板接続する接続用コネクタの端面を挟持するようにガイドする一対のコネクタガイド片４４１が内向きに突設されている。また、嵌合片４１７の近傍位置には、図１２１に示されるような複数（本実施例では４個）のネジキャップ４４２が一体的に設けられた一対のキャップホルダ４４３を吊支する一対のホルダ吊支部材４４４が垂設されている。
【０６４９】
ネジキャップ４４２は、図１２１中拡大図に示されるように、キャップホルダ４４３の側面から延設された切断片４４２ａを介してキャップホルダ４４３に一体的に取り付けられており、切断片４４２ａを切断することによりキャップホルダ４４３から分離して使用できるようになっている。また、各ネジキャップ４４２には弾性変形可能な係止片４４２ｂが形成されており、該係止片４４２ｂを介して後述する封止片４５０ａ、４５０ｂの穴部４５１ａ、４５１ｂ内に嵌合した状態で係止されるようになっている。また、キャップホルダ４４３には、ホルダ吊支部材４４４に係止可能な一対の係止片４４３ａが形成されており、該係止片４４３ａを介してホルダ吊支部材４４４に係止できるようになっている。
【０６５０】
図１１９及び図１２０に戻って、短辺の側壁４３０ｃ、４３０ｄは、凹部上面よりも上方の高さ位置まで立設されており、その外面には、前述したワンウェイネジ４１９を挿入可能な穴部４５１ａ、４５１ｂが形成された複数（本実施例では６個）の封止片４５０ａ、４５０ｂが、それぞれ長手方向に向けて所定間隔おきに突設されている。左右それぞれ６個の封止片４５０ａ、４５０ｂのうち、内側４個の封止片４５０ａは、その穴部４５１ａが取付台４２１に形成されたネジ穴４２１ａ（図１２３、図１２４参照）に対応する箇所に形成され、これらはメイン制御基板ケース４００の基板取付板４０１への取り付け時に使用されるものであり、外側２個の封止片４５０ｂは、その穴部４５１ａが封止片４２０に形成されたネジ穴４２０ａに対応する箇所に形成され、これらはケース本体４０２の開口を閉鎖状態で封止（固着）するときに使用される。つまり、封止片４５０ａ及び取付台４２１は、メイン制御基板ケース４００の基板取付板４０１への取り付け時において使用される結合手段としてのワンウェイネジ４１９にて結合される結合部及び被結合部を構成しており、これら封止片４５０ａ、取付台４２１、ワンウェイネジ４１９にて取り付け手段が構成されている。
【０６５１】
ケースカバー４０３の上面におけるこれら左右６個ずつの封止片４５０ａ、４５０ｂそれぞれの対応する箇所には、アルファベットの「Ａ〜Ｆ」が刻印されている。本実施例では、図１１９中右側の封止片４５０ａ、４５０ｂに対応する箇所には上から順番に「Ａ〜Ｆ」が刻印されており、左側の封止片４５０ａ、４５０ｂに対応する箇所には下から順番に「Ａ〜Ｆ」が刻印されている。これらアルファベットは、１回の閉鎖あるいは取り付け時において使用する左右それぞれの封止片を特定するためのものであり、本実施例におけるアルファベットＡに対応する箇所の左右の封止片４５０ｂは、遊技制御板４０及び払出制御基板６０をメーカーから遊技場等に発送する際に使用され、アルファベットＦに対応する箇所の左右の封止片４５０ｂは、遊技制御板４０及び払出制御基板６０を遊技場からメーカー等に返送する際に使用される。また、アルファベットＢ〜Ｅに対応する箇所の左右の封止片４５０ａは、メイン制御基板ケース４００を基板取付板４０１に取り付ける際に使用される。
【０６５２】
このように、左右の封止片４５０ａ、４５０ｂをアルファベット順に使用していくことにより、例えば遊技場の店員等の管理者が、いずれの封止片４５０ａ、４５０ｂを使用したかを容易に特定できるとともに、これらを前述した記録シート貼着部に貼着された記録シートに記録しておくことで、不正者がケースカバー４０３の開放やメイン制御基板ケース４００の交換等を不正に行った可能性があることを容易に判別できるようになっている。
【０６５３】
また、左右の封止片４５０ａ、４５０ｂはそれぞれの短辺における同位置に配置されており、かつ、アルファベット順が逆に刻印されていることで、極力対角線上に位置する封止片４５０ａ、４５０ｂが左右で使用されていくため、少ないネジで確実に封止及び取り付けを行うことができる。
【０６５４】
左右３個ずつ配置される予備ネジ収容部４２２ａに対応する箇所には、基板取付板４０１に形成された係止片４２５の係止爪４２５ａが係止されるとともに、ケースカバー４０３の閉鎖時において各予備ネジ収容部４２２ａの収容穴４２３に収容された予備用ワンウェイネジ４１９ａの逸脱を防止する係止受片４５２が外向きに突設されている。また、左右２個ずつ配置される予備ネジ収容部４２２ｂに対応する箇所には、基板取付板４０１に形成された係止片４２６の係止爪４２６ａが係止されるとともに、ケースカバー４０３の閉鎖時において各予備ネジ収容部４２２ｂの収容穴４２３に収容された予備用ワンウェイネジ４１９ａの逸脱を防止する係止受片４５３が外向きに突設されている。
【０６５５】
具体的には、これら係止受片４５２、４５３は、ケースカバー４０３にてケース本体４０２の開口を閉鎖した状態において、その下方に位置する各予備ネジ収容部４２２ａ、４２２ｂそれぞれの収容穴４２３の開口上方を被覆可能な長さを有しているため、収容穴４２３に差し込まれて収容された予備用ワンウェイネジ４１９ａの頭部が収容穴４２３から抜け出ようとしたときに、該ワンウェインネジ４１９ａの頭部と当接して逸脱が規制されるようになっている。
【０６５６】
（５−３１）ケースカバーの封止
次に、ケース本体４０２とケースカバー４０３との封止方法及びその状態を図１２１及び図１２２に基づいて説明すると、まず図１２１に示されるように、遊技制御基板４０と払出制御基板６０とを、それぞれの対向端辺部に設けられたコネクタＣ１、Ｃ２を介して基板対基板接続した状態で、遊技制御基板４０の２つの角部に形成されたネジ取付穴にネジＮ５５を取り付けるとともに、払出制御基板６０の２つの角部に形成されたネジ取付穴にネジＮ５６を取り付けた状態で、ネジＮ５５をケースカバー４０３の裏面に形成されたネジ穴４３７に、ネジＮ５６をネジ穴４３９にそれぞれ螺入するとともに、位置決め用ボス４３８、４４０を遊技制御基板４０及び払出制御基板６０の角部に形成された位置決め穴に嵌合させることで、遊技制御基板４０及び払出制御基板６０をケースカバー４０３の裏面に取り付ける。
【０６５７】
次いで、まず図１２２（ａ）に示されるように、ケースカバー４０３にてケース本体４０２の開口を閉鎖する。具体的には、ケースカバー４０３の四隅の係止片４１０、４１１を、ケース本体４０２における係止片受部４１２、４１３の受入部４１２ａ、４１３ａ内に挿入してケースカバー４０３をケース本体４０２に押し当てた後、図１２２（ｂ）に示されるように、ケース本体４０２に対してケースカバー４０３を図中矢印方向に向けてスライド移動させる。これにより、ケースカバー４０３の各嵌合片４１７がケース本体４０２の嵌合用スリット４１８内に嵌合されるとともに、四隅の係止片４１０、４１１が各係止受片４１２ｂ、４１３ｂにそれぞれ係止される。
【０６５８】
ここで、外側の各封止片４５０ｂの穴部４５１ｂと封止片４２０のネジ穴４２０ａとが合致するため、アルファベットＡに対応する左右の封止片４５０ｂの穴部４５１ｂ内にワンウェイネジ４１９をそれぞれ挿入し、封止片４２０のネジ穴４２０ａ内に螺入することにより、ケース本体４０２の開口がケースカバー４０３にて開放不能に封止される。また、この状態において、各予備ネジ収容部４２２ａ、４２２ｂの上方には係止受片４５２、４５３がそれぞれ位置し、各収容穴４２３内に収容された予備用ワンウェイネジ４１９ａの頭部上方が係止受片４５２、４５３により被覆するように配置されることで、予備用ワンウェイネジ４１９ａの収容穴４２３からの逸脱が係止受片４５２、４５３との当接規制にて防止される（図１２４参照）。
【０６５９】
（５−３２）メイン制御基板ケースの取り付け
次に、このようにケース本体４０２とケースカバー４０３とにより遊技制御基板４０及び払出制御基板６０が被覆状態で収容されたメイン制御基板ケース４００の基板取付板４０１への取り付け状態を、図１２３〜図１２５に基づいて説明すると、まず、図１２３に示されるように、メイン制御基板ケース４００のケースカバー４０３を手前側にした状態で、メイン制御基板ケース４００を左右の取付台４２１間に嵌め込むように、かつ、下方の長辺部を落下防止板４６３の上面に載置するようにして基板取付板４０１の前面に向けて押し込む。
【０６６０】
そして、左右の封止片４５０ａの下面が取付台４２１の上面に当接すると、係止受片４５２、４５３に対して基板取付板４０１の係止爪４２５ａ、４２６ａが弾性復帰力により係止され、メイン制御基板ケース４００の手前側への倒伏が防止される。これにより、メイン制御基板ケース４００は、落下防止板４６３により下方への落下が防止されるとともに、係止爪４２５ａ、４２６ａと係止受片４２５、４２６との係止作用により前方への倒伏が防止され、仮固定されることになる。
【０６６１】
この仮固定の状態で、図１２４（ａ）に示されるように、左右の複数の封止片４５０ａのうち、アルファベットのＢに対応する左右の封止片４５０ａの穴部４５１ａに、いずれかの予備ネジ収容部４２２ａ、４２２ｂから取り出した予備用ワンウェイネジ４１９ａを挿通し、挿通した予備用ワンウェイネジ４１９ａをさらに取付台４２１の上面に形成されたネジ穴４２１ａに螺入する。これにより、アルファベットのＢに対応する封止片４５０ｂの穴部４５１ｂを挿通して封止片４２０のネジ穴４２１ａ内に螺入された予備用ワンウェイネジ４１９ａにて、ケース本体４０２の開口を封止したケースカバー４０３が取付台４２１に取り付けられる。また、この状態において、取付台４２１を基板取付板４０１の固定板４６０に取り付けるためのネジＮ５８の頭部上方に封止片４２０が位置し、ネジＮ５８の頭部が被覆されるため、ネジＮ５８を取り外すことはできないとともに、各ネジ取付穴４６１ａ内に挿通されたネジＮ４０５の頭部上方にメイン制御基板ケース４００が位置して該ネジＮ４０５の頭部が被覆されるため、ネジＮ４０５を取り外して基板取付板４０１ごとメイン制御基板ケース４００を交換されることが防止される。
【０６６２】
また、特に図１２４（ｂ）に示されるように、各予備ネジ収容部４２２ａ、４２２ｂに収容されている予備用ワンウェイネジ４１９ａの上方が、ケースカバー４０３の係止受片４５２、４５３にて被覆され、予備のワンウェイネジ４１９ａの逸脱が防止されるとともに、該係止受片４５２、４５３に係止される係止爪４２５ａ、４２６ａを有する係止片４２５、４２６により、予備ネジ収容部４２２ａ、４２２ｂの外側面が被覆されるため、予備のワンウェイネジ４１９が盗難されること等が防止される。
【０６６３】
また、予備用ワンウェイネジ４１９ａの予備ネジ収容部４２２ａ、４２２ｂからの逸脱を規制する係止受片４５２、４５３は、メイン制御基板ケース４００を基板取付板４０１に係止するための係合片としての係止片４２５、４２６の係止爪４２５ａ、４２６ａが係止される被係合片として構成されていることで、メイン制御基板ケース４００を基板取付板４０１に取り付けた状態において、係止爪４２５ａ、４２６ａによる係止作用により、係止受片４５２、４５３が予備用ワンウェイネジ４１９ａの逸脱を規制する規制位置（予備ネジ収容部４２２ａ、４２２ｂの上方）に確実に配置され、係止受片４５２、４５３の浮き上がり等が防止されるため、予備用ワンウェイネジ４１９ａの予備ネジ収容部４２２ａ、４２２ｂからの逸脱が確実に防止される。また、予備用ワンウェイネジ４１９ａの備ネジ収容部４２２ａ、４２２ｂからの逸脱を規制する部材を係止受片４５２、４５３とは別個に形成する必要がないので、メイン制御基板ケース４００の構造が簡素化され、これにより製造コストを効果的に低減することができる。
【０６６４】
以上説明したように、基板取付板４０１に取り付けられたメイン制御基板ケース４００にあっては、封止片４５０ａ、４５０ｂ等をケースカバー４０３から切り離すように切断したり、ケースカバー４０３や取付台４２１、基板取付板４０１の一部等の取り付けに関連する取り付け関連部位を破壊するなどしない限り、ケースカバー４０３をケース本体４０２から取り外して開放したり、あるいはメイン制御基板ケース４００を基板取付板４０１から取り外す、引いては基板取付板４０１とともにメイン制御基板ケース４００を本体枠２７から取り外すなどして、内部の遊技制御基板４０を例えばＣＰＵ等に不正な処理が施された不正基板にすり替えたり、ＣＰＵに不正な処理を施すといった不正行為が行うことが困難となる。よって、これら不正行為が行われたときには、取り付け関連部位が破壊されるなどしてその痕跡が確実に残り、これにより不正行為が行われたことを早期に発見することができるため、不正行為に対して早期に対処して被害を極力小さくすることができる。
【０６６５】
また、このような取り付けが完了した後、例えば図１２５に示されるように、ケースカバー４０３の上面に形成された貼着位置決定枠４３２、４３３に端部を合わせて貼着した高粘着の封印シール４１５ａをケース本体４０２の側壁４０９ａ、４０９ｂに跨るように貼着するとともに、ケースカバー４０３の側壁４０９ａと基板取付板４０１のシール貼着面４６２とに跨るように高粘着の封印シール４１５ｂを貼着することで、ケースカバー４０３の開放及びメイン制御基板ケース４００の基板取付板４０１からの取り付けが困難となるばかりか、仮に開放や取り外しが行われた場合には、該封印シール４１５ａ、４１５ｂが破れる等してその痕跡が残るため、不正が行われた可能性があることを早期に発見することができる。
【０６６６】
なお、本実施例のワンウェイネジ４１９や予備用ワンウェイネジ４１９ａは、周知のように、一方向の回転によってネジを螺着することができるが、他方向の回転を行なおうとしても回転することができないため、そのネジを緩めることができない機能を有するネジである。したがって、ケース本体４０２とケースカバー４０３とを分離して開封するためには、例えば固着関連部位である封止片４５０ａの切断片等を切断すること等により、ワンウェイネジ４１９や予備用ワンウェイネジ４１９ａで螺着された封止片４５０ａ、４５０ｂをケースカバー４０３から分離するより他に手立てはない。しかして、例えば内部のＲＯＭの検査等の正式な検査によって切断片を切断した場合には、検査後、予備ネジ収容部４２２ａ、４２２ｂの収容穴４２３に収容されていた予備用ワンウェイネジ４１９ａを取り出し、切断されていない封止片４５０ａ、４５０ｂを利用して、前述と同様に、取り出した予備用ワンウェイネジ４１９ａを螺着することにより、再度切断片を切断しない限りケース本体４０２とケース４０３とを分離できない状態に組付けることができる。このような封止片４５０ａ、４５０ｂの切断片の切断は、本実施例の場合、封止片４５０ａが左右に４個ずつあるので、最高３回繰返すことができる。
【０６６７】
より具体的には、本実施例のメイン制御基板ケース４００においては、遊技制御板４０及び払出制御基板６０をメーカーから遊技場等に発送される際においては、メーカーにて予め用意されたワンウェイネジ４１９にてケース本体４０２とケースカバー４０３とが閉鎖されるとともに、各収容穴４２３内に遊技場にて使用される複数のワンウェイネジが予備用ワンウェイネジ４１９ａとして収容される。そして、遊技場において上述のような検査等のためにメーカーから遊技場への発送に使用されたアルファベットＡに対応する封止片４５０ｂ、４２０が切断されてケース本体４０２とケースカバー４０３とが開放され、その後はいずれかの収容穴４２３内から取り出された予備用ワンウェイネジ４１９ａ及びアルファベットＢ〜Ｅのいずれかに対応する封止片４５０ａがケース本体４０２とケースカバー４０３との閉鎖及び基板取付板４０１への取り付けに使用される。さらに何らかの理由で遊技制御板４０及び払出制御基板６０を遊技場からメーカー等に返送する際には、いずれかの収容穴４２３内から取り出された予備用ワンウェイネジ４１９ａ及びアルファベットＦに対応する封止片４５０ａ、４２０がケース本体４０２とケースカバー４０３との閉鎖に使用されるようになっている。
【０６６８】
さらに、封止片４５０ａ、４５０ｂに螺着されたワンウェイネジ４１９や予備用ワンウェイネジ４１９ａの頭部には、ネジキャップ４４２が装着されるため、ワンウェイネジ４１９や予備用ワンウェイネジ４１９ａの取り出しがより困難となり、引いてはケース本体４０２とケースカバー４０３との分離がより困難となる。
【０６６９】
また、本実施例においては、払出制御基板６０を収容する収容ケースを、遊技制御基板４０を収容するメイン制御基板収容ケース４００と別個に設ける必要がないので、製造コストを増加させること等なく、遊技制御基板４０のみならず払出制御基板６０に対する不正行為を極力防止することができる。
【０６７０】
なお、本実施例においては、ケース本体４０２に対するケースカバー４０３の固着を行う固着手段としての封止片４５０ｂ、４２０、ワンウェイネジ４１９と、メイン制御基板収容ケース４００の基板取付板４０１への取り付けを行う取り付け手段としての封止片４５０ａ、取付台４２１、予備用ワンウェイネジ４１９ａとはそれぞれ別個に構成されていたが、例えば、ケース本体４０２に対するケースカバー４０３の固着を行う固着手段としての封止片４５０ｂ、４２０に螺入したワンウェイネジ４１９を取付台４２１に螺入することにより、メイン制御基板収容ケース４００を基板取付板４０１に取り付けることができるようにしてもよく、このように固着手段と取り付け手段とを同一部材にて構成してもよい。
【０６７１】
（５−３３）電源基板ケース
次に、電源基板ケース３００の構造を図１２６に基づいて説明する。図１２６（ａ）は電源基板ケース３００の構造を示す分解斜視図であり、（ｂ）は電源基板ケース取付部９１５に取り付けられた状態を示す縦断面図である。電源基板ケース３００は、透明な合成樹脂材からなり、一面が開口する箱状に形成されたケース本体３０１と、該ケース本体３０１の開口を開閉可能なケースカバー３０２とで構成されている。ケース本体３０１の底板３０１ａ表面における角部には、電源基板１６３を止着するためのネジＮ６０が螺入されるネジ穴３０３が対角線上の２つの角部に形成されているとともに、他方の対角線上の２つの角部には、電源基板１６３を位置決めするための位置決め用ボス３０４がそれぞれ突設されている。また、底板３０１ａの裏面には、電源基板ケース３００を電源基板ケース取付部９１５に取り付けるための上向きＬ字状の係止片３０５ａ及び下向きＬ字状の係止片３０５ｂが形成されている。
【０６７２】
一方の短辺の側壁には、電源基板１６３の一側辺部に設けられた電源スイッチ３１３との干渉を回避するための切欠部３０６ａが形成されているとともに、その下方には、電源基板１６３の一側辺に設けられたリセットスイッチ３８のスイッチ部周りの一部を囲む枠部３０７ａが形成されている。また、上下の長辺の側壁外面には、ケースカバー３０２の長辺の側壁に形成された係合穴３０８に係合可能な係合凸部３０９（図中下方の係合穴３０７の図示は省略する）が所定箇所に２個ずつ突設されている。
【０６７３】
一方、ケースカバー３０２には、帯状の放熱用スリット３１０が複数形成されている。また、上方の長辺部には、電源基板１６３上に設けられたコネクタ（図示略）を外部に臨ませるためのコネクタ挿通口３１１が３箇所に形成されているとともに、上下の長辺部には前述した係合穴３０８がそれぞれ形成されている。短辺部における電源スイッチ３１３に対応する箇所には、電源スイッチ３１３との干渉を回避するための切欠部３０６ｂが形成されているとともに、その下方には、リセットスイッチ３８のスイッチ部周りの一部を囲む枠部３０７ｂが形成されている。なお、電源基板１６３上には電源スイッチ３１３、リセットスイッチ３８の他、ヒューズ３１２等が設けられている。
【０６７４】
このように構成された電源基板ケース３００は、図１２６（ａ）に示されるように、電源基板１６３をネジＮ６０にてケース本体３０１に止着した後、ケース本体３０１の開口に向けてケースカバー３０２を嵌め込むことで、係合穴３０７内に係合凸部３０９が嵌合されてケース本体３０１とケースカバー３０２とが一体化され、電源基板１６３が被覆された状態で収容される。そして、電源基板ケース３００は、下部機構板９００の側方（図１２６（ｂ）中手前側）に形成された開口から下部機構板９００の中央に向けて挿通した後、ケース本体３０１の背面に突設された係止片３０５ａ、３０５ｂを電源ユニット取付部９１５に形成された係合穴９１４ａ、９１４ｂ（図１１４参照）内に嵌合し、係合穴９１４ａ、９１４ｂから右側に向けて延設されたスライド溝９１４ｃ（図１１４参照）に係止片３０５ａ、３０５ｂを挿通させたままスライド移動させることで、電源ユニット取付部９１５に形成された弾性変形可能な係止片９１６（図１１４参照）が電源基板ケース３００の一側端に係止され、電源ユニット取付部９１５に取り付けられる。
【０６７５】
（６）下部前面扉
次に、上皿１２及び各種操作ボタンが設けられる上皿受部４を有する下部前面扉２９の構造を、図１２７〜図１２９に基づいて説明する。図１２７は上皿受部４の構造を示す分解斜視図であり、図１２８は上皿表カバー１００１を示す背面図であり、図１２９は上皿裏カバー１００２を示す背面図であり、図１３０は上皿裏カバー１００２への部材の組み付け状況を示す分解斜視図であり、図１３１（ａ）は上皿１２における通常時の球の流れを示す概略背面図であり、（ｂ）は上皿１２における球抜き時の球の流れを示す概略背面図であり、図１３２（ａ）は整流部１２ｂを示す断面図であり、（ｂ）はスピーカ５３ａと上皿表カバー１００１との関係を示す要部拡大断面図である。
【０６７６】
上受皿部４は、図１２７に示されるように、上皿１２を形成する上皿部材１０００と、上皿部材１０００の前面を被覆するとともに、各種ボタン５〜８、カードユニット操作パネル１００３や取込装置取付ユニット１００４が配設される上皿表カバー１００１と、上皿表カバー１００１の背面を被覆する上皿裏カバー１００２と、から主に構成されている。
【０６７７】
（６−１）上皿表カバー
上皿表カバー１００１は、図１２７及び図１２８に示されるように、上皿受部４及び取込装置１００が配設される右側下半部がそれぞれ前方に向けて膨出する膨出部１００１ａが形成されており、該膨出部１００１ａの上面には、１ＢＥＴボタン５を有する１ＢＥＴボタンユニット１５００を配置するための嵌合穴１００５、ＭＡＸＢＥＴボタン６を有するＭＡＸＢＥＴボタンユニット１６００を配置するための嵌合穴１００６、スタートボタン７を有するスタートボタンユニット１７００を嵌合するための嵌合穴１００７が開設されているとともに、上皿部材１０００を配設するための切欠部１００９と、透明な合成樹脂材からなる残存球透視窓３２を配置するための切欠部１０１０と、カードユニット操作パネル１００３を配設するための切欠部１０２８が形成されている。なお、１ＢＥＴボタン５の操作ボタン上面は、特に図示しないが球面状に凹設されている。
【０６７８】
膨出部１００１ａの前面には、ストップボタン８Ｌ、８Ｃ、８Ｒを有するストップボタンユニット１８００Ｌ、１８００Ｃ、１８００Ｒを配置するための横長のストップボタン配置部１０１１が凹設されており、該ストップボタン配置部１０１１には、ストップボタンユニット１８００Ｌ、１８００Ｃ、１８００Ｒを配置するための嵌合穴１００８Ｌ、１００８Ｃ、１００８Ｒが左右方向に向けて等間隔おきに配設されている。また、ストップボタン配置部１０１１の前面には、各ストップボタンユニット１８００Ｌ、１８００Ｃ、１８００Ｒを挿通可能な挿通穴１０１２Ｌ、１０１２Ｃ、１０１２Ｒを有し、ストップボタン８Ｌ、８Ｃ、８Ｒの周囲を装飾するパンチングメタル板１０１２と、各ストップボタンユニット１８００Ｌ、１８００Ｃ、１８００Ｒを挿通可能な挿通穴１０１３Ｌ、１０１３Ｃ、１０１３Ｒを有し、パンチングメタル板１０１２の前面を透視可能な状態で保護する透明カバー１０１３と、該透明カバー１０１３の前面周囲を装飾する装飾枠１０１４と、が配設され、これらパンチングメタル板１０１２及び透明カバー１０１３は、その前方に配置される装飾枠１０１４が、上皿表カバー１００１の背面に形成されたネジ取付穴１０４１から挿通されるネジＮ６１により止着されることにより取り付けられる。なお、装飾枠１０１４の左右辺部には後向きの係止片１０１４ａが突設されており、上皿表カバー１０００に形成された係止片挿通穴１０３４内に挿通して係止されることで仮止めできるようになっている。
【０６７９】
上皿表カバー１００１の背面左右辺部及び下辺部には、上皿裏カバー１００２を背面側から止着するための３本のネジＮ６２が螺入されるネジ穴１０１５、３本のネジＮ６３が螺入されるネジ穴１０１６、３本のネジＮ６４が螺入されるネジ穴１０１７がそれぞれ所定箇所に複数形成されているとともに、ネジ穴１０１５、１０１７の近傍には、後述する上皿ＬＥＤ左レンズ／上皿ＬＥＤ右レンズ１０３６Ｌ、１０３６Ｒそれぞれの内側に突設された前向きの位置決め片１０３６ａの先端が嵌合される位置決め穴１０３４が形成されている。また、嵌合穴１００８Ｌ、１００８Ｃ、１００８Ｒの近傍及びその側方には、上皿部材１０００を背面側から止着するための４本のネジＮ６５が螺入されるネジ穴１０１８が形成されている。なお、右側のネジ穴１０１８の下方には、配線押さえ１０１９を止着するためのネジＮ６６が螺入されるネジ穴１０２０が形成されている。
【０６８０】
また、図中向かって左側の取込装置１００の配置位置周囲には、該取込装置１００を着脱自在に取り付けるための取込装置取付ユニット１００４を背面側から止着するための４本のネジＮ６７が螺入されるネジ穴１０２１が形成されているとともに、これら４つのネジ穴１０２１にて囲まれる取込装置取付部の下方には、取込装置１００から排出されるパチンコ球を落下可能とするための切欠部１０２７が形成されている。
【０６８１】
嵌合穴１００８Ｌ、１００８Ｃ、１００８Ｒの下方には、複数の放音孔５３ｂからなる略円形の放音部５３が形成されているとともに、該放音部５３の背面周囲は、略円筒状の筒状壁１０２２にて被覆されており（図１３２参照）、該筒状壁１０２２の内部に放音路５３ｃが形成されている。この筒状壁１０２２の後端は、図１３２に示されるように、後述する上皿裏カバー１００２の前面に当接する位置まで延設されている。また、筒状壁１０２２の左上部には、上皿部材１０００の取付部との干渉を避けるための凹部１０２２ａが凹設されている。
【０６８２】
また、取込装置取付ユニット１００４は、背面及び下面が開口する箱状に形成されており、取込装置１００を背面側から装着できるようになっており、取込装置１００から排出されたパチンコ球はそのまま鉛直下方に落下されるようになっているとともに、上部壁には取込装置１００に供給されるパチンコ球を受け入れるための切欠部１０２３が形成されている。また、左右壁には、嵌合された取込装置１００を押さえるための装置押さえ１０２４がネジＮ６８を介して回転自在に止着されており、該装置押さえ１０２４を回動させることにより、取込装置１００を取り付け、取り外しできるようになっている。さらに前面壁の前面側には、取込装置１００に対する外部からの電波による不正行為を防止するための電波遮蔽板１０２５を係止するとともに、取込装置１００から延出される配線を係止するための上向きのフック片１０２６が突設されている。
【０６８３】
カードユニット操作パネル１００３の表面には、球貸ボタン１９の配設凹部１０３８ａと、返却ボタン２０の配設凹部１０３８ｂと、精算ボタン１０の配設凹部１０３８ｃと、配設凹部１０３８ａと配設凹部１０３８ｂとの間に配置される残額表示部１８と、が設けられており、その下面には、球貸スイッチ１９ａ、返却スイッチ２０ａ及び残額表示器１８ａが配設される残額表示基板１６７がネジＮ７５により止着されているとともに、精算スイッチ１０ａが配設されるスイッチ基板１６８がネジＮ７６により止着されている。また、前端辺には、残存球透視窓３２が嵌合される切欠部１０３９が形成されている。
【０６８４】
上皿部材１０００は、その前壁上端縁を上皿表カバー１００１の切欠部１００９に嵌合させた状態で、ネジＮ６５をネジ穴１０１８に螺入することで、上皿表カバー１００１の背面上部に止着される。上皿部材１０００における貯留部１２ａの底面を構成する底板１０００ａ（図１３１参照）は、整流部１２ｂに向けて下方に傾斜するように形成されているとともに、整流部１２ｂの底面付近は切り欠かれており、該整流部１２ｂの底面は、取込装置１００に供給するパチンコ球を３列で流下させるための仕切板１０３０、１０３１と、これら仕切板１０３０、１０３１にて仕切られる３列の流下通路底面を構成する細長帯状のメタルシュート１０２９ａ〜１０２９ｃとから構成される。なお、仕切板１０３０の反対側の側面を構成する後述する上皿裏カバー１００２の前面所定箇所には、合成樹脂製の保護シート１０２９ｄが貼着されており、整流部１２ｂを流下するパチンコ球との摺接時における摩擦抵抗を効果的に抑制してパチンコ球をスムーズに流下させるようになっている。
【０６８５】
メタルシュート１０２９ａは、仕切板１０３０の折片１０３０ａの上面に載置された状態でネジＮ７１により止着され、メタルシュート１０２９ｂは、仕切板１０３１の折片１０３１ａの上面に載置された状態でネジＮ７０により止着され、メタルシュート１０２９ｃは、前記ネジＮ７０により止着される仕切板１０３１と上皿部材１０００との間に挟持された状態で取り付けられる。なお、仕切板１０３０はネジＮ７１により上皿部材１０００に止着され、仕切板１０３１はネジＮ７０により上皿部材１０００に止着される。
【０６８６】
また、仕切板１０３０、１０３１の取込装置１００側の端部には、取込準備球通路１１０の屈曲部を構成するとともに、パチンコ球を下方に向けて屈曲させるためのカバー片１０３０ｂ、１０３１ｂが、各通路に張り出すように形成されている。なお、このカバー片１０３０ｂ、１０３１ｂは、取り付け状態において残存球透視窓３２の下方に配置されるようになっており、該カバー片１０３０ｂ、１０３１ｂを含めた仕切板１０３０、１０３１は、透明な合成樹脂材にて一体的に成形されていることで、カバー片１０３０ｂ、１０３１ｂを透してその下方を流下するパチンコ球、つまり取込準備球通路１１０内に残存するパチンコ球を、上方の残存球透視窓３２を透して視認することができる。
【０６８７】
これら各メタルシュート１０２９ａ〜１０２９ｃの流下方向の端部側には、球抜き通路１２０の一部を構成する球抜き通路カバー１０３２が、ネジＮ７２を介して上皿表カバー１００１に止着されている。球抜き通路カバー１０３２の上面及び背面は開口されており、該上面開口にて前述した流出口１２１が形成される。また、この上面開口（流出口１２１）は、前述した開閉シャッタ１２２にて開閉されるようになっている。また、上皿部材１０００におけるメタルシュート１０２９ａ〜１０２９ｃの下方には、操作部中継基板１５３が２本のネジＮ７３により止着されている。
【０６８８】
（６−２）上皿裏カバー
上皿裏カバー１００２の前面には、上皿表カバー１００１がネジＮ６２、６３、６４を介して止着されるとともに、該上皿表カバー１００１の左右側には、上皿ＬＥＤ左基板１５２Ｌ、上皿ＬＥＤ右基板１５２Ｒと、上皿ＬＥＤ左ベース１０３７Ｌ、上皿ＬＥＤ右ベース１０３７Ｒと、上皿ＬＥＤ左レンズ１０３６Ｌ、上皿ＬＥＤ右レンズ１０３６Ｒと、上皿ＬＥＤ左飾り１０３５Ｌ、上皿ＬＥＤ右飾り１０３５Ｒと、がそれぞれ取り付けられる。さらに上皿ＬＥＤ左基板１５２Ｌの背面には、前述した本体枠２７の前面左側下部に設けられたヒンジ金具２９０（図７７参照）に枢支され、上皿裏カバー１００２及び上皿表カバー１００１にて主に構成される下部前面扉２９を、左端辺を中心に回動自在に枢支するためのヒンジ金具１０４０が取り付けられる。
【０６８９】
具体的に説明すると、ヒンジ金具１０４０は、上皿裏カバー１００２の背面左側から挿通される５本のネジＮ７７により、上皿裏カバー１００２の前面左側に止着される。ヒンジ金具１０４０の下端には、ヒンジ金具２９０の下端に設けられる上向きの枢軸２９０ａに挿入される軸受穴１０４０ａが形成されているとともに、上部には、ヒンジ金具２９０の上端に設けられる軸受穴２９０ｂに挿入される枢軸１０４１が、上下方向に向けて摺動自在に支持されている。枢軸１０４１は、特に詳細な図示はしないが下端が後向きに屈曲される側面視Ｌ字形状をなし、その後端には、一端がヒンジ金具１０４０の上部背面に取り付けられたコイルバネ（図示略）の他端が取り付けられて常時上方に向けて付勢されており、前記ヒンジ金具２９０への連結時において枢軸１０４１が前記コイルバネの付勢力に抗して下方に移動して上端が退避することにより、ヒンジ金具２９０の軸受穴２９０ｂ内に挿入できるようになっている。
【０６９０】
ヒンジ金具１０４０の前面左側には、上皿ＬＥＤ左飾り１０３５Ｌが、５本のネジＮ７７のうち上下２本のネジＮ７７と、ヒンジ金具１０４０の中央背面から挿通されるネジＮ７８にて止着されて被覆される。さらにこの上皿ＬＥＤ左飾り１０３５Ｌの内側には、透明な合成樹脂材からなる上皿ＬＥＤ左レンズ１０３６Ｌが配置される。この上皿ＬＥＤ左レンズ１０３６Ｌの内部には、基板上の３つのＬＥＤを前方に臨ませる３つの穴が上下方向に形成された上皿ＬＥＤ左ベース１０３７Ｌが嵌合され、その背面側からは、上皿ＬＥＤ左基板１５２ＬがネジＮ７９を介して止着される。また、この上皿ＬＥＤ左レンズ１０３６Ｌの内側面には、上皿表カバー１００１を止着するための３本のネジＮ６２が挿通可能な挿通穴が形成された取付片(上皿ＬＥＤ右レンズ１０３６Ｒ参照)が内向きに突設されており、これらネジＮ６２にて上皿裏カバー１００２に取り付けられるとともに、外側面には、隣接配置される上皿ＬＥＤ左飾り１０３５Ｌに形成された嵌合穴(図示略)に嵌合される前後方向を向く位置決め片１０３６ｂが形成されており、互いに隣接した状態で固定できるようになっている。
【０６９１】
一方、ヒンジ金具１０４０の前面右側には、上皿ＬＥＤ右飾り１０３５Ｒが上下２本のネジＮ８０にて止着される。さらにこの上皿ＬＥＤ右飾り１０３５Ｒの内側には、透明な合成樹脂材からなる上皿ＬＥＤ右レンズ１０３６Ｒが配置される。この上皿ＬＥＤ右レンズ１０３６Ｒの内部には、基板上の３つのＬＥＤを前方に臨ませる３つの穴が上下方向に形成された上皿ＬＥＤ右ベース１０３７Ｒが嵌合され、その背面側からは、上皿ＬＥＤ右基板１５２ＲがネジＮ８１を介して止着される。また、この上皿ＬＥＤ右レンズ１０３６Ｒの内側面には、上皿表カバー１００１を止着するための３本のネジＮ６４が挿通可能な挿通穴が形成された取付片１０３６ｃが内向きに突設されており、これらネジＮ６４にて上皿裏カバー１００２に取り付けられるとともに、外側面には、隣接配置される上皿ＬＥＤ右飾り１０３５Ｒに形成された嵌合穴(図示略)に嵌合される前後方向を向く位置決め片(上皿ＬＥＤ左レンズ１０３６Ｌ参照)が形成されており、互いに隣接した状態で固定できるようになっている。
【０６９２】
上皿裏カバー１００２は、主に図１２９及び図１３０に示されるように、図中左側に取込装置１００を取り付けるための下向きに開口する取込装置用切欠部１０４５が形成されているとともに、該取込装置用切欠部１０４５の右上角部からは、開閉シャッタ１２２を前面側に挿通させるための開閉シャッタ挿通用溝１０４６が右側に向けて連設されている。開閉シャッタ挿通用溝１０４６の下方には、該上皿裏カバー１００２の前面側に設けられる流出口１２１から流出して球抜き通路カバー１０３２（図１２７参照）にて形成される球抜き通路１２０内を流下するパチンコ球を背面側に移すための球抜き通路開口１０４７が形成されているとともに、その下部には球抜き通路開口１０４７を通過したパチンコ球を後方に移すための傾斜面１０４８ａを上端に有する流路台１０４８が後方に向けて膨出するように形成されている。
【０６９３】
これら開閉シャッタ挿通用溝１０４６、球抜き通路開口１０４７、流路台１０４８の周囲には、球抜き通路１２０の一部を形成する球抜き通路カバー１０４９を背面側から止着するための４本のネジＮ８５が螺入されるネジ穴１０５０が４箇所に形成されており、該球抜き通路カバー１０４９にて上皿裏カバー１００２の背面に球抜き通路１２０が形成されるようになっている。球抜き通路カバー１０４９の上部には、開閉シャッタ１２２の後部１２２ａを収容可能な左右方向に延びるシャッタ収容部１０４９ａが形成されており、シャッタ収容部１０４９ａ内において開閉シャッタ１２２の後部１２２ａが左右方向に移動自在に支持される。また、シャッタ収容部１０４９ａの上面には、球抜きレバー２１から下方に垂下された連係片２１ａの下端を挿通可能な切欠部１０４９ｂが形成されている。
【０６９４】
球抜き通路カバー１０４９の上方には、球抜きレバー２１を前面側に挿通可能とする球抜きレバー挿通口１０５１が形成されており、該球抜きレバー挿通口１０５１の左右には、球抜きレバー２１の本体部２１ａを左右方向に摺動自在に収容支持する球抜きレバーカバー１０５２を止着するためのネジＮ８６が螺入されるネジ穴１０５３が形成されている。球抜きレバー２１は、球抜きレバーカバー１０５２内に収容されるコイルバネ１０５４により本体部２１ａが常時取込装置１００側に向けて付勢されるとともに、本体部２１ａの下面から垂下される垂下片２１ｂの下端は、切欠部１０４９ｂ内を挿通して下方のシャッタ収容部１０４９ａ内に収容された開閉シャッタ１２２の後部１２２ａ上面に形成された係合凹部１２２ｂ内に嵌合される。
【０６９５】
このように、球抜きレバー２１と開閉シャッタ１２２とは、図１３２（ａ）（ｂ）に示されるように、垂下片２１ｂが嵌合凹部１２２ｂ内に嵌合されることで連係されるため、球抜きレバー２１の操作により開閉シャッタ１２２が開閉シャッタ挿通用溝１０４６内を移動して、流出口１２１が開閉されることになる。詳しくは、通常時においては、図１３２（ａ）に示されるように、本体部２１ａがコイルバネ１０５４により取込装置１００側に付勢されていることで、流出口１２１は開閉シャッタ１２２にて閉塞されているため、上皿１２のパチンコ球は流出口１２１上を流下して取込準備球通路１１０を介して取込装置１００内に流入する。また、球抜きレバー２１が図１３２（ｂ）中矢印で示される方向（コイルバネ１０５４の付勢力に抗する方向）に移動操作されると、球抜きレバー２１の移動に応じて開閉シャッタ１２２が移動され、流出口１２１が開放されるため、上皿１２のパチンコ球は流出口１２１内に落下し、取込準備球通路１１０及び取込装置１００を経由することなく、球抜き通路１２０内を流下して上皿裏カバー１００２の背面側に流下し、最終的に下皿１１に返却される。
【０６９６】
また、図１３２（ａ）及び図５に示されるように、整流部１２ｂに形成される３条のパチンコ球の流下通路のうち上皿裏カバー１００２側の流下通路は、通路長さが最長で、かつ流下底面が最も低い位置に配置されているとともに、上皿裏カバー１００２の前面には保護シート１０２９ｄが貼着されていることで、上皿裏カバー１００２の前面との接触によるパチンコ球の滞留が効果的に防止されている。
【０６９７】
取込装置用切欠部１０４５の反対側には、図１３２（ｂ）に示されるようにスピーカ５３ａの前部に設けられるスピーカカバー３４２が嵌合されるスピーカ嵌合穴１０５５が形成されている。また、スピーカ嵌合穴１０５５の前端左上部には、上皿表カバー１００１に形成される筒状壁１０２２の外周に形成された凹部１０２２ａの後端面を閉塞するための蓋板部１０５５ａが内向きに突設されている。
【０６９８】
スピーカ嵌合穴１０５５の右側上方には、上皿表カバー１００１に配設される各種ボタンから延出される配線を背面側に挿通させるための配線挿通口１０５６と、上皿裏カバー１００２の前面側の配線状況等を確認するための横長長方形状の配線確認窓１０５７が２箇所に形成されている。また、配線挿通口１０５６の右側には、上皿ＬＥＤ左基板１５２Ｌから延出される配線を背面側に挿通させるための配線挿通口１０５８が形成されているとともに、さらにその右側には、ヒンジ金具１０４０の背面に設けられる前述した図示しないコイルバネの状況を確認するためのバネ確認窓１０５９が形成されている。これら配線挿通口１０５６、１０５８及びバネ確認窓１０５９の周囲には、補強用板金１０６０を背面側から止着するための６本のネジＮ８７が螺入されるネジ穴１０６１が形成されている。なお、配線挿通口１０５８の下部には、図示しないワイヤラグ及びアース部材を止着するためのネジ穴が先端に形成された配線用ボス１０４１が突設されている。
【０６９９】
配線確認窓１０５７の上方には、前述した払出球誘導通路２０８ａ内を流下してきたパチンコ球を上皿１２内に払い出すための連通口１３が形成されており、該連通口１３の左右側には、後端が本体枠２７に形成される球連通路２８５ｂの前端に当接する球連通路カバー２８５ａを背面側から止着するためのネジＮ８８が螺入されるネジ穴１０６２が形成されている。つまり、下部前面扉２９が閉鎖位置にあるときは、本体枠２７に形成される球連通路２８５ｂの前面開口と連通口１３とが、球連通路カバー２８５ａを介して連通され、払出装置２００にて払い出されたパチンコ球が連通口１３から上皿１２に流出されるようになっている。
【０７００】
取込装置用切欠部１０４５の左側には、係止部材２３６を止着するためのネジＮ８９が螺入されるネジ穴１０６３が上下に形成されるとともに、それらの間には、係止部材２３６を位置決めするための位置決め用ボス１０６４が突設されている。なお、上部のネジ穴１０６３と位置決め用ボス１０６４との間には、開口１０６５が形成されているとともに、その左側には、上皿ＬＥＤ右基板１５２Ｒから延出される配線を背面側に挿通させるための配線挿通口１０６６が形成されている。
【０７０１】
背面上部には、前述したように、上端に前向きの折り曲げ片２３９ａが形成されたパネル受け板金２３９を止着するための５本のネジＮ９０がそれぞれ螺入されるネジ穴１０６７が形成されているとともに、うち２箇所のネジ穴１０６７の近傍には、位置決め用の位置決め用ボス１０６８が突設されている。なお、パネル受け板金２３９の略中央には、球抜きレバーカバー１０５２との干渉を回避するための嵌合穴２３９ｂが形成されているとともに、右側には球連通路カバー２８５ａとの干渉を回避するための切欠部２３９ｃが形成されている。
【０７０２】
背面左右辺部には、該上皿裏カバー１００２を上皿表カバー１００１の背面に止着するための前述したネジＮ６２、６４が取り付けられるネジ取付穴１０６９、１０７０が形成されているとともに、下辺部にはネジＮ６３が取り付けられるネジ取付穴１０７１が形成されている。また、上皿ＬＥＤ左飾り１０３５Ｌを止着するためのネジＮ７７が取り付けられるネジ取付穴１０７２と、上皿ＬＥＤ右飾りを止着するためのネジＮ８０が取り付けられるネジ取付穴１０７３とがそれぞれ形成されている。
【０７０３】
（６−３）スピーカ放音穴
以上説明したように、下部前面扉２９は、図１３２（ｂ）に示されるように、上皿表カバー１００１の背面に上皿裏カバー１００２を取り付けることで、膨出部１００１ａ内部に各種ボタンや取込装置１００を配設するための空間部が形成されるようになっているとともに、本体枠２７の前面下部に取り付けられるスピーカ５３ａの前方には、スピーカ５３ａから出力される音を放音孔５３ｂから放音させる放音路５３ｃが形成されるようになっている。
【０７０４】
具体的には、上皿表カバー１００１の放音部５３の背面から突設される筒状壁１０２２の後端が上皿裏カバー１００２の前面におけるスピーカ嵌合穴１０５５の周縁部に当接することで、スピーカ嵌合穴１０５５と筒状壁１０２２とにより放音路５３ｃが形成される。このようにスピーカ５３ａ本体が、放音部５３が形成される上皿表カバー１００１とは別個に形成される本体枠２７側に配設されていても、下部前面扉２９が閉鎖位置に位置したときに、スピーカ５３ａの前方が放音路５３ｃにより被覆されるため、例えば上皿表カバー１００１の外部から放音孔５３ｂを介して下部前面扉２９の内部に針金等の異物を挿通したとしても、放音路５３ｃの周囲は筒状壁１０２２にて覆われていることで、針金の先端を放音路５３ｃ以外の箇所に侵入させることはできないため、ゲームの進行に関連する各種操作ボタン５〜７や、本体枠２７におけるスピーカ５３ａの配置位置以外の箇所に配置される各種基板や装置類に何らかの不正行為を行うことを困難とすることができるため、不正行為を効果的に防止することができる。
【０７０５】
（６−４）ＭＡＸＢＥＴボタンユニット
次に、ＭＡＸＢＥＴボタン６を形成するＭＡＸＢＥＴボタンユニット１６００の構成を図１３３に基づいて説明する。
【０７０６】
ＭＡＸＢＥＴボタンユニット１６００は、本体部を構成する筒状体１６０１と、筒状体１６０１内部に軸心方向に摺動自在に嵌挿される操作ボタン部１６０２と、操作ボタン部１６０２を前方に向けて付勢するコイルバネ１６０３と、筒状体１６０１における操作ボタン部１６０２の反対側の開口に装着されるスイッチ基板１６０４と、から主に構成されている。
【０７０７】
筒状体１６０１における下部側の小径筒部外周面には、軸心方向に延びる帯状の平面部１６０１ａ、１６０１ｂがそれぞれ対向配置されている（反対側の平面部１６０１ａ、１６０１ｂは図示されていない）。互いに対向する２つの平面部１６０１ａには、スイッチ基板１６０４を係止するための内向きの係止爪１６０５ａを下端に有する係止片１６０５が切欠溝を介して弾性変形自在に形成されているとともに、他方の２つの平面部１６０１ｂには、嵌合穴１００６の後端縁部に係止される外向きの係止爪１６０６ａを下端に有する係止片１６０６が切欠溝を介して弾性変形自在に形成されている。また、２つの係止片１６０６の基端部には、後述するボタン本体１６０９を逸脱不能に係止するための係止穴１６１０がそれぞれ形成されている。
【０７０８】
筒状体１６０１の上端縁部には、嵌合穴１００６の開口縁部に係止される外向きのフランジ部１６０７が環状に形成されるとともに、このフランジ部１６０７の下面所定箇所には、嵌合穴１００６の開口縁部に形成される位置決め用凹部１００６ａ（図１２７参照）に嵌合する位置決め用ボス１６０８が突設されている。
【０７０９】
操作ボタン部１６０２は、筒状のボタン本体１６０９と、ボタン本体１６０９の前端開口を閉塞するように装着される蓋部材１６１１と、から構成される。蓋部材１６１１の前面１６１１ａは遊技者により押圧される操作部を構成しており、その前面はスイッチ基板１６０４に取り付けられるＭＡＸＢＥＴボタンＬＥＤ１６１２からの光を前方に透過すべく透明な合成樹脂材にて形成されている。
【０７１０】
蓋部材１６１１は、ボタン本体１６０９の外周面の対向位置にそれぞれ形成された凸部１６１３に対応する箇所に形成された穴部１６１４に該凸部１６１３に係止させることで、ボタン本体１６０９と一体化されて操作ボタン部１６０２が形成されるようになっている。また、ボタン本体１６０９と蓋部材１６１１との間には、ＭＡＸＢＥＴボタンＬＥＤ１６１２からの光を前方に透過するとともに、筒状体１６０１内部を前方から視認不能とするために乳白色に着色されるとともに、「ＭＡＸＢＥＴ」なる文字が描かれた透光板１６１５が内蔵される。
【０７１１】
ボタン本体１６０９の外周面には、筒状体１６０１の係止穴１６１０に係脱される外向きの係止爪１６１６ａを下端に有する係止片１６１６が、切欠溝を介して弾性変形自在に形成されている。よって、筒状体１６０１内に嵌挿した際においてコイルバネ１６０３により上方に付勢される操作ボタン部１６０２は、係止爪１６１６ａと係止穴１６１０との係止作用により操作ボタン部１６０２の筒状体１６０１からの逸脱が規制され、また、操作ボタン部１６０２がコイルバネ１６０３の付勢力に抗して押圧された際において、筒状体１６０１内に形成された図示しない規制部により後方移動が規制されるようになっている。
【０７１２】
さらにボタン本体１６０９には、コイルバネ１６０３の付勢力に抗して後端位置まで押圧された際において、操作ボタン部１６０２の押圧操作がスイッチ基板１６０４に取り付けられた上向きコ字状のＭＡＸＢＥＴスイッチ６ａの投・受光部間に遊挿される遮蔽片１６１７が下向きに垂下されている。この遮蔽片１６１７がＭＡＸＢＥＴスイッチ６ａの投・受光部間に遊挿されて光を遮蔽することにより、操作ボタン１６０２の押圧操作が検出される。
【０７１３】
スイッチ基板１６０４は、上面にＭＡＸＢＥＴボタンＬＥＤ１６１２及びＭＡＸＢＥＴスイッチ６ａ及びコネクタ１６２０が取り付けられており、係止爪１６０５ａに係止されることで筒状体１６０１の下端開口に装着される。また、外周縁部には、一方の係止爪１６０６ａとの干渉を避けるための切欠部１６１８が形成されているとともに、前記コネクタ１６２０から延出される配線を挿通するための配線凹部１６１９が形成されている。
【０７１４】
このように、ＭＡＸＢＥＴボタンユニット１６００は単体のユニットとして構成され、嵌合穴１００６内に挿入されることにより上皿表カバー１００１に装着されるようになっている。
【０７１５】
（６−５）スタートボタンユニット
次に、スタートボタン７を形成するスタートボタンユニット１７００の構成を図１３４に基づいて説明する。
【０７１６】
スタートボタンユニット１７００は、本体部を構成する筒状体１７０１と、筒状体１７０１内部に軸心方向に摺動自在に嵌挿される操作ボタン部１７０２と、操作ボタン部１７０２を前方に向けて付勢するコイルバネ１７０３と、筒状体１７０１における操作ボタン部１７０２の反対側の開口に装着されるスイッチ基板１７０４と、から主に構成されている。
【０７１７】
筒状体１７０１における下部側の小径筒部外周面には、軸心方向に延びる帯状の平面部１７０１ａ、１７０１ｂがそれぞれ対向配置されている（反対側の平面部１７０１ａ、１７０１ｂは図示されていない）。互いに対向する２つの平面部１７０１ｂ下部には、スイッチ基板１７０４を係止するための内向きの係止爪１７０５ａを下端に有する係止片１７０５（反対側の係止片１７０５及び係止爪１７０５ａは図示略）が切欠溝を介して弾性変形自在に形成されているとともに、上部には、嵌合穴１００７の後端縁部に係止される外向きの係止凸部１７０６が出没自在に形成されている。また、２つの平面部１７０１ａには、後述するボタン本体１７０９を逸脱不能に係止するための係止穴１７１０（反対側の係止穴１７１０は図示略）がそれぞれ形成されている。
【０７１８】
筒状体１７０１の上端縁部には、嵌合穴１００７の開口縁部に係止される外向きのフランジ部１７０７が環状に形成されるとともに、このフランジ部１７０７の下面所定箇所には、嵌合穴１００７の開口縁部に形成される位置決め用凹部１００７ａ（図１２７参照）に嵌合する位置決め用ボス１７０８が突設されている。
【０７１９】
操作ボタン部１７０２は、筒状のボタン本体１７０９と、ボタン本体１７０９の前端開口を閉塞するように装着される蓋部材１７１１と、から構成される。蓋部材１７１１の前面１７１１ａは遊技者により押圧される操作部を構成しており、その前面はスイッチ基板１７０４に取り付けられるスタートボタンＬＥＤ１７１２からの光を前方に透過すべく透明な合成樹脂材にて形成されている。
【０７２０】
蓋部材１７１１は、ボタン本体１７０９の外周面の対向位置にそれぞれ形成された凸部１７１３に対応する箇所に形成された穴部１７１４に該凸部１７１３に係止させることで、ボタン本体１７０９と一体化されて操作ボタン部１７０２が形成されるようになっている。また、ボタン本体１７０９と蓋部材１７１１との間には、スタートボタンＬＥＤ１７１２からの光を前方に透過するとともに、筒状体１７０１内部を前方から視認不能とするために乳白色に着色されるとともに、「ＳＴＡＲＴ」なる文字が描かれた透光板１７１５及び台紙１７２２が内蔵される。
【０７２１】
ボタン本体１７０９の外周面には、筒状体１７０１の係止穴１７１０に係脱される外向きの係止爪１７１６ａを下端に有する係止片１７１６が、切欠溝を介して弾性変形自在に形成されている。よって、筒状体１７０１内に嵌挿した際においてコイルバネ１７０３により上方に付勢される操作ボタン部１７０２は、係止爪１７１６ａと係止穴１７１０との係止作用により操作ボタン部１７０２の筒状体１７０１からの逸脱が規制され、また、操作ボタン部１７０２がコイルバネ１７０３の付勢力に抗して押圧された際において、筒状体１７０１内に形成された図示しない規制部により後方移動が規制されるようになっている。
【０７２２】
さらにボタン本体１７０９には、コイルバネ１７０３の付勢力に抗して後端位置まで押圧された際において、操作ボタン部１７０２の押圧操作がスイッチ基板１７０４に取り付けられた上向きコ字状のスタートスイッチ７ａの投・受光部間に遊挿される遮蔽片１７１７が下向きに垂下されている。この遮蔽片１７１７がＭＡＸＢＥＴスイッチ７ａの投・受光部間に遊挿されて光を遮蔽することにより、操作ボタン１７０２の押圧操作が検出される。また、側周面には係止凸部１７０６との干渉を避けるための切欠凹部１７２１が対向位置に形成されている。
【０７２３】
スイッチ基板１７０４は、上面にスタートボタンＬＥＤ１７１２及びスタートスイッチ７ａ及びコネクタ１７２０が取り付けられており、係止爪１７０５ａに係止されることで筒状体１７０１の下端開口に装着される。また、外周縁部には、一方の係止爪１７０６ａとの干渉を避けるための切欠部１７１８が形成されているとともに、前記コネクタ１７２０から延出される配線を挿通するための配線凹部１７１９が形成されている。
【０７２４】
このように、スタートボタンユニット１７００は単体のユニットとして構成され、嵌合穴１００７内に挿入されることにより上皿表カバー１００１に装着されるようになっている。
【０７２５】
（６−６）ストップボタンユニット
次に、ストップボタン８Ｌ、８Ｃ、８Ｒを形成するストップボタンユニット１８００の構成を図１３５に基づいて説明する。
【０７２６】
ストップボタンユニット１８００は、本体部を構成する筒状体１８０１と、筒状体１８０１内部に軸心方向に摺動自在に嵌挿される操作ボタン部１８０２と、操作ボタン部１８０２を前方に向けて付勢するコイルバネ１８０３と、筒状体１８０１における操作ボタン部１８０２の反対側の開口に装着されるスイッチ基板１８０４と、から主に構成されている。
【０７２７】
筒状体１８０１における下部側の小径筒部外周面には、軸心方向に延びる帯状の平面部１８０１ａ、１８０１ｂがそれぞれ対向配置されている（反対側の平面部１８０１ａ、１８０１ｂは図示されていない）。互いに対向する２つの平面部１８０１ａには、スイッチ基板１８０４を係止するための内向きの係止爪１８０５ａを下端に有する係止片１８０５が切欠溝を介して弾性変形自在に形成されているとともに、他方の２つの平面部１８０１ｂには、嵌合穴１００８の後端縁部に係止される外向きの係止爪１８０６ａを下端に有する係止片１８０６が切欠溝を介して弾性変形自在に形成されている。また、２つの係止片１８０６の基端部には、後述するボタン本体１８０９を逸脱不能に係止するための係止穴１８１０がそれぞれ形成されている。
【０７２８】
筒状体１８０１の上端縁部には、嵌合穴１００８の開口縁部に係止される外向きのフランジ部１８０７が環状に形成されるとともに、このフランジ部１８０７の下面所定箇所には、嵌合穴１００８の開口縁部に形成される位置決め用凹部１００８ａ（図１２７参照）に嵌合する位置決め用ボス１８０８が突設されている。
【０７２９】
操作ボタン部１８０２は、筒状のボタン本体１８０９と、ボタン本体１８０９の前端開口を閉塞するように装着される蓋部材１８１１と、から構成される。蓋部材１８１１の前面１８１１ａは遊技者により押圧される操作部を構成しており、その前面はスイッチ基板１８０４に取り付けられるストップボタンＬＥＤ１８１２からの光を前方に透過すべく透明な合成樹脂材にて形成されている。
【０７３０】
蓋部材１８１１は、ボタン本体１８０９の外周面の対向位置にそれぞれ形成された凸部１８１３に対応する箇所に形成された穴部１８１４に該凸部１８１３に係止させることで、ボタン本体１８０９と一体化されて操作ボタン部１８０２が形成されるようになっている。また、ボタン本体１８０９と蓋部材１８１１との間には、ストップボタンＬＥＤ１８１２からの光を前方に透過するとともに、筒状体１８０１内部を前方から視認不能とするために乳白色に着色される透光板１８１５が内蔵される。
【０７３１】
ボタン本体１８０９の外周面には、筒状体１８０１の係止穴１８１０に係脱される外向きの係止爪１８１６ａを下端に有する係止片１８１６が、切欠溝を介して弾性変形自在に形成されている。よって、筒状体１８０１内に嵌挿した際においてコイルバネ１８０３により上方に付勢される操作ボタン部１８０２は、係止爪１８１６ａと係止穴１８１０との係止作用により操作ボタン部１８０２の筒状体１６０１からの逸脱が規制され、また、操作ボタン部１８０２がコイルバネ１６０３の付勢力に抗して押圧された際において、筒状体１８０１内に形成された図示しない規制部により後方移動が規制されるようになっている。
【０７３２】
さらにボタン本体１８０９には、コイルバネ１８０３の付勢力に抗して後端位置まで押圧された際において、操作ボタン部１８０２の押圧操作がスイッチ基板１８０４に取り付けられた上向きコ字状のストップスイッチ８ａの投・受光部間に遊挿される遮蔽片１８１７が下向きに垂下されている。この遮蔽片１８１７がストップスイッチ８ａの投・受光部間に遊挿されて光を遮蔽することにより、操作ボタン１８０２の押圧操作が検出される。
【０７３３】
スイッチ基板１８０４は、上面にストップボタンＬＥＤ１８１２及びストップスイッチ８ａ及びコネクタ１８２０が取り付けられており、係止爪１８０５ａに係止されることで筒状体１８０１の下端開口に装着される。また、外周縁部には、一方の係止爪１８０６ａとの干渉を避けるための切欠部１８１８が形成されているとともに、前記コネクタ１８２０から延出される配線を挿通するための配線凹部１８１９が形成されている。
【０７３４】
このように、ＭＡＸＢＥＴボタンユニット１８００は単体のユニットとして構成され、嵌合穴１００８内に挿入されることにより上皿表カバー１００１に装着されるようになっている。
【０７３５】
（６−７）取込装置
次に、取込装置１００の構造を図１３６〜図１４０に基づいて説明する。図１３６（ａ）は取込装置１００を左斜め前方から見た状態を示す斜視図であり、（ｂ）は取込装置１００を右斜め前方から見た状態を示す斜視図であり、図１３７は取込装置１００を示す背面図、左右側面図、平面図、底面図であり、図１３８は取込装置１００の内部構造を示す分解斜視図であり、図１３９は球通路の状態を示す左側面図であり、図１４０（ａ）は取込動作時における状態を示す図１３９のＡ−Ａ断面図、（ｂ）は返却動作時における状態を示す図１３９のＡ−Ａ断面図である。
【０７３６】
取込装置１００は、図１３６及び図１３７に示されるように、透明な合成樹脂材により形成された正面ケース１１００及び背面ケース１１０１と、正面ケース１１００と背面ケース１１０１との間に挟持される中ケース１１０２、１１０３とを３本のネジＮ１００（図１３８参照）にて互いに一体化することにより、一部に切欠部１１０４を有する箱状に構成され、上面には３条の取込準備球通路１１０に連通する球供給口１１０５ａ、１１０５ｂ、１１０５ｃが前後方向に向けて並設されているとともに、下面には、取込球誘導通路１０８に連通する前後の取込球排出口１１０６ａ、１１０６ｂと、返却球誘導通路１０９に連通する前後の返却球排出口１１０７ａ、１１０７ｂとがそれぞれ並設されている。
【０７３７】
図１３６（ａ）に示されるように、正面ケース１１００の表面下部には、内部の通路壁を構成するための凹部１１０８が形成されている。また、図１３６（ｂ）に示されるように、背面ケース１１０１の表面には、取込モータ１０１の回転軸１０１ａの一端を外部に挿通可能な挿通穴１１０９ａを有する円形の操作用凹部１１０９が凹設されており、挿通穴１１０９ａを介して外部に挿通された回転軸１０１ａの一端を摘んで操作用凹部１１０９の下方に刻印された矢印１１１０の方向に回転させることで、例えば取込装置１００の故障時やメンテナンス時等において、取込装置１００内のパチンコ球を手操作で取込球排出口１１０６ａ、１１０６ｂまたは返却球排出口１１０７ａ、１１０７ｂから排出させることができるようになっている。
【０７３８】
操作用凹部１１０９の右側には、取込装置１００の製造者や型式等が刻印される型式刻印部１１１２が凹設されているとともに、スプロケット１０６ａ、１０６ｂの回転軸受用ボス１１１１が内向きに凹設されている。また、操作用凹部１１０９の下方には開口１１１３が形成されており、該開口を介して振分ソレノイド１０２の側面が外面に露呈されるようになっている。
【０７３９】
また、取込装置１００の右側面における切欠部１１０４の下方には、第１取込球検出スイッチ１０４、流路検出スイッチ１１５、回転センサ１１６が搭載される投入センサ基板１５５（図１３８参照）から延出される配線を中継する投入中継基板１５４の背面に設けられるコネクタ（図示略）を臨ませるためのコネクタ挿通口１１１６が形成されている。
【０７４０】
図１３８に示されるように、背面ケース１１０１と中ケース１１０３との間には、投入センサ基板１５５、取込モータ１０１、振分ソレノイド１０２及び取込モータ１０１の回転をスプロケット１０６ａ、１０６ｂに伝達するためのギヤ１１１７、リンク部材１２４等が配設される配設空間部が形成されるようになっている。投入センサ基板１５５は、２本のネジＮ１０１を介して背面ケース１１０１の内面に止着され、取込モータ１０１は、絶縁カバー１１１８とともに背面ケース１１０１と中ケース１１０３との間に配置されるとともに、配置された状態において、背面側に突設された回転軸１０１ａの基部に固着されたギヤ１０１ｂが、回転軸受用ボス１１１１に軸支されるギヤ１１１７に噛合されるようになっている。なお、ギヤ１１１７の背面側には、回転センサ１１６にて検出される被検出片１１１７ａが突設されている。
【０７４１】
リンク部材１２４は、振分ソレノイド１０２本体から内向きに突設された伸縮軸１０２ａの先端に形成された上向きの係止フック１０２ｂに係止される係止ピン１２４ａを上端に有するとともに、後述する流路切替弁１０７ｂの係合ピン１０７ｄを挟持するように連係される下向き二股状の係合片１２４ｂを下端に有し、両端が背面ケース１１０１と中ケース１１０３とに支持される中央のリンクシャフト１２４ｃを中心に回転自在に設けられ、振分ソレノイド１０２の駆動に応じて流路切替弁１０７ａ、１０７ｂを揺動させるようになっている。
【０７４２】
振分ソレノイド１０２は、ネジＮ１０２により中ケース１１０３に止着されており、上述したように、先端に上向きの係止フック１０２ｂが形成された伸縮軸１０２ａの先端が本体から内向きに突設されているとともに、伸縮軸１０２ａの下部には、突出時において投入センサ基板１５５の流路検出スイッチ１１５にて検出される被検出片１０２ｃが形成されている（図１４０（ｂ）参照）。一方、伸縮軸１０２ａの後端には、図１４０に示されるようにコイルバネ１０２ｄが環装されており、非励磁状態において、コイルバネ１０２ｄの付勢力により先端が本体側に向けて退避するようになっている。
【０７４３】
正面ケース１１０１と中ケース１１０２の間には、取込準備球通路１１０内のパチンコ球を球供給口１１０５ａ、１１０５ｂを介して取り込んで排出させるスプロケット１０６ａと、スプロケット１０６ａにより排出されたパチンコ球の流路を取込球誘導通路１０８側または返却球誘導通路１０９側のいずれかに切替可能な流路切替弁１０７ａと、取込球排出口１１０６ａから排出されるパチンコ球を検出する第２取込球検出スイッチ１０５ａと、スプロケット１０６ａにて排出されるパチンコ球に当接する当接部材１２５ａと、前記投入中継基板１５４と、これら正面ケース１１０１と中ケース１１０２の間に形成される２条の球通路間を仕切るための仕切板１１１９ａと、が配設される。
【０７４４】
これら正面ケース１１０１と中ケース１１０２とが互いに当接されることにより、図１３９に示されるように、これらケースの上面には２個の球供給口１１０５ａ、１１０５ｂが仕切板１１１９ａにより形成されるとともに、下面に取込球排出口１１０６ａ及び返却球排出口１１０７ａが１個ずつ形成され、さらに内部におけるスプロケット２０６ａの上方には２条の球通路が形成されるとともに、下方には１条の合流球通路が形成される。
【０７４５】
また、中ケース１１０２、１１０３の間には、取込準備球通路１１０内のパチンコ球を球供給口１１０５ｃを介して取り込んで排出させるスプロケット１０６ｂと、スプロケット１０６ｂにより排出されたパチンコ球の流路を取込球誘導通路１０８側または返却球誘導通路１０９側のいずれかに切替可能な流路切替弁１０７ｂと、取込球排出口１１０６ｂから排出されるパチンコ球を検出する取込球検出スイッチ１０５ｂと、スプロケット１０６ｂにて排出されるパチンコ球に当接する当接部材１２５ｂと、これら正面ケース１１０１と中ケース１１０２の間に形成される１条の球通路の側面を形成する側板１１１９ｂと、が配設される。
【０７４６】
これら中ケース１１０２、１１０３が互いに当接されることにより、図１３９に示されるように、これらケースの上面には１個の球供給口１１０５ｃが側板１１１９ｂにより形成されるとともに、下面に取込球排出口１１０６ｂ及び返却球排出口１１０７ｂが１個ずつ形成され、さらに内部には上下方向に延びる１条の球通路が形成される。
【０７４７】
これら正面ケース１１００、背面ケース１１０１、中ケース１１０２、１１０３は、背面ケース１１０１の表面側から挿通され、中ケース１１０２、１１０３を貫通する長寸のネジＮ１００の先端を正面ケース１１００の内面に形成されたネジ穴（図示略）に螺入することで一体化される。
【０７４８】
スプロケット１０６ａ、１０６ｂは、図１３８に示されるように、正面ケース１１００から背面ケース１１０１まで貫通される回転シャフト１６０ｃにて回転自在に支持されており、これらの外周にはそれぞれ２カ所の切欠部が形成されており、スプロケット１０６ａ、１０６ｂが取込モータ１０１の駆動により回転されることで切欠内に入り込んだパチンコ球が１球ずつ下方に排出されるようになっている。具体的には、スプロケット１０６ａは２条の球通路に対応する切欠部が形成されるとともに、１０６ｂには１条の球通路に対応する切欠部が形成されている。また、各条の球通路に対応したスプロケット１０６ａ、１０６ｂ各々の切欠部は、円周方向に対する配置位置が互いに異なるように（３つのスプロケット１０６の６つの切欠が６０度間隔で配置されるように）配置されており、３つのスプロケット１０６が同期回転することでパチンコ球が各スプロケット１０６ａ、１０６ｂ毎に排出されるようになっている。また、回転シャフト１０６ｃの一端は、ギヤ１１１７を貫通して回転軸受用ボス１１１１に支持されている。
【０７４９】
図１３９に示すように、３条の球通路のうち正面ケース１１００と中ケース１１０２との間に形成される２条の球通路からスプロケット１０６ａに供給されたパチンコ球は、スプロケット１０６ａにてそれぞれ排出された後、下流側において合流して後述する取込球誘導通路１０８または返却球誘導通路１０９に流下するようになっている。
【０７５０】
また、各ケース１１００〜１１０３は前述したように全て透明な合成樹脂材にて形成されており、取込装置１００内の球通路を流下するパチンコ球を残存球透視窓３２を透して外部から視認することができるように構成されている。
【０７５１】
流路切替弁１０７ａ、１０７ｂの下端は、中ケース１１０２を貫通して中ケース１１０３と正面ケース１１００とに両端が支持される揺動シャフト１０７ｃを中心に揺動自在に設けられている。流路切替弁１０７ａ、１０７ｂは、互いの対向端面に形成された係合部を介して相対回転不能に当接されるようになっており、一方の流路切替弁１０７ｂの回転軸近傍に突設された後向きの係止ピン１０７ｄはリンク部材１２４の係合片１２４ｂに枢支されている。よって、図１４０（ａ）（ｂ）に示すように、振分ソレノイド１０２の励磁または解除により伸縮軸１０２ａの先端が伸縮することで、リンク部材１２４がリンクシャフト１２４ｃを中心に回動することにより流路切替弁１０７ａ、１０７ｂが揺動シャフト１０７ｃを中心として揺動するようになっている。
【０７５２】
また、振分ソレノイド１０２の伸縮軸１０２ａの先端は、励磁されていない状態においてコイルバネ１０２ｄにより常時本体側に向けて付勢されているため、伸縮軸１０２ａの先端にリンク部材１２４を介して連結されている流路切替弁１０７ｂ、１０７ａは、振分ソレノイド１０２が励磁されていない状態（ｏｆｆ状態）であるときに、スプロケット１０６ａ、１０６ｂにより取り込まれて排出されたパチンコ球の流路を取込球誘導通路１０８側とする位置（図１４０（ａ）参照）に向けて常時付勢されている。
【０７５３】
また、図１４０（ｂ）に示すように、振分ソレノイド１０２が励磁されて伸縮軸１０２ａの先端が本体側に退避することによりパチンコ球の流路が返却球誘導通路１０９に切り替えられたとき、すなわち、流路切替弁１０７ａ、１０７ｂが起立姿勢（起立位置）となったときに、伸縮軸１０２ａの下部の被検出片１０２ｃが流路検出スイッチ１１５にて検出されるようになっている。このように流路検出スイッチ１１５による被検出片１０２ｃの検出状況によって、流路切替弁１０７ａ、１０７ｂによりパチンコ球の流路が取込球誘導通路１０８側または返却球誘導通路１０９側のいずれになっているか、すなわち流路切替弁１０７ａ、１０７ｂによるパチンコ球の実際の流路方向を検出できるようになっている。
【０７５４】
また、スプロケット１０６ａ、１０６ｂの回転により排出されたパチンコ球、すなわち、取り込まれたパチンコ球は、スプロケット１０６ａ、１０６ｂとほぼ同高さ位置に配置される上流側の第１取込球検出スイッチ１０４により検出されるようになっている。
【０７５５】
詳しくは、第１取込球検出スイッチ１０４は、流下するパチンコ球に当接することにより回動するように軸支された当接部材１２５ａ、１２５ｂを介してパチンコ球の通過を検出するスイッチである。当接部材１２５ａ、１２５ｂは、互いの対向端面に形成された係合部を介して相対回転不能に当接されるようになっており、図１３８に示すように、正面ケース１１００と中ケース１１０３とに両端が支持された回転シャフト１２５ｃと、該回転シャフト１２５ｃに基端が固着され、先端が通路内に出退自在に設けられた出退片１２５ｄとを有し、特に一方の当接部材１２５ｂには、回転シャフト１２５ｃの一端側に基端が固着された被検出片１２５ｅが形成されており、出退片１２５ｄの先端が常時通路内に突出するようにコイルバネ１２５ｆにより付勢されている。
【０７５６】
このように構成される当接部材１２５は、図１４０に示すように、出退片１２５ｄがパチンコ球との当接により押圧されて通路から退避することで、被検出片１２５ｅの先端が第１取込球検出スイッチ１０４により検出されるため、第１取込球検出スイッチ１０４による検出状況によりパチンコ球の通過状況を検出することができるようになっている。
【０７５７】
また、流路切替弁１０７ａ、１０７ｂの下方における取込球誘導通路１０８との連結部分には、第２取込球検出スイッチ１０５ａ、１０５ｂが配置されており、スプロケット１０６ａ、１０６ｂの回転により排出され、流路切替弁１０７ａ、１０７ｂにより取込球誘導通路１０８側に振り分けられたパチンコ球が検出されるようになっている。一方、返却球誘導通路１０９との連結部分には、返却球検出スイッチ１０３が配置されており、スプロケット１０６ａ、１０６ｂの回転により排出され、流路切替弁１０７により返却球誘導通路１０９側に振り分けられたパチンコ球が検出されるようになっている。
【０７５８】
これにより、取込球誘導通路１０８側に取り込まれたパチンコ球は、上流側の第１取込球検出スイッチ１０４と、下流側の第２取込球検出スイッチ１０５ａ、１０５ｂとの２つの検出スイッチにより検出され、返却球誘導通路１０９側に取り込まれたパチンコ球は、上流側の第１取込球検出スイッチ１０４と、下流側の返却球検出スイッチ１０３との２つの検出スイッチにより検出されるようになっている。
【０７５９】
特に、取込球誘導通路１０８側に取り込まれたパチンコ球の通過状況を、上流側に配置される第１取込球検出スイッチ１０４と、下流側に配置される第２取込球検出スイッチ１０５ａ、１０５ｂとの双方の検出スイッチにより検出すること、例えば、スプロケット１０６ａ、１０６ｂの回転により排出されたパチンコ球が上流側の第１取込球検出スイッチ１０４にて検出されてから下流側の第２取込球検出スイッチ１０５ａ、１０５ｂにて検出されるまでの通過時間を監視することで、電波等による不正が行われている可能性があることや、球詰まり等が発生したこと等を報知することが可能となるとともに、検出順序を監視することで、パチンコ球を逆流させること等による不正な検出を回避することができる。
【０７６０】
また、前述のように第１取込球検出スイッチ１０４は、流下するパチンコ球に当接することにより回動するように軸支された当接部材１２５ａ、１２５ｂを介してパチンコ球の通過を検出するスイッチであるのに対し、第２取込球検出スイッチ１０５ａ、１０５ｂは、パチンコ球の通過を直接検出するスイッチとされており、双方の検出スイッチそれぞれに対応した不正行為を同時に行うことを困難とすることができる。
【０７６１】
次に、取込装置１００において上皿１２から供給されたパチンコ球を賭数を設定するために取り込んで遊技者に返却せずに遊技機設置島に排出する場合には、振分ソレノイド１０２の励磁が停止した状態とする。この状態では、流路切替弁１０７ａ、１０７ｂが図１４０（ａ）に示す状態（位置）であるので、スプロケット１０６ａ、１０６ｂの回転により排出されたパチンコ球が第１取込球検出スイッチ１０４にて検出された後、取込球誘導通路１０８側に誘導され、更に第２取込球検出スイッチ１０５ａ、１０５ｂにより検出された後、取込球誘導通路１０８を流下してスロットマシン１の後側に回り込んで、図示しない遊技機設置島内部のアウト球タンクに回収されるようになっている。
【０７６２】
また、上皿１２のパチンコ球を下皿１１に排出（返却）させる場合には、振分ソレノイド１０２を励磁させる。これにより流路切替弁１０７ａ、１０７ｂが揺動し、図１４０（ｂ）に示す状態となるので、スプロケット１０６ａ、１０６ｂの回転により排出されたパチンコ球が第１取込球検出スイッチ１０４にて検出された後、返却球誘導通路１０９側に誘導され、更に、返却球検出スイッチ１０３にて検出された後、返却球誘導通路１０９を流下して払出口９から下皿１１に排出され、遊技者に返却されるようになっている。尚、振分ソレノイド１０２は、上皿１２のパチンコ球を下皿１１に排出（返却）させる場合を除き、励磁が停止した状態とされている。すなわち上皿１２のパチンコ球を下皿１１に排出（返却）させる場合を除き、流路切替弁１０７ａ、１０７ｂが図１４０（ａ）に示す状態とされ、スプロケット１０６ａ、１０６ｂの回転により排出されたパチンコ球の流路方向が取込球誘導通路１０８側となるようになっている。
【０７６３】
また、返却球誘導通路１０９における下皿１１の近傍位置には、通路内の球詰りを検出する返却球詰まり検出スイッチ１１１（図１４参照）が設けられており、例えば、下皿１１が満タンのために返却球誘導通路１０９が球詰りを起こしていることを検出できるようになっている。
【０７６４】
前述した取込装置１００、取込準備球通路１１０、球抜き通路１２０、取込球誘導通路１０８、返却球誘導通路１０９、及び払出球誘導通路２０８ｂの下部前方は、上皿受部４が形成された上皿表カバー１００１により被覆されており、特に取込準備球通路１１０や取込装置１００内に流入したパチンコ球を取り出すことができない構造とされており、上皿受部４における取込装置１００の上方位置近傍には、取込準備球通路１１０（取込装置１００内に形成されている取込準備球通路１１０を含む）内に残存しているパチンコ球、詳しくは、球抜きレバー２１の操作が行われて上皿１２のパチンコ球が球抜き通路１２０を介して球抜きした後においても取込準備球通路１１０に残存し、上皿表カバー１００１の内部に進入して視認不能となったパチンコ球を視認するための透明パネルからなる透光部としての残存球透視窓３２が形成されている。
【０７６５】
前述したように取込準備球通路１１０及び取込装置１００の各ケース１１００〜１１０３は透明な合成樹脂材にて形成されているため、遊技者は残存球透視窓３２を透して取込準備球通路１１０（取込装置１００内に形成されている取込準備球通路１１０を含む）内にパチンコ球が残存しているか否かをスロットマシン１の外部から目視により確認することができる。よって遊技者は、取込準備球通路１１０内にパチンコ球が残存しているときにはその旨を確実に認識することができるため、取込準備球通路１１０内にパチンコ球が残存しているにも関わらず遊技を終了して遊技者が不利益を被ることを回避させることができる。
【０７６６】
（６−８）取込装置の取り付け
前述したように構成される取込装置１００は、図３に示されるように、上皿裏カバー１００２に形成された取込装置用切欠部１０４５を介して、上部前面扉２９の背面側から取込装置取付ユニット１００４内に嵌合させた後、装置押さえ１０２４を水平方向に位置させることで、上部前面扉２９に取り付けることができるようになっている。取込装置取付ユニット１００４に装着された状態において、上面に形成される球供給口１１０５ａ〜１１０５ｃと取込準備球通路１１０の各条の通路とが連通し、上皿１２のパチンコ球が供給されるようになるとともに、下面に形成される取込球排出口１１０６ａ、１１０６ｂ及び返却球排出口１１０７ａ、１１０７ｂは、下部前面扉２９が閉鎖位置に位置することで、下皿受部３１の上面に形成される通路用切欠部３２１ｄに臨むように配置される取込球誘導通路１０８及び返却球誘導通路１０９の上流側端部の上方に配置される（図１４（ｂ）参照）。
【０７６７】
このように取込装置１００の周囲は、上皿表カバー１００１及び本体枠２７にて被覆されていることで、下部前面扉２９を本体枠２７に対して開放しない限り、背面が外部に露呈されることはないため、取込装置１００に対する不正行為を効果的に防止できるばかりか、取込装置１００を下部前面扉２９の背面側から取り付け、取り外しできるようにすることで、取込装置１００を着脱するための開閉扉等を別個に設けずに済むため、構造が簡略化されるとともに、故障等が発生した場合には、下部前面扉２９を本体枠２７に対して開放して取り外すことで、メンテナンス作業等を容易に行うことができる。
【０７６８】
（７）上部前面扉
次に、リールユニット３０の一側辺に回動自在に枢支され、リールユニット３０の前面を開閉自在とする上部前面扉２８の構造を、図１４１〜図１４５に基づいて説明する。上部前面扉２８は、図７０にて説明したように、前面に遊技パネル２４が取り付けられた透視窓枠２２２と、該遊技パネル２４の前面周囲を囲むように取り付けられる装飾枠２２４と、から構成される。図１４１は透視窓枠２２２を示す正面図であり、図１４２は透視窓枠２２２の前面に組み付けられる部材を示す分解斜視図であり、図１４３は透視窓枠２２２の背面に組み付けられる部材を示す分解斜視図であり、図１４４は装飾枠２２４の前面に組み付けられる部材を示す分解斜視図であり、図１４５は装飾枠２２４を示す背面図であり、図１４６は装飾枠２２４の背面に組み付けられる部材を示す分解斜視図である。
【０７６９】
（７−１）透視窓枠
透視窓枠２２２は、図１４１〜図１４３に示されるように、中央にリール２Ｌ、２Ｃ、２Ｒを前面から透視可能とする透視用開口２３０が形成されるとともに、その上方に液晶表示器５１ａが嵌合される液晶表示器開口１２００が形成された枠状の合成樹脂材からなる。透視窓枠２２２の前面における液晶表示器開口１２００の左右側には、パネル左ＬＥＤ基板１４７Ｌ、パネル右ＬＥＤ基板１４７Ｒの取付部が形成されており、該取付部には、パネル左ＬＥＤ基板１４７Ｌ、パネル右ＬＥＤ基板１４７Ｒの背面に設けられる各コネクタを背面側に臨ませるためのコネクタ挿通口１２１７が複数箇所に形成されているとともに、その前面にはパネル左ＬＥＤ基板１４７Ｌ、パネル右ＬＥＤ基板１４７Ｒがそれぞれ１本のネジＮ１１０により前面側から止着されている。さらにパネル左ＬＥＤ基板１４７Ｌ、パネル右ＬＥＤ基板１４７Ｒの前面には、パネル左ＬＥＤ基板１４７Ｌ、パネル右ＬＥＤ基板１４７Ｒの前面をそれぞれ被覆するように配置される平面状の左右のレンズ面１２０１Ｌ、１２０１Ｒと、該レンズ面１２０１Ｌ、１２０１Ｒとを連結する連結片１２０１ａとを有する上向きコ字状のパネルレンズ１２０１が６本のネジＮ１１１により前面側から止着されている。パネルレンズ１２０１は乳白色の合成樹脂材にて形成されており、背面側に配置されるパネル左ＬＥＤ基板１４７Ｌ、パネル右ＬＥＤ基板１４７Ｒの前面に配置されるＬＥＤからの光により、左右のレンズ面１２０１Ｌ、１２０１Ｒを透過させることによりレンズ面１２０１Ｌ、１２０１Ｒが面発光し、これにより左右の装飾効果ＬＥＤ部７６Ｌ、７６Ｒ（図４参照）の領域全体が均等に発光するようになっている。
【０７７０】
また、パネルレンズ１２０１の下部と透視用開口２３０との間には、リール２Ｌ、２Ｃ、２Ｒにおける可変表示部２２Ｌ、２２Ｃ、２２Ｒを上方から照らす照明装置としての冷陰極管５９が、左右に設けられた内向きに開口する嵌合部１２０２Ｌ、１２０２Ｒに両端を嵌合させることにより左右方向に配置される。
【０７７１】
透視用開口２３０の左右辺部には、サイドランプ・ＬＥＤ左基板１４１Ｌの前面に上下方向に配置される遊技効果ＬＥＤ７２Ｌａが収容される５つのＬＥＤ室１２０３Ｌａ〜１２０３Ｌｅからなる左サイドＬＥＤ配置部１２０３Ｌと、サイドランプ・ＬＥＤ右基板１４１Ｒの前面に上下方向に配置される遊技効果ＬＥＤ７２Ｒａが収容される５つのＬＥＤ室１２０３Ｒａ〜１２０３Ｒｅからなる右サイドＬＥＤ室１２０３Ｒと、が形成されている。
【０７７２】
透視用開口２３０の下辺部には、背面に止着される取込済球／払出済球表示器１６ａが嵌合される取込済球／払出済球表示器嵌合穴１２０４と、遊技補助表示器１７ａが嵌合される遊技補助表示器嵌合穴１２０５と、背面に止着される証紙ベースが嵌合される証紙ベース嵌合穴１２０６と、賭数表示ＬＥＤ７７ａ、７８ａ、７９ａが嵌合される賭数ＬＥＤ嵌合穴１２０７〜１２０９と、リプレイ表示ＬＥＤ８０ａが嵌合されるリプレイＬＥＤ嵌合穴１２１０と、ウェイト表示ＬＥＤが嵌合されるウェイトＬＥＤ嵌合穴１２１１と、スタート表示ＬＥＤ８２ａが嵌合されるスタートＬＥＤ嵌合穴１２１２と、投入指示表示ＬＥＤ８３ａが嵌合される投入指示ＬＥＤ１２１３と、が形成される表示器／ＬＥＤ配置部１２１８が形成されている。なお、表示器／ＬＥＤ配置部１２１８の左側には背面に形成される上向きの配線用フック１２１５を成形するための成型用穴１２１５ａが形成されている。なお、これら透視用開口２３０の下辺部前面は、下方に行くに従い後方に傾斜する傾斜面として形成されている。
【０７７３】
このようにサイドＬＥＤ左／右基板１４１Ｌ、１４１Ｒ、冷陰極管５９、パネルレンズ１２０１が取り付けられた透視窓枠２２２の前面には、透視窓３や演出用表示窓５１及び各種表示部が印刷形成された遊技パネル２４が着脱自在に取り付けられるようになっている。遊技パネル２４は、透光性を有する透明な合成樹脂材にて形成され、裏面に印刷が施されることにより透光領域及び非透光領域が形成されているとともに、前面における演出用表示窓５１と透視窓３との間には、左右方向を向く装飾部材５６がネジＮ１１２を介して背面側から止着されている。
【０７７４】
また、遊技パネル２４の下部、すなわち、透視窓３の下方の取込済球／払出済球表示部１６や遊技補助表示部１７等の各種表示部７７〜８５が形成される領域は、後向きに所定角度屈曲（本実施例では透視窓３の表面に対して約３５度）されており、透視窓枠２２２の下部の傾斜面に沿って取り付けられるようになっている。このように遊技パネル２４の下部を後方に向けて傾斜する傾斜面とすることで、後方にリール２Ｌ、２Ｃ、２Ｒが配置される透視窓３よりも上方の上方領域を上皿１２の上方に張り出すように配置できるとともに、その下方の下方領域を傾斜面とすることで上皿１２が配置される上皿受部４を極力後方に配置することができるため、リール２Ｌ、２Ｃ、２Ｒを遊技者側に配置しつつ、前方に膨出する上皿受部４を遊技者の遊技操作の邪魔にならないように極力後方に配置することができるばかりか、透視窓３を平坦面にて構成できることで、図柄の視認性が妨げられることがない。
【０７７５】
このように構成される遊技パネル２４は、透視窓枠２２２の前面周辺部よりもやや内側から前向きに突設された四角枠状の側壁２２２ａの上下、左右辺部に形成された弾性変形可能な係止片１２１６ａ〜１２１６ｄにより係止されて取り付けられるようになっており、取り付けられた状態において、液晶表示器５１ａ、サイドＬＥＤ左／右基板１４１Ｌ、１４１Ｒ、冷陰極管５９、透視用開口２３０、左／右サイドＬＥＤ配置部１２０３Ｌ、１２０３Ｒ、表示器／ＬＥＤ配置部１２１８の前面が被覆される。また、取り付けられた状態において遊技パネル２４の周端面は、側壁２２２ａ内面にて被覆されるようになっているとともに、側壁２２２ａの上辺部に形成された３箇所の切欠部１２１９に対応する箇所のみが露呈されるようになっている。
【０７７６】
また、左右の係止片１２１６ｃ、１２１６ｄは、側壁２２２ａの左右辺部所定箇所に形成された外向きに膨出する凹部２２２ｂに形成されているとともに、遊技パネル２４の左右端辺における該凹部２２２ｂに対応する箇所には該凹部２２２ｂに嵌合する凸部２４ａが形成されているため、これら凹部２２２ｂへの凸部２２３の嵌合により遊技パネル２４の位置決めがなされるようになっている。
【０７７７】
遊技パネル２４を取り外す場合には、切欠部１２１９を介して露呈された遊技パネル２４の上端面所定箇所を下方に押し込んで上方の係止片１２１６ａによる係止状態を解除しつつ、左右の係止片１２１６ｃを変形させて係止状態を解除しながら遊技パネル２４の上端を手前に引き出すことで、遊技パネル２４の下端を中心にして上端を手前側に向けて倒伏させるようにして取り外すことができる。
【０７７８】
透視窓枠２２２の前面における側壁２２２ａの外側には、後述する装飾枠２２４の背面が当接される装飾枠受片２２２ｃが枠状に形成されており、該装飾枠受片２２２ｃにおける上下辺部には、装飾枠２２４の上下辺部に取り付けられるパネル受け板金１２２０、２３８の背面から後向きに突設される位置決め用ボス１２２０ａ、１２２１ａがそれぞれ嵌合される位置決め穴１２２２、１２２３がそれぞれ３つずつ形成されている。また、装飾枠受片２２２ｃの左右辺部中央位置には受片１２２４Ｌ、１２２４Ｒが外向きに突設されており、該受片１２２４Ｌ、１２２４Ｒには、装飾枠２２４の背面左右辺部から後向きに突設される位置決め用ボス１２２５Ｌ、１２２５Ｒが嵌合される位置決め穴１２２６Ｌ、１２２６Ｒが形成されている。さらに装飾枠受片２２２ｃの左辺部上下には、連動蝶番２３２ａ、２３２の一端を止着するための蝶番取付片１２２７ａ、１２２７ｂが外向きに突設されている。
【０７７９】
透視窓枠２２２の背面からは、図１４３に示されるように、液晶ユニット１２３０と、サイドランプ・ＬＥＤ左基板１４１Ｌ、サイドランプ・ＬＥＤ右基板１４１Ｒと、遊技状態表示ＬＥＤ基板１５１と、蝶番取付板金１２４０ａ、１２４０ｂと、証紙ベース１２１４と、が主に取り付けられる。
【０７８０】
具体的に説明すると、液晶ユニット１２３０は、ユニットベース１２３１と、該ユニットベース１２３１の前面側に装着される前枠１２３２と、ユニットベース１２３１と前枠１２３２との間に収容される液晶表示器５１ａ本体と、液晶表示器５１ａ本体の背面側に配置され、背面に液晶インバータ基板１４４、液晶中継基板１４５が装着される液晶基板ベース１２３３と、から構成される。
【０７８１】
前枠１２３２は、背面側に配置される液晶表示器５１ａの前面に形成される表示面周囲を囲む枠状に形成されるとともに、上下辺部から後向きに突設される４つの弾性変形可能な係止片１２３２ａを介してユニットベース１２３１に係止できるようになっている。液晶基板ベース１２３３は、左右２本のネジＮ１２１により液晶表示器５１ａの本体背面に止着されるようになっているとともに、その背面には、液晶インバータ基板１４４を装着するための係止片１２３４ａ、１２３４ｂと、液晶中継基板１４５を装着するための係止片１２３５ａ、１２３５ｂと、がそれぞれ形成されている。
【０７８２】
ユニットベース１２３１には、係止片１２３２ａが係止される係止穴１２３６と、複数の放熱用スリット１２３７と、液晶中継基板１４５の背面に設けられるコネクタを挿通させるコネクタ挿通口１２３８と、該コネクタ挿通口１２３８から延出される配線を保持する上向きの配線用フック１２３９と、がそれぞれ形成されている。このように構成される液晶ユニット１２３０は、互いに一体化された状態で、ユニットベース１２３１の左右辺部上下に突設された４つの取付片１２３１ａそれぞれに取り付けられるネジＮ１２０を、液晶表示器開口１２００の角部近傍に形成されたネジ穴１２４１に螺入することで、透視窓枠２２２の背面に取り付けられるようになっている。
【０７８３】
また、液晶表示器開口１２００の開口内面上下辺部における前端部には、背面側から嵌挿される液晶ユニット１２３０の前端縁に当接して前後方向の位置決めをする位置決め片１２４２が内向きに突設されているとともに、左右辺部からは、嵌挿された液晶ユニット１２３０の左右辺部後端を係止する弾性変形可能な係止片１２４３が後向きに突設されているため、液晶ユニット１２３０を液晶表示器開口１２００に嵌挿して係止片１２４３にて前後方向の位置決めがなされた状態で、ネジＮ１２０による止着できるようになっている。
【０７８４】
蝶番取付板金１２４０ａは、６本のネジＮ１２２により透視窓枠２２２背面上部から蝶番取付片１２２７ａに跨るように止着され、該蝶番取付板金１２４０ａの背面に連動蝶番２３２ａがネジを介して止着される。また、蝶番取付板金１２４０ｂは、６本のネジＮ１２３により透視窓枠２２２背面下部から蝶番取付片１２２７ｂに跨るように止着され、該蝶番取付板金１２４０ｂの背面に連動蝶番２３２ｂがネジを介して止着される。
【０７８５】
サイドランプ・ＬＥＤ左基板１４１Ｌは、左サイドＬＥＤ配置部１２０３Ｌの上下端辺から後向きに突設された弾性変形可能な係止片１２４５Ｌを介して左サイドＬＥＤ配置部１２０３Ｌの背面に係止され、基板上部に取り付けられるネジＮ１２４により止着される。また、サイドランプ・ＬＥＤ右基板１４１Ｒは、右サイドＬＥＤ配置部１２０３Ｒの上下端辺から後向きに突設された弾性変形可能な係止片１２４５Ｒを介して右サイドＬＥＤ配置部１２０３Ｒの背面に係止され、基板上部に取り付けられるネジＮ１２５により止着される。
【０７８６】
遊技状態表示ＬＥＤ基板１５１は、透明な合成樹脂材からなる基板カバー１２４７の背面側に嵌合できるようになっており、基板カバー１２４７は、表示器／ＬＥＤ配置部１２１８の上下辺部及び左辺部から後向きに突設された弾性変形可能な係止片１２４６ａ〜１２４６ｃを介して表示器／ＬＥＤ配置部１２１８の背面に係止され、基板カバー１２４７及び遊技状態表示ＬＥＤ基板１５１の左側をそれぞれ挿通するネジＮ１２６により止着される。
【０７８７】
証紙ベース１２１４は、証紙ベース嵌合穴１２０６の左右辺部から後向きに突設された弾性変形可能な係止片１２４８により係止され、上部の取付部を挿通するネジＮ１２７により証紙ベース嵌合穴１２０６の背面に止着される。なお、この証紙ベース１２１４の表面には、前述したように、スロットマシン１の製造業者名、製造番号及び製造年月日等を表記してある証紙が貼着される。
【０７８８】
各位置決め穴１２２２の側方には、該位置決め穴１２２２内に嵌合される位置決め用ボス１２２０ａの後端に形成された環状の溝部（図示略）に係脱可能な係止フック１２５０がネジＮ１２８により回動自在に止着されている。また、各位置決め穴１２２３の側方には、該位置決め穴１２２３内に嵌合される位置決め用ボス１２２１ａの後端に形成された環状の溝部（図示略）に係脱可能な係止フック１２５１がネジＮ１２９により回動自在に止着されている。また、各位置決め穴１２２６Ｌ、１２２６Ｒの下方には、該１２２６Ｌ、１２２６Ｒ内に嵌合される位置決め用ボス１２２５Ｌ、１２２５Ｒの後端に形成された環状の溝部（図示略）に係脱可能な係止フック１２５２Ｌ、１２５２ＲがネジＮ１３０により回動自在に止着されている。よって、これら係止フック１２５０、１２５１、１２５２Ｌ、１２５２Ｒを各位置決め穴１２２２、１２２３、１２２５Ｌ、１２２５Ｒ内に嵌合される位置決め用ボス１２２０ａ、１２２１ａ、１２２５Ｌ、１２５２Ｒそれぞれの後端に係止することで、装飾枠２２４が一体化されるようになっている。
【０７８９】
（７−２）装飾枠
装飾枠２２４は、図１４４〜図１４６に示されるように、四角枠状の合成樹脂材からなる。上辺部２２４ａには、背面に止着される上部ランプ基板１３９の前面に設けられた複数の遊技効果ランプ７１ａを前方に臨ませる上段及び下段のランプ挿通穴１２６０ａ、１２６０ｂが左右方向に向けて複数形成されているとともに、その前面には、上部装飾ユニット１２６１が取り付けられる。上部装飾ユニット１２６１は、遊技効果ランプ７１ａを前方に臨ませる穴部が形成された上部装飾部材１２６２と、その前方を被覆するように配置され、遊技効果ランプ７１ａからの光を乱反射させるレンズ部材１２６３と、から構成され、上部装飾部材１２６２は、背面側から挿通される２本のネジＮ１４１によりレンズ部材１２６３の背面に止着されて一体化され、一体化された上部装飾ユニット１２６１は、下辺部２２４ａの背面から挿通される８本のネジＮ１４０により背面側から止着される。
【０７９０】
下辺部２２４ｂの前面には、表面に装飾が施された横長帯状の装飾シール１２６４と、その前面側に配置される装飾板金（パンチングメタル）１２６５と、中央にメーカー名を示すロゴが刻印されたロゴパネル１２６７が装着される透明な合成樹脂材からなる横長の装飾板１２６６が、２本のネジＮ１４２により背面側から止着されている。
【０７９１】
左辺部２２４ｃの前面には、賞球ＬＥＤ基板１４３と、サイドランプ・ＬＥＤ左基板１４１Ｌと、該サイドランプ・ＬＥＤ左基板１４１Ｌの前面を被覆するように配置される左基板シート１２６８Ｌと、サイドランプ・ＬＥＤ左基板１４１Ｌの前面に配置された遊技効果ＬＥＤ７２Ｌａ、遊技効果ランプ７２Ｌｂを前方に臨ませる穴部が形成された左装飾部材１２６９Ｌと、遊技効果ランプ７２Ｌａや遊技効果ＬＥＤ７２Ｌｂからの光を乱反射させる透明な合成樹脂材からなる左レンズ部材１２７０Ｌと、から構成される左装飾ユニット１２７１Ｌが装着される。
【０７９２】
具体的には、左辺部２２４ｃの前面には、左基板シート１２６８Ｌを挿通するネジＮ１４３にて賞球ＬＥＤ基板１４３が前面側から止着されるとともに、左基板シート１２６８Ｌを挿通する２本のネジＮ１４４にてサイドランプ・ＬＥＤ左基板１４１Ｌが前面側から止着される。左装飾部材１２６９Ｌは、上下のネジＮ１４５により左レンズ部材１２７０Ｌの背面に止着され、該左装飾部材１２６９Ｌが一体化された左レンズ部材１２７０Ｌは、外側辺から後向きに突設される弾性変形可能な係止片１２７０ａを左辺部２２４ｃに形成された３つの係止穴１２７２Ｌに係止することで取り付けられ、左辺部２２４ｃの背面から挿通されるネジＮ１４６、Ｎ１４７を介して止着される。
【０７９３】
また、右辺部２２４ｄの前面には、球切れＬＥＤ基板１４２と、サイドランプ・ＬＥＤ右基板１４１Ｒと、該サイドランプ・ＬＥＤ右基板１４１Ｒの前面を被覆するように配置される右基板シート１２６８Ｒと、サイドランプ・ＬＥＤ右基板１４１Ｒの前面に配置された遊技効果ランプ７２Ｒａ、遊技効果ＬＥＤ７２Ｒｂを前方に臨ませる穴部が形成された右装飾部材１２６９Ｒと、遊技効果ランプ７２Ｒａや遊技効果ＬＥＤ７２Ｒｂからの光を乱反射させる透明な合成樹脂材からなる右レンズ部材１２７０Ｒと、から構成される右装飾ユニット１２７１Ｒが装着される。
【０７９４】
具体的には、右辺部２２４ｄの前面には、右基板シート１２６８Ｒを挿通するネジＮ１５３にて球切れＬＥＤ基板１４２が前面側から止着されるとともに、右基板シート１２６８Ｒを挿通する２本のネジＮ１５４にてサイドランプ・ＬＥＤ右基板１４１Ｒが前面側から止着される。右装飾部材１２６９Ｒは、上下のネジＮ１５５により右レンズ部材１２７０Ｒの背面に止着され、該左装飾部材１２６９Ｌが一体化された左レンズ部材１２７０Ｒは、外側辺から後向きに突設される弾性変形可能な係止片１２７０ａ（図示略）を右辺部２２４ｄに形成された３つの係止穴１２７２Ｒに係止することで取り付けられ、右辺部２２４ｄの背面から挿通されるネジＮ１５６、Ｎ１５７を介して止着される。
【０７９５】
また、左辺部２２４ｃ、右辺部２２４ｄそれぞれの上下方向中央位置内側には、円柱状のガラスシャフト１２７３Ｌ、１２７３Ｒが嵌合されている。
【０７９６】
次に、上辺部２２４ａの背面には、図１４５及び図１４６に示されるように、横長の上部ランプ基板１３９を嵌合して位置決めするための複数の位置決め用ボス１２７４と、上部ランプ基板１３９を止着するためのネジＮ１７０が螺入されるネジ穴１２７９と、が形成されている。上部ランプ基板１３９の左右側には、上部ＬＥＤ左基板１４０ＬがネジＮ１６０により止着されるとともに、上部ＬＥＤ右基板１４０ＲがネジＮ１６１により止着されており、さらにこれら上部ＬＥＤ左基板１４０Ｌ及び上部ＬＥＤ右基板１４０Ｒを位置決めするための位置決め用ボス１２８０が形成されている。
【０７９７】
これら上部ランプ基板１３９及び左右の上部ＬＥＤ左基板１４０Ｌ、上部ＬＥＤ右基板１４０Ｒの背面には、これら基板１３９、１４０Ｌ、１４０Ｒの長手方向にわたって延びるパネル受け板金１２２０が、上部装飾ユニット１２６１を止着するネジＮ１４０と、ネジＮ１６２、Ｎ１６３、Ｎ１６９にて止着されている。なお、ネジＮ１６２はネジ穴１２７６に、ネジＮ１６３はネジ穴１２７７に螺入され、ネジＮ１６９は、後述するネジ穴１２８１ａに螺入される。
【０７９８】
左辺部２２４ｃの背面には、該左辺部２２４ｃの強度を高めるための左補強板１２７５Ｌを止着するためのネジＮ１６６が螺入されるネジ穴１２８０と、パネル受け板金２３８の一端部を止着するネジＮ１６８が螺入されるネジ穴１２８０ａと、が形成されている。右辺部２２４ｄの背面には、右辺部２２４ｄの強度を高めるための右補強板１２７５Ｒを止着するためのネジＮ１６５が螺入される複数のネジ穴１２８１と、前述したパネル受け板金１２２０の一端部を止着するネジＮ１６９が螺入される上部のネジ穴１２８１ａと、が形成されている。すなわち、パネル受け板金１２２０の一端部と右補強板１２７５Ｒの上部とは互いに重合された状態で１本のネジＮ１６９にて止着されている。また、右補強板１２７５Ｒの上下所定箇所には、図７４に示されるように、本体枠２７に設けられた錠前付き補強枠２２７に設けられる透視窓枠係止片２２８ａ、２２８ｂが係止される内向きの被係止片１２７５ａ、１２７５ｂが背面から突設されている。
【０７９９】
下辺部２２４ｂの背面には、該下辺部２２４ｂの強度を高めるためのパネル受け板金２３８を止着するためのネジＮ１６７が螺入されるネジ穴１２８２が形成されている。なお、パネル受け板金２３８の一端部は、前述した左補強板１２７５Ｌの下部を止着するネジＮ１６８にて止着される。すなわち、パネル受け板金２３８の一端部と左補強板１２７５Ｌの下部とは互いに重合された状態で１本のネジＮ１６８にて止着されている。パネル受け板金２３８の背面には、前述したように、位置決め用ボス１２２１ａが後向きに突設されているとともに、下端辺には下部前面扉２９の上端辺に設けられる折り曲げ片２３９ａに係止される折り曲げ片２３８ａが形成されている。
【０８００】
このように構成された装飾枠２２４は、パネル受け板金１２２０、２３８の背面に突設された位置決め用ボス１２２０ａ、１２２１ａ、１２２５Ｌ、１２２５Ｒを、透視窓枠２２２のそれぞれ位置決め穴１２２２、１２２３、１２２６Ｌ、１２２６Ｒに嵌合させるように透視窓枠２２２の前面周囲に前面側から装着し、各位置決め穴１２２２、１２２３、１２２６Ｌ、１２２６Ｒから背面側に突出した位置決め用ボス１２２０ａ、１２２１ａ、１２２５Ｌ、１２２５Ｒの後端に、透視窓枠２２２の背面に設けられた係止フック１２５０、１２５１、１２５２Ｌ、１２５２Ｒを係止することで互いに一体化され、上部前面扉２８が構成されるようになっている。
【０８０１】
以上説明したように、リール２Ｌ、２Ｃ、２Ｒの前面を開閉自在とする上部前面扉２８が、後方に配置されたリール２Ｌ、２Ｃ、２Ｒを前方から透視可能とするための窓部としての透視用開口２３０が中央に形成されるとともに、その周囲に各種表示器が設けられる透視窓枠２２２と、該透視窓枠２２２とは別個に形成され、機種固有の装飾が施される遊技パネル２４の周囲を装飾するとともに、各種演出効果を高めるための遊技効果ランプやＬＥＤ等が配置される装飾枠２２４と、から構成されていることで、例えば透視窓枠２２２に設けられる各種表示器のメンテナンスや交換作業と、遊技効果ランプやＬＥＤ等の交換作業とを、透視窓枠２２２と装飾枠２２４とを分離した状態で別々に行うことができるため、作業効率が向上するばかりか、透視窓枠２２２または装飾枠２２４のいずれか一方のみを部分的に設計変更すること等が可能となり、これにより例えば機種変更等に応じて装飾枠２２４の前面デザインのみを部分的に変更すること等ができる。
【０８０２】
前記実施例における各要素は、本発明に対して以下のように対応している。
【０８０３】
本発明の請求項１に記載の遊技球を用いたスロットマシンは、
遊技球（パチンコ球）を用いて１ゲームに対して所定数（１５球）の賭数を設定することによりゲームが開始可能となるとともに、各々が識別可能な複数種類の識別情報（図柄）を変動表示可能な可変表示装置（リール２Ｌ、２Ｃ、２Ｒ）の表示結果が導出されることにより１ゲームが終了し、該可変表示装置の表示結果に応じて入賞が発生可能とされた遊技球を用いたスロットマシン（１）であって、
前記遊技球（賞球）の払出を伴う払出入賞が発生したことに基づいて前記遊技球の払出を行う払出装置（２００）と、
前記払出装置により払い出された遊技球を検出する払出球検出手段（払出球検出スイッチ２０２ａ、２０２ｂ）と、
前記払出入賞が発生したことに基づいて前記払出装置により払い出された払出球数（払出済球数）に関する情報を表示する払出球数表示手段（取込済球／払出済球表示器１６ａ）と、
遊技の制御を行うメイン制御手段（遊技制御部４１）と、
前記メイン制御手段と接続され、前記払出装置の制御を行うサブ制御手段（払出制御部６１）と、
を備え、
前記メイン制御手段は、
前記払出入賞に応じた遊技球数（賞球数）のうち未払出分の未払出球数を記憶する未払出球数記憶手段｛遊技制御部４１のＲＡＭ（未払出球カウンタ）｝と、
前記払出入賞が発生したときに、該払出入賞に応じた遊技球数を前記未払出球数記憶手段の未払出球数として設定する未払出球数設定手段｛遊技制御部４１（賞球付与処理におけるＳｃ２）｝と、
前記払出入賞が発生したときに、前記未払出球数記憶手段に設定された未払出球数の遊技球の払出を要求する払出要求信号（払出要求信号：ｏｎ、球数信号）を前記サブ制御手段に対して出力する払出要求信号出力手段｛遊技制御部４１（払出要求処理におけるＳｃ１０４、１０６）｝と、
前記払出球検出手段が前記払出装置により払い出された遊技球を所定数検出する毎に、前記払出球数表示手段に表示されている払出球数に関する情報を更新表示する払出球数表示更新手段｛遊技制御部４１（払出要求処理におけるＳｃ１１３）｝と、
前記払出球検出手段が前記払出装置により払い出された遊技球を検出する毎に、前記未払出球数記憶手段に記憶されている未払出球数を減算更新する未払出球数更新手段｛遊技制御部４１（払出要求処理におけるＳｃ１１２）｝と、
を含み、
前記サブ制御手段は、
前記払出要求信号を検出したときに、該払出要求信号が要求する数の遊技球を前記払出装置により払い出させる払出制御（払出動作）を開始し、前記払出球検出手段により検出された遊技球数が、該払出要求信号が要求する遊技球数に到達することで当該払出制御を終了する払出制御手段｛払出制御部６１（払出制御処理）｝と、
前記払出制御が開始したときに、前記メイン制御手段に対して払出制御開始信号（動作中信号：ｏｎ）を出力する払出制御開始信号出力手段｛払出制御部６１（主基板通信処理２）｝と、
前記払出制御中に、前記メイン制御手段に対して払出制御中信号（動作中信号：ｏｎ）を出力する払出制御中信号出力手段｛払出制御部６１（主基板通信処理３）｝と、
前記払出制御が終了したときに、前記メイン制御手段に対して払出制御終了信号（動作中信号：ｏｆｆ）を出力する払出制御終了信号出力手段｛払出制御部６１（主基板通信処理３）｝と、
を含み、
前記メイン制御手段は、前記払出入賞が発生したときに、前記払出要求信号出力手段が該払出入賞に基づく払出要求信号を出力した後、前記払出制御終了信号を検出したことを条件に、次ゲームへの移行を許容する移行許容手段｛遊技制御部４１（払出要求処理におけるＳｃ１１１）｝を更に含み、
前記未払出球数記憶手段は、前記遊技球を用いたスロットマシンへの電力供給が停止しても前記未払出球数を保持して記憶し、
前記払出要求信号出力手段は、前記遊技球を用いたスロットマシンへの電力供給が開始されたときに、前記未払出球数記憶手段に記憶されている未払出球数が残存する場合に、該残存する未払出球数の遊技球の払出を要求する払出要求信号を前記サブ制御手段に対して出力し、
前記遊技球を用いたスロットマシン（１）は、
前記払出装置が取り付けられ、複数の機種間で構造が共通する本体ユニット（本体枠２７）と、
前記本体ユニットが備える設置部（リールユニット設置部２２５）に対して取り外し自在に設置される分離ユニット（２２０）と、
を備え、
前記分離ユニットは、
前記可変表示装置と、
前記可変表示装置が収納される可変表示ケース（リールユニット枠５５０）と、
前記可変表示装置の前面を被覆する前面扉体（上部前面扉２８）と、
を備え、
前記前面扉体は、
機種固有の装飾が施される装飾パネル（遊技パネル２４）と、
前記払出数表示手段が取り付けられ、前記可変表示装置に対応する位置に窓部（透視用開口２３０）が形成された取付枠体（透視窓枠２２２）と、
前記ゲームに関連する演出表示を行うとともに、前記取付枠体に取り付けられる演出表示手段（液晶表示器５３ａ、演出用ランプ５４ａ〜５４ｅ、５５ａ〜５５ｅ）と、
前記窓部の周囲を光により装飾するとともに、前記取付枠体に取り付けられる発光手段（装飾効果ＬＥＤ７６Ｌａ、７６Ｒａ）と、
を備え、
前記装飾パネルは、前記払出数表示手段、前記演出表示手段、前記発光手段の前面を被覆して前記取付枠体に取り付けられる１枚のパネル板にて構成されている、
ことを特徴としている。
【０８０４】
本発明の請求項２に記載の遊技球を用いたスロットマシンは、請求項１に記載の遊技球を用いたスロットマシンであって、
前記メイン制御手段（遊技制御部４１）は、
前記サブ制御手段側の前記払出制御に伴う異常（払出通信エラー）を判定する払出制御異常判定手段｛遊技制御部４１（払出要求処理におけるＳｃ１０８、１１４）｝と、
前記払出制御異常判定手段が前記払出制御に伴う異常を判定したときに、該異常を報知する（遊技補助表示器１７ａに払出制御基板６０側で払出に伴う異常が発生した旨を示すエラーコードを表示する）払出異常報知手段｛遊技制御部４１（払出要求処理におけるＳｃ１０９、１１５）｝と、
を含み、
前記メイン制御手段は、前記払出異常報知手段｛遊技制御部４１（払出要求処理におけるＳｃ１０９、１１５）｝が前記異常（払出通信エラー）の報知中であっても前記サブ制御手段（払出制御部６１）から出力される前記払出制御開始信号（動作中信号：ｏｎ）、前記払出制御中信号（動作中信号：ｏｎ）及び前記払出制御終了信号（動作中信号：ｏｆｆ）の検出を継続して行う、
ことを特徴としている。
【０８０５】
本発明の請求項３に記載の遊技球を用いたスロットマシンは、請求項２に記載の遊技球を用いたスロットマシンであって、
前記メイン制御手段（遊技制御部４１）は、前記払出異常報知手段｛遊技制御部４１（払出要求処理におけるＳｃ１０９、１１５）｝が前記異常（払出通信エラー）の報知中において前記払出制御終了信号（動作中信号：ｏｆｆ）を検出したときに、該払出異常報知手段による異常の報知を自動的に終了させる異常報知終了手段｛遊技制御部４１（払出要求処理におけるＳｃ１１７）｝を含む、
ことを特徴としている。
【０８０６】
本発明の請求項４に記載の遊技球を用いたスロットマシンは、請求項１〜３のいずれかに記載の遊技球を用いたスロットマシンであって、
前記移行許容手段｛遊技制御部４１（払出要求処理におけるＳｃ１１１）｝は、前記払出球検出手段（払出球検出スイッチ２０２ａ、２０２ｂ）により検出された遊技球数が前記払出入賞に応じた遊技球数（賞球数）に到達したか否かに関わらず、前記サブ制御手段（払出制御部６１）から前記払出制御終了信号（動作中信号：ｏｆｆ）を検出したときに、次ゲームへの移行を許容する、
ことを特徴としている。
【０８０７】
本発明の請求項５に記載の遊技球を用いたスロットマシンは、請求項１〜４のいずれかに記載の遊技球を用いたスロットマシンであって、
記憶媒体（プリペイドカード）に記憶された有価価値を用いて前記遊技球（パチンコ球）の貸出要求｛貸出要求信号（ＢＲＱ）｝を出力する貸出装置（カードユニット１５）に対応して設けられ、
前記サブ制御手段（払出制御部６１）は、
前記貸出装置から出力される接続確認信号｛カードユニット接続確認信号（ＶＬ）｝が入力される接続確認信号入力手段｛払出制御部６１（スイッチ検出処理）｝と、
前記貸出要求を検出したときに、前記接続確認信号入力手段に前記接続確認信号が入力されていることを条件に、該貸出要求が要求する数の遊技球を前記払出装置（２００）により払い出させる貸出制御（貸出動作）を行う貸出制御手段｛払出制御部６１（貸出制御処理）｝と、
前記接続確認信号入力手段に前記接続確認信号が入力されているか否かを特定可能な接続特定信号（カードユニット接続中信号）を前記メイン制御手段（遊技制御部４１）に対して出力する接続特定信号送信手段｛払出制御部６１（接続確認処理）｝と、
を含み、
前記メイン制御手段は、前記接続確認信号入力手段に前記接続確認信号が入力されていない旨を示す接続特定信号（カードユニット接続中信号：ｏｆｆ）が入力された場合に、前記取込制御を不能にする取込制御不能化手段｛遊技制御部４１（ＢＥＴ処理におけるＳｂ４、１０〜１４）｝を含む、
ことを特徴としている。
【０８０８】
本発明の請求項６に記載の遊技球を用いたスロットマシンは、請求項１〜４のいずれかに記載の遊技球を用いたスロットマシンであって、
記憶媒体（プリペイドカード）に記憶された有価価値を用いて前記遊技球（パチンコ球）の貸出要求｛貸出要求信号（ＢＲＱ）｝を出力する貸出装置（カードユニット１５）に対応して設けられ、
前記サブ制御手段（払出制御部６１）は、
前記貸出装置から出力される接続確認信号｛カードユニット接続確認信号（ＶＬ）｝が入力される第１の接続確認信号入力手段｛払出制御部６１（スイッチ検出処理）｝と、
前記貸出要求を検出したときに、前記第１の接続確認信号入力手段に前記接続確認信号が入力されていることを条件に、該貸出要求が要求する数の遊技球を前記払出装置（２００）により払い出させる貸出制御（貸出動作）を行う貸出制御手段｛払出制御部６１（貸出制御処理）｝と、
を含み、
前記メイン制御手段は、
前記貸出装置から出力される接続確認信号｛カードユニット接続確認信号（ＶＬ）｝が入力される第２の接続確認信号入力手段｛遊技制御部４１（ポート入力処理）｝と、
前記第２の接続確認信号入力手段に前記接続確認信号が入力されていない場合に、前記取込制御を不能にする取込制御不能化手段｛遊技制御部４１（ＢＥＴ処理Ｓｂ４、１０〜１４）｝と、
を含む、
ことを特徴としている。
【０８０９】
本発明の請求項７に記載の遊技球を用いたスロットマシンは、請求項１〜６のいずれかに記載の遊技球を用いたスロットマシンであって、
遊技者所有の遊技球（パチンコ球）を貯留する遊技球貯留部（上皿１２）と、
前記遊技球貯留部に貯留された遊技球の取込を要求する際に操作される取込要求操作部（１ＢＥＴボタン５、ＭＡＸＢＥＴボタン６）と、
前記遊技球貯留部に貯留された遊技球を取り込む取込動作を行う取込装置（１００）と、
前記取込装置の取込動作により取り込まれた遊技球を検出する取込遊技球検出手段（第１取込球検出スイッチ１０４、第２取込球検出スイッチ１０５ａ、１０５ｂ）と、
を備え、
前記メイン制御手段（遊技制御部４１）は、
前記取込要求操作部が操作されたときに、前記取込装置の取込動作により遊技球を取り込むための取込制御を行う取込制御手段｛遊技制御部４１（取込制御処理）｝と、
前記取込装置の取込動作により１単位の賭数を設定するのに必要な単位球数（５球）の遊技球が取り込まれる毎に賭数の設定を行う賭数設定手段｛遊技制御部４１（取込制御処理におけるＳｂ３０９）｝と、
を含み、
前記取込制御手段は、
前記取込要求操作部が操作されたことにより、前記遊技球貯留部に遊技球が貯留されているか否かに関わらず、規定の動作量（所定球数を取り込むための動作量）の取込動作を前記取込装置に行わせる取込動作制御手段｛遊技制御部４１（取込制御処理におけるＳｂ３０２〜３１３）｝と、
前記取込動作が終了した後に前記取込要求操作部の操作による取込要求数に応じた数の遊技球が前記取込遊技球検出手段により検出されたか否かを判定する取込遊技球数判定手段｛遊技制御部４１（取込制御処理におけるＳｂ３１４）｝と、
前記取込遊技球数判定手段により前記取込要求数に応じた数の遊技球が前記取込遊技球検出手段により検出されていないと判定されたときに、前記規定の動作量の取込動作を前記取込装置に再度行わせる取込動作再制御手段｛遊技制御部４１（取込制御処理におけるＳｂ３１４〜３１６）｝と、
前記取込遊技球数判定手段により前記取込要求操作部の操作による取込要求数に応じた数の遊技球が前記取込遊技球検出手段により検出されたと判定されたとき、または前記取込動作再制御手段による取込動作の再試行（リトライ）回数が所定回数（２回）に達したとき（リトライカウンタの値が０のとき）に取込制御を終了させる取込制御終了手段｛遊技制御部４１（取込制御処理におけるＳｂ３１８）｝と、
を含む、
ことを特徴としている。
【０８１０】
本発明の請求項８に記載の遊技球を用いたスロットマシンは、請求項１〜６のいずれかに記載の遊技球を用いたスロットマシンであって、
遊技者所有の遊技球（パチンコ球）を貯留する遊技球貯留部（上皿１２）と、
前記遊技球貯留部に貯留された遊技球の取込を要求する際に操作される取込要求操作部（１ＢＥＴスイッチ５、ＭＡＸＢＥＴスイッチ６）と、
前記遊技球貯留部に貯留された遊技球を取り込む取込動作を行う取込装置（１００）と、
前記取込装置の取込動作により取り込まれた遊技球を検出する取込遊技球検出手段（第１取込球検出スイッチ１０４、第２取込球検出１０５ａ、１０５ｂ）と、
を備え、
前記メイン制御手段（遊技制御部４１）は、
前記取込要求操作部が操作されたときに、前記取込装置の取込動作により遊技球を取り込むための取込制御を行う取込制御手段｛遊技制御部４１（取込制御処理）｝と、
前記取込装置の取込動作により１単位の賭数を設定するのに必要な単位球数（５球）の遊技球が取り込まれる毎に賭数の設定を行う賭数設定手段｛遊技制御部４１（取込制御処理におけるＳｂ３０９）｝と、
を含み、
前記取込制御手段｛遊技制御部４１（取込制御処理）｝は、
前記取込要求操作部が操作されたことにより、前記遊技球貯留部に遊技球が貯留されているか否かに関わらず、該取込要求操作部の操作による取込要求数に応じた動作量（取込球カウンタの値分のパチンコ球を取り込むための動作量）の取込動作を前記取込装置に行わせる取込動作制御手段｛遊技制御部４１（取込制御処理におけるＳｂ３０２〜３１３）｝と、
前記取込動作が終了した後に動作量に応じた数の遊技球が前記取込遊技球検出手段により検出されたか否かを判定する取込遊技球数判定手段｛遊技制御部４１（取込制御処理におけるＳｂ３１４）｝と、
前記取込遊技球数判定手段により前記動作量に応じた数の遊技球が前記取込遊技球検出手段により検出されていないと判定されたときに、前記取込要求数から前記取込遊技球検出手段により検出された遊技球数を減算した不足数分に応じた動作量の取込動作を前記取込装置に再度行わせる取込動作再制御手段｛遊技制御部４１（取込制御処理におけるＳｂ３１４〜３１６）｝と、
前記取込遊技球数判定手段により前記動作量に応じた数の遊技球が前記取込遊技球検出手段により検出されたと判定されたとき、または前記取込動作再制御手段による取込動作の再試行（リトライ）回数が所定回数（２回）に達したとき（リトライカウンタの値が０のとき）に取込制御を終了させる取込制御終了手段｛遊技制御部４１（取込制御処理におけるＳｂ３１８）｝と、
を含む、
ことを特徴としている。
【０８１１】
本発明の請求項９に記載の遊技球を用いたスロットマシンは、請求項７または８に記載の遊技球を用いたスロットマシンであって、
前記取込制御手段｛遊技制御部４１（取込制御処理）｝は、前記取込装置（１００）の取込動作により既に遊技球（パチンコ球）が取り込まれている状態において前記取込要求操作部（１ＢＥＴボタン５、ＭＡＸＢＥＴボタン６）が操作されたときに、該取込要求操作部の操作に対して定められた取込指定数（１ＢＥＴボタン５：５球、ＭＡＸＢＥＴボタン６：１５球）から前記既に取り込まれた遊技球数（１ＢＥＴボタン５が操作された場合：未使用球カウンタの値、ＭＡＸＢＥＴスイッチ６が操作された場合：ＢＥＴ数×５＋未使用球カウンタの値）を減算した数を前記取込要求数（取込球カウンタの値）として設定する取込要求数設定手段｛遊技制御部４１（取込制御処理におけるＳｂ１８、１９）｝を含む、
ことを特徴としている。
【０８１２】
本発明の請求項１０に記載の遊技球を用いたスロットマシンは、請求項１〜９のいずれかに記載の遊技球を用いたスロットマシンであって、
前記前面扉体（上部前面扉２８）は、
前記装飾パネル（遊技パネル２４）と前記発光手段（装飾効果ＬＥＤ７６Ｌａ、７６Ｒａ）との間に取り付けられ、前記発光手段からの光を前方に向けて透過、かつ拡散して前記装飾パネルの表面所定領域を均一に照らす面発光手段｛パネルレンズ１２０１（レンズ面１２０１Ｌ、１２０１Ｒ）｝を備える、
ことを特徴としている。
【図面の簡単な説明】
【０８１３】
【図１】本発明が適用された実施例としてのスロットマシン１を斜め前方から見た斜視図である。
【図２】外枠に対して枠基体を開放した状態のスロットマシン１を斜め前方から見た斜視図である。
【図３】本体枠に対して上部前面扉及び下部前面扉を開放した状態を示す斜視図である。
【図４】スロットマシン１を示す正面図である。
【図５】上皿を示す平面図である。
【図６】枠基体の内部を示す正面図である。
【図７】（ａ）は上部前面扉を示す背面図であり、（ｂ）は下部前面扉を示す背面図である。
【図８】スロットマシン１を示す背面図である。
【図９】スロットマシン１の左側面図である。
【図１０】スロットマシン１の右側面図である。
【図１１】スロットマシン１を示す平面図である。
【図１２】スロットマシン１を示す底面図である。
【図１３】スロットマシン１におけるパチンコ球の流下経路を示す概略図である。
【図１４】（ａ）は図１３の要部拡大図であり、（ｂ）は（ａ）の平面図である。
【図１５】スロットマシン１における各リール２Ｌ、２Ｃ、２Ｒの図柄配列を示す図である。
【図１６】スロットマシン１の構成を示すブロック図である。
【図１７】スロットマシン１の遊技制御基板と払出制御基板、払出制御基板とカードユニットの間でやりとりされる信号を示す図である。
【図１８】（ａ）は電源基板１６３の構成を説明するための回路図であり、（ｂ）は遊技制御基板４０における遊技制御部４１への電源まわりの構成を説明するための回路図である。
【図１９】遊技制御部が電源投入時に行う電源投入時処理の詳細な制御内容を示すフローチャートである。
【図２０】遊技制御部が基本処理として実行するゲーム制御処理の制御内容を示すフローチャートである。
【図２１】遊技制御部がＳａ１０１のステップにおいて実行するＢＥＴ処理の制御内容を示すフローチャートである。
【図２２】遊技制御部がＳｂ１６のステップにおいて実行する精算制御処理の制御内容を示すフローチャートである。
【図２３】遊技制御部がＳｂ１０５のステップ及び電源投入時処理において精算要求に基づく未精算球が残存する場合において実行する精算要求処理の制御内容を示すフローチャートである。
【図２４】遊技制御部がＳｂ２０のステップにおいて実行する取込制御処理の制御内容を示すフローチャートである。
【図２５】遊技制御部がＳａ１０６のステップにおいて実行する賞球付与処理の制御内容を示すフローチャートである。
【図２６】遊技制御部がＳｃ３のステップ及び電源投入時処理において払出要求に基づく未払出球が残存する場合において実行する払出要求処理の制御内容を示すフローチャートである。
【図２７】遊技制御部が内部タイマからの出力に基づき前述した割込処理３として基本処理に割り込んで定期的に実行するタイマ割込処理（Ａ）の制御内容を示すフローチャートである。
【図２８】同じく遊技制御部が内部タイマからの出力に基づき前述した割込処理３として基本処理に割り込んで定期的に実行するタイマ割込処理（Ａ）の制御内容を示すフローチャートである。
【図２９】タイマ割込処理（Ａ）の動作状況を示すタイミングチャートである。
【図３０】遊技制御部から演出制御部に対して送信されるコマンドの一例を示す図である。
【図３１】コマンドキューの構成を示す図である。
【図３２】遊技制御部のゲーム制御処理や初期化処理においてコマンドを生成して、コマンドキューに格納する際に実行するコマンド格納処理の制御内容を示すフローチャートである。
【図３３】遊技制御部が前述したタイマ割込処理（Ａ）のタイマ割込２内において実行するコマンド送信処理の制御内容を示すフローチャートである。
【図３４】（ａ）（ｂ）は、本実施例におけるコマンドの送信状況の一例を示すタイミングチャートである。
【図３５】遊技制御部が内部タイマからの出力に基づき前述した割込処理３として基本処理に割り込んで定期的に実行するタイマ割込処理（Ｂ）の制御内容を示すフローチャートである。
【図３６】遊技制御部が電源監視用ＩＣ４７からの電圧低下信号の検出に基づいて割込処理１として基本処理に割り込んで実行する電断割込処理を示すフローチャートである。
【図３７】演出制御部が実行する電源投入時処理（演出）を示すフローチャートである。
【図３８】演出制御部が遊技制御部から出力されたストローブ信号の検出に基づき割込処理１として他の処理に割り込んで実行するコマンド受信割込処理の制御内容を示すフローチャートである。
【図３９】演出制御部が内部タイマからの出力に基づき定期的に実行する割込処理２としてのタイマ割込処理（演出）の制御内容を示すフローチャートである。
【図４０】停電時における遊技制御部及び演出制御部の動作状況を示すタイミングチャートである。
【図４１】払出制御部が電源投入時に行う電源投入時処理（払出）を示すフローチャートである。
【図４２】払出制御部が割込禁止を解除した後、内部タイマの出力に基づいて定期的に実行する割込処理（払出）の制御内容を示すフローチャートである。
【図４３】払出制御部がＳｑ２のステップにおいて実行する接続確認処理の詳細な制御内容を示すフローチャートである。
【図４４】払出制御部がＳｑ３のステップにおいて実行する主基板通信処理の詳細な制御内容を示すフローチャートである。
【図４５】払出制御部がＳｓ２のステップにおいて実行する主基板通信処理１の詳細な制御内容を示すフローチャートである。
【図４６】払出制御部がＳｓ３のステップにおいて実行する主基板通信処理２の詳細な制御内容を示すフローチャートである。
【図４７】払出制御部がＳｓ４のステップにおいて実行する主基板通信処理３の詳細な制御内容を示すフローチャートである。
【図４８】払出制御部がＳｑ４のステップにおいて実行する貸出制御処理の詳細な制御内容を示すフローチャートである。
【図４９】払出制御部がＳｔ２のステップにおいて実行する貸出通信処理１の詳細な制御内容を示すフローチャートである。
【図５０】払出制御部がＳｔ３のステップにおいて実行する貸出通信処理２の詳細な制御内容を示すフローチャートである。
【図５１】払出制御部がＳｔ４のステップにおいて実行する貸出通信処理３の詳細な制御内容を示すフローチャートである。
【図５２】払出制御部がＳｔ５のステップにおいて実行する貸出通信処理４の詳細な制御内容を示すフローチャートである。
【図５３】払出制御部がＳｑ５のステップにおいて実行する払出制御処理の詳細な制御内容を示すフローチャートである。
【図５４】払出制御部がＳｕ４のステップにおいて実行する払出開始待ち処理の詳細な制御内容を示すフローチャートである。
【図５５】払出制御部がＳｕ５のステップにおいて実行する払出停止待ち処理の詳細な制御内容を示すフローチャートである。
【図５６】払出制御部がＳｕ６のステップにおいて実行する払出通過待ち処理の詳細な制御内容を示すフローチャートである。
【図５７】賞球を伴う入賞が発生した場合や取込済球が残存する状態で精算ボタン１０の操作が受け付けられた場合の動作状況を示すタイミングチャートである。
【図５８】払出要求中または精算要求中においてエラーが発生した場合の動作状況を示すタイミングチャートである。
【図５９】払出要求中または精算要求中においてエラーが発生した場合の動作状況の変形例を示すタイミングチャートである。
【図６０】球貸ボタン１９が検出されたことに伴いカードユニット１５により貸出処理が行われた場合の動作状況を示すタイミングチャートである。
【図６１】貸出動作の実行中に賞球を伴う入賞が発生した場合の動作状況を示すタイミングチャートである。
【図６２】賞球の払出動作の実行中に球貸ボタン１９が検出されたことに伴いカードユニット１５により貸出処理が行われた場合の動作状況を示すタイミングチャートである。
【図６３】１ＢＥＴスイッチ５またはＭＡＸＢＥＴスイッチ６の操作が受け付けられ、取込制御（取込制御処理）が行われた場合や、精算ボタン１０の操作が受け付けられ、精算制御（精算制御処理）が行われた場合の動作状況を示すタイミングチャートである。
【図６４】ＢＥＴ処理中にカードユニット１５と払出制御基板６０との接続が断絶した際の動作状況を示すタイミングチャートである。
【図６５】同じくＢＥＴ処理中にカードユニット１５と払出制御基板６０との接続が断絶した際の動作状況を示すタイミングチャートである。
【図６６】図１のスロットマシンの変形例において遊技制御基板と払出制御基板、払出制御基板とカードユニットの間でやりとりされる信号を示す図である。
【図６７】（ａ）は外枠２５を斜め左前方から見た斜視図であり、（ｂ）は外枠２５を斜め右後方から見た斜視図である。
【図６８】枠基体２６の外枠２５への取り付け状態を示す要部概略図である。
【図６９】（ａ）、（ｂ）はステーの取り付け状態を示す図である。
【図７０】（ａ）は枠基体２６の開状態を示す概略図であり、（ｂ）は枠基体２６の閉状態を示す概略図である。
【図７１】枠基体２６を示す分解斜視図である。
【図７２】本体枠２７へのリールユニット３０及び上部前面扉の取り付け状態を示す分解斜視図である。
【図７３】本体枠２７に対するリールユニット３０の取り付け状態を示す概略断面図である。
【図７４】各部の係止状態を示す概略側面図である。
【図７５】本体枠２７を示す正面図である。
【図７６】本体枠に取り付けられるユニット及び各種部品や部材を示す分解斜視図である。
【図７７】同じく、本体枠に取り付けられるユニット及び各種部品や部材を示す分解斜視図である。
【図７８】下皿受部３１の構造を示す分解斜視図である。
【図７９】下皿１１のシャッタ構造を示す平面図である。
【図８０】リールユニット枠５５０を示す正面図である。
【図８１】図８２のＡ−Ａ断面図である。
【図８２】リールユニット枠５５０に対する各部材の取り付け状況を示す分解斜視図である。
【図８３】リールユニット枠５５０に対する演出制御基板ケース１７０及び各リール２Ｌ、２Ｃ、２Ｒの取り付け状況を示す分解斜視図である。
【図８４】演出制御基板ケース１７０を示す分解斜視図である。
【図８５】リール体を示す分解斜視図である。
【図８６】リールモータ３４Ｌを示す斜視図である。
【図８７】（ａ）は取付板６０５のリールモータ３４Ｌへの取付状態を示す図であり、（ｂ）は（ａ）のリールモータ３４Ｌの底面図である。
【図８８】（ａ）はリール保持枠６５６を示す縦断面図であり、（ｂ）はリール保持枠６５６を示す側面図である。
【図８９】支持板６００Ｌへのランプユニット６０１Ｌの取り付け状態を示す斜視図である。
【図９０】（ａ）（ｂ）はランプユニット６０１Ｌの支持板６００Ｌへの取付状態を示す側面図である。
【図９１】リール収容凹部３０ａにリール２Ｌ、２Ｃ、２Ｒが並設された状態を示す横断面図である。
【図９２】リール体をリールユニット枠５５０に組み付ける状態を示す概略図である。
【図９３】リール体がリールユニット枠５５０に組み付けられた状態を示す概略図である。
【図９４】本体枠２７の背面への各種ユニットや部材の取り付け状態を示す分解斜視図である。
【図９５】（ａ）（ｂ）は下皿球通路部材８０２を示す斜視図である。
【図９６】（ａ）は錠前付き補強枠２２７を斜め前方から見た状態を示す斜視図であり、（ｂ）は錠前付き補強枠２２７を斜め後方から見た状態を示す斜視図である。
【図９７】上部払出ユニット８００を示す分解斜視図である。
【図９８】（ａ）は上部機構板８２０を示す背面図であり、（ｂ）は上部機構板８２０を示す側面図であり、（ｃ）は上部機構板８２０を示す前面図である。
【図９９】（ａ）は通路表カバー８２１を示す正面図であり、（ｂ）は通路表カバー８２１を示す背面図である。
【図１００】（ａ）は図９９（ａ）のＡ−Ａ断面図であり、（ｂ）は図９９（ａ）のＢ−Ｂ断面図である。
【図１０１】（ａ）は通路裏カバー８２４を示す正面図であり、（ｂ）は断面図である。
【図１０２】（ａ）は補給タンク２０４を示す平面図であり、（ｂ）は（ａ）のＡ−Ａ断面図である。
【図１０３】（ａ）はタンクレールを示す平面図であり、（ｂ）は背面図であり、（ｃ）は正面図であり、（ｄ）は右側面図である。
【図１０４】（ａ）は払出装置２００を右斜め前方から見た状態を示す斜視図であり、（ｂ）は払出装置２００を左斜め前方から見た状態を示す斜視図である。
【図１０５】払出装置２００を示す背面図、左右側面図、平面図、底面図である。
【図１０６】払出装置２００の内部構造を示す分解斜視図である。
【図１０７】（ａ）は球通路の状態を示す左側面図であり、（ｂ）は（ａ）のＡ−Ａ断面図、（ｃ）は（ａ）のＢ−Ｂ断面図である。
【図１０８】（ａ）はカーブ通路部８３２付近の通路構造を示す要部拡大図であり、（ｂ）は（ａ）のＡ−Ａ断面図であり、（ｃ）は（ａ）のＢ−Ｂ断面図である。
【図１０９】（ａ）は供給球検出スイッチ２０５付近の構造を示す要部拡大図であり、（ｂ）は供給球の検出状態を示す断面図であり、（ｃ）は供給球の非検出状態を示す断面図である。
【図１１０】（ａ）は流路振分部１２７の構造を示す斜視図であり、（ｂ）は球抜き時の状態を示す斜視図である。
【図１１１】（ａ）は球止め部材８５０を示す要部拡大断面図であり、（ｂ）は球止め時の状態を示す断面図である。
【図１１２】カーブ通路部８３２から払出装置２００までの球通路構造を示す概略図である。
【図１１３】下部払出ユニット８０１を示す分解斜視図である。
【図１１４】下部機構板９００を示す背面図、側面図、平面図、底面図である。
【図１１５】排出部カバー９０１を示す背面図、側面図、平面図、底面図である。
【図１１６】基板取付板４０１を示す背面図、側面図、平面図、底面図である。
【図１１７】ケース本体４０２を示す正面図、左右側面図、平面図、底面図である。
【図１１８】（ａ）は図１１７のＡ−Ａ断面図であり、（ｂ）は図１１７のＢ−Ｂ断面図である。
【図１１９】ケースカバー４０３を示す正面図、左右側面図、平面図、底面図である。
【図１２０】（ａ）は図１１９のＡ−Ａ断面図であり、（ｂ）は図１１９のＢ−Ｂ断面図であり、（ｃ）は図１１９のＣ−Ｃ断面図であり、（ｄ）は図１１９のＤ−Ｄ断面図である。
【図１２１】（ａ）（ｂ）はケース本体４０２とケースカバー４０３とを封鎖する状態を示す斜視図である。
【図１２２】（ａ）（ｂ）はケース本体４０２の開口をケースカバー４０３にて閉鎖する状態を示す一部破断側面図である。
【図１２３】メイン制御基板ケース４００を基板取付板４０１に取り付ける状態を示す斜視図である。
【図１２４】メイン制御基板ケース４００を基板取付板４０１に固着する状態を示す一部破断断面図である。
【図１２５】封印シールを貼着した状態を示す正面図、平面図及び底面図である。
【図１２６】（ａ）は電源基板ケース３００の構造を示す分解斜視図であり、（ｂ）は電源基板ケース取付部９１５に取り付けられた状態を示す縦断面図である。
【図１２７】上皿受部４の構造を示す分解斜視図である。
【図１２８】上皿表カバー１００１を示す背面図である。
【図１２９】上皿裏カバー１００２を示す背面図である。
【図１３０】上皿裏カバー１００２への部材の組み付け状況を示す分解斜視図である。
【図１３１】（ａ）は上皿１２における通常時の球の流れを示す概略背面図であり、（ｂ）は上皿１２における球抜き時の球の流れを示す概略背面図である。
【図１３２】（ａ）は整流部１２ｂを示す断面図であり、（ｂ）はスピーカ５３ａと上皿表カバー１００１との関係を示す要部拡大断面図である。
【図１３３】ＭＡＸＢＥＴボタンユニット１６００を示す分解斜視図である。
【図１３４】スタートボタンユニット１７００を示す分解斜視図である。
【図１３５】ストップボタンユニット１８００を示す分解斜視図である。
【図１３６】（ａ）は取込装置１００を左斜め前方から見た状態を示す斜視図であり、（ｂ）は取込装置１００を右斜め前方から見た状態を示す斜視図である。
【図１３７】取込装置１００を示す背面図、左右側面図、平面図、底面図である。
【図１３８】取込装置１００の内部構造を示す分解斜視図である。
【図１３９】球通路の状態を示す左側面図である。
【図１４０】（ａ）は取込動作時における状態を示す図１３９のＡ−Ａ断面図、（ｂ）は返却動作時における状態を示す図１３９のＡ−Ａ断面図である。
【図１４１】透視窓枠２２２を示す正面図である。
【図１４２】透視窓枠２２２の前面に組み付けられる部材を示す分解斜視図である。
【図１４３】透視窓枠２２２の背面に組み付けられる部材を示す分解斜視図である。
【図１４４】装飾枠２２４の前面に組み付けられる部材を示す分解斜視図である。
【図１４５】装飾枠２２４を示す背面図である。
【図１４６】装飾枠２２４の背面に組み付けられる部材を示す分解斜視図である。
【符号の説明】
【０８１４】
１  スロットマシン
２Ｌ、２Ｃ、２Ｒ  リール
５  １ＢＥＴボタン
６  ＭＡＸＢＥＴボタン
７  スタートボタン
１０  精算ボタン
１１  下皿
１２  上皿
１５  カードユニット
１６ａ  取込済球／払出済球表示器
２４  遊技パネル
２７  本体枠
２８  上部前面扉
２９  下部前面扉
３０  リールユニット
４０  遊技制御基板
４１  遊技制御部
６０  払出制御基板
６１  払出制御部
１００  取込装置
２００  払出装置
２２０  分離ユニット
【図１】
2006305020.tif 000003
【図２】
2006305020.tif 000004
【図３】
2006305020.tif 000005
【図４】
2006305020.tif 000006
【図５】
2006305020.tif 000007
【図６】
2006305020.tif 000008
【図７】
2006305020.tif 000009
【図８】
2006305020.tif 000010
【図９】
2006305020.tif 000011
【図１０】
2006305020.tif 000012
【図１１】
2006305020.tif 000013
【図１２】
2006305020.tif 000014
【図１３】
2006305020.tif 000015
【図１４】
2006305020.tif 000016
【図１５】
2006305020.tif 000017
【図１６】
2006305020.tif 000018
【図１７】
2006305020.tif 000019
【図１８】
2006305020.tif 000020
【図１９】
2006305020.tif 000021
【図２０】
2006305020.tif 000022
【図２１】
2006305020.tif 000023
【図２２】
2006305020.tif 000024
【図２３】
2006305020.tif 000025
【図２４】
2006305020.tif 000026
【図２５】
2006305020.tif 000027
【図２６】
2006305020.tif 000028
【図２７】
2006305020.tif 000029
【図２８】
2006305020.tif 000030
【図２９】
2006305020.tif 000031
【図３０】
2006305020.tif 000032
【図３１】
2006305020.tif 000033
【図３２】
2006305020.tif 000034
【図３３】
2006305020.tif 000035
【図３４】
2006305020.tif 000036
【図３５】
2006305020.tif 000037
【図３６】
2006305020.tif 000038
【図３７】
2006305020.tif 000039
【図３８】
2006305020.tif 000040
【図３９】
2006305020.tif 000041
【図４０】
2006305020.tif 000042
【図４１】
2006305020.tif 000043
【図４２】
2006305020.tif 000044
【図４３】
2006305020.tif 000045
【図４４】
2006305020.tif 000046
【図４５】
2006305020.tif 000047
【図４６】
2006305020.tif 000048
【図４７】
2006305020.tif 000049
【図４８】
2006305020.tif 000050
【図４９】
2006305020.tif 000051
【図５０】
2006305020.tif 000052
【図５１】
2006305020.tif 000053
【図５２】
2006305020.tif 000054
【図５３】
2006305020.tif 000055
【図５４】
2006305020.tif 000056
【図５５】
2006305020.tif 000057
【図５６】
2006305020.tif 000058
【図５７】
2006305020.tif 000059
【図５８】
2006305020.tif 000060
【図５９】
2006305020.tif 000061
【図６０】
2006305020.tif 000062
【図６１】
2006305020.tif 000063
【図６２】
2006305020.tif 000064
【図６３】
2006305020.tif 000065
【図６４】
2006305020.tif 000066
【図６５】
2006305020.tif 000067
【図６６】
2006305020.tif 000068
【図６７】
2006305020.tif 000069
【図６８】
2006305020.tif 000070
【図６９】
2006305020.tif 000071
【図７０】
2006305020.tif 000072
【図７１】
2006305020.tif 000073
【図７２】
2006305020.tif 000074
【図７３】
2006305020.tif 000075
【図７４】
2006305020.tif 000076
【図７５】
2006305020.tif 000077
【図７６】
2006305020.tif 000078
【図７７】
2006305020.tif 000079
【図７８】
2006305020.tif 000080
【図７９】
2006305020.tif 000081
【図８０】
2006305020.tif 000082
【図８１】
2006305020.tif 000083
【図８２】
2006305020.tif 000084
【図８３】
2006305020.tif 000085
【図８４】
2006305020.tif 000086
【図８５】
2006305020.tif 000087
【図８６】
2006305020.tif 000088
【図８７】
2006305020.tif 000089
【図８８】
2006305020.tif 000090
【図８９】
2006305020.tif 000091
【図９０】
2006305020.tif 000092
【図９１】
2006305020.tif 000093
【図９２】
2006305020.tif 000094
【図９３】
2006305020.tif 000095
【図９４】
2006305020.tif 000096
【図９５】
2006305020.tif 000097
【図９６】
2006305020.tif 000098
【図９７】
2006305020.tif 000099
【図９８】
2006305020.tif 000100
【図９９】
2006305020.tif 000101
【図１００】
2006305020.tif 000102
【図１０１】
2006305020.tif 000103
【図１０２】
2006305020.tif 000104
【図１０３】
2006305020.tif 000105
【図１０４】
2006305020.tif 000106
【図１０５】
2006305020.tif 000107
【図１０６】
2006305020.tif 000108
【図１０７】
2006305020.tif 000109
【図１０８】
2006305020.tif 000110
【図１０９】
2006305020.tif 000111
【図１１０】
2006305020.tif 000112
【図１１１】
2006305020.tif 000113
【図１１２】
2006305020.tif 000114
【図１１３】
2006305020.tif 000115
【図１１４】
2006305020.tif 000116
【図１１５】
2006305020.tif 000117
【図１１６】
2006305020.tif 000118
【図１１７】
2006305020.tif 000119
【図１１８】
2006305020.tif 000120
【図１１９】
2006305020.tif 000121
【図１２０】
2006305020.tif 000122
【図１２１】
2006305020.tif 000123
【図１２２】
2006305020.tif 000124
【図１２３】
2006305020.tif 000125
【図１２４】
2006305020.tif 000126
【図１２５】
2006305020.tif 000127
【図１２６】
2006305020.tif 000128
【図１２７】
2006305020.tif 000129
【図１２８】
2006305020.tif 000130
【図１２９】
2006305020.tif 000131
【図１３０】
2006305020.tif 000132
【図１３１】
2006305020.tif 000133
【図１３２】
2006305020.tif 000134
【図１３３】
2006305020.tif 000135
【図１３４】
2006305020.tif 000136
【図１３５】
2006305020.tif 000137
【図１３６】
2006305020.tif 000138
【図１３７】
2006305020.tif 000139
【図１３８】
2006305020.tif 000140
【図１３９】
2006305020.tif 000141
【図１４０】
2006305020.tif 000142
【図１４１】
2006305020.tif 000143
【図１４２】
2006305020.tif 000144
【図１４３】
2006305020.tif 000145
【図１４４】
2006305020.tif 000146
【図１４５】
2006305020.tif 000147
【図１４６】
2006305020.tif 000148